(57)【要約】      （修正有）【課題】電子交易、電子権利、および取引管理のための管理および支援サービスの統合されたモジュラアレイを提供する。【解決手段】管理および支援サービスは、財政管理、権利管理、認証当局、規則手形交換、使用手形交換、安全なディレクトリサービス、ならびにインターネットなどの広い電子ネットワークおよび／または組織内部イントラネットにわたって機能する他の取引関連能力を行うための安全な基礎を供給する。電子交易参加者は、これらの管理および支援サービスを用いて、その利益を支援し得、競合するビジネスの実体に応答してこれらのサービスを形成および再利用し得る。分散交易ユーティリティは、交易管理源を最適に有効利用し、電子交易成長の需要に順応するように実用的にスケーリングし得る。交易ユーティリティシステムは、電子コミュニティの参加者に利用可能であり、再利用されるインフラストラクチャ支援のウェブを提供する。【選択図】図１
2011060296.tif 000002
【特許請求の範囲】
【請求項１】
少なくとも１個の決済オペレーションを実行するための電子交易および／または権利管理システムであって、前記システムは、第１の電子機器（１００）、第２の電子機器（１００’）、および前記第１および第２の電子機器（１００、１００’）がデジタル信号を交換することを可能とする電子通信ネットワーク（１５０）を備えるシステムにおいて、
前記第１の電子機器（１００）は少なくとも前記決済オペレーションの第１の部分を実行し、さらに、
前記第２の電子機器（１００’）は少なくとも前記決済オペレーションの第２の部分を実行することを特徴とする、電子交易および／または権利管理システム。
【請求項２】
請求項１に記載の電子交易および／または権利管理システムであって、さらに、前記決済オペレーションの前記第１の部分は少なくとも１個のマイクロ支払い総計タスクを含み、さらに前記決済オペレーションの前記第２の部分は少なくとも１個の支払確定タスクを含むことを特徴とするシステム。
【請求項３】
請求項１に記載の電子交易および／または権利管理システムであって、さらに、前記第１の電子機器（１００）は消費者機器を備え、かつ前記第２の電子機器（１００’）は少なくとも部分的に決済所内に設置されることを特徴とするシステム。
【請求項４】
請求項１に記載の電子交易および／または権利管理システムであって、さらに、少なくとも前記第１の電子機器（１００）は保護された処理環境（１５４）を含むことを特徴とするシステム。
【請求項５】
請求項１に記載の電子交易および／または権利管理システムであって、さらに、前記決済オペレーションの前記第１の部分は使用計量タスク（１１６）を備えることを特徴とするシステム。
【請求項６】
請求項１に記載の電子交易および／または権利管理システムであって、さらに、前記決済オペレーションの前記第１の部分は、電子認証（５０４）を必要とする少なくとも１個のタスクを備えることを特徴とするシステム。
【請求項７】
請求項１に記載の電子交易および／または権利管理システムであって、さらに、前記決済オペレーションの前記第１の部分は少なくとも１個の権利管理タスクを備えることを特徴とするシステム。
【請求項８】
請求項１に記載の電子交易および／または権利管理システムであって、さらに、前記決済オペレーションの前記第１の部分は少なくとも１個の電子通貨管理タスクを備えることを特徴とするシステム。
【請求項９】
請求項１に記載の電子交易および／または権利管理システムであって、さらに、前記決済オペレーションの大部分は前記第１の機器（１００）によって実行されることを特徴とするシステム。
【請求項１０】
請求項１に記載の電子交易および／または権利管理システムであって、さらに、前記決済オペレーションの大部分は前記第２の機器（１００’）によって実行されることを特徴とするシステム。
【請求項１１】
請求項１に記載の電子交易および／または権利管理システムであって、さらに、前記システムはさらにネットワーク（１５０）を介して少なくとも前記第１および第２の電極機器（１００、１００’）の一方に接続された第３の電子機器（１００”）を含み、前記第３の電子機器は前記決済オペレーションの第３の部分を実行することを特徴とするシステム。
【請求項１２】
請求項１に記載の電子交易および／または権利管理システムであって、さらに、前記第１および第２の機器（１００、１００’）はそれぞれ、金融決済オペレーション、使用決済オペレーション、権利および許可決済オペレーション、認証権限オペレーション、売買権限オペレーション、および安全な名簿サービスオペレーションのいずれをも実行することが可能で、かつ前記オペレーションのそれぞれは前記第１および第２の機器（１００、１００’）間で異なる方法で分散されうることを特徴とするシステム。
【請求項１３】
請求項１に記載の電子交易および／または権利管理システムであって、さらに、前記電子ネットワーク（１５０）は前記第１および第２の電子機器（１００、１００’）を交易ユーティリティシステムウエブに接続することを特徴とするシステム。
【請求項１４】
請求項１に記載の電子交易および／または権利管理システムであって、さらに、電子権利ホルダーが前記第１の電子機器（１００）と前記第２の電子機器（１００’）間を電子的に選択することができることを特徴とするシステム。
【請求項１５】
請求項１に記載の電子交易および／または権利管理システムであって、さらに、前記第１および第２の電子機器（１００、１００’）は全体売買決済を実行するために協働することを特徴とするシステム。
【請求項１６】
請求項１に記載の電子交易および／または権利管理システムであって、さらに、前記第１および第２の機器（１００、１００’）のそれぞれは、少なくとも１個の金融決済オペレーション、少なくとも１個の使用決済オペレーション、少なくとも１個の権利及び許可決済オペレーション、少なくとも１個の認証権限オペレーション、少なくとも１個の売買権限オペレーション、および少なくとも１個の安全な名簿サービスオペレーションのそれぞれを実行することを特徴とするシステム。
【請求項１７】
請求項１に記載の電子交易および／または権利管理システムであって、さらに、前記第１の電子機器（１００）は、複数の交易ユーティリティシステム（９０（１）、・・・９０（ｎ））の階層を備えることを特徴とするシステム。
【請求項１８】
請求項１に記載の電子交易および／または権利管理システムであって、さらに、前記第１の電子機器（１００）は組織体特有のものであることを特徴とするシステム。
【請求項１９】
請求項１に記載の電子交易および／または権利管理システムであって、さらに、前記第１の電子機器（１００）は垂直に専門化されていることを特徴とするシステム。
【請求項２０】
請求項１に記載の電子交易および／または権利管理システムであって、さらに、前記第１の電子機器（１００）は、地域および／または司法権の及ぶ範囲によって専門化されている事を特徴とするシステム。
【請求項２１】
請求項１に記載の電子交易および／または権利管理システムであって、さらに、前記第１および第２の電子機器（１００、１００’）は、ピアとしてかつ階層的に通信しかつ調和することを特徴とするシステム。
【請求項２２】
請求項１に記載の電子交易および／または権利管理システムであって、さらに、前記決済オペレーションは処理支払関連の情報を含み、さらに少なくとも１個の支払関連の売買を実行することを特徴とするシステム。
【請求項２３】
請求項１に記載の電子交易および／または権利管理システムであって、さらに、前記決済オペレーションは、処理使用関連情報を含み、かつ少なくとも１個の使用報告アクションを実行することを特徴とするシステム。
【請求項２４】
請求項１に記載の電子交易および／または権利管理システムであって、さらに、前記決済オペレーションは少なくとも１個の要求を受信し、かつ少なくとも１個の関連権利管理売買を実行することを特徴とするシステム。
【請求項２５】
請求項１に記載の電子交易および／または権利管理システムであって、さらに、前記決済オペレーションは少なくとも１個のデジタル認証を発行することを特徴とするシステム。
【請求項２６】
請求項１に記載の電子交易および／または権利管理システムであって、さらに、前記決済オペレーションは安全に提供される名簿情報を含むことを特徴とするシステム。
【請求項２７】
請求項１に記載の電子交易および／または権利管理システムであって、さらに、前記決済オペレーションは少なくとも１個の処理管理売買の実行を含むことを特徴とするシステム。
【請求項２８】
請求項１に記載の電子交易および／または権利管理システムにおいて、前記決済オペレーションの前記第１および第２の部分は、互いに支援するものである、システム。
【請求項２９】
請求項１に記載の電子交易および／または権利管理システムにおいて、前記第１および第２の電子機器（１００、１００’）の少なくとも一方は、少なくとも１個のサービス機能を定義するサービスアプリケーションコンポーネントの集合を支援する権利操作システムを含むものである、システム。
【発明の詳細な説明】
【技術分野】
【０００１】
本発明は、一般に、電子インタラクション及びその結果を管理支援するための現代のコンピューティング及びネットワークの効率の最適化及び、電子交易における分散化された信頼性の高い管理を実現する安全な方式に関するものである。
【０００２】
より詳細には本発明は、“分散交易ユーティリティ”に関する。すなわち、電子交易及び他の電子インタラクション及びそれにかかわる環境の管理支援のための基盤である。
【０００３】
具体的には、本発明は以下の項目に関する。
・電子交易及び通信の効率よい管理支援
・電子権利管理及びその支援サービスのための方法と技術
・安全な電子取引運営／管理、電子プロセス制御及びその自動化、決済機能、電子ネットワーク及び／または、仮想分散環境における、分散管理支援サービスのための技術と規定
・決済、制御、自動化及び他の管理のためのインフラストラクチャ及び支援能力。これらにより、デジタルコミュニティにおいて効率的で安全なピアツーピアによる多くの交易利用者のための活動を一括して支援することができる。
【背景技術】
【０００４】
高効率・高能率社会では、個々の活動の相互のかかわりにおいて、その目的と結果を制御する能力が必要とされる。どの社会においても、基本的なサービス、設備とその施行が必要である。
【０００５】
・郵便局の郵便物の配達
・学校の児童教育
・高速道路管理部門による通行量管理と道路整備
・消防署の消火活動
・電力会社の家庭への電力供給
・電話会社による、人々と遠距離・近距離の装置の接続および正確が番号が不明の際のディレクトリサービスの提供
・銀行の預金管理
・ケーブルテレビ及びラジオ局によるニュース及び娯楽番組の家庭への配信
・警察の治安維持
・衛生局によるゴミの収集
・福祉サービスによる生活困窮者のための必要な福祉政策
【０００６】
これらの、及びこれら以外の“表に出ない”重要な管理支援サービスは、現代生活で必要な利便性を実現する基礎または基盤を提供する。この基盤により、効率よい円滑な交易が可能となる。
【０００７】
地元のパン屋でパンを購入することを考えてみる。パン屋は、パン製造に関わる全ての作業をする必要はない。それは、コミュニティが提供する管理支援サービスを利用できるからである。例えば、
・パン屋は、パンを作るための小麦を育てたり、小麦を製粉しなくてもよい。その代わりに、パン屋は小麦粉をトラック輸送してくれる供給先から購入することができる。
【０００８】
・同様に、パン屋はオーブンを暖める燃料を作る必要がない。すなわち、燃料製造・供給の専門業者から燃料がパイプやタンクで配送される。
・地元のパン屋に提示された地元の保健所の衛生検査証書によって、パン屋の衛生管理が保証される。
【０００９】
このように各業者の作業が補償される管理支援サービスは重要である。例えば、
・パンの売買で使用される、人々の札入れあるいは財布から取り出される貨幣を保証する政府を、パン屋及びその顧客は信頼している。
【００１０】
・小切手を使う場合、銀行のシステムは翌日までに、顧客の口座に小切手利用額を請求し、パン屋に料金を支払う。
【００１１】
・パン屋と顧客が別々の銀行を利用している場合は、顧客の小切手は自動“手形交換”システムによって処理される。このシステムによって、異なる銀行間の手形交換及び清算が行われる。銀行間で金の効率手金あ移動が行われ、口座に十分な金がない場合には口座から引き出される小切手を戻す。
【００１２】
・パン屋で支払いにクレジットカードが使用できる場合、顧客にとって支払方法の選択肢が広がり、パン屋の商品を交換する際の支払いが便利になり、パンを購入しやすくなる。
【００１３】
このような支援管理サービスは、経済活動の規模や範囲を拡大し、それによってさらに経済活動の効率化が図られる。例えば、これらの重要な支援管理サービスによって、パン屋はいかにおいしいパンを作るか焼くかということに集中できる。家庭用オーブンでそれぞれの家庭がパンを焼くことに比べて、パン屋の大きな業務用オープンで熟練したパン職人が多くのパンを焼く方がさらに効率がよい。また、穀物を生産する者が必要な燃料を用意しパンを焼くことに比べて、鶏とパンの物々交換するほうがずっと効率がよい。従って、パン屋と顧客がクレジットカードを利用して購買取引きするのは、双方がこのような支払い方法がうまくいくこと、また、現金を媒体としない取引きにおける非常に効率的で有用な基盤となる“自動化”機能を信頼しているからである。
【００１４】
電子コミュニティは管理支援サービスを必要とする
現在、世界規模の電子コミュニティが形成され、その利用者は電子社会におけるインタラクションの形成、制御、自動化のための能力が必要とされる。また、これらの利用者にとって信頼性の高い、安全な信用のおける支援管理サービスが真に必要である。
【００１５】
国際交易では、さらに電子化が加速している。インターネットは世界の何百万台のコンピュータを接続したネットワークの巨大電子ネットワークであり、商取引の媒体として盛んに利用されている。操作性のよいインタフェース（例えば、利用者は項目を“指示し、クリックする”ことで購入を開始し、クレジットカードの情報を簡単な書式に記入することで購入を完了する）が大きな引き金となって、インターネットは急速に消費者及び商品を仕入れる業者の中心になりつつある。また、インターネットは、情報、ソフトウエア、ゲーム、エンターテイメントを含む全ての種類の電子資産及びサービスの重要な販売及び流通“経路”になりつつある。
【００１６】
同時に、大企業は社内及び公共データネットワークを仕入先及び顧客を結び付けるために利用している。計算能力及びネットワーク容量にかかるコストが明らかに低減されたことによって、ますますコンピュータ化が進む世界にとって電子交易は重要性を増している。電子交易が広まるにつれて、この新しい電子コミュニティは、電子化における管理支援、及び“決済”サービスについて多くの新たな要求を生み出している。
【００１７】
電子コミュニティは、業務上及び個人の電子インタラクションとその関係双方を支援する基盤をまさに必要としている。大規模な電子交易は、信頼性の高い、効率的で、柔軟性に富んだ、評価できる（ｓｃａｌｅｂｌｅ）、安全なネットワークの第三者による支援と管理サービスの提供者及び、取引きプロセスの重要な部分を簡素化する機構を必要とする。
【００１８】
例えば、
・電子コミュニティに対して価値の提供者は提供した価値が補償されるようなシームレスで効率的な機構を必要とする。
【００１９】
・電子コミュニティにおいて、製品やサービスを提供する者は、提供者及び他の価値連鎖の利用者にとって有用で、信頼性の高い効率的な電子支払手法を必要とする。
【００２０】
・コンピュータ上の市場において購買者は、目に見えない支払処理を十分理解していないため、支払機構及び金融債務履行システムにおいて、操作性、効率、柔軟性のよいインタフェースを要求する。
【００２１】
・全ての種類の電子化された“コンテンツ”（テキスト、グラフィクス、ムービー、アニメーション、画像、ビデオ、デジタルリニア動画、音声及び録音等のアナログ及びデジタルデータ、画像、ソフトウェアコンピュータプログラム、データ）の権利保有者及び、全ての種類の電子制御プロセスは、安全で柔軟性に富んだ共用利用できる手法を必要とする。本手法によって、権利管理及び、必要な場合の請求の回収、コンテンツの利用に対する取り扱い情報等のビジネスモデルを管理できる。
【００２２】
・交易が事実上増加しているため、全ての利用者は信頼性の高い、確実で安全なインフラストラクチャ支援サービスを必要とする。
【００２３】
電子商取引管理及び交易を成功させるための重要な目的は、一連の管理支援サービスの開発と運営である。これらは、目的を達成する助けとなり、電子交易全般において、多様で、柔軟な、評価できる、効率的なビジネスモデルの形成を助長する。
【００２４】
総合的解決策を与えるＧｉｎｔｅｒ特許明細書
上記のＧｉｎｔｅｒらの特許明細書は、安全な分散取引きベースの電子交易及び権利管理に役立つ独創的で、効果的な能力を与える技術を記載する。電子交易利用者にとって、この技術は多くの重要な新しいビジネスモデルや商習慣をもたらし、一方では従来のビジネスモデルや商習慣もまた支援する。
【００２５】
Ｇｉｎｔｅｒらの特許明細書は、包括的、総合的システム及び、広範にわたる方法、技術、構造、配置を与え、これによって、大小の企業や自宅の書斎や居間から、インターネット（及びイントラネット）上の、安全で、効率的な分散電子交易及び、権利管理を利用することができる。この様な技術、システム、配置によって、電子交易及び電子権利管理において、これまでにない安全性、信頼性、有効性及び柔軟性がもたらされる。
【００２６】
Ｇｉｎｔｅｒらの特許明細書は、“情報ユーティリティ”をも提供する。“情報ユーティリティ”とは、現代の新しい電子コミュニティにおける電子交易を促進し、電子取引きを支援する管理支援サービス、設備、施行のためのネットワークである。例として、Ｇｉｎｔｅｒらは、安全な“仮想分散環境”を調整・支援する広範な管理支援サービスについて述べている。これらの管理支援サービスの提供者を以下に挙げる。
【００２７】
・取引処理者
・使用分析者
・報告受理者
・報告作成者
・システム管理者
・許認可担当者
・認証当局
・コンテンツおよびメッセージ登録所
・金融手形交換所
・消費者／著者登録システム
・テンプレート・ライブラリ
・管理構造ライブラリ
・請求システム
・電子振り込み、クレジットカード、手形請求システム
・受領、回答、取引、解析、監査システム
【発明の概要】
【発明が解決しようとする課題】
【００２８】
Ｇｉｎｔｅｒ特許明細書に記載された解決策を基盤とし、それを拡張する発明
本発明は、Ｇｉｎｔｅｒらの特許明細書にある基本概念に基づき、さらにその発明を拡張して有効性、柔軟性、可能性を増加させる。本発明は、全体的な分散管理支援サービス（“分散交易ユーティリティ”）の概要である。好ましい実施態様にあるように、本発明は“仮想分散環境”及び、Ｇｉｎｔｅｒらの特許明細書にある他の能力を有効利用するものであり得、またこれら能力の上位に位置し得、それを拡張するものである。
【課題を解決するための手段】
【００２９】
本発明の特徴及び利点の概要
本発明は、電子交易、電子権利及び取引き管理のための、統合化、モジュール化された管理支援サービスを提供する。これらの管理支援サービスは、金融管理、権利管理、認証当局、規則決済、使用決済、安全なディレクトリサービスや他の取引において、インターネット及び／または、組織内イントラネット等の巨大電子ネットワークまたは、電子機器の家庭内ネットワークで機能する能力に関する基盤を提供する。
【００３０】
これらの管理支援サービスは、電子交易価値連鎖特有の要求に対応することができる。電子交易利用者にとって、管理支援サービスは自らの利益追求を支援するものであり、競争の激しいビジネス界の現状に対応して、これらのサービスを構成、再利用することができる。
【００３１】
本発明は、管理支援サービスを提供する、安全で、プログラマブルな、分散アーキテクチャを持った“分散交易ユーティリティ”を提供する。分散交易ユーティリティにより、交易管理のためのリソースを最大限に有効利用することができる。また、このユーティリティによって、現状にあった方法で、電子交易増加に伴う要求への対応を評価することができる。
【００３２】
分散交易ユーティリティは、多くの交易ユーティリティ・システムによって構成される。交易ユーティリティシステムは、全ての電子コミュニティ及び／または、多くの或いは全ての利用者に用いられ、再利用できるようなインフラストラクチャ網を提供する。
【００３３】
異なる支援機能は、様々なビジネスモデル及び／または、その他の目的に適合するように、階層関係及び／または、ネットワーク関係においてともに得られうる機能である。モジュラー支援機能は、異なった設備や別の目的のために設計された様々な異なる交易ユーティリティシステムを統合する機能である。これらの交易ユーティリティシステムは、普及の度合いが異なる膨大の数の電子機器にわたって分散されうる。
【００３４】
本発明によって総合的な“分散交易ユーティリティ”が提供するのは、以下のとおりである。
・実用的で有効な電子交易及び権利管理が可能となる。
・電子インタラクション及びその結果を安全に管理し、支援するサービスを提供する。
・電子交易及び、人間の電子インタラクションおよび関係のためのインフラストラクチャを整備する。
【００３５】
・現代の分散コンピューティング及び分散ネットワークの効率を最適化する。
・電子自動化及び分散処理が実現する。
・モジュール化された、プログラマブルな、分散化した、最適にコンピュータ化された電子交易及び通信のためのインフラストラクチャを提供する。
【００３６】
・各種管理支援業務を遂行する上でのサービス支援に結びついた総合的な能力を提供する。
【００３７】
・システム或いは、ネットワーク上のリソースを最適配置・利用することで、電子自動化及び分散処理の利点を最大限引き出す。
【００３８】
・有効性、柔軟性、経済性、可変性、再利用可能性、修正可能性、汎用性がある。
・利用者のビジネス及びプライバシーに必要とされる条件を経済的に反映することができる。
【００３９】
・最適分散処理ができる。これによって交易モデルが柔軟となり、需要を満たし、利用者の条件に適合する様評価し得る。
【００４０】
・すべての分野における活動及びサービスの量を効率よく取り扱うことができる。
・分散処理と集中処理を組み合わせることで、それぞれのビジネスモデルを適応させたり或いは取り扱うことができる。
【００４１】
・局所化、集中化、ネットワーク化された能力を組み合わせることで、変化する状況に適合する様に、能力を独自に構成或いは再構成できる。
【００４２】
・多目的リソースを支援し、多くの異なるモデルに対してそれを再利用できる。すなわち、別の要件を持つ別の価値連鎖によって既存のインフラストラクチャを再利用できる。
【００４３】
・多数の交易及び通信モデルを支援できる。
・個々の価値連鎖の条件に適合する様に、局所化、集中化、ネットワーク化されたリソースをうまく適用できる。
【００４４】
・共通リソースを共用することでコストを低減し、最大限効率化する。
・組み合わせされた、分散化された、ピアツーピアの、集中化された、ネットワーク化された能力を支援する。
【００４５】
・局所操作、遠隔操作及び／または、集中操作が可能である。
・同期モード、非同期モードによる操作、或いは、両モードによる操作を支援することができる。
【００４６】
・“仮想空間”において、急速に変化する多くのビジネス・チャンス、ビジネス関係、ビジネス上の制約に容易に柔軟に適応する。
【００４７】
要するに、分散交易ユーティリティは、安全な電子交易及び他の電子インタラクションのための、包括的で、統合化された管理支援サービスを提供する。
【００４８】
本発明により与えられる分散交易ユーティリティの有利な特徴及び特性のいくつかは、以下を含む。
【００４９】
・分散交易ユーティリティは、プログラマブルで、分散化した、最適にコンピュータ化された交易及び通信を支援する。このユーティリティは、管理支援業務を実行する各種サービスを独自に提供している。この支援業務は、電子自動化、分散処理及びリソースを最適に利用した分散システム（例えばネットワーク）がもたらす利益を最大化するために必要な管理概要を提供する。
【００５０】
・分散交易ユーティリティは、インターネット、組織内イントラネット及び、散在する電子情報の制作者、利用者及びサービスシステムを含む同種の環境のための管理基盤を提供することに特に適している。
【００５１】
・分散交易ユーティリティアーキテクチャは、効率よく、経済的で、柔軟な、プログラマブルな、再利用できる、汎用性のある、電子交易及び通信の管理支援サービスのための基盤を与える。これらの能力の提供は、人間の電子インタラクションの基盤を確立するために重要である。このインタラクションによって、業務上或いは個人の最適な電子関係モデルを支援する。
【００５２】
・分散交易ユーティリティアーキテクチャは、電子交易及び通信の支援サービス基盤を提供する。この基盤によって、分散・集中処理が組み合わされたどの様な特定のモデルに対しても適応し、取り扱うことができる。
【００５３】
・このモデルによって支援される分散交易ユーティリティは、局所化、集中化、ネットワーク化された分散交易ユーティリティの管理能力を最適に組み合わせて、段階的に独自に構成或いは再構成される。
【００５４】
・分散交易ユーティリティの持つ革新的な電子管理能力は、組み合わされた、分散化した、ピアツーピアの或いは集中的にネットワーク化された能力を支援する。これらの能力を組み合わせることで、局所・遠隔の組み合わせ、集中非同期及び／または、同期ネットワークの組み合わせを取り扱うことができる。この様な組み合わせによって、時期を選ばずどの様な目的に対しても、商業的に最も導入しやすく、経済的で、市場向きの−業務上必要とされる−モデルを構成する。
【００５５】
・分散交易ユーティリティアーキテクチャは、多目的である。本アーキテクチャは多くの交易及び通信モデルを支援している。これらのモデルは、局所化、集中化、ネットワーク化されたリソースを適度に共有（たとえば再利用）し得る。その結果、分散交易ユーティリティは、実用的で有効な電子交易及び権利管理モデルを最適化できる。これらのモデルは、同一あるいは重複したリソース基盤を共有利用することで、リソース管理コストを分担することができる。
【００５６】
・一つのあるいは複数の分散交易ユーティリティ交易モデルは、一つ或いは他の複数のモデルの中の、一部の或いは全てのリソースを共有する場合がある。仮想空間では、急激に変化する多くのビジネスチャンス、ビジネス関係、ビジネス制約がある。この仮想空間の要求に適応するため、一つの或いは複数のモデルは、分散管理運営の組み合わせまたはその性質を変更し得る。
【００５７】
・分散交易ユーティリティは、従来の交易プロセスから電子交易プロセスへの転換を支援する。電子交易ユーティリティは、効率的で、実用的な電子交易モデルにとって必要とされる分散処理、「手形交換所」管理に関する権利、セキュリティの設計、目的に適応した構造、管理機構の簡素化（ａｄｍｉｎｉｓｔｒａｔｉｖｅ  Ｓｍａｒｔ  ａｇｅｎｔ）、交渉及び電子的意思決定の技術、及び／または電子的自動制御技術などを利用することで、さらに交易処理が電子化される。
【００５８】
・特定の分散交易ユーティリティ（金融支払い、取り扱い検査など）は、例えば  Ｇｉｎｔｅｒらに開示された“保護された処理環境”のような利用者の電子機器を安全に使用できる空間で実行できる。
【００５９】
・分散手形交換所運営は、“仮想的にネットワーク化及び／または或いは、階層化された”  多くの交易ユーティリティシステムのサイトを通じて実行できる。このサイトでは、多目的で、共用利用できる（例えばピアーツーピア）仮想分散環境基盤を採用している。
【００６０】
・与えられたアプリケーションまたはモデルについては、別の種類の管理及び／または支援機能を提供するために、多くの別の分散交易ユーティリティ・サービスが認められている。
【００６１】
・分散交易ユーティリティによって支援される任意のまたは全ての業務は、同様の組織、コンソーシアム或いは、別の組織団体、または、個人ユーザのウエブサイト等の電子コミュニティ利用者によって実行及び／または、使用される。
【００６２】
・分散交易ユーティリティの一つの或いは多くの部分は、分散保護された処理環境を持つネットワークで構成され得る。この環境は、階層化された及び／または、ピアー・ツー・ピアの関係を持つ一つのまたは複数の業務を実行する。
【００６３】
・複数の分散交易ユーティリティの保護された処理環境は、総合的サービス業務、基本構成要素、及び／または、手形交換所業に有効でありうる。
【００６４】
・好ましい実施様態にあるように、ＶＤＥ利用者の多くの保護された処理環境が、独自の階層化された、ネットワーク化された及び／または、集中化された管理を有し及び／または、ＶＤＥ利用者の保護された処理環境に対する関係を支援するのと同程度、分散交易ユーティリティ業務に役立つ保護された分散処理環境は、分散化するし得る。
【００６５】
・与えられたモデルでは、特定の一つの或いは複数の分散交易ユーティリティ業務が完全に分散され、他の特定の一つの或いは複数の業務が、さらに（例えば階層化）及び／または、完全に集中化され得る。また、他の特定の業務が部分的に分散化、或いは部分的に集中化され得る。
【００６６】
・分散交易ユーティリティによって提供される基本的なピアツーピアによる制御能力は、重要で、実用的な、評価できる及び／または、実質的な交易管理、安全性及び自動化サービスを同時に提供する分散化された業務の任意の構成要素に対しても有効である。
【００６７】
・分散交易ユーティリティの特徴、配置、及び／または能力の組み合わせは、分散化或いは集中化規定の可変な組み合わせで与えられる。それは、エンドユーザの保護された分散環境及び／または、“中間”基盤の保護された分散環境（ローカル、リージョナル、クラス特性等）及び／または、集中化されたサービスのための保護された分散環境で機能する様々な特徴、配置及び能力が含まれる。
【００６８】
・分散交易ユーティリティは、インターネットおよび散在する情報制作者、ユーザー、サービス供給者の存在する他の電子環境を支援するために特に有効である。電子世界の利用者の活動を支援することによって、これまでコンピュータ利用されていなかった人間の活動をインターネット、イントラネット、および他の電子インタラクションネットワークに移行ために、分散交易ユーティリティは、基本的で重要な役割を果たす。このようなネットワークのユーザーは、業務上或いは個人の要望を経済的に実現するために、分散交易ユーティリティの基盤及び支援サービスを必要としている。これらの安全な分散交易ユーティリティは、要望を十分評価するための電子交易モデルの能力を最大限支援すること、及び、全ての要求される活動及びサービス量を十分処理するために必要とされる。
【００６９】
・分散交易ユーティリティ技術は、本発明が提供する電子交易、権利管理、分散コンピューティング及び、プロセス制御のための一連の安全で分散化された支援及び管理サービスによって与えられる。
【００７０】
・非常に安全で複雑な専門的な及び／または、契約上のサービスを含む分散交易ユーティリティ支援サービスは、電子交易及び価値連鎖利用者によって使用され得る。それは、ユーザーに見えない複雑な操作を意識させずに、シームレスの、便利で、比較的わかりやすい方法で利用される。
【００７１】
・分散交易ユーティリティは、現時点で、物理的な、コンピュータ、プロセスや規定に基づいたセキュリティ及び自動化において、適度に高い水準を保証することができる。一方それは、電子コミュニティで必要とされる規則的で効率的な支援のために必要（或いは、少なくとも要望が高い）とされる、拡張された、効率よい、信頼できる、使いやすい、便利な機能を提供することによって保証される。
【００７２】
・好ましい実施様態にあるように、分散交易ユーティリティは、ディジタル市場に基づく“オープン”なＶＤＥ（仮想分散環境）のコンテクストで機能する競争力のある交易モデルの生成を支援する。
【００７３】
・分散交易ユーティリティは、価値連鎖利用者の利便性及び効率よい操作性を実現する。例えば、あるシームレスな“分散”インタフェース（例えば分散アプリケーション）を通して、複数の人が関わるビジネス関係をプログラマブルで、最適に支援するように構成された、完全で、統合化された一連の重要な“決済”機能の能力を、分散交易ユーティリティは提供する。決済及び／または、支援機能及び／または、二次的支援機能は、求められる業務上の機密性、効率性、または他の目的を満たすために、個々に及び／または、分割して利用できるよう構成されている。
【００７４】
・プロバイダ、小売業者、卸売業者、リパーパサー（ｒｅｐｕｒｐｏｓｅｒｓ）、消費者、及び他の価値連鎖利用者は、分散交易ユーティリティによって、分散交易ユーティリティサービスに接続、利用、或いは業務を遂行しやすくなる。接続は簡単で、シームレスで、わかりやすい（一回接続することによって、多くの補足的なサービスが提供されうる）。
【００７５】
・分散交易ユーティリティは、利便性及び実用性をさらに向上させることができる。それは、参画する組織から提供される決済サービスのために消費者のブランドイメージを提供する或いは、支援することによって向上される。但し共有されるインフラストラクチャ及びプロセスを利用する。
【００７６】
・分散交易ユーティリティは、電子的におよびシームレスに特別のサービスや多くの利用者の能力を取り入れた“仮想”モデルを支援することによって参加する組織の規模及び専門性により生ずる重要な能力を実現しうる。
【００７７】
・分散交易ユーティリティによって消費者は、サービス或いは製品などの利益を簡単に受け取ることができる。ここで、このようなサービスまたは製品は、様々な支援サービスの「構造（ｆａｂｒｉｃ）」の導入によってもたらされる。各々のサービスは、さらに特定のサービスの分散構造及び／または、関連する構成のサービスの提供者（全体構造は価値連鎖利用者にとっては明らかにされているが、その根底にある大部分或いは全ての複雑さについては、明示しない（明示しなくてもよい））によって構成される。
【００７８】
・好ましい実施様態にある分散交易ユーティリティサービス及びその能力は、無理のない方法で、Ｇｉｎｔｅｒらに記載される一つの或いは複数の仮想分散環境の持つ能力を導入或いは、組み合わせることができる。その例を以下に示す。
【００７９】
Ａ．取り扱い及び制御のＶＤＥ連鎖
Ｂ．安全で、信用できる、内部ノード通信及び相互操作性（ｉｎｔｅｒｏｐｅｒａｂｉｌｉｔｙ）
Ｃ．安全なデータベース
Ｄ．認証
Ｅ．暗号
Ｆ．指紋
Ｇ．他のＶＤＥのセキュリティ技術
Ｈ．権利運用システム
Ｉ．オブジェクト設計及び安全なコンテナ技術
Ｊ．コンテナ制御方式
Ｋ．権利及びプロセス制御言語
Ｌ．電子交渉
Ｍ．安全なハードウエア
Ｎ．スマート  エージェント（スマート  オブジェクト）技術（例えばスマート  エージェントは、プロセス制御、多くの利用者、及び／または、分散ノードの管理統合を支援する他の管理エージェント能力を指す）
【００８０】
分散及び結合可能な交易ユーティリティシステム
分散交易ユーティリティによって提供される支援管理サービス機能は、様々な方法で結合されおよび／または電子コミュニティ、システムまたはネットワークを通して分散させる。このような結合及び分散を促進するために、好ましい実施様態は、Ｇｉｎｔｅｒらが述べた仮想分散環境を基盤とする保護された処理環境を利用する。全てのこの種の仮想分散環境の保護された処理環境は、少なくともある程度信頼性が保証されているため、全ての保護された処理環境は、手形交換所または手形交換所の一部になり得る。ＶＤＥの交易ノードの利用者の利益と要求に合った交易モデルは、分散交易ユーティリティサービスを支援し得る。このサービスは、例えば、他のＶＤＥ保護された処理環境が、安全な通信技術及び他のＶＤＥ能力（これまで説明したようにＶＤＥの能力が本発明を直接統合できる）を持つエンドユーザの電子機器を全面的に支配する。更に集中化が進む価値連鎖ノードと共に、このような機器は、分散環境で保護された仮想決済の様に機能する組み合わせを構成できる。最終的に、リソースへのアクセスが  “有効性（ａｖａｉｌａｂｉｌｉｔｙ）”及び権利に基いた大型”仮想“コンピュータによって仮想空間の一部分は、占められる。
【００８１】
分散交易ユーティリティは、仮想コンピュータを支援するモジュール化された、プログラマブルな、汎用的なユーティリティである。分散交易ユーティリティは、電子交易価値連鎖モデル及び仮想コンピュータの設計のための特殊なアーキテクチャ基盤を持つ。プログラマブルな実装を持つ特徴によって、同じ及び／または、同様のサービスを提供するために実状に即した（論理面及び／または、物理面）及び／または、分散の度合いにあった様々な状況を支援することができる。以下にその例を挙げる。
【００８２】
・集中化された交易ユーティリティシステム及びサービスは、効率のよい、中心となる地点から特定の支援サービス機能または、多くの機能の組み合わせを提供する。
【００８３】
・他の交易ユーティリティシステムは、部分的にまたは、全体的に分散化された方式で提供される。
【００８４】
・いくつかの支援管理サービス機能は、既存のまたは新しい通信インフラストラクチャまたは、他の電子ネットワーク支援構成要素の中で及び／または、それを通じて分散化されうる。
【００８５】
・他の支援サービスは任意のまたは全ての電子機器上の安全な実行空間（例：保護された処理環境）の内部で機能し得る。これは、例えば、支援サービス構造の安全なウエブを提供するための、ピアツーピア通信及びインタラクションを使用することで機能する。
【００８６】
・他の支援サービスは、ネットワークを支援するインフラストラクチャ及びユーザの電子機器で機能し得る。
【００８７】
このような分散支援サービスは、集中化された支援サービスの適用を補足し得るものである（及び／または、必要性を減少させる）。同じ及び／または、別の、分散化されない及び、別々に分散化されたサービスの、異なる組み合わせは、個々の活動を支援するために提供され得る。さらに、ある総合的なモデルのためのサービスの性質および分散は、互いの適用によって異なる。必要な場合、このような個々のモデルの適用は、同じ交易ユーティリティシステムとサービス及び／または、どの特別な及び／または、任意の組み合わされた分散交易ユーティリティ管理及び／または、支援機能で共有される。
【００８８】
さらに、特別な交易ユーティリティシステム及びサービスインフラストラクチャは、様々な方法で、様々な価値連鎖（例えばビジネスモデルまたはビジネス関係集合）によって利用される。例えば、ある価値連鎖は、効率性、安全性、管理または他の理由で、より集中化された特定の支援サービス機能の維持を選択し、他方は、さらに及び／または、別の分散化モデルを選択する。
【００８９】
例えば、支払方法と権利保有者及び／または、他の価値連鎖利用者が同意するとすれば、任意の一つの或いは複数の分散交易ユーティリティの安全なインフラストラクチャ支援サービスは、任意のエンドユーザーの集合またはセット及び／または、他の価値連鎖の電子機器に対して一部または全ての機能及び権限を分散及び／または、委任しうる。これらのサービス及び機能を分散及び委任することには、様々な利点がある。例えば、ここでは任意の、多くの、または全ての機器の集合またはセットが、同じ交易ウエブ構造を持つ少なくとも一部同等の（十分でないにせよ）他の機器として機能しうる、安全電子交易のウェブ問題に限って、テンポラリの柔軟案、および効率的な生成を可能にする。
【００９０】
本発明が提供する分散管理支援機能についての追加的な特徴の網羅的なリストを以下に挙げる。
【００９１】
・任意の管理及び／または、支援機能の任意の組み合せも他の任意の管理及び／または、支援機能と統合され得る。
【００９２】
・交易ユーティリティシステム機能の任意の集合または部分集合も、交易ユーティリティシステム機能の任意の他の組み合わせで統合化された構造で結合することができる。この組み合わせは、必要とする程度によって分散化が可能であり、組み合わせの任意の一つの或いは一部の組み合せは、一つの或いは複数の部分に分散化される。これによって価値連鎖は、最も必要で及び／または、実用的な構造をとる。分散化、権利決済、金融手形交換、使用法集（ｕｓａｇｅ  ａｇｇｒｅｒａｔｉｏｎ）、使用報告及び／または、他の決済及び／または、他の分散交易ユーティリティ機能の度合いの任意の組み合せも実現できる。このような分散交易ユーティリティ機能及び／または、管理及び／または、支援サービスは、他の任意の必要とされる分散交易ユーティリティ機能及び／または、管理及び／または、支援サービスと結合し得る。このような分散交易ユーティリティ機能および／または管理および／または支援サービスは、任意の他の所望の分散交易ユーティリティ機能および／または管理および／または支援サービスと組み合わせ得る。
【００９３】
・どの一つの或いは複数の管理及び／または、支援サービス及び／または、機能は、交易ユーティリティシステムとして機能し、交易ユーティリティシステムのノード網を支援する。このそれぞれのノードは、少なくとも同種の交易ユーティリティ管理サービス業務の一部を支援する。それぞれの交易ユーティリティシステムは、権限の付与及び／または、サービスの提供及び／または、安全な他の交易ユーティリティシステム及び／または、ノードと相互機能し得る。
【００９４】
・それぞれの交易ユーティリティシステム（または、交易ユーティリティシステムの組み合せ）は、複数の交易ユーティリティシステムで構成される  “仮想手形交換所”として機能する。好ましい実施様態にある様に、ＶＤＥ規定及び管理に従う場合、−  同様の規定及び管理に記された様式で  ―  他の交易ユーティリティシステム及び／または、同じウエブで機能する他の仮想手形交換所と相互機能する。このような“仮想手形交換所”は、電子管理規定集で詳述される一連の安全な取り扱い及び管理により権限を付与され、一連の取り扱い及び管理及び他のＶＤＥ能力によって電子交易プロセスの自動化に参画しうる。
【００９５】
必要な場合、任意の必要とされるシステムまたはネットワークに対して、任意の支援サービス機能を分散或いは、後には適用（修正）し得るのは、非常に優れた点であり、柔軟性や効率性を増大させる。例えば、決済機能のような支援サービスの分散をする際に、“ボトルネック”を回避することができる。ボトルネックとは、負荷を処理する十分な容量がない場合、決済機能が一点に集中することである。価値連鎖利用者の多くの機器の分散処理能力を利用することで、効率やシステム応答時間を向上し、処理のオーバーヘットを大きく低減し、故障を回避し、アプリケーションの適用に柔軟性をもたせることができる。また、概して、本発明がそれぞれの価値連鎖利用者の要望と条件を適用することでさらに大きな価値連鎖の必要性を喚起する。
【００９６】
分散交易ユーティリティによって提供される管理及び／または、支援サービスの例
分散交易ユーティリティは、多くの異なった、特別の及び／または、多目的な“交易ユーティリティシステム”に編成される。交易ユーティリティシステムは、管理、セキュリティ及び実際の交易管理を行う者が必要とする他のサービスを提供するために、集中化、分散化、または部分的に分散化及び部分的に集中化される。特定の交易ユーティリティシステムは、金融手形交換所や認証当局などの特定の周知の管理サービス機能を持つ分散交易ユーティリティの適用で構成される。他の交易ユーティリティシステムは、新しい形式のサービス及び、周知のサービス業務の新しい組み合せや構成が含まれる。交易ユーティリティシステムは、特定の電子交易モデルを支援する分散交易ユーティリティの任意の適用であり、交易ユーティリティシステムは、交易ユーティリティシステムの構成要素から成る。交易ユーティリティシステムは、以下に示す例のいくつかのまたは全てを含んでおり、能力及び分散構造の組み合せが可能である。
【００９７】
・金融手形交換所
・使用手形交換所
・権利及び許決済機関
・認証当局
・安全なディレクトリサービス
・安全な取引当局
・上記のシステムが有する能力の任意の組み合せを含む、多目的、汎用的及び／または、組み合わされた交易ユーティリティシステム
・他の交易ユーティリティシステム
【００９８】
これらの交易ユーティリティシステムは、その有効性及び適用可能性が大きい。
例えば、これらは以下の任意の或いは全ての管理支援を行う。
・信頼性が高く、電子イベント管理
・ネットワーク化、自動化、分散化された、安全なプロセス管理及び制御
・仮想分散環境の一連の取り扱い及び制御
・“接続されていない”、仮想的に接続された、または定期的に接続されるネットワークを含む電子ネットワークにわたる及び／または、内の、権利管理及び取り扱い（例えばイベント）管理（例えば監査、制御、権利の履行など）
【００９９】
交易ユーティリティシステムは、以下に挙げる例について電子プロセスの連鎖或いは電子イベント結果を管理し得る。
・電子広告
・市場及び取り扱い分析
・電子貨幣
・金融取引決済及び通信
・製造及び他の分散プロセス制御モデル
・金融手形交換
・支払の履行或いは、少なくともコンテンツ、プロセス制御  （イベント）及び／または、権利管理等に一部基づく他の対価（サービス料、製品価格または、他の手数料及び／または、料金）の提供。
【０１００】
・監査、請求、支払履行（または、他の対価の提供）及び／または、他の決済業務
・一つの或いは複数の安全なコンテナ及び／または、コンテンツおよび／またはプロセス（イベント）の利用に関する情報の編集、総計、利用及び／または、供給。安全なコンテナのコンテンツ及び／または、任意の他のコンテンツも含まれる。
【０１０１】
・一つの或いは複数の安全なコンテナ及び／または、コンテンツ及び／または、プロセス（イベント）に関する取り扱い検査、ユーザーのプロファイリング、及び／または、市場調査に基く情報の提供
・（広告などの）コンテンツへのアクセス及び／または、プロセス（イベント）の利用によって得られる情報の利用
・対象の登録サービスの提供；及び／または、権利、許認可、価格及び／または、他の規則及び制御情報；登録された及び／または、登録する対象について
【０１０２】
・規定及び制御に利用或いは必要とされる認証同一性、クラス所属証明及び／または、他の個人の同一性の属性などの電子的な認証情報。他の個人の同一性の属性は、例えば、自動プロセスのためのクラス同一性（例えば行政管轄区（税金）、雇用及び／または、例えば既得クラス権利（例えば仕入れの値引きが認められるようなクラブメンバー証明を含む）を含む他の団体のメンバー証明による金融取引き履行に関する権利である。
【０１０３】
・第三者による取引きの保管及び／または、認証及び／または、保証人（ｂａｃｋｕｐ）及び支払に対する業務情報
・変更され組み合わされた交易ユーティリティシステムのプロセス制御及び自動化サービスの提供。ここでは、別の交易ユーティリティシステムが別の価値連鎖及び／または、ビジネスモデルの要求を支援する。また、そのような交易ユーティリティシステムは分散化された、評価できる、効率的な、ネットワーク化された及び／または、固定された階層の及び／または、仮想決済機関のモデルを十分支援する。このモデルは、規定或いは、管理、或いは一部の、全体の及び／または、詳細な取引き情報に関する決済機関を通過するために、交易ユーティリティシステムの持つ分散化された決済機関における保護された処理環境において、安全な通信を保証する。
【０１０４】
・電子貿易モデル、ＥＤＩ及び分散コンピューティング規定。この規定は、効率的で、分散化された管理、自動化、及び取引きにおける価値連鎖等の管理が可能な信頼性の高い基盤に対する利用者の要望を示したものである。
・他の支援及び／または、管理サービス及び／または機能
【図面の簡単な説明】
【０１０５】
【図１】消費者の電子機器の一例をサポートする分散交易ユーティリティ（Ｄｉｓｔｒｉｂｕｔｅｄ  Ｃｏｍｍｅｒｃｅ  Ｕｔｉｌｉｔｙ）の一例を示す図。
【図１Ａ】消費者の電子機器内の保護された処理環境（“ＰＰＥ”）を示す図。
【図１Ｂ】分配交易ユーティリティが交易ユーティリティシステムの複数の例を含み得ることを示す図。
【図２Ａ】管理およびサポートサービス機能が分散される様子を示す図。
【図２Ｂ】管理およびサポートサービス機能が分散される様子を示す図。
【図２Ｃ】管理およびサポートサービス機能が分散される様子を示す図。
【図２Ｄ】管理およびサポートサービス機能が分散される様子を示す図。
【図２Ｅ】管理およびサポートサービス機能が分散される様子を示す図。
【図３Ａ】分散交易ユーティリティシステムの例を示す図。
【図３Ｂ】分散交易ユーティリティシステムの例を示す図。
【図３Ｃ】分散交易ユーティリティシステムの例を示す図。
【図４】交易ユーティリティシステムのウェブの一例を示す図。
【図４Ａ】消費者機器および交易ユーティリティシステムの無制限なウェブを示す図。
【図５】権利保有者が電子「情報ハイウェイ」に接続された多重交易ユーティリティシステム間で選択し得る様子を示す図。
【図６】異なる交易ユーティリティシステムが共に機能する様子の一例を示す図。
【図７】多重管理およびサポートサービス機能が交易ユーティリティシステム内に組み合わされ且つ一体化される様子の一例を示す図。
【図７Ａ】組み合わせ機能交易ユーティリティシステムのウェブの一例を示す図。
【図８】交易ユーティリティシステムの階層の例を示す図。
【図９】多重機能交易ユーティリティシステムの階層の一例を示す図。
【図１０】金融手形交換所の一例を示す図。
【図１１】使用手形交換所の一例を示す図。
【図１２】権利及び許認可手形交換所の一例を示す図。
【図１３】認証当局の一例を示す図。
【図１４】安全なディレクトリサービスの一例を示す図。
【図１５】取引当局の一例を示す図。
【図１６Ａ】交易ユーティリティシステムが他の交易ユーティリティシステムをサポートし得ることを示す図。
【図１６Ｂ】交易ユーティリティシステムが他の交易ユーティリティシステムをサポートし得ることを示す図。
【図１６Ｃ】交易ユーティリティシステムが他の交易ユーティリティシステムをサポートし得ることを示す図。
【図１６Ｄ】交易ユーティリティシステムが他の交易ユーティリティシステムをサポートし得ることを示す図。
【図１６Ｅ】交易ユーティリティシステムが他の交易ユーティリティシステムをサポートし得ることを示す図。
【図１６Ｆ】交易ユーティリティシステムが他の交易ユーティリティシステムをサポートし得ることを示す図。
【図１７Ａ】交易ユーティリティシステムの階層の一例を示す図。
【図１７Ｂ】交易ユーティリティシステムの階層の一例を示す図。
【図１７Ｃ】交易ユーティリティシステムの階層の一例を示す図。
【図１７Ｄ−１】交易ユーティリティシステムの階層の一例を示す図。
【図１７Ｄ−２】交易ユーティリティシステムの階層の一例を示す図。
【図１７Ｄ−３】交易ユーティリティシステムの階層の一例を示す図。
【図１７Ｅ】交易ユーティリティシステムの相互作用モデルの例を示す図。
【図１７Ｆ】管理およびサポートサービスオペレーションの一部を分散するための構成の一例を示す図。
【図１８】金融手形交換所交易ユーティリティシステムの一例を示す図。
【図１９】金融手形交換所の構成の一例を示す図。
【図２０】金融手形交換プロセスの一例を示す図。
【図２０−１】金融手形交換活動およびプロセスの更なる例を示す図。
【図２１】価値連鎖（支払）分解（ｄｉｓａｇｇｒｅｇａｔｉｏｎ）の一例を示す図。
【図２２】図２１の分解が金融手形交換所コンテクスト内に実現され得る様子の一例を示す図。
【図２２Ａ】使用者の保護された処理環境上に支払分解を実現するための一構成例を示す図。
【図２３】より複雑な価値連鎖（支払）分解の一例を示す図。
【図２４】分解が金融手形交換所コンテクスト内に実現され得る様子の一例を示す図。
【図２５】分散交易ユーティリティへの保証を詳述する価値連鎖分解の一例を示す図。
【図２６】任意の数の受取人に対する価値連鎖（支払）分解の一例を示す図。
【図２７】価値連鎖（支払）分解および再分散が金融手形交換所を介して達成され得る様子の更なる一例を示す図。
【図２８】金融手形交換のために金融手形交換所を用いる超分解支払（ｓｕｐｅｒｄｉｓｔｒｉｂｕｔｉｏｎ  ｐａｙｍｅｎｔ）および再分解シナリオの一例を示す図。
【図２９】消費者の保護された処理環境または他のサイトにおける価値連鎖（支払）分解の一例を示す図。
【図３０】多重取引と交差する価値連鎖（支払）分解の例を示す図。
【図３１】多重取引および多重消費者と交差する価値連鎖（支払）分解の例を示す図。
【図３２】支払分解を提供する交易ユーティリティシステムアーキテクチャの一例を示す図。
【図３３】使用手形交換所交易ユーティリティシステムの一例を示す図。
【図３４】使用手形交換所アーキテクチャの一例を示す図。
【図３５】使用手形交換プロセスの一例を示す図。
【図３６】多重使用手形交換所を用いる使用手形交換プロセスの更なる一例を示す図。
【図３７】使用手形交換所および金融手形交換所を用いる使用手形交換プロセスの一例を示す図。
【図３８】使用手形交換所のメディア配置プロセス（ｍｅｄｉａ  ｐｌａｃｅｍｅｎｔ  ｐｒｏｃｅｓｓ）の一例を示す図。
【図３９】異なるレベルの消費者使用情報開示に基づく割引を提供する使用手形交換プロセスの一例を示す図。
【図４０】権利及び許認可手形交換所交易ユーティリティシステムの一例を示す図。
【図４１】権利及び許認可手形交換所アーキテクチャの一例を示す図。
【図４２】権利及び許認可手形交換プロセスの一例を示す図。
【図４２Ａ】更新のための制御セット登録プロセスの一例を示す図。
【図４３】権利及び許認可手形交換プロセスの更なる一例を示す図。
【図４４】権利及び許認可手形交換の更なる一例を示す図。
【図４５Ａ】権利テンプレートの例を示す図。
【図４５Ｂ】権利テンプレートの例を示す図。
【図４５Ｃ】権利テンプレートの例に対応する制御セットの一例を示す図。
【図４６】権利及び許認可手形交換プロセスの別の例を示す図。
【図４７】認証当局交易ユーティリティシステムの一例を示す図。
【図４８】認証当局アーキテクチャの一例を示す図。
【図４９】認証プロセスの一例を示す図。
【図５０】分散認証プロセスの一例を示す図。
【図５０Ａ】実行および／または他の結果がデジタル認証の存在を条件とする制御セットの一例を示す図。
【図５１】デジタル認証データ構造の例を示す図。
【図５１Ｅ】他のデジタル認証および信頼されたデータベースに基づくデジタル認証を生成する技術の一例を示す図。
【図５１Ｆ】仮想エンティティ（ｖｉｒｔｕａｌ  ｅｎｔｉｔｙ）を規定する技術のの一例を示す図。
【図５１Ｇ】仮想エンティティ（ｖｉｒｔｕａｌ  ｅｎｔｉｔｙ）を規定する技術のの一例を示す図。
【図５１Ｈ】仮想エンティティ（ｖｉｒｔｕａｌ  ｅｎｔｉｔｙ）を規定する技術のの一例を示す図。
【図５２】安全なディレクトリサービス交易ユーティリティシステムの一例を示す図。
【図５３】安全なディレクトリサービスアーキテクチャの一例を示す図。
【図５４】安全なディレクトリサービスプロセスの一例を示す図。
【図５５】取引当局交易ユーティリティシステムの一例を示す図。
【図５６】取引当局アーキテクチャの一例を示す図。
【図５７】取引当局プロセスの一例を示す図。
【図５８Ａ】取引当局が制御超セット（ｃｏｎｔｒｏｌ  ｓｕｐｅｒｓｅｔ）を生成する様子の一例を示す図。
【図５８Ｂ】取引当局によって実行されるステップの例を示す図。
【図５８Ｃ】安全なチェックポイント交易ユーティリティシステムの一例を示す図。
【図５８Ｄ】安全なチェックポイント交易ユーティリティシステムの一例を示す図。
【図５９】分散交易ユーティリティが異なる電子価値連鎖をサポートし得る様子の例を示す図。
【図６０】分散交易ユーティリティが異なる電子価値連鎖をサポートし得る様子の例を示す図。
【図６１】買い物、ライセンシング（ｌｉｃｅｎｓｉｎｇ）および／または賃貸（ｒｅｎｔｉｎｇ）の例を示す図。
【図６２】有形アイテムについての買い物および支払の一例を示す図。
【図６３】サービスに対して安全に支払をする顧客の一例である。
【図６４】有形物の買い物についての価値連鎖分解の例を示す図。
【図６５】機構（ｏｒｇａｎｉｚａｔｉｏｎ）の内部および外部の交易ユーティリティシステム間における協同の一例を示す図。
【図６６】機構間および機構内の取引当局の一例を示す図。
【図６７】国家間貿易の一例を示す図。
【発明を実施するための形態】
【０１０６】
実施形態の詳細な説明
分散交易ユーティリティ
図１は、分散交易ユーティリティ７５に電気的に接続された消費者機器１００の一例を示す。この実施例において、電子ネットワーク１５０は機器１００を分散交易ユーティリティ７５に接続する。分散交易ユーティリティ７５は、消費者機器１００内で行われる活動をサポートする。
【０１０７】
分散交易ユーティリティ７５は、電子交易および電子通信のための管理およびサポートサービスの基礎を提供する。この基礎は、効率的で、対費用効果が高く、柔軟で、構成可能で、再使用可能で、プログラム可能で、一般化可能である。これは、個人的な使用およびビジネスでの使用の両方で、あらゆる電子関係、相互作用および通信をサポートする。
【０１０８】
分散交易ユーティリティはいかなる電子機器もサポートできる
機器１００は、例えばコンピュータ、エンターテイメントシステム、テレビセットまたはビデオプレイヤー等、いかなる種類の電気装置または電子装置であってもよい。図１に示す特定の例において、消費者機器１００は、家庭用カラーテレビセット１０２、ビデオプレイヤー／レコーダー１０４およびセットトップボックス１０６である。例えば機器１００は、手持ち式リモートコントローラ１０８によって制御され得る。例えばセットトップボックス１０６は、テレビ放送局１１０および／または衛星１１２から、ケーブルテレビネットワーク１１４を介して、テレビ番組を受け取り得る。プレイヤー／レコーダー１０４は、テープ、光ディスクまたは他のメディアからの様々なタイプの番組材料を再生し得、セットトップボックス１０６を介して受け取られたプログラム材料を記録する能力も有する。
【０１０９】
機器１００は「保護された処理環境」を有し得る
機器１００は、好適には、Ｇｉｎｔｅｒらの特許明細書の図７および図８の実施例に示されたタイプの安全な電子機器である。それは、好適には、Ｇｉｎｔｅｒらの特許明細書に記載された「仮想分散環境（Ｖｉｒｔｕａｌ  Ｄｉｓｔｒｉｂｕｔｉｏｎ  Ｅｎｖｉｒｏｎｍｅｎｔ）」の一部である。図１Ａは、テレビ１０２、セットトップボックス（ｓｅｔ  ｔｏｐ  ｂｏｘ）１０６、メディアプレイヤー／レコーダー１０４および遠隔制御１０８がそれぞれ「保護された処理環境」（“ＰＰＥ”）１５４を有し得ることを示す。分散交易ユーティリティ７５は、これらの保護された処理環境１５４内で実行されるプロセスと相互作用し且つプロセスをサポートする。
【０１１０】
保護された処理環境１５４は、Ｇｉｎｔｅｒらの特許明細書の図９に示されたハードウェアおよび／またはソフトウェアに基づく「安全な処理ユニット（ｓｅｃｕｒｅ  ｐｒｏｃｅｓｓｉｎｇ  ｕｎｉｔ）」等の、１つ以上のコンピュータチップに基づき得る。保護された処理環境１５４は、非常に安全で、信頼度の高い環境を提供する。この環境内で電子プロセスおよび電子商取引が、不正交渉（ｔａｍｐｅｒｉｎｇ）または他の信用危機（ｃｏｍｐｒｏｍｉｓｅ）の重大な危険なしに信頼して実行され得る。Ｇｉｎｔｅｒらの特許開示は、保護された処理環境１５４を設計、構築および維持するための技術、システムおよび方法を説明しており、権利保有者および他の（消費者９５を含む）価値連鎖参加者はその安全性および統合性（ｉｎｔｅｇｒｉｔｙ）を信頼し得る。好適な実施形態において、分散交易ユーティリティ７５と電子機器１００との間の相互作用では、このように信頼を得ることが重要である。
【０１１１】
分散交易ユーティリティは多くの「交易ユーティリティシステム」から形成され得る
図１Ｂは、分散交易ユーティリティ７５が、複数の交易ユーティリティシステム９０から形成され得る様子を示す。異なる種類の交易ユーティリティシステムが存在し得る。例えば：
・金融手形交換所２００
・使用手形交換所３００
・権利及び許認可手形交換所４００
・認証当局５００
・安全なディレクトリサービス６００
・取引当局７００
・ＶＤＥ管理者８００、および
・他種の交易ユーティリティシステム９０
【０１１２】
交易ユーティリティシステム９０は、保護された処理環境１５４内の機能またはオペレーションをサポートおよび管理し得る。例えば：
・機器１００の保護された処理環境１５４は、プログラム消費に基づく消費者の銀行会計または他の金銭会計に請求する自動電子支払機構１１８を提供し得る。分散交易ユーティリティ７５は、「金融手形交換所」２００と呼ばれる特殊目的交易ユーティリティシステム９０ａを含み得る。「金融手形交換所」２００は、保護された処理環境１５４のオペレーションの金融局面をサポートする。つまり、権利保有者および正当に支払を受ける他の人々を保護し、消費者９５が過剰な金額を課されないように確実に取り計らう。
【０１１３】
・テレビ番組１０２ａの放送局は、機器１００の保護された処理環境１５４が、電子使用計量機構１１６で、消費者９５がビデオプログラム１０２ａをどれだけ視聴したかおよびどのプログラムを見たのかを計量することを要求し得る。分散交易ユーティリティ７５は「使用手形交換所」３００と呼ばれる特殊目的交易ユーティリティシステム９０ｂを含み得る。「使用手形交換所」３００は、保護された処理環境１５４内で使用メータ１１６によって計量された使用情報を受け取り、それを分析して報告を提供する。
【０１１４】
・ビデオプログラム１０２ａの権利保有者は、ビデオプログラム１０２ａのコピーに対して確実に防止するコピー防止機構１２０を提供する保護された処理環境１５４を強く要求し得る。分散交易ユーティリティ７５は、「権利及び許認可手形交換所」４００と呼ばれる特殊目的交易ユーティリティシステム９０ｃを含み得る。「権利及び許認可手形交換所」４００は、保護された処理環境１５４に、消費者９５が（例えば、ペイパービュー基礎（ｂａｓｉｓ）上の）特定のプログラムを視聴することが可能になるのに必要な許認可を供給し、例えばコピー防御機構１２０等の禁止の強化を助ける。
【０１１５】
・ビデオプログラム１０２ａの権利保有者は、機器１００の保護された処理環境１５４が、消費者９５がビデオプログラム１０２ａを見ることができるようになる前に消費者の身元（ｉｄｅｎｔｉｔｙ）または年齢等を認証する「デジタル認証」１２２を所有する。分散交易ユーティリティ７５は、「認証当局」５００と呼ばれる特殊目的交易ユーティリティシステム９０ｄを含み得る。「認証当局」５００は、「デジタル認証」５０４を生成し、それを保護された処理環境１５４に提供する。それにより、消費者は、権利保有者によって提供された許認可と効果的に相互作用を行うことができる。
【０１１６】
図１Ｂに示した他の交易ユーティリティシステム９０は以下を含む：
・ネットワーク１５０上の他のコンピュータおよび機器と電気的に通信する際に保護された処理環境１５４をアシストし得る「安全なディレクトリサービス」６００
・例えば、保護された処理環境１５４を含む複雑な電子商取引を安全に監査および監督（ｏｖｅｒｓｅｅ）すること等のプロセス制御およびオートメーションに利用可能となり得る取引当局７００
【０１１７】
・好適な実施形態において、円滑且つ安全に動作する保護された処理環境１５４を維持し得る仮想分散環境（「ＶＤＥ」）の「管理者」８００
図１Ｂに示さない更に他の交易ユーティリティシステム９０は、更なる機能およびオペレーションの管理および／またはサポートに使用され得る。種々の交易ユーティリティシステム９０が共に働き、消費者９５を効率的且つ効果的にサポートするようにタスク（ｔａｓｋ）全体を分担し得る。
【０１１８】
交易ユーティリティシステムは分散され得る
図２Ａから図２Ｅは分散交易ユーティリティ７５が分散され得る様子を示す。交易ユーティリティシステム９０のいくつかの管理およびサポート機能が、消費者の電子機器１００内で、または協同する多数の異なる機器に亘る「拡散（ｓｐｒｅａｄ  ｏｕｔ）」様式でも、実行され得る。
【０１１９】
上記のように、機器１００はそれぞれ不正に対して耐性を有する（ｔａｍｐｅｒ  ｒｅｓｉｓｔａｎｔ）保護された処理環境１５４を提供し、管理およびサポートオペレーションが実行され得る安全な場所を提供する。このことにより、消費者の家庭内の電子機器１００が、権利保有者および電子商取引参加者等の他のパーティに信頼され得るようにオペレーションを実行する。保護された処理環境１５４の信頼され保護された特性のために、交易ユーティリティシステム９０のある部分、拡張部分または全体さえもが、全システム内の各々のまたは任意の保護された処理環境１５４および関連する電子機器内に存在する。
【０１２０】
図２Ａから図２Ｅは、使用手形交換所３００等の交易ユーティリティシステム９０の一例の機能全体を４ピースのジグソーパズルで示す。図２Ａから図２Ｅはこれらの交易ユーティリティシステム機能が異なる程度に分散され得ることを示す。例えば：
・図２Ａは、交易ユーティリティシステム９０の全ての機能が安全な中央設備内で実行される一例を示す。
【０１２１】
・図２Ｂは、交易ユーティリティシステム９０のほとんどの機能が安全な中央設備の中で実行されるが、いくつかの機能は使用者電子機器１００の保護された処理環境１５４内で実行される一例を示す。
【０１２２】
・図２Ｃは、交易ユーティリティシステム９０のいくつかの機能が安全な中央設備の中で実行されるが、その機能のほとんどが使用者電子機器１００の保護された処理環境１５４内で実行される一例を示す。
【０１２３】
・図２Ｄは、交易ユーティリティシステム９０のいくつかの機能が安全な中央設備の中で実行され、いくつかの機能が第１の使用者電子機器１００Ａの保護された処理環境１５４Ａ内で実行され、いくつかの機能が第２の使用者電子機器１００Ｂの保護された処理環境１５４Ｂ内で実行される一例を示す。
【０１２４】
・図２Ｅは、交易ユーティリティシステム９０の機能が１つも安全な中央設備の中で実行されず、いくつかの機能が第１の使用者電子機器１００（１）の保護された処理環境１５４（１）内で実行され、いくつかの機能が第２の使用者電子機器１００（２）の保護された処理環境１５４（２）内で実行され、いくつかの機能が第３の使用者電子機器１００（３）の保護された処理環境１５４（３）内で実行され、いくつかの機能が第Ｎの使用者電子機器１００（Ｎ）の保護された処理環境１５４（Ｎ）内で実行される、一例を示す。
【０１２５】
あるいはまたは更に、交易ユーティリティシステム９０のいくつかの機能は、ネットワーク１５０内に、例えば機器１００間でデータを通信するために使用される装置内に、分散され得る。
【０１２６】
多重管理およびサポート機能の分散
図３Ａは、交易ユーティリティシステム９０機能または下位機能（ｓｕｂ−ｆｕｎｃｔｉｏｎ）が同じ保護された処理環境１５４内に分散され得る様子を示す。
【０１２７】
例えば：
・消費者機器１００Ａの保護された処理環境１５４ａ内で動作する金融手形機能２００ａは、中央化された金融手形交換所２００により実行されるいくつかの金融手形交換オペレーションの代わりをするおよび／またはサポートし得る監査などの所定の金融手形交換を提供し得る。
【０１２８】
・消費者機器１００Ａの保護された処理環境１５４ａ内で動作する金融手形交換所３００ａは、例えば、使用手形交換所３００によって実行される使用手形交換オペレーションを補完、代替または付加する、収集された使用情報の組み合わせおよび分析等の、所定の使用情報手形交換オペレーションを実行し得る。
【０１２９】
・機器１００Ａの保護された処理環境１５４ａは、所定の権利及び許認可手形交換オペレーション４００ａ、所定の認証当局オペレーション５００ａ、および所定の安全なディレクトリサービスサポートオペレーション６００ａ全てを、権利及び許認可手形交換所４００、認証当局５００および安全なディレクトリサービス６００によって実行されるオペレーションを補完、付加または代替する消費者のサイト（ｓｉｔｅ）において実行し得る。
【０１３０】
図３Ｂは、家庭用電子機器１００（２）から１００Ｎまでの別の例（この場合はパーソナルコンピュータ１２４）が、異なる組み合わせのサポートまたは管理機能（例えば、取引当局７００によって実行されるいくつかのまたは全ての機能）を局部的に実行する様子を示す。例えば：
・保護された処理環境１５４（１）内のプロセスは、部分的に分散され部分的に中央化された金融手形交換所２００Ａ、部分的に分散され部分的に中央化された使用手形交換所３００Ａ、部分的に分散され部分的に中央化された権利及び許認可手形交換所４００Ａ、部分的に分散され部分的に中央化された認証当局５００Ａ、中央化された安全なディレクトリサービス６００Ａ、ならびに中央化された取引当局７００Ａに依存し得る。
【０１３１】
・保護された処理環境１５４（２）内のプロセスは、中央化された金融手形交換所２００Ｂ、部分的に分散され部分的に中央化された使用手形交換所３００Ｂ、部分的に分散され部分的に中央化された権利及び許認可手形交換所４００Ｂ、中央化された認証当局５００Ｂ、中央化された安全なディレクトリサービス６００Ｂ、ならびに部分的に分散され部分的に中央化された取引当局７００Ｂに依存し得る。
【０１３２】
・保護された処理環境１５４（Ｎ）内のプロセスは、部分的に分散され部分的に中央化された金融手形交換所２００Ｎ、部分的に分散され部分的に中央化された使用手形交換所３００Ｎ、部分的に分散され部分的に中央化された権利及び許認可手形交換所４００Ｎ、部分的に分散され部分的に中央化された認証当局５００Ｎ、部分的に分散され部分的に中央化された安全なディレクトリサービス６００Ｎ、ならびに部分的に分散され部分的に中央化された取引当局７００Ｎに依存し得る。
【０１３３】
分散された手形交換サービスというこのコンセプトを更に取り上げると、図３Ｃに示すように分散交易ユーティリティ７５を完全に分散することが可能である。つまり、使用者の電子機器１００の安全な保護された処理環境１５４内での管理およびサポートサービスのオペレーションおよび活動にほとんどまたは完全に依存する。このように使用者自身の電子機器１００は、分散された様態で、任意のまたは全ての金融手形交換、使用手形交換、ならびに権利及び許認可手形交換、またそれらに加えて認証、安全なディレクトリサービス、および取引当局サービスを実行する。このような「局部」および／または並行および／または分散処理取引手形交換は、個々の消費者の要求により効率的に対応し得る。例えば、これは、一方では権利保有者に彼らが要求する要約情報を提供しつつも所定の私的データが消費者自身の電子機器から離れるのを防止する制御に消費者が寄与することのできる唯一の方法である。
【０１３４】
図２Ａから図２Ｅおよび図３Ａから図３Ｃに示した分散構成は、中央化された交易ユーティリティシステム９０を提供する相互に排他的な方法ではない。それとは反対に、分散構成はハイブリッド構成を提供するという利点を有する。ハイブリッド構成において、いくつかの管理およびサポートサービス機能（例えば、マイクロ支払総計（ｍｉｃｒｏ−ｐａｙｍｅｎｔ  ａｇｇｒｅｇａｔｉｏｎ）、使用データプライバシー機能、および子についての親が発行する認証等の認証の発行）が広く分散され、一方で、他の管理およびサポート機能（例えば、重要なデジタル認証の発行、安全なディレクトリサービスをサポートする巨大データベースの維持等）が更にいっそう中央化される。いずれか特定の管理およびサポートサービス、手形交換所または機能の分散度は、例えば効率、信頼度、規模（ｓｃａｌａｂｉｌｉｔｙ）、リソース要求（ｒｅｓｏｕｒｃｅ  ｒｅｑｕｉｒｅｍｅｎｔ）、ビジネスモデル（ｂｕｓｉｎｅｓｓ  ｍｏｄｅｌ）、および他の要因を含む非常に重要な問題の多様性に依存し得る。更に、分散度は、特定のビジネスサブモデルに先行する特定のビジネスモデル、あるいは、例えば地理的体型（ｇｅｏｇｒａｐｈｉｃ  ｂｏｄｙ）および／または支配体型（ｇｏｖｅｒｎｉｎｇ  ｂｏｄｙ）および／または地域領域（ｒｅｇｉｏｎ  ａｒｅａ）によって決定される下位集合（ｓｕｂｓｅｔ）に基づく多重レベルの階層を含み得る。
【０１３５】
所定の電子機器１００が多重活動に参加するので、異なる活動が、異なる配合で分散および中央化された交易ユーティリティシステム９０に依存し得ることは可能である。例えば、１つの活動について、保護された処理環境１５４は中央化された金融手形交換所２００に依存し得、別の活動について、保護された処理環境１５４は部分的に分散され且つ部分的に中央化された金融手形交換所２００に依存し得、更に別の活動について、保護された処理環境１５４は全体が分散された金融手形交換所２００に依存し得る。異なる活動またはビジネスモデルについて、異なる分散度が用いられ得る。
【０１３６】
交易ユーティリティシステムのウェブ
図４は、交易ユーティリティシステム７５が、分散された、部分的に分散されたおよび／または中央化された交易ユーティリティシステム９０の広大な「ウェブ」を含み得ることを示す。交易ユーティリティシステム９０のこのウェブを、分散交易ユーティリティ７５を共有し得る種々の異なる電子機器１００に接続するために、ネットワーク１５０が使用され得る。例えば、電子ネットワーク１５０は以下のものに接続し得る：
【０１３７】
・セットトップボックス１０６および／またはメディアプレイヤー１０４
・パーソナルコンピュータ１２４
・コンピュータグラフィックワークステーション１２６
・マルチメディア／ビデオゲームシステム１２８、または
・例えば、製造制御装置、家庭電化製品、プロセス制御機器、電子ネットワーキングおよび／または他の通信インフラストラクチャ装置、メインフレームおよび／または小型コンピュータ等を含む他種の電子機器１００
【０１３８】
この例では、同じ分散交易ユーティリティ７５が、複数の異なる消費者、作者、配給者、プロバイダ、商人および他の人々の多様な異種の活動をサポートし得る。つまり、分散交易ユーティリティ７５は多岐にわたる異種の電子活動をサポートし得る。図４はまた、安全性（例えば、秘密、信頼性（ａｕｔｈｅｎｔｉｃｉｔｙ）および統合性）を目的とするＧｉｎｔｅｒらの文献に開示されたタイプの電子「コンテナ」１５２を交換することにより、交易ユーティリティシステム９０が電子機器１００と（および互いに）通信し、保護された処理環境内で処理される確実なルールおよび制御の使用を介して管理され得る様子を示す。
【０１３９】
交易ユーティリティシステムのウェブは実質的に無制限であり得る
図４Ａは、交易ユーティリティシステムのウェブが広大または無制限であり得ることを示す。実際、ネットワーク１５０は、世界中に拡がり、任意の数の交易ユーティリティシステム９０を有する何百万もの電子機器を接続するつなぎ目のないウェブであり得る。
【０１４０】
交易ユーティリティシステム９０のウェブは、多様な異なる電子機能および電子商取引を実行する多様な異なる種類の電子機器との非常に複雑な相互接続を提供し得る。上述のように、任意の電子機器１００が任意の交易ユーティリティシステム９０または任意の他の電子機器と通信可能であり得る。このことが、異なる交易ユーティリティシステムを異なる電子商取引に割り当てることに関して最大の効率性および柔軟性を可能にする。例えば：
【０１４１】
・地理的に近い交易ユーティリティシステムを、メッセージのやり取りに要する合計時間を最小化するために用いるのが最良である。
【０１４２】
・いくつかのケースにおいて、より離れた交易ユーティリティシステムが、所定の種類の専門化した取引を効率的に操作するようによりよく備えられる。
【０１４３】
・政府の法規はまた、少なくとも部分的に、他に優先して所定の交易ユーティリティシステムを選択するよう指示する。（例えば、日本人の顧客がケイマン島に配置された金融手形交換所２００を使用しようとすると法的問題に陥り得る。または、ニュージャージー州の住民はニュージャージー州の消費税を報告する金融手形交換所２００で処理することを法律により要求され得る。）
【０１４４】
・異なる種類の競合する交易ユーティリティシステムが異なるパーティによって提供されることもあるが、これらの異なる種類のシステムは分散交易ユーティリティ７５を含むウェブを居住させる。このようなシステムおよび／またはシステムのノード間の間動作性（ｉｎｔｅｒｏｐｅｒａｂｉｌｉｔｙ）は効率性にとって重要であり、電子交易リソース（ｅｌｅｃｔｒｏｎｉｃ  ｃｏｍｍｅｒｃｅ  ｒｅｓｏｕｒｃｅ）の再利用を可能にする。
【０１４５】
権利保有者およびプロバイダは、交易ユーティリティシステムの中から選択できる
図５は、権利保有者が異なる交易ユーティリティシステム９０の中から選択を行い得る様子を示す。この例では、ボブが第１の使用手形交換所３００ａを操作し、アリスが第２の使用手形交換所３００ｂを操作し、ヘレンが第３の使用手形交換所３００ｃを操作する。これらの様々な使用手形交換サービスプロバイダが、品質および／または価格に基づいて互いに競合し得る、または補完し得る。（例えば、それぞれが異なる種類の取引に特化し得る。）
【０１４６】
電子ネットワーク１５０は、電子機器１００を多くの異なる交易ユーティリティシステム９０に接続するので、消費者が使用しているデジタルプロパティ（ｄｉｇｉｔａｌ  ｐｒｏｐｅｒｔｙ）内の権利保有者は、選択される複数の異なる交易ユーティリティシステムを有し得る。コンテンツプロバイダおよび権利保有者は、異なる局面の取引を取り扱う特定の交易ユーティリティシステム９０（または交易ユーティリティシステム９０の群）を認定する。例えば：
【０１４７】
・コンピュータソフトウェアの配布者は、パーソナルコンピュータ１２４が計量情報１１６ａをヘレンの使用手形交換所３００ｃへと送信し、コンピュータソフトウェアの使用またはパーソナルコンピュータによって実行される他の活動をモニタリングすることを指定し得る。
【０１４８】
・ビデオプログラム１０２ａの権利保有者は、セットトップボックス１０６がビデオについての計量情報１１６をアリスの使用手形交換所に送信することを指定し得る。
【０１４９】
・マルチメディアコンテンツプロバイダは、ボブの使用手形交換所３００ａがマルチメディアプレイヤー１２８によって生成された使用データ１１６ｃを処理するために使用されることを指定し得る。
【０１５０】
いくつかの例では、特定の消費者９５が彼らが好んで使用する特定の手形交換所または他の交易ユーティリティシステム９０を予め指定する役割も果たす。図５は、計量トラフィック（ｍｅｔｅｒｉｎｇ  ｔｒａｆｆｉｃ）を選択された使用手形交換所３００へ指向する警察官によるプロバイダの（および／または消費者の）選択を示す。（本明細書およびＧｉｎｔｅｒらの文献に説明された電子制御は、好適にはどのようにトラフィックが指向されるかを実際に制御するメカニズムである。）
【０１５１】
コンテンツプロバイダまたは権利保有者は、消費者９５が、コンテンツプロバイダ／権利保有者が取り扱いたい交易ユーティリティシステム９０（および／または交易ユーティリティシステム９０プロバイダ）の群から選択することを可能にする。例えば：
・テレビスタジオは、特定の個々のまたは種々の交易ユーティリティシステム９０を認定しテレビ番組に関する取引を取り扱う、および／またはスタジオはその取引を取り扱いたくない特定の個々のまたは種々の交易ユーティリティシステム９０を指定し得る。
【０１５２】
・特定の交易ユーティリティシステム９０は、個々の（または種々の）プロバイダおよび／または消費者９５についての要求および基準を設定する。
【０１５３】
・価値連鎖参加者は、異なる交易ユーティリティシステム９０と法的契約および／または取引関係を結ぶ。
【０１５４】
交易ユーティリティシステムは一緒に機能できる
図６は、異なる交易ユーティリティシステム９０が一緒に機能し、異なる種類のオペレーションをサポートできることを示す。この例では：
・使用手形交換所３００ａ、権利及び許認可手形交換所４００ａ、認証当局５００ａ、および金融手形交換所２００ａ（図の左手側）は、セットトップボックス１０６およびテレビセット１０２によって特定のオペレーションをサポートするために使用され得る。
【０１５５】
・同じ金融手形交換所２００ａ、ならびに異なる使用手形交換所３００ｂ、異なる認証当局５００ｂおよび異なる権利及び許認可手形交換所４００ｂ（図面の上部）が、パーソナルコンピュータ１２４上の所定の活動をサポートするために使用され得る。
【０１５６】
・更に異なる金融手形交換所２００ｃ、認証当局５００ｃおよび使用手形交換所３００ｃ、ならびに同じ権利及び許認可手形交換所４００ｂ（図面の右手側）が、マルチメディアシステム１２８の電子活動をサポートするために使用され得る。
【０１５７】
・更に異なる組み合わせの交易ユーティリティシステム（この場合、図面の下部に沿って、使用手形交換所３００ｃ、金融手形交換所２００ｄ、権利及び許認可手形交換所４００ｃ、ならびに認証当局５００ａ）がサウンドシステム１３０をサポートするために使用され得る。
【０１５８】
種々の交易ユーティリティシステム９０が組み合わせて動作し得ること、ならびに異なる組み合わせの交易ユーティリティシステムが異なる電子商取引をサポートするために使用され得ることをこの例が示す。
【０１５９】
管理およびサポートサービス機能は効率性および簡便性のために多目的交易ユーティリティシステム内に組み合わされ得る。
【０１６０】
図７は、異なる特殊目的交易ユーティリティシステム９０の管理およびサービス機能または下位機能は、最大の簡便性、効率または他の理由のために、より一般的なまたは多重目的の交易ユーティリティシステム９０へと一体に統合し得る。例えば：
・ボブは、金融手形交換所２００ａ機能、認証当局５００ａの機能、使用手形交換所３００ａ機能を提供する統合されたまたは組み合わされた交易ユーティリティシステム９０ａを操作し得る。
【０１６１】
・アンは、金融手形交換所機能２００ｂ、権利及び許認可手形交換所機能４００ｂ、ならびに取引当局機能７００ｂ機能を提供する統合されたまたは組み合わされた交易ユーティリティシステム９０ｂを操作し得る。
【０１６２】
・ヘレンは、権利及び許認可手形交換所機能４００ｃ、ならびに認証当局機能５００ｃを提供する統合されたまたは組み合わされた交易ユーティリティシステム９０ｃを操作し得る。
【０１６３】
・ロジャーは、安全なディレクトリサービス６００ｄ、使用手形交換所サービス３００ｄ、金融手形交換所サービス２００ｄ、ならびに権利及び許認可手形交換所４００ｄを提供する統合されたまたは組み合わされた交易ユーティリティシステム９０ｄを操作し得る。
【０１６４】
電子機器１００を操作する消費者は、任意のまたは全てのこれら異なる交易ユーティリティシステム９０または組み合わせにアクセスし得る。例えば、セットトップボックス１０６は、権利及び許認可ならびに認証をヘレンの交易ユーティリティシステム９０ｃから獲得し得るが、金融手形交換および使用の分析についてはボブの交易ユーティリティシステム９０ａを利用し得る。
【０１６５】
交易ユーティリティシステム９０は、任意の組み合わせの管理およびサポート機能を提供し得るか、または所定のビジネスモデルにおいて要求される操作を実行することが望まれ得る下位機能が最大の効率性および／または最大の簡便性を提供する。例えば、アンの交易ユーティリティシステム９０（２）は、金融手形交換機能の専門化した下位集合のみを提供し得る。
【０１６６】
図７Ａは、交易ユーティリティシステム９０が幅広い多様な異なる組み合わせまたは下位組み合わせ（ｓｕｂｃｏｍｂｉｎａｔｉｏｎ）の管理およびサポート機能を提供し得る様子の別の図である。図７Ａにおいて、様々な管理およびサポート機能の各々が、（図示のために）異なる種類の積み木で表示される：
【０１６７】
・金融手形交換機能２００を正方形の積み木で示す。
・使用手形交換機能３００を半円の積み木で示す。
・権利及び許認可手形交換機能４００を長方形の積み木で示す。
・認証当局機能５００を三角形の積み木で示す。
・安全なディレクトリサービス機能６００をトンネル付きの積み木で示す。
・取引当局機能７００を円筒の積み木で示す。
【０１６８】
消費者および使用者の機器１００は、図中、立てた長方形の柱で示す。電子機器ネットワーク１５０は、様々な交易ユーティリティシステムを互いにおよび消費者の電子機器１００に接続する道で示される。電子デジタルコンテナ１５２は、この電子ネットワークまたは異なる電子設備間の「情報ハイウェイ」１５０に沿って運搬され得る。
【０１６９】
図７Ａは、使用され得る管理およびサポートサービスの多くの可能な組み合わせのうちのいくつかを示すに過ぎない。例えば：
【０１７０】
・上部左手隅において、交易ユーティリティシステム９０Ａは、少なくとも複数の金融手形交換機能２００ａ、少なくとも複数の権利及び許認可手形交換機能４００ａ、ならびに少なくとも複数の認証機能５００ａを提供する。このタイプの電子交易ユーティリティシステム９０Ａ全体は、例えば、権利保有者のために権利を管理および譲渡するビジネス内に、ならびにそれら権利に基づく支払を処理する際に存在し得る。
【０１７１】
・設備９０Ａの権利に対する交易ユーティリティシステム９０Ｄは、金融手形交換サービス２００ｄおよび取引当局サービス７００ａを含む。それは例えば、取引に対する適切なパーティが支払いを受けることを保証しつつ、複合多重ステップ取引全体を監査および管理するのにとりわけ有用である。
【０１７２】
・図面の下部中央に、金融手形交換機能２００ｆおよび使用手形交換機能３００ｃを含む交易ユーティリティシステム９０Ｂがある。この交易ユーティリティシステム９０Ｂは、例えば電子使用取引に関する支払いおよび他の金融項目の取り扱い、ならびに電子使用に基づく監査および報告サービスを提供するのにとりわけ有用である。
【０１７３】
・図面の下部中央に示す交易ユーティリティシステム９０Ｃは、認証当局サービス５００を使用手形交換サービス３００ｆと組み合わせる。それは、（例えば、リスク、潜在的債務（ｐｏｔｅｎｔｉａｌ  ｌｉａｂｉｌｉｔｙ）、保険コスト等を評価するために）デジタル認証の発行およびそれら認証の使用の追跡調査にとりわけ有用であり得る。
【０１７４】
図７Ａに示した様々な例は説明を目的とするものである。他の組み合わせが可能であり、もしくはビジネスの目的、簡便性および他の要因に依存する可能性がある。
【０１７５】
交易ユーティリティシステムの階層
図８Ａは、交易ユーティリティシステム９０または機能が階層内に構成され得ることを示す。例えば、金融（または他の）手形交換所２００（Ｎ）全体が、数々の他の金融（または他の）下位手形交換所２００（１）、２００（２）、…のオペレーションについての最高の責任を監視するおよび／または有し得る。図８Ａの例において、消費者の電子機器１００は、手形交換所２００（１）と相互作用し得、手形交換所２００（１）は別の手形交換所２００（２）等と相互作用し得る。この管理およびサポートサービスの「階層」はいくつかの点で、大きな組織または軍隊内での命令の連鎖と同様であると考え得る。つまり、ある手形交換所が他の手形交換所に対して権力、制御および／または監督を行使および／または委託する。
【０１７６】
図８Ｂに、管理およびサポートサービス階層の別の例を示す。この例では、複数の中央化された手形交換所および／または他の交易ユーティリティシステム９０全体が、いくつかのまたは全ての作業責任を他の交易ユーティリティシステム９０に委託する。この特定的な例では、企業または不利益団体等の機構が自前の交易ユーティリティシステム１５６を有し得る。所定の電子交易または他の活動（例えばエンターテイメント産業）が、自前の垂直に専門化された交易ユーティリティシステム１５８を有し得る。所定の地理上の、領土上のまたは管轄区上のグループ（例えばウィスコンシン州内での特定の製品の全購買者）は、自前の領土上／管轄区上の専門化した交易ユーティリティシステム１６０を有し得る。階層内のより下部にある交易ユーティリティシステム１５６、１５８、１６０は、権威または責任を特定の消費者、機構または他のエンティティにさらに委託し得る。
【０１７７】
ある構成例において、権威を委託された交易ユーティリティシステム９０は、実質的に全ての実際のサポート作業を実行し得るが、報告書または他の手段を介して通知されたより多くの上位の交易ユーティリティシステム９０を保持し得る。別の構成では、上位の交易ユーティリティシステム９０は、作業を委託した交易ユーティリティシステムの日々の活動とは全く関係がない。更に別の構成例では、より専門化された交易ユーティリティシステムが、いくつかの作業を行ない、より上位の交易ユーティリティシステムが作業の別の部分を行なう。特定の地区の作業および特定のシナリオ内で使用される権威が、効率性、信頼性、リソースの有用性、管理される取引の種類、および他の要因の多様性等の要因に広く依存し得る。手形交換権威の委託は部分的なもの（例えば、使用集合体は委託するが金融または権利管理責任は委託しない）であり得、（例えば、いくつかのより重要な機能を中央化しつつ、消費者の電子機器内のいくつかの機能を配置することによって）ピアツーピア処理に一致し得る。
【０１７８】
多重機能交易ユーティリティシステムは階層的にまたはピアツーピアに組織され得る
図９は、命令の階層的連鎖および異なる多重機能交易ユーティリティシステム９０間の水平方向の高度な協同の両方の要素を含む、更に異なるより複雑な交易ユーティリティシステム環境を示す。この例では、最高権威を有するレベル１の主または上位交易ユーティリティシステム９０（１）（例えば、金融手形交換所２００）、ならびに徐々により少ない権力、権威、制御、範囲および／または責任を有するレベル２、３、４および５の付加的な交易ユーティリティシステムに関して５つのレベルの責任がある。図９はまた、同じレベルの異なる交易ユーティリティシステムが、異なる機能、範囲および／または領域の責任を有し得ることを示す。例えば：
・交易ユーティリティシステム９０（２）（１）は「タイプＡ」の交易ユーティリティシステムであり得る。
【０１７９】
・交易ユーティリティシステム９０（２）（２）は「タイプＢ」の交易ユーティリティシステムであり得る。
【０１８０】
・交易ユーティリティシステム９０（２）（３）は「タイプＣ」の交易ユーティリティシステムであり得る。
【０１８１】
次の下位レベルにおいて、交易ユーティリティシステムは（９０（３）（１）および９０（３）（２）等の）タイプＡの交易ユーティリティシステム、（９０（３）（４）等の）タイプＢの交易ユーティリティシステム、（９０（３）（５）および９０（３）（６）等の）タイプＣの交易ユーティリティシステム、もしくは、タイプＡおよびタイプＢの機能を有するハイブリッドである交易ユーティリティシステム９０（３）（３）等の、ハイブリッドであり得る。
【０１８２】
図９はまた、レベル４および５の付加的な手形交換所がタイプに加えて下位タイプを有し得ることを示す。例えば金融手形交換所２００のコンテクストにおいて、タイプＡは消費者の預金（ｃｏｎｓｕｍｅｒ  ｃｒｅｄｉｔ）に対して、タイプＢは電子小切手（ｅｌｅｃｔｒｏｎｉｃ  ｃｈｅｃｋ）に対して、タイプＣは商業預金（ｃｏｍｍｅｒｃｉａｌ  ｃｒｅｄｉｔ）に対して責任を有し得る。別の区分は、ビサ（タイプＡ）、マスターカード（タイプＢ）およびアメリカンエクスプレス（タイプＣ）についての手形交換であり得る。次にタイプＡ／Ｂの手形交換所は、消費者の預金および電子小切手の手形交換の両方を取り扱い得る手形交換委託となる。タイプＢの下位タイプＩは商業電子小切手に対する責任を有し得る。タイプＣの下位タイプＩは商業クレジットカード取引であり得、下位タイプＩＩＩはクレジットドラフト（ｃｒｅｄｉｔ  ｄｒａｆｔ）であり得る。多重例についての理論的根拠は、管轄区上の境界（例えば、フランス、ドイツ、ニューヨーク州およびアラバマ州）  および／または契約上の取り決め（例えば、不良クレジットのリスク、少数の購買者、非常に大きな取引等についての責任の委託）に基づき得る。ピアツーピアの大きさは、（例えば少数の購買者の手形交換所と大きな商業的プレイヤーの手形交換所との間の）取引全体を調整する必要性を反映し得る。
【０１８３】
権利及び許認可手形交換所４００は、コンテンツのタイプ（例えば映画、科学、技術および医療、ならびにソフトウェア）に従って発生する。下位タイプＡは、初回上映映画、オールディーズおよび芸術映画を含み得る。下位タイプＢは、報道および教科書を取り扱い得る。タイプＣは、ゲーム、オフィス、教育コンテンツについて責任を有し得る。手形交換所のピアツーピア通信は、マルチメディア表示許認可を含み得る。（例えば、マルチメディア表示は、確実に最新の許認可を分散するために他の手形交換所への裏チャネル（ｂａｃｋ  ｃｈａｎｎｅｌ）を用いる１つの手形交換所に格納された許認可を有し得る。）
【０１８４】
交易ユーティリティシステムのいくつかの例
上述のように、交易ユーティリティシステム９０は一般化され且つプログラム可能であり、従って、所定の取引の要求を満たす異なるサポートおよび管理機能の混合を提供し得る。このように、実際に実行された多くのまたはたいていの交易ユーティリティシステム９０が、互いに対立し合うある特定の「種類」の交易ユーティリティシステムであるために、実行をカテゴリー化することを困難にする異なるサポートおよび管理機能の範囲を提供する。
【０１８５】
にもかかわらず、所定のタイプの理想化され特別化された交易ユーティリティシステム９０が、幅広い範囲のモデル、取引およびアプリケーションにとって大いに有用である。実際の実行が複数の理想化されたモデルから機能または機能下位セットを混合することを考えると、異なるタイプのこれら「純粋な」交易ユーティリティシステム９０の特性をいくつか説明するのが役に立ち且つ便利である。以下に、これら「純粋に」理想化された交易ユーティリティシステムのいくつかの特性の簡潔な概要（ｖｉｇｎｅｔｔｅ）を述べる。
【０１８６】
金融手形交換所２００
図１０は、金融手形交換所２００の一例をより詳細に示す。金融手形交換所２００は、価値提供者が正当に保証されるように確実に支払を取り扱う。金融手形交換所２００はこのタスクを実行するにあたって他の交易ユーティリティシステム９０との調整を安全に行ない得る。
【０１８７】
この例では、金融手形交換所２００は、例えば図５Ａおよび図５Ｂに関してＧｉｎｔｅｒらの特許明細書に記載されたタイプの電子コンテナ１５２を用いた安全な方法で、ネットワーク１５０上の機器の保護された処理環境１５４と通信し得る。金融手形交換所２００は、これら安全なコンテナ１５２内の保護された処理環境１５４からの支払情報２０２を受け取り、適切な支払が為されるように電子的にまたは様々なバンキング（ｂａｎｋｉｎｇ）、クレジットカードまたは他の金融機関と相互作用し得る。
【０１８８】
金融手形交換所２００は、例えば、消費者の銀行２０６ａ、プロバイダの銀行２０６ｂ、および消費者のクレジットカード会社２０６ｃと相互作用する。例えば、金融手形交換所２００は、消費者の銀行２０６ａからの資金（ｆｕｎｄ）を請求し且つ権利保有者の銀行２０６ｂへの資金を預金し、映画、テレビ番組または他のコンテンツの視聴に対する支払を行ない得る。更にまたはあるいは、金融手形交換所２００は、消費者のクレジットカード会社２０６ｃと相互作用し、預金チェックを要求し、預金認定および支払等を手に入れる。
【０１８９】
金融手形交換所２００は、例えば、計算書を安全な電子コンテナ１５２ｂ内の機器１００に送信し、計算書情報の認証を保存することによって、支払計算書２０４を消費者９５に提供し得る。この例において、消費者９５は、機器１００の保護された処理環境１５４を用いて計算書２０４を見ることができ、また記録の保存を目的として印刷および保存を可能にし得る。
【０１９０】
ある例において、保護された処理環境１５４に提供された支払機構１１８は、電子サービスまたはコンテンツに対する支払で使用するための電子マネーを供給する電子財布であり得る。この電子財布はデジタルの形態で金銭を保持し得る。消費者９５は望むもの何にでもデジタルマネーを使用できる。電子財布が空である場合、消費者９５は、金融手形交換所２００に、金融手形交換所を認定し消費者の銀行２０６ａの口座から資金を請求させることによって財布を再び満たさせる。金融手形交換所２００は、電子マネーの支払を処理し、消費者が前者コンテンツの全てを消費してしまった場合に電子財布が（例えば、消費者の前もった認定に基づいて）自動的に再び満たされるように手配し、消費者にどのように電子マネーを使ったかについての詳細な報告書および計算書２０４を提供し得る。
【０１９１】
使用手形交換所３００
図１１は、使用手形交換所３００の一例を示す。この例における使用手形交換所３００は、使用メーター１１６から使用情報３０２を受け取り、使用情報を分析し、その分析に基づく報告書を提供する。使用手形交換所３００は、これらのタスクを遂行するのに他の交易ユーティリティシステム９０との調整を安全に行ない得る。
【０１９２】
例えば、使用手形交換所３００は、消費者が前の月に見た全ての映画、テレビ番組および他の材料についての詳細な報告書３０４ａを消費者９５に送付し得る。保護された処理環境１５４と使用手形交換所３００との間の通信は、安全なコンテナ１５２の形態で行なわれ得る。Ｇｉｎｔｅｒらの特許開示に説明されるように、使用メーター１１６は複数の異なる要因に基づく使用を計量し得、極めて詳細なものから概要的なものにまで及び得る。消費者が望む場合には、テレビセット１０２上で詳細な使用報告書３０４ａを見ることができる。
【０１９３】
使用手形交換所３００は、他の使用手形交換所に、消費者のプライバシー保護と両立した消費者の視聴習慣を報告し得る。これらの報告書はまた、安全なコンテナ１５２内で送付され得る。例えば、使用手形交換所３００は概要報告書３０４ｂを消費者の身元を明かさずに広告業者３０６に提供するが、消費者の視聴習慣についての貴重な情報を広告業者３０６に提供し得る。一方、消費者の同意があれば、使用手形交換所３００は消費者の身元を明かしたより詳細な情報を広告業者３０６または他の特定の人々に提供し得る。逆に消費者９５は、例えば割引、現金、無料映画または他の補償等の動機を与えられ得る。
【０１９４】
使用手形交換所３００は、消費者９５が見ているビデオ番組１０２ａのプロデューサーまたはディレクター等の権利保有者３０８に報告書３０４ｃを発行し得る。これらの報告書は、権利保有者が誰が彼らの番組材料および他の制作物を視聴したのかを確認することを可能にする。このことは、支払を確実なものとする、または消費者に彼らが関心を抱いた他の同様の番組素材を送付するのに非常に有用である。
【０１９５】
使用手形交換所３００はまた、所定のプログラム材料の人気を自動的に評価するために、報告書３０４ｄを調査会社３１０に送付する。使用手形交換所３００はまた、報告書を科学調査、市場調査または他の調査についての他の市場調査者３１２に送付し得る。
【０１９６】
権利及び許認可手形交換所４００
図１２は、権利及び許認可手形交換所４００の一例を示す。権利及び許認可手形交換所４００は、電子許認可４０４（図中、交通信号で示す）を格納且つ分散する。許認可４０４は許認可を与えたり与えなかったりし、また結果を規定する。権利及び許認可手形交換所４００は、他の交易ユーティリティシステム９０と共に機能し、そのタスクを完遂する。
【０１９７】
この例において、権利及び許認可手形交換所４００は、デジタルコンテンツに関連する権利について中央化された「倉庫」または手形交換所として機能する。例えば、放送会社、作者および他のコンテンツ創作者ならびに権利所有者は、権利及び許認可手形交換所４００に電子「制御セット」の形態で許認可を登録し得る。これらの許認可は、どの消費者がデジタルプロパティを取り扱えたり取り扱えなかったりするのか、いかなる条件下で実行されるのか、および許認可実行の結果を指定し得る。権利及び許認可手形交換所４００は、許認可（制御セット）１８８を配達することによって、電子機器の保護された処理環境１５４からの要求４０２に応答し得る。
【０１９８】
例えば、消費者９５がテレビセット１０２でコンサートまたは試合を視聴したいとする。視聴者は遠隔制御ユニット１０８を操作して所定の番組を視聴する権利を要求する。保護された処理環境１５４は、自動的に電子ネットワーク１５０上の権利及び許認可手形交換所４００にコンタクトし、電子要求４０２を送信する。権利及び許認可手形交換所４００は、図書館または倉庫内の要求を「調べ」、番組の権利保有者４００からの必要な許認可４０４ｂを受け取ったか（提供するよう認定されたか）どうかを見る。次に、権利及び許認可手形交換所は、要求された許認可１８８を保護された処理環境１５４に送信する。
【０１９９】
例えば、許認可１８８は、消費者がコンサートまたは試合を１度だけ見ることを可能にし、コピー防止機能１２０によってコピーを禁止し得る。許認可１８８はまた（または更に）、番組の視聴に対する価格を指定する。（例えば、消費者の電子財布から５．９５ドル差し引かれる。）機器１００は、消費者９５に番組を視聴するために５．９５ドル払うかどうかを尋ね得る。消費者が「はい」と答える場合（例えば遠隔制御１０８を操作することによって表示する）、機器１００は自動的に消費者の電子財布に要求し、消費者が番組を視聴できるように番組を「解放」する。
【０２００】
権利及び許認可手形交換所４００は、許認可によって制御される情報を付加的に含み得る安全なコンテナ１５２ｂ内の許認可１８８を配達し得る。または、許認可１８８は、機器１００に到達する番組または他のコンテンツとは異なる通路を通って異なる時間に到着し得る。例えば、許認可はネットワーク１５０上を送信されるのに対して、許認可に関連する番組は直接衛星１１２からまたはケーブルテレビネットワーク１１４（図１参照）等の他の通路を通って到着し得る。
【０２０１】
権利及び許認可手形交換所４００は、権利保有者または許認可が与えられたまたは与えられなかった他の人々に報告書４０６を発行する。例えば、本またはビデオの作者は、消費者のプライバシー関係と両立しつつ、作者の作品からの抜粋を出版する権利を要求した人々の正確な数を知ることを可能にし得る。これらの種類の報告書は、使用手形交換所３００によって提供される補充報告であり得る。
【０２０２】
認証当局５００
図１３は認証当局の一例を示す。認証当局５００は、電子権利管理のためのコンテクストを提供するデジタル認証５０４を発行する。認証当局５００は、他の交易ユーティリティシステム９０と協同してタスクを完遂する。
【０２０３】
認証当局５００は、特定の事実を認証するデジタル認証５０４を発行する。デジタル認証１２２は、ある事実についての証明を提供するのでいくつかの点で運転免許証または高校の卒業証書に似ている。例えば、我々は、選挙で投票し、酒類を購入し、または「Ｒ」指定の映画を観ることができる年齢に達していることを立証するのに運転免許証を見せるかもしれない。この同じ運転免許証が、我々が特定の名前を有し且つ特定の住所に住み、我々が（州の自動車に関する法律の）知識および（自動車を運転する）技術を有するという事実を証明する。デジタル認証５０４は、薄板状カードの代わりにデジタル情報から作られていることを除けば、免許所有者の身元および免許所有者に関する関連事実を確認する運転免許証の局面に等しい。
【０２０４】
この例では、認証当局５００は、消費者の要求および関連証拠５０２を受け取り得、特定の事実を認証する対応するデジタル認証５０４を発行し得る。認証当局５００はまた、証拠、証明およびおそらく認証定義（ｃｅｒｔｉｆｉｃａｔｅ  ｄｅｆｉｎｉｔｉｏｎ）を、政府当局５０６、職業機構５０８および大学５１０等の他の人々から受け取り得る。一例として、認証当局５００は政府当局５０６から出生認証または他の身元情報を受け取り得る。この身元情報に基づいて、認証当局５００は、人々の身元および年齢を証明するデジタル認証５０４を準備且つ発行し得る。認証当局５００はまた、様々な証拠および様々な人々からの入力に基づく職業状態、雇用、居住地、または様々な他の種類およびカテゴリーを証明するデジタル認証５０４を発行し得る。
【０２０５】
認証当局５００は、組織および機械、ならびに人の認証をし得る。例えば、認証当局５００は、Ｓｔａｎｆｏｒｄ  Ｕｎｉｖｅｒｓｉｔｙが高等教育の公認機関であること、またはＡＣＭＥ  Ｔｒａｎｓｐｏｒｔａｔｉｏｎ  Ｃｏｍｐａｎｙが堅実な状態の会社であり、危険物の輸送することを認可されていることを証明する認証を発行し得る。また、認証当局５００は、例えば、コンピュータが特定のセキュリティのレベルを有するか、または特定の人または組織の代理としてメッセージを取り扱うよう認可されていることを証明する認証５０４をコンピュータに発行し得る。
【０２０６】
認証当局５００は、電子コンテナ１５２を交換することによって、保護された処理環境１５４および他の団体と通信し得る。電子機器１００の保護された処理環境１５４は、認証当局５００が権利および許認可手形交換所４００によって発行されるものなどの許認可１８８を管理または実行するために発行するデジタル認証５０４を用い得る。例えば、セットトップボックス（ｓｅｔ  ｔｏｐ  ｂｏｘ）１０６は、１７歳以下の消費者が特定の種類のプログラム材料を見ることを自動的に防止するか、または、教育的材料を見ている学生に支払いの割引制度を提供したりし得る。これらは、全て認証当局５００によって発行される認証５０４に基づく。
【０２０７】
安全なディレクトリサービス
図１４は、安全なディレクトリサービス６００の実施例を示す。安全なディレクトリサービス６００は、コンピュータ化された電話またはネームサービスディレクトリのように機能する。消費者９５は、彼らが必要とする情報を指定する要求６０２を送ることができる。安全なディレクトリサービス６００は、情報を「検索」し、消費者９５に解答６０４を提供する。安全なディレクトリサービス６００は、他の交易ユーティリティシステム９０と作用（ｗｏｒｋ）してその作業を実行できる。
【０２０８】
例えば、消費者９５がＪｏｅ’ｓ  Ｐｉｚｚａから電子的にピザを注文したいと仮定する。彼らは、どのような種類のピザ（例えば、Ｌサイズのソーセージおよびタマネギののったチーズピザ）が欲しいか決定する。しかし、彼らはＪｏｅ’ｓ  Ｐｉｚｚａの（電子電話番号の様なものであり得る）電子アドレスを知らない。消費者９５は、リモートコントロール１０８を用いて、彼らが何について検索してもらいたいのか（Ｌａｋｅｖｉｌｌｅ，  ＣｏｎｎｅｃｔｉｃｕｔのＪｏｅ’ｓ  Ｐｉｚｚａ）についての情報を入力できる。保護された処理環境１５４は識別情報を含む要求６０２を発生し、安全なディレクトリサービス６００にこの要求を送信し得る。それは要求を安全なコンテナ１５２ａ内で送ることができる。
【０２０９】
安全なディレクトリサービス６００が要求６０２を受けたとき、それはデータベースにアクセスして要求された情報を見つけ得る。安全なディレクトリサービス６００は、Ｊｏｅから直接または他の方法で以前に入手したＪｏｅの電子アドレスを有し得る。安全なディレクトリサービス６００は、要求された情報を応答６０４で機器１００に返信し得る。応答６０４は、安全なコンテナ１５２ｂ内にもあり得る。消費者９５はこの情報を用いて彼らの注文をＪｏｅ’ｓ  Ｐｉｚｚａに電子的に送信し得る。この注文は、消費者が送信してから数秒内でＪｏｅの注文端末上で表示できる。Ｊｏｅは、消費者９５に非常に熱いチーズ、ソーセージ、およびタマネギのピザを数分後に配達し得る。（但し、実際のピザの方が電子的なピザよりも満足できるので配達は電子的にではなく、車で行われる。）
【０２１０】
安全なディレクトリサービス６００は、ネットワーク１５０に接続されている人が他の人に連絡するのを援助できる。１つの例として、安全なディレクトリサービス６００は、ネットワーク１５０上の金融手形交換所２００を発見する方法を使用手形交換所３００に知らせることができる。ネットワーク１５０に接続されている電子機器１００は、他の電子機器と連絡するのを援助するために安全なディレクトリサービス１５０を用い得る。
【０２１１】
上述したように、安全なディレクトリサービス６００に対する要求６０２および、それが返信する応答６０４は、Ｇｉｎｔｅｒらによる特許明細書に記載の種類の安全なコンテナ１５２に入れられ得る。安全なコンテナ１５２を用いることは、立ち聞き者が、消費者９５と安全なディレクトリサービス６００との間の交換を盗聴するを防止することを援助する。これは、消費者のプライバシーを保護する。消費者９５は、彼らのピザ注文を他人が盗聴しても気にしないが、特定の他の人々（例えば、医者、銀行、弁護士、または信頼および信用の関係を有する他の人々）と電子的に対応しているという事実を保護することについては、もっと関心があり得る。安全なコンテナ１５２は、また、ネットワークを横断して送信されたメッセージが認証されており、変更されていないかを保証することを援助する。電子コンテナ１５２は、Ｊｏｅ’ｓ  Ｐｉｚｚａが受信したばかりのピザの注文が、（他の誰かにではなく）消費者９５から実際に来たものであり、変更されていないこと信用でき、消費者は、彼らの名前で偽のピザ注文をＪｏｅに送信する者がいないことを比較的確信できる。安全なコンテナ１５２および保護された処理環境１５４を好適な実施形態で用いることは、消費者９５が実際にピザを注文した場合にＪｏｅ’ｓ  Ｐｉｚｚａに注文をしていたことを後で否定できないことを保証する。
【０２１２】
取引当局７００
図１５は、取引当局７００の実施例を示す。本実施例における取引当局７００は、処理制御およびオートメーションを提供する。これは、処理および取引が首尾良く完了したことを保証するのを援助する。取引当局７００は、他の交易ユーティリティシステム９０と作用してその作業を遂行および完了し得る。
【０２１３】
更なる詳細には、本実施例の取引当局７００は電子商取引および／または処理の状態を監視し、今までに何が起こったか、および取引および／または処理の全体が完了するためには何が生じる必要があるのかについての、安全で信頼できる記録を維持する。また、取引当局７００は、所望であれば、例えば特定の作用が生じるための要求を発生することによって、より活動的な役割を遂行し得る。取引当局７００は、いくつかの場合では、複雑な取引または処理において、処理の全工程を「知る」唯一の参加者（ｐａｒｔｉｃｉｐａｎｔ）であり得る。取引当局７００は、また、処理中の様々な参加者によって寄与される電子制御に基づいて、処理全体を電子的に規定し得る。
【０２１４】
図１５は、消費者９５がセーターなどの商品を注文することを可能にするために取引当局７００がどのように用いられ得るかの実施例を示す。この特定の電子ホームショッピングの（説明の目的であって、いかようにも制限する意図のない）実施例において、消費者９５は、リモートコントロール１０８を用いて、彼らが特定の値段で注文したいセーターの特定の売り手、スタイル、および色を選択し得る。このホームショッピングの実施例において、機器１００の保護された処理環境１５４は、電子「通信販売」会社の受注部門７０４に送る電子注文７０２を発生し得る。注文７０２は、安全なコンテナ１５２ａ内で送信され得る。
【０２１５】
本実施例において、取引当局７００は電子通信販売会社が活動を調整し、セーターが配達されるのに必要な全工程が正確および適時な方法で遂行されているかを確認することを補助する。例えば：
・電子注文７０２を受信したら、受注部門７０４は電子通知７０６を取引当局７００に提供し得る。取引当局７００は、電子通知７０６を格納し、「要件」７０８を発行し得る。
【０２１６】
・取引当局７００は、注文が出される前に要件７０８を発行していてもよく、このため、受注部門７０４は注文が来たときに何をすれば良いのか知っている。
【０２１７】
・「要件」７０８によって、受注部門７０４は、電子および／または紙の（または、他の）形式の注文７１０を、製造部門７１２に発行し得る。
【０２１８】
・取引当局７００は、消費者の好みに従ってセーターを製造するために、製造部門に製造要件７１４を発行し得る。
【０２１９】
・取引当局７００は、供給者７１８に供給要件７１６も発行し得る。例えば、取引当局７００は、毛糸玉７１１などの供給物を配達するように供給者７１８に要求し得ることにより、製造者７１２は、セーターを製造するための素材を有する。
【０２２０】
・供給者７１８は、供給物を配達したときに通知７２０を発行することによって取引当局７００に通知し得る。
【０２２１】
・製造部門７１２がセーターを終了したとき、製造部門７１２は通知７２２を送付することによって取引当局７００を警告し得る。
【０２２２】
・製造部門７１２によって送付された通知７２２に応答して、取引当局７００は、運送要件７２４を運送部門７２６に送り得、例えば、運送部門に完了したセーター７２８を製造部門から回収し、消費者にそれを配達するように要求する。
【０２２３】
・取引当局７００は、金融手形交換所２００などの他の交易ユーティリティシステム９０と調整して、支払いを手配し得る。
【０２２４】
もちろん、この実施例は、説明のみを目的とする。取引当局７００は、多くの有用な応用を少し挙げるだけでも、例えば、電子注文販売の取り扱い、電子データ交換（ＥＤＩ）、電子契約交渉および履行、電子文書送達、会社間および会社内取引、業務組織内または業務組織間の安全な業務処理の電子統合など、あらゆる種類の異なる処理制御およびオートメーションのために用いられ得る。
【０２２５】
ＶＤＥ管理サービス８００
好適な実施形態におけるＶＤＥ管理者８００（本願の図１および図１ＡならびにＧｉｎｔｅｒらの明細書の関連議論を参照せよ）は、ネットワーク１５０、機器１００、保護された処理環境１５４、および分散交易ユーティリティ７５が、安全、円滑、かつ効果的に動作することを維持するために、様々な電子維持および他の機能を提供する。例えば、ＶＤＥ管理者８００は、ネットワーク１５０の全体に渡る電子セキュリティのために用いられる暗号キーを管理し得、また、機器１００、様々な交易ユーティリティシステム９０、および他の電子機器による安全なデータの維持に関するサービスも提供し得る。Ｇｉｎｔｅｒらの特許開示で詳細に記載されるように、ＶＤＥ管理者８００によって遂行される他の重要な機能は、保護された処理環境１５４をインストールかつ設定すること、および、保護された処理環境が格納された許認可および／または使用データを安全に維持するのを援助することを含む。ＶＤＥ管理者８００は、他の交易ユーティリティシステム９０と作用し得る。
【０２２６】
交易ユーティリティシステム９０は互いに支援できる
消費者９５を支援することに加えて、交易ユーティリティシステム９０は他の交易ユーティリティシステムを支援できる。これを、図１６Ａから図１６Ｆに示す。例えば：
・金融手形交換所２００は、他の交易ユーティリティシステム９０がその寄与に対して支払われていることを保証することを援助でき（図１６Ａを参照せよ）；
【０２２７】
・使用手形交換所３００（図１６Ｂを参照せよ）は、それらが提供する支援がどのように用いられているのかに関して他の交易ユーティリティシステム９０に通達する。例えば、使用手形交換所３００は、認証当局の認証がどのように用いられたのかを認証当局５００に知らせ得る。（これは、認証当局が保証している可能な責務の額の勘定をつけるか、または不正の認証を検出のために非常に有用である。）
【０２２８】
・図１６Ｃは権利および許認可手形交換所４００が、例えば、金融手形交換所２００、使用手形交換所３００、別の権利および許認可手形交換所４００’、認証当局５００、安全なディレクトリサービス６００、および取引当局７００等の他の交易ユーティリティシステム９０を支援できることを示す。
【０２２９】
・認証当局５００は、例えば、金融手形交換所２００、使用手形交換所３００、権利および許認可手形交換所４００、別の認証当局５００’、安全なディレクトリサービス６００、および取引当局７００等の他の交易ユーティリティシステム９０を支援する１つ以上の他の交易ユーティリティシステム９０（図１６Ｄを参照せよ）の動作を認証するデジタル認証５００を発行できる。
【０２３０】
・図１６Ｅは、安全なディレクトリサービス６００が、例えば、金融手形交換所２００、使用手形交換所３００、権利および許認可手形交換所４００、認証当局５００、別の安全なディレクトリサービス６００’、および取引当局７００等の他の交易ユーティリティシステム９０を支援し得ることを示す。
【０２３１】
・図１６Ｆは、取引当局７００が、例えば、金融手形交換所２００、使用手形交換所３００、権利および許認可手形交換所４００、認証当局５００、安全なディレクトリサービス６００、および別の取引当局７００’等の他の交易ユーティリティシステム９０を支援できることを示す。
【０２３２】
「勘定の一部」
本明細書中に記載の交易ユーティリティシステム９０は、有益かつ重要なサービスおよび機能を提供する。このようなサービスのオペレータは、彼らが提供するサービスに対して補償され得、かつ補償されるべきである。金融手形交換所交易ユーティリティシステム２００は、彼ら、および他の支援サービス提供者が、他の電子コミュニティおよび価値連鎖参加者への不自由なしにこの補償を受けることを保証できる。
【０２３３】
価値連鎖参加者の援助または補償において、交易ユーティリティシステム９０は、（前認可された契約手配に基づいて）それが提供する手形交換サービスに対する補償の部分または割合を取る。支援サービスは、各電子取引（「勘定の一部」）に起因し得る支払いの小さな一部分に基づいて補償されることができる。提供者は、手数料の一部または全てを、様々な方法で彼ら自身の価値連鎖参加者に与え得る。
【０２３４】
いくつかの異なる階級の価値連鎖参加者が、交易ユーティリティシステム９０を補償するために求められる。それらには：
・情報消費者（例えば、電子交易、電子取引管理、および権利管理活動によって発生された情報「排気」を利用する人々を含む）；
・コンテンツ権利保有者（Ｃｏｎｔｅｎｔ  Ｒｉｇｈｔｈｏｌｄｅｒｓ）および他の電子提供者；
・安全な分散電子交易取引の広範囲における参加者；が含まれる。
・加えて、様々な支援サービス提供者は、様々な方法で互いを支援する必要があり得、よって、互いを補償する必要があり得る。例えば：
【０２３５】
・１つの交易ユーティリティシステム９０は別の交易ユーティリティシステム９０の顧客に対して仲介者として機能し得；
・１つの交易ユーティリティシステム９０は、別の交易ユーティリティシステム９０の動作を支援する必要があり得；そして／または
・複数の交易ユーティリティシステム９０は共同で作用し、共通取引を支援する必要があり得る。
【０２３６】
異なる交易ユーティリティシステム９０は、協力して彼らの間で分割する共通手数料を確立し得る。他のシナリオでは、各交易ユーティリティシステム９０は、それ自身のサービスの価値に対して独立して請求し得る。預金カード会社が、提供者および消費者業務に対して現在競争しているように、サービスの品質および価格に基づいて、異なる交易ユーティリティシステム９０の間で競争があり得る。
【０２３７】
分散交易ユーティリティシステムアーキテクチャの例
Ｇｉｎｔｅｒらの特許開示は、例えば、１８０頁以降および図１０〜１２に、「権利オペレーティングシステム」を記載している。「権利オペレーティングシステム」は、小型で、安全で、イベント駆動で、区画化されており、サービスベースで、「構成要素」指向で、分散されているマルチプロセッシングオペレーティングシステム（ｍｕｌｔｉ−ｐｒｏｃｅｓｓｉｎｇ  ｏｐｅｒａｔｉｎｇ  ｓｙｓｔｅｍ）環境であって、ＶＤＥセキュリティ制御情報、構成要素、およびプロトコルを従来のオペレーティングシステム概念に統合する環境を提供する。この発明によって提供される好適な交易ユーティリティシステム９０のアーキテクチャの例は、Ｇｉｎｔｅｒらに記載の権利オペレーティングシステムを土台にして拡大して構築する。
【０２３８】
例えば、好適な交易ユーティリティシステム９０のアーキテクチャの例は、権利オペレーティングシステムがアプリケーションとして実行し得るサービス機能の収集を提供する。これらのサービス機能は、一部および／または全ての交易ユーティリティシステム９０が遂行する必要があり得る様々で有益な作業を規定する。これらのサービス機能は、分散可能、スケーラブル、および再使用可能である。これらは、例えば、業務モデルに依存して、様々な組合せおよび下位組合せ（ｓｕｂ−ｃｏｍｂｉｎａｔｉｏｎｓ）に組み合わされ、特定の交易ユーティリティシステム９０の実行に所望な機能性全体を提供できる。
【０２３９】
図１７Ａは、交易ユーティリティシステム９０のアーキテクチャの例の全体を示し、図１７Ｂは、交易ユーティリティシステムのアーキテクチャアプリケーションの実施例を示し、図１７Ｃは、サービス機能の更なる詳細を示す。
【０２４０】
図１７Ｂをまず参照すると、この実施例において、交易ユーティリティシステム９０用のアプリケーションソフトウェアのアーキテクチャは、交易ユーティリティシステム記述子９０Ａを含む。交易ユーティリティシステム記述子９０Ａは、交易ユーティリティシステム９０についての情報を含む。この情報は、このようなシステムおよびその性能を確認し、いかなる数のサービス機能９０Ｂ（１）、９０Ｂ（２）、・・・を記述、統合、および／またはインタフェースする。交易ユーティリティシステム記述子９０Ａおよびサービス機能９０Ｂは、例えば、オブジェクト指向プログラム技術を用いて実行され、このような記述子およびサービス機能がモジュラーおよび再使用可能であり、かつ交易ユーティリティシステム９０の要求された作用が実際にどのように実施および／または実行されたかの特性を抽象することの保証を援助する。
【０２４１】
交易ユーティリティシステム記述子９０Ａ（１）は、サービス機能９０Ｂの作用を調整する機能も果たし得る。この実施例において、記述子９０Ａは、適切なサービス機能９０Ｂに対して要求および他のシステム作用を指示し、１つ以上のサービス機能を要求する作用が、サービス機能９０Ｂの間に存在し得るインタフェース、データタイプなどの相違点を調整させること、同様に、様々なサービス機能９０Ｂの間でプロセスの流れの全体を指示することを援助することによって調整されることを保証し得る。このようなサービス機能９０Ｂの例の非網羅的（ｎｏｎ−ｅｘｈａｕｓｔｉｖｅ）なリストは以下を含む：
【０２４２】
・監査
・記録維持
・監視プロセス
・監視状態
・完全なプロセス定義
・プロセス制御
・決算サービスへのインタフェース
【０２４３】
・資金振替
・通貨換算
・税計算および申請
・口座開設および確認者設定
・支払金合算
・支払金非集計
・予算前認可
・状態通知
・確認
【０２４４】
・不完全なイベント記録
・要件生成
・報告生成
・イベント結果
・口座調整
・身元確証
・電子通貨作成
・イベントデータベース管理
・経路指定データベース
・要求生成
【０２４５】
・複製
・伝播
・使用データベース管理
・請求書作成および処理
・市場調査
・交渉
・制御セットデータベース管理
・制御セット生成
・処理制御論理
【０２４６】
・イベントフロー生成
・経路指定
・アーカイブ
・権利および許認可データベース管理
・テンプレートデータベース管理
・交易管理言語処理
・権利管理言語処理
・宣伝データベース管理
・自動階級生成
・自動階級設定
・公証人
・調印生成
【０２４７】
・デジタルタイムスタンプ
・指紋／ウォーターマーク
・提案および逆提案
・オブジェクト登録所
・オブジェクト確認者設定
・著作権登録
・制御セット登録所
・テンプレート登録所
・認証作成
【０２４８】
・撤回リスト維持
・ディレクターデータベース管理
・他のサービス機能
【０２４９】
図１７Ｃは、サービス機能９０Ｂを更なる詳細で示す。この実施例において、サービス機能９０Ｂはサービス機能記述子９０Ｃ、および任意の数のサービスアプリケーション構成要素９０Ｄ（１）、９０Ｄ（２）・・・を含む。サービス機能記述子９０Ｃは、サービス機能９０Ｂおよびサービスアプリケーション構成要素９０Ｄに関して機能する以外は、交易ユーティリティシステム記述子９０Ａと同様の役割を遂行する。サービス機能記述子９０Ｃおよびサービスアプリケーション構成要素９０Ｄは、例えば、オブジェクト指向プログラミング技術を用いて実行され、このような記述子およびサービスアプリケーション構成要素がモジュラーおよび再使用可能であり、かつサービス機能９０Ｂの要求された作用が実際にどのように実施および／または実行されたかの特性を抽象することの保証を援助する。この実施例では、サービスアプリケーション構成要素９０Ｄは、サービス機能９０Ｂの工程または準機能を実行することによって、サービス機能９０Ｂの性能の大部分を実行する。
【０２５０】
図１７Ａは、交易ユーティリティシステム９０のアーキテクチャ全体の例を示す。本実施例で示す全体のアーキテクチャは、交易ユーティリティシステム９０の全体が単一のオブジェクトであり、また、再使用可能サービス機能９０Ｂのオブジェクトを含む、オブジェクト指向システムである。サービス機能９０Ｂのオブジェクトは、再使用可能なサービスアプリケーション構成要素（オブジェクト）９０Ｄを含む。一部または全てのオブジェクトは、以下に更なる詳細で説明するように、交易ユーティリティ支援サービス層９０−４によって提供されるサービスを利用し得る。示した好適な実施形態の交易ユーティリティシステムアーキテクチャ９０は、Ｇｉｎｔｅｒらによる特許明細書（例えば、Ｇｉｎｔｅｒらの図１２を参照せよ）に詳細に記載される権利オペレーティングシステム９０−１を土台に構築される。サービス機能９０Ｂの組は、権利オペレーティングシステム９０−１によって実行される「アプリケーション」を含む。サービス機能９０Ｂの数はいかようであってもよい。
【０２５１】
図１７Ａに示す交易ユーティリティシステム９０のアーキテクチャのオブジェクト指向設計は、いくつかの所望な属性を有する。例えば、交易ユーティリティシステム９０は、サービス機能９０Ｂを容易に追加、除去および／または置換し得、その性能を変更、拡張、および／または高めることができる。同様に、アーキテクチャは、サービスアプリケーション構成要素９０Ｄの追加、除去および／または置換を許容して、サービス機能の場合において同様の柔軟性を可能にする。更に、オブジェクト指向設計は、異なる交易ユーティリティシステム９０または、（図１７Ａに示すように）異なるサービス機能９０Ｂのそれぞれにおけるサービス機能および／またはサービスアプリケーション構成要素の再使用の容易さおよび効率を顕著に改善する。
【０２５２】
サービス機能層９０−２および（構成要素９０ＤAを含む）サービスアプリケーション構成要素層９０−３を含むアプリケーション層は、所望であれば、交易ユーティリティ支援サービス層９０−４によって支援され得る。交易ユーティリティ支援サービス層９０−４は、多数の取引に対して増加した効率を提供し得る。このような交易ユーティリティ支援サービス９０−４は、例えば、
【０２５３】
・セッション管理と
・障害耐容性と
・メモリ管理と
・負荷平衡と
・データベースブリッジングと、
・他の交易ユーティリティ支援サービスと、を含み得る。
【０２５４】
本実施例において、サービス機能９０Ｂは構成要素に基づいており、再使用可能かつ構成要素に基づくサービスアプリケーション構成要素９０Ｄを利用し得る。サービスアプリケーション構成要素９０Ｄは、サービス機能９０Ｂの工程および準機能を典型的に遂行し得る。各サービスアプリケーション構成要素９０Ｄは２つの部分：
保護された処理環境１５４内で実行する必要のない構成要素９０−Ｂa；および
【０２５５】
保護された処理環境１５４内で実行する必要のある安全な構成要素９０−Ｂbのいずれか、または両方を有し得る。
このアーキテクチャの例において、構成要素９０Ｄaと構成要素９０Ｄbとの間に対応があり得る。例えば、少なくとも１つの構成要素９０Ｄaが、少なくとも１つの安全な構成要素９０Ｄbと対応し得る。（図１７Ａで共通幾何学形状によって示されるように）構成要素９０−Ｄaと構成要素９０Ｄbとの間に１対１対応があり得る。好適な実施形態において、この機能の分離は、必要および／または所望であるとき、ＰＰＥ１５４の安全な処理動作とサービスアプリケーション構成要素９０Ｄとの間の相互作用を可能にする。このアーキテクチャを用いることによって、アプリケーションレベル支援および安全な処理の両方で必要とされる性能を実行するサービス機能の作成をより容易かつより効率的にする。
【０２５６】
例えば、交易ユーティリティシステム９０によるの性能の管理および／または支援機能は、好適な実施形態において、アプリケーションレベルデータベース機能および保護された処理環境（「ＰＰＥ」）１５４に保護された情報の使用が含まれ得る。この具体的な例は、金融手形交換所２００のユーザによる支払の記録であり得る。このような金融手形交換所２００のオペレータがアプリケーションレベルデータベース内に支払の履歴情報を保管しておくことを選択したが、顧客の現在の口座状況を正確に決定するためにＰＰＥ１５４に保護された情報が必要であった場合、アプリケーションレベルデータベース内の情報がＰＰＥ１５４によって保護された情報と調整され、サービスアプリケーション構成要素９０ＤBによって単一のオブジェクトへと処理されたサービスアプリケーション構成要素９０ＤAの実行は、所与のサービス機能９０Ｂ（例えば、追加の預金を拡大する決定）のからみでこの情報を用いる作業を顕著に単純化する。更に、このサービスアプリケーション構成要素の例は、他のサービス機能９０Ｂで再使用され得る。
【０２５７】
別の実施例において、サービスアプリケーション構成要素９０ＤAは、主に、対応するＰＰＥ１５４のオブジェクト９０ＤBに対するアプリケーションレベルのインタフェースオブジェクトとしての働きをし得る。例えば、公証人サービス機能９０Ｂがデジタル署名のアプリケーションを必要とする場合、サービスアプリケーション構成要素９０ＤAは、デジタル署名を作成および適用する実際の作用の本質的な全てを遂行する、対応するサービスアプリケーション構成要素９０ＤBに対する情報を運搬したり、受けたりするインタフェースを主に提供し得る。更に、アプリケーションレベル構成要素９０ＤAは、サービス機能９０Ｂのために元来設計された方法よりも簡単なまたは異なる方法で性能を統合することを援助するように設計された追加の例外処理、プロトコル変換、または他の機能を提供し得る。
【０２５８】
図１７Ｄ−１は、サービス機能９０Ｂと有用な交易ユーティリティシステム９０の例の一般的タイプとの間の対応例を示す。サービス機能９０Ｂの例（「監査」、「記録維持」・・・）が水平に示されている。これらのサービス機能９０Ｂの例は、図の上部に沿ったボックスの列に垂直に書かれている交易ユーティリティシステム９０のタイプの例（「金融手形交換所」、「使用手形交換所」・・・）を実行するために有用であり得る。図１７Ｄ−１の図面は、徹底的ではなく、追加の有益な交易ユーティリティシステムタイプが可能であり、追加のサービス機能９０Ｂも可能である。確かに、交易ユーティリティシステム９０のアーキテクチャは、タイプおよびサービス機能９０Ｂの両方が、業務モデルまたは他のファクターが変更したときに拡張可能であることを保証する。
【０２５９】
特定の業務欲求およびモデルは、ほとんどの実行における重要なサービス機能の特定の組み合わせおよび収集を用いる事を示唆する傾向があり得るが、交易ユーティリティシステム９０のアーキテクチャは、実行者が、要求に依存して多様な異なるサービス機能を自由に混合および組み合わせることを可能し、本質的にフレキシブルである。例えば、支払処理、通信、データベース管理、および他の関連したサービス機能を提供する「金融手形交換所２００」として機能する交易ユーティリティシステムを提供することは有用である。交易ユーティリティシステムのアーキテクチャは、このような「金融手形交換所」を提供でき、また、本質的により一般化されており、一般化可能である。例えば、「金融手形交換所」の特定の交易ユーティリティシステム９０の実行は、「非金融」サービス機能を金融サービス機能と組み合わせることもできる。所与の交易ユーティリティシステム９０の実行で実現される特定の機能または機能のセットは、例えば、業務モデルまたは機能によって命令されるように、実行者の個別の要求に依存する。
【０２６０】
図１７Ｄ−２は、例えば、「金融手形交換所」の交易ユーティリティシステム２００の例の機能性が、サービス機能９０Ｂの例からどのように構築され得るかを示す。この実施例において、暗線で囲まれているサービス機能９０Ｂは、図１７Ｂに示す交易ユーティリティシステム記述子９０ａ内に含まれている。図１７Ｄ−２は、（図１７Ｄ−１に示す）暗線によって囲まれるサービス機能９０Ｂの異なるサブセットに基づいて構築された使用手形交換所の交易ユーティリティシステム３００の例を示す。図１７Ｄ−２と図１７Ｄ−３を比較すると、いくつかのサービス機能９０Ｂ（例えば、「監査」、「状態通知」、「イベントデータベース管理」等）が金融および使用手形交換所の両方に対して再使用し得る。金融および使用手形交換所の交易ユーティリティシステム９０の組合せは、図１７Ｄ−２で暗線によって囲まれるサービス機能９０Ｂと、図１７Ｄ−３で暗線で囲まれているサービス機能９０Ｂとの合同を用い得る。より多い、より少ない、および／または異なる機能性が、より多い、より少ない、および／または異なるサービス機能９０Ｂを単に提供して呼び出すことによって、特定の交易ユーティリティシステム９０に対して提供され得る。
【０２６１】
分散交易ユーティリティシステム９０
上述の安全なアプリケーション構成要素９０−３は、好適な実施形態において、Ｇｉｎｔｅｒらの特許出願の図４１Ａ〜４１Ｄおよび図４８に示す相互制御構造体および関連する規則および方法を含むかまたは有してもよい。これらの相互制御構造体は、同一または異なる交易ユーティリティシステム９０または他の電子機器１００上で動作する異なるまたは同一の制御セットを連結するために用いられることができる。よって、各能動者は、他の全ての能動者、すなわち、様々な作用のいくつかでいくつかの役割に関連する交易ユーティリティシステム９０と１つ以上の相互関係を有し得る。
【０２６２】
図１７Ｅ−１から図１７Ｅ−４は、相互作用モデルの交易ユーティリティシステム９０の異なる例が、これらの相互制御構造体に一部基づいて進行中の取引または処理と相互作用するように用いられ得ることを示す：
【０２６３】
・図１７Ｅ−１は、イベント媒介モデルであって、交易ユーティリティシステム９０が安全なエンティティ（例えば、第１の保護された処理環境）から、イベント通知７４８を受け、別の（および／または同一の）安全なエンティティ（例えば、第２および／または第１の保護された処理環境）の活動を誘引するイベント７５８を発生する、モデルを示す。
【０２６４】
・図１７Ｅ−２は、異なる交易ユーティリティシステムの相互作用モデルであって、第１の安全なエンティティが、工程を遂行するように交易ユーティリティシステム９０と別の安全なエンティティとの両方にイベント通知７４８を提供するが、第２のエンティティが交易ユーティリティシステム９０からプロセスの次の工程を実際に遂行する前に、前進するための認証の受領を待つ、モデルを示す。
【０２６５】
・図１７Ｅ−３は、通知モデルであって、交易ユーティリティシステム９０が、安全な監査目的のイベント通知７４８を受けるが、さもなければ、例外（例えば、エラー条件）を解決する必要がない限りは、進行中のプロセスまたは取引と直接相互作用しない、より多くの受動的バイスタンダーである、モデルを示す。
【０２６６】
・図１７Ｅ−４は、優先認証モデルであって、交易ユーティリティシステム９０が、エンティティが処理または取引の全体の次の工程を遂行するためにイベント通知７４８を次の安全なエンティティに渡し得る前に、エンティティからのイベント通知７４８の受領に応答して１つの安全なエンティティに通知７４８’を発行しなくてはならない、認証モデルを示す。
【０２６７】
図１７Ｅ−１から図１７Ｅ−４で示す様々な交易ユーティリティシステム９０の相互作用モデルは、網羅的または相互排除的ではない。所与の取引または処理は、業務モデルまたは他の要件に基づいた異なる組合せにおけるこれらのいくつかまたは全てを含み得る。
【０２６８】
上述したように、本発明は、例えば、個別の消費者９５の電子機器を含むネットワークまたはシステム５０を全体に渡って特定のサービス機能９０−２またはサービスアプリケーション構成要素９０−３の動作を分散するための技術を提供する。図１７Ｆは、交換オペレーションの「ローカル」部分を遂行するために遠隔に位置する保護された処理環境（例えば、消費者の電子機器）を制御するために用いられ得る制御セット１８８の例を示す。交易ユーティリティシステム９０は、この制御セット１８８を消費者の電子機器、別の交易ユーティリティシステム９０、または他の電子機器（例えば、通信構造基盤の一部である電子機器）へと配達することができる。交易ユーティリティシステム９０は、例えば、（例えば、１つ以上のサービスアプリケーション構成要素９０−３をそれぞれ含む１つ以上のサービス機能９０−２として実行された）交換認証の部分を、ユーザの電子機器の保護された処理環境１５４内で遂行され得るプロセスへと転付できる。
【０２６９】
図１７Ｆの例は、メソッド８５０（例えば、メータ、請求または予算）であって、そのＡＵＤＩＴ（監査）イベント８５２（１）が監査メソッド８５４として処理されるメソッドである。メータメソッド８５０の例は、例えば：
・ＵＳＥ（使用）イベント８５２（２）（例えば、メータを「クリック」する）と、
・ＩＮＩＴＩＡＬＩＺＥ（初期化）イベント８５２（１）（例えば、メータを使用のために準備する）と、
・ＲＥＳＥＴイベント８５２（３）（例えば、エラー条件の後に、メータを知られている良好な状態に復帰する）と、
・ＡＵＤＩＴ（監査）イベント８５２（４）（例えば、ＵＳＥイベント中に生成された記録および現在のＵＤＥ値のコピーを集め、監査人への送付を準備する）と、
・ＲＥＡＤ  ＵＳＥ  ＲＥＣＯＲＤイベント８５２（５）（例えば、要求された使用記録のコピーを戻す）と、
・ＲＥＡＤ  ＵＤＥイベント８５２（６）（例えば、現在のＵＤＥのコピーを戻す）と、
・ＲＥＡＤ  ＭＤＥイベント８５２（７）（例えば、要求されたＭＤＥのコピーを戻す）と、
・他の雑多なイベントと、を有し得る。
【０２７０】
本実施例のＡＵＤＩＴイベント８５２（４）は、監査メソッド８５４と連結し得る。本実施例において、データにアクセスするためには交易ユーティリティシステム９０は、より詳細な使用許可を規定する適切なＰＥＲＣ制御セットおよび／またはアクセスタグの形式の許可、およびメータメソッド８５０のＵＳＥイベント８５２（２）によって書き出された記録フォーマットの意味知識を必要とし得る。意味知識は、帯域外周波契約（例えば、標準）から、または使用記録フォーマットを記述するメータメソッド８５０のＭＤＥ（または、適切なＭＤＥ部分）へのアクセスを介して起こり得る。
【０２７１】
監査メソッド８５４のイベントは、メソッドのイベントを呼び出すことによって期待される機能−−この場合、使用記録および現在のＵＤＥのコピーを集め、それらを送り出すこと−−を遂行するＵＳＥイベント８５６（２）を含む。本実施例では、このメソッドにはＩＮＩＴＩＡＬＩＺＥ（初期化）イベント８５６（１）も存在すると仮定しよう。呼び出されたとき、ＩＮＩＴＩＡＬＩＺＥ（初期化）イベント８５６（１）は内部的に送られ、その関連のロードモジュールがメータメソッド８５０のＲＥＡＤ  ＭＤＥイベント８５２（７）に呼び戻され、使用記録の意味を学習する。次いで、ＵＳＥイベント８５６（２）が呼び出され、このイベントの処理に関連するロードモジュール８５８（２）は、メータメソッド８５０の適切なイベント（例えば、ＲＥＡＤ  ＵＳＥ  ＲＥＣＯＲＤを繰り返して、ＲＥＡＤ  ＵＤＥを一度）を呼び出す。この時点で、管理オブジェクトパッケージングおよび送信以外の呼び出しメソッドの期待は実現される。
【０２７２】
更なる分散交換機能を実行するために、ＵＳＥイベント８５６（２）は更なる処理をし得る。例えば、メータからのＵＳＥ記録を読み込む一方、監査メソッド８５４は（例えば、用いられるオブジェクトのタイプを分類する、および交換連鎖を上がって報告される情報を様々なタイプのが何度アクセスされたかという単純なカウントに減少する）分析機能を実行し得る。興味のないコンテンツタイプからの記録は破棄され得る。詳細な記録自体は分析後に破棄され得る。別の実施例では、ＵＤＥ値（例えば、クリックが何度記録されたか）は、取り出された使用記録の数と比較され得、矛盾がある場合、それらは報告および／またはローカルに処置が取られる（例えば、更なる相互作用まで所与の提供者からのオブジェクトの使用をディセーブルする）。更に、他の実施例において、記録はプライバシーを保証するためにユーザの固有情報を除去し得る。更なる実施例において、記録はローカルで処理および分析（次いで破棄）され得る一方、他の詳細な記録は後の処理のために保存される。
【０２７３】
分散交換機能が一旦遂行されると、情報は、交換連鎖を上に向かって集中位置（ｃｅｎｔｒａｌｉｚｅｄ  ｌｏｃａｔｉｏｎ）まで送信するための１つ以上の管理オブジェクトにまとめられ得る。これは、例えば、提供者への直接報告および／または別の交換機能への報告を含み得る。処理された記録は、受信、処理、送信、または受領者による確認の受領が成されたとき、監査メソッド８５４によって（メータメソッドによる削除、要約、ファイリング等のために）解放され得る。
【０２７４】
図１７Ｆに示すメータメソッド８５０を用いた別の実施例では、ＡＵＤＩＴイベント８５４は、メータメソッド８５０によって「内部的」に遂行され得る。本実施例において、使用記録およびＵＤＥは、メータメソッド８５０のＡＵＤＩＴイベント８５４（４）に関連するロードモジュール８５３によって監査人に送信するための１つ以上の管理オブジェクトに束ねられる。しかし、これらのオブジェクトを送信する代わりに、それらはローカルに処理され得る。これをするためには、指名された監査人を見出すためにＲＯＳ（Ｇｉｎｔｅｒらの図１２および図１３を参照せよ）によって用いられた氏名サービス記録は再指向してローカルのＰＰＥ１５４に戻すことができる。ＰＰＥ１５４において、交易ユーティリティシステム９０によって制御されたプロセスは、メータメソッドイベントを命令する（ｃａｌｌ  ｔｏ）代わりに管理オブジェクトのコンテンツを用いる以外は、上述のローカル交換機能を遂行するために（それらの代理として配送されるメソッドおよび／またはロードモジュールに基づいて）作成され得る。これは、遠隔交換設備で遂行される機能は動作が管理オブジェクトおよびそのコンテンツ上で遂行されているという意味では、より類似している。しかし、処理は、ローカルの消費者電子機器上のかわりにネットワークされた機器上で成され得る。
【０２７５】
このメソッドにおける分散支援サービスは、集中アーキテクチャでは存在し得ない、または利用可能であり得ない追加の性能を提供する。例えば、権利および許認可手形交換所は、要求の記録を取るため、および組織によって以前に要求された許認可のコピーをキャッシュするために組織内のローカルサーバを転付できる。このようなローカルの権利および許認可手形交換所は、ネットワーク通信を低減し、組織特定許認可（例えば、コンピュータソフトウェアのサイトライセンス（ｓｉｔｅ  ｌｉｃｅｎｓｅ）に対して簡便なローカル貯蔵所を提供する。ローカルの権利および許認可サーバは、権利保有者、または権利および許認可業者、または他の権利分散組織によって、要求に基づいてライセンスを譲与するために認証され得る。
【０２７６】
別の実施例として、多くの安全で、大部分が自動化された管理および支援サービスは、少なくとも時折接続される機器の全部および／または一部に分散され得る。これは、機器が、コンピュータ、セットトップボックス、携帯端末（ＰＤＡ）デジタル電話、インテリジェントデジタルテレビ、または他のいかなるデジタル機器であることに関係なく成される。このような機器は、保護された処理環境を用いて支援サービスが、安全に、かつ信頼性をもち、（例えば、Ｇｉｎｔｅｒらの特許明細書に記載のような）干渉および他の妨害なしに遂行されることを保証する。
【０２７７】
別の実施例において、１つの可能なＶＤＥコンテンツ分散のシナリオは、コンテンツ提供者が最初のパッケージングの役割を果たし、分散者が分散機能を果たし、ユーザが使用記録を把握し、手形交換所が使用および金融情報を処理することが含まれる。これは、これらの機能の全てが単一の集中型の団体（ｐａｒｔｙ）によって遂行される集中処理モデルとは対照的である。
【０２７８】
更に別の実施例のように、効率増加は、手形交換所機能を個別のユーザの機械、ローカルエリアネットワーク（ＬＡＮ）のサーバ、および／または企業のＬＡＮ／ＷＡＮ環境を外界および商業「バックボーン」サーバとの橋渡しをする企業の「ゲートウェイ」機械に渡って分散することによって実現される。
【０２７９】
別の実施例のように、会社のコンピュータは、中央認証当局によって特定の種類のデジタル認証を譲与するために認可され得る。例えば、会社は特定の貿易組織の一員であり得る。貿易組織の認証当局はその事実を証明するデジタル認証を会社に与え、会社の各雇用者がその貿易組織の一員である事実を証明する認証を発行するための認証当局を会社自身のコンピュータに転付する。同様に、親はそれらの子に代わってデジタル認証を発行するために認可され得る。
【０２８０】
上述の技術は、分散交易ユーティリティが交易ユーティリティシステム９０のアーキテクチャを用いることによってどのように複数の交易ユーティリティシステムに渡って分散し得るのかを示す。更に、１つ以上の交易ユーティリティシステム９０によって提供されるサービス機能９０−２は、他の交易ユーティリティシステム９０上、または所与のシナリオにおける参加者によって選択された（エンドユーザシステムを含む）任意の他のシステム上の全体または一部によって遂行される完全または部分的な処理工程（例えばサービスアプリケーション構成要素９０−２）に分解され得る。
【０２８１】
交易ユーティリティシステムタイプ
金融手形交換所２００
図１８は、金融手形交換所交易ユーティリティシステム２００の実施例を示す。「金融手形交換所」は電子取引に対する自動的および効率的な金融的実現を支援する。例えば、金融手形交換所２００は情報および詳細に関する支払を収集し、支払を適切な価値連鎖参加者に指向された支払部分に自動的かつ選択的に分解することを含む、価値提供者が支払いを受けることを保証するために金の転送および他の補償を効率的に手配する。金融手形交換所２００は、保護された処理環境の参加者（例えば、エンドユーザ）に対して預金、予算制限および／または電子貨幣も提供し得る。この金融手形交換所は、その動作のいくつかをこのような動作の安全かつローカルな遂行のための保護された処理環境へ分散し得る。以下は、本発明を用いる事によって提供され得る金融手形交換所の支援機能のいくつかの例を示す：
【０２８２】
・安全かつ効率的で適時および正確な方法での金融取引の手形交換。
・価値提供者およびユーザ／消費者によって信頼され、彼らにとって簡便な支払メカニズムに関する安全な金融手形交換を提供する。
【０２８３】
・権利保有者および他の価値連鎖参加者（例えば、作成から分散、販売、および配達におよぶプロセスの部分の電子コミュニティに価値を供給する提供者）が広範囲に分散した顧客および／または複雑であることが多い様々な金融サービス基準およびプロトコルとインタフェースする多数の金融を管理する作業を担う必要なく支払を保証する。
【０２８４】
・共通かつ信用可能なインタフェースを介する様々な異なる支払方法を用いて、コンテンツ消費者が情報商品および関連のサービスに対して支払うことを可能にする。
【０２８５】
・取引に関わる各パーティが、所与の交換が交互に意図したように生じたことを確認すること、および任意のパーティによる取引の拒絶を防止することを可能にする。
【０２８６】
・報告の購入または使用時（例えば、価値連鎖参加者口座から１つ以上の提供者口座に資金を転送するとき）に口座を調整する。
・頻繁および粒状（ｇｒａｎｕｌａｒ）の取引手形交換活動を支援する。
【０２８７】
・金融手形交換サービスを価値連鎖参加者の全員（例えば、あらゆる種類のデジタルコンテンツの購入者、分散者、および販売者および物理的商品の購入者、分散者、および販売者、ならびに他のサービスのユーザ）に提供する。
【０２８８】
・分散電子交易ドメインを、預金カードシステム、銀行預金引き落としカードシステム、スマートカードシステム、電子データ交換、自動手形交換所、デジタルマネーなどを含むがこれには限られない、存在する電子、紙および／または他の支払および／または手形交換サービスとインタフェースする。
【０２８９】
・１つ以上の銀行および／または他の組織による和解および調整の成立および／または誰が法的に和解サービスを遂行するかをエンティティと直接インタフェースする。
【０２９０】
・１つ以上の銀行および／またはデジタルプロセスのための他の組織および／またはデジタル情報作成者、情報分散および／または変更者、および／または顧客および／または資金、預金および預金に対する他のユーザ口座によって識別ラベル、番号、名前、または他の固有の識別子の作成および割り当ての成立。
【０２９１】
・安全な金融手形交換サービスを提供する工程、部分、または処理において安全なコンテナを用いる。
【０２９２】
・分散金融手形交換所システムの各保護された処理環境で遂行される処理（例えば、ユーザの保護された処理環境、ウェブサーバ、中央手形交換設備によって遂行される手形交換）の分散を規約する規則および制御に少なくとも一部は基づいた安全な金融手形交換処理を制御する。
【０２９３】
・１つの通貨から他の通貨への交換を効率的および安全に取り扱う。
【０２９４】
・コンテンツ、プロセス制御、および／または権利管理使用に少なくとも一部は基づいた支払、またはサービス手数料、製品手数料および／または他の手数料または料金を含む他の考慮の規定についての支払実現を可能にする。
【０２９５】
・コンテンツ、プロセス制御、および／または他の使用取引に少なくとも一部は基づく極わずかな手数料（ｍｉｃｒｏ−ｆｅｅ）および極わずかな支払（ｍｉｃｒｏ−ｐａｙｍｅｎｔ）の幅広い使用を支援する。ここで言う支援とは、極わずかな取引活動の分散された安全な集積および／または処理、およびこのような活動に関連する情報を更なる処理および／または集積のために手形交換所のネットワークを介して定期的に通すことを含む。
【０２９６】
・取引経費を最小化する一方、極わずかな支払活動を効率的に測定および管理する。
・極わずかな支払取引の取り扱いにおける待ち時間を極小化する。
【０２９７】
・ローカルの価値店舗（ｖａｌｕｅ  ｓｔｏｒｅ）または他の支払手段（方法）に対する取引を総計または「バンドル」（ｂｕｎｄｌｉｎｇ）する。
【０２９８】
・価値連鎖の規則および制御、および取り扱いの連鎖、および使用および／または他の認可を制御する同一または異なる電子制御セットに基づいて異なる価値連鎖提供者に支払を割り当てまたは転送することを含む支払の分離（分割すること）を効率的に管理するための制御を利用する。（例えば、特定の支払方法が起動される前に、規則および制御によって求められるように様々な価値連鎖団体の間の支払金額の解析（ｐｅｒｓｉｎｇ）を介して支払結果を安全に制御する。）
【０２９９】
・例えば、分散取引処理および／または取引活動集積を介して電子取引の所与のセットを支援するために必要な電子メッセージの数を低減（例えば、最小化）する。
【０３００】
・価値連鎖参加者のサイトでの複数の支払または極わずかな支払のローカルな集計（互いのバンドルまたは組合せ）を支援する。
【０３０１】
・価値提供者（例えば、価値連鎖参加者）がサービスまたは（物理的および／または電子的）商品を預金で提供する前に他の価値連鎖参加者が支払う能力を効率的に検査することを可能にする。
【０３０２】
・価値提供者が価値連鎖参加者の好適な支払方法で見積もられた購入レベルに対する適切なレベルの資金を認証することを可能にする。これには、例えば、特定の階級のみおよび／または全ての取引（例えばコンテンツおよび／またはプロセス制御タイプ）に向かって消費され得る預金および／または通貨に対して予算管理、例えば、ＧおよびＰＧ映画のみなど、出費の明確で特定な分類に対する支出のための予算管理を提供することを含む。
【０３０３】
・価値連鎖参加者になり得る人の身元の確認を提供し、その身元を価値連鎖参加者の選択された支払方法に結びつける。
【０３０４】
・手形交換所の調整および記録目的のために取引活動の定期的な報告を提供する。監査、請求、支払履行（ｆｕｌｆｉｌｌｍｅｎｔ）、および／または他の考慮および／または他の手形交換活動を遂行する。
【０３０５】
・例えば、時間、場所、ローカルの資金の原価消却、および／または目的などの出費活動の階級（例えば、業務、娯楽、旅行、家庭出費）、家族または他の個人または集団の身元、コンテンツまたは獲得された商品および／またはサービスの分類、および／または支出活動の任意のタイプの分類などに基づくイベント駆動型報告を提供する。
【０３０６】
・電子制御セットで具体化される取り扱いおよび制御の安全な連鎖から認証を受ける。
【０３０７】
・手形交換所の１つ以上と、従属のいくつかの組合せおよび／またはピアツーピア関係を有する１つ以上の分散金融手形交換所に対して、および／またはそれと共に、認証を譲与し、そして／またはサービスを提供する。
【０３０８】
・Ｇｉｎｔｅｒらの特許明細書に記載されているような規則および制御および他のＶＤＥ技術によってネットワークまたは他のシステムに渡って金融手形交換機能を分散する。（例えば、全ての消費者または他の価値連鎖参加者ノードは分散金融手形交換サービスを遂行できて、そこで参加者ノードは金融手形交換情報を１つ以上の他の参加者と直接的に通信し得る。）
【０３０９】
・１つ以上の金融準手形交換所に対して、またはそれと共に認証を譲与および／またはサービスを提供する。１つ以上の金融準手形交換所の動作は、会社または政府機関および／または１つ以上の管轄権内および／または上級金融手形交換所の業務焦点領域の全ての貢献サブセットの範囲内など、論理的におよび／または物理的に別の場所に設置され得る。
【０３１０】
・システムまたはネットワークに渡って金融手形交換機能を分散および／または認証する。例えば、ここで、消費者の全ておよび／または特定または全ての他の価値連鎖参加者ノードは、それら自身の安全な金融手形交換取引と、１つ以上の他の参加者との手形交換所相互動作、操作共通ノード、およびこのリストにおける他であるようなＶＤＥ技術を適切なものとして利用する他の全ての活動を含む手形交換所ネットワークの全てのコンテクストにおける機能と、を開始する分散使用手形交換サービスを潜在的に支援できる。
【０３１１】
・販売および少なくとも１つの管轄権によって課される「付加価値税」を効果的に計算、収集、および分散する。
【０３１２】
・手形交換所の１つ以上の階級（集団）が、操作共通のピアツーピア関係を有し、異なる集団が他の集団の一員と相互動作する異なる権利を有し得る、金融手形交換所のウェブを支援する。例えば、エンドユーザの保護された処理環境での金融手形交換所は、「第１」の金融手形交換所と相互動作するために限られた権利を有し得る。
【０３１３】
・手形交換所の保護された処理環境のウェブを支援する。このような保護された処理環境は目立たない「銀行」または銀行業務の保護された処理環境を含み、このような保護された処理環境は、表記通貨の（ローカルおよび／または遠隔の）安全な格納場所、エンドユーザおよび／または他の手形交換所の保護された処理環境に格納された通貨を「貸す」権利、電子通貨オブジェクトに着手する権利、ローカルまたは遠隔通貨店舗からの支払を実行する権利、支払う債務を意味する通信（例えば、電子請求書）を受ける能力、このような支払を実行する能力、および、従来の銀行によって現在遂行されている役割の多くを遂行する１つ以上の仮想銀行（または銀行業務ネットワーク）の構成要素銀行業務「支店」として動作する能力などの銀行業務機能を安全に管理および遂行するＶＤＥ性能を利用できる。
【０３１４】
・金融手形交換所のための条件的に匿名の電子通貨を作成する能力を支援する。このような通貨は、支払債務の実行に利用され得、このような通貨は、受け取り団体がこのような受領の後に通貨が正当または使用に対して認証されていることを査定する遠隔銀行業務当局と接続する要件なしに認証であるとして扱われる。
【０３１５】
・分散手形交換所の保護された処理環境が上述の１つ以上の性能と共にスマートカードなどの携帯型装置（例えば電子財布など）上で動作する能力を支援する。ここで、セルラーまたはランドライン（ｌａｎｄ−ｌｉｎｅ）通信手段（または他の輸送メカニズム）は、オンラインまたは、請求または例えば、購入者、販売者、および／または配布者の身元、およびこのような活動に関する認証情報、予算管理情報、預金取得、通貨取得および／または支出情報などを含む交易活動に関する他の監査情報の現在のまたは複数の取引に関する情報の非同調性通信を支援する。
【０３１６】
・使用データまたは（例えば、ある状況におけるプライバシーに対する考慮を回復する）更に精細に粒状化した使用データと引き替えに、例えば、消費者ユーザである価値連鎖参加者に対する割引制度、助成金および／またはクーポンの取得を支援する。
【０３１７】
・階層的にピアツーピアまたは組み合わせたモードで編成されてもよい。ここで、金融手形交換の責務は異なる交易モデルおよび／または活動および／または価値連鎖に対して異なる方法で分散され得、特定の１つ以上の団体が、例えば、１つ以上の場合では階層的により上級であり、１つ以上の他の場合では階層的にピアであるか、それほど上級でなくてもよい。
【０３１８】
・参加者間の関係はプログラム可能であり、所与の交易活動、価値連鎖またはモデルに対して１つ以上の望ましい金融手形交換構成を表すように設定（および、後ほど変更）され得る。
【０３１９】
・例えば、税金を１つ以上の行政（例えば、市、州、および連邦）を含む複数の団体に支払を分散する。
【０３２０】
図１８は、金融手形交換所２００のための機能指向図（ｆｕｎｃｔｉｏｎ  ｏｒｉｅｎｔｅｄ  ｄｉａｇｒａｍ）の例を示す。この例において、金融手形交換所２００は、高度に自動化され、保護された処理環境を提供するために信頼されかつ安全なドメインで動作する。これは、あらゆる種類の電子交易連鎖に対して金融手形交換サービスを効率的に提供する。これは、また、高度かつ安全な仮想分散環境（ＶＤＥ）ドメインと他のドメインとの間のゲートウェイとして機能して、存在する構造基盤に対するプロトコル支援を提供する。ゲートウェイ機能は、極めて柔軟な分散ＶＤＥの保護された処理環境が、柔軟性がなく集中化されているが遍在的且つ信頼された現存の金融構造基盤サービスを開発することを可能にする。
【０３２１】
金融手形交換所２００の核心機能は、支払処理２０８、支払統合２１２、支払分離２１４、および極わずかな支払管理２１６に関する。なぜなら、これらの機能は顧客および他の価値連鎖参加者から金を収集し、価値連鎖サービスまたは取引先などの製品提供者に対して金を払うからである。
【０３２２】
更に詳細には、金融手形交換所２００はこの例においては以下の機能を遂行し得る。
・支払処理２０８
・預金検査２１０
・支払統合２１２
・支払分離２１４
・極わずかな支払取り扱い２１６
・イベント駆動型報告２１８
・調整２２０
・データベース維持／管理２２２
・複製２２４、および
・伝播２２６
【０３２３】
金融手形交換所２００は、支払情報２０２、顧客情報２３０、提供者情報２３２および統合された報告および請求書２３４を外界から受け得る。それは、請求注文２３６、預金注文２３８、計算書および報告２０４、２４０、解放信号２４２および預金検査および認証２４４を発生し得る。
【０３２４】
データベースマネージメント２２２およびイベント駆動報告２１８は、連鎖参加者を評価するための正確な金融報告を安全に提供するために用いられ得る。再調停（ｒｅｃｏｎｃｉｌｉａｔｉｏｎ）機能２２０（報告および金融管理の両方に関する）によって、金融手形交換所２００はより信頼性の高い金融管理の提供が可能になる。複製機能２２４および伝達機能２２６は、金融手形交換所２００によって、他の金融手形交換所２００および／または他の安全なまたは安全でない保護された処理環境との分散処理を容易化するために用いられる。そのため、その手形交換所は、他の交易ユーティリティシステムまたは他の参加者と、安全にステートを共有し、情報を更新できる。
【０３２５】
図示する例において、支払情報２０２（１以上の安全コンテナ１５２内に達し得る）は支払処理ブロック２０８への主入力である。所望ならば、支払情報２０２はまた、使用手形交換所３００へ送られる一部または全部の使用情報を含み得る。あるいは、支払情報２０２は、金融監査および取引トラッキングにより関連する異なるタイプの使用情報を含んでもよい。この支払情報２０２はリアルタイムで、または遅延された（例えば周期的なまたは他のイベント駆動による）基準で到達可能である。
【０３２６】
金融手形交換所２００は、プロバイダ情報２３２およびカスタマ情報２３０を用いて、カスタマとプロバイダとの間の資金転送を行う。金融手形交換所２００は、統合された報告および支払請求２３４を用いて、総合支払処理２０８と支払統合２１２および支払分離（ｄｉｓａｇｇｒｅｇａｔｉｏｎ）２１４とをガイドする。例えば、金融手形交換所２００は、銀行、クレジットカード会社などの第三者金融機関への請求および預金注文２３６、２３８を発行し得、カスタマ口座の請求および対応するプロバイダ口座の預金できる。金融手形交換所２００は、安全な監査および／または情報を与える目的のための計算書２０４および報告２４０を発行し得る。金融手形交換所２００は、預金検査２１０を行った後、預金承認（ａｕｔｈｏｒｉｚａｔｉｏｎ）２４４を発行し得、それによって、預金は適切な価値連鎖参加者に拡がる。この認証（ａｕｔｈｅｎｔｉｃａｔｉｏｎ）２４４は、それが完全に局所的に行われない場合は（すなわち、承認リクエストが入来する、および金融手形交換所２００が預金および／または預金限度情報源である）、入力／出力機能を含み得る。
【０３２７】
金融手形交換所２００はリリース信号２４２を適当な状況で発行し得、それによって、電子機器１００に「ペンディング」金融情報の保持を、それが金融手形交換所２００によって転送（ｔｒａｎｓｆｅｒ）、分析および／または処理された後に、中止および／または継続させることを可能にする。ある実施例では、ユーザ機器１００は、ビジネスモデル限度内で、金融情報をそれが「リリース」、すなわち概要などまで低減された後でさえ、格納し得る。もちろん、データのコピー（例えば、もし前もってデータにアクセス可能であれば）を用いてこれを既に済ませておいてもよい。例えば、金融使用情報の部分的コピーがビジネスモデル秘密情報を含むと仮定する。プロパティは見るために１．００ドルかかり、その１ドルは複数の機関に分割され得る。通常、ユーザは全体の計算結果のみを認識しており、たとえ記録が取引の各参加者ごとに部分的に存在しても、そのような分割の詳細を知らない。
【０３２８】
図１９は、金融手形交換所２００のアーキテクチャの一例を示す。本実施例の金融手形交換所２００は、安全な通信ハンドラ２４６、取引処理２４８、データベースマネージャ２５０、スイッチ２５２、および１以上のインタフェースブロック２４４を含む。この例の金融手形交換所アーキテクチャは、例えばＧｉｎｔｅｒ  ｅｔ  ａｌ．による特許明細書の図１２および図１３（この例の多目的外部サービスマネージャ１７２は例えば清算サービスインタフェース２５４を支持できる）に示すようなオペレィティングシステム上がベースであり得る。安全な通信ハンドラ２４６によって、金融手形交換所２００は他の電子機器１００（１）．．．１００（Ｎ）と安全に通信できる。この通信は、安全なデジタルコンテナ１５２を経由し得る。金融手形交換所２００を含む大部分の交易ユーティリティシステム９０にとって、コンテナ１５２のリアルタイムのおよび非同期の受け取りの両方を支持することが望ましい。さらに、金融手形交換所９０はまたリアルタイム接続プロトコルを支持し得る。リアルタイム接続プロトコルは、分離要件を有さないクレジットカードによる支払などの、シンプルな取引に対してコンテナ１５２を必要としない。リアルタイムの接続を使用する利点は、リアルタイムに結果が得られることである。このことは、ユーザが（単に記録を作成するのではなく、あるいは使い尽くされていない予算の定期的な補充を受け取るのではなく、）使い果たしたために多くのお金あるいは預金を必要とする状況において、また、（例えばコンテンツあるいは予算の）プロバイダが、取引によって開始される如何なる活動もなされないうちに、取引を手形交換（ｃｌｅａｎｉｎｇ）すると主張するときに、有用であり得る。
【０３２９】
リアルタイムの取引のための接続には、常に安全なコンテナ１５２が必要とは限らないが、コンテナ１５２の使用はこのシナリオにおいてさえ有用である。例えば、コンテナ１５２により支配（ｒｕｌｅｓ）および制御をコンテンツにアッタッチメントすることが可能となり、ユーザはコンテンツをどのように使用するかを特定することができる。さらに、コンテナ１５２の使用によって、保護された処理環境に存在する能力が利用される。  コンテナ１５２を送達するために（例えば、ＳＭＴＰメールメッセージへのアタッチメントとして、またはアタッチメントを支持する他のｅ−メールプロトコルへのアタッチメントとして）電子メールなどの技術を使えば、コンテンツの非同期処理が可能となり、そのため交易ユーティリティシステム９０はそれらのピークプロセス負荷を取り除くことができる。交易的な手形交換所を動作させる費用は設備の減価売却費である。設備の量は主にピーク負荷要件によって決まる。負荷の大きな変動は予期することができる（例えば金曜日の夜の午後８時と火曜日の朝の午前３時とを比較されたい）。この負荷除去機能によって、極めて大きな設備およびそれに関連する費用（電気代、人件費、メンテナンス費など）を節約することができる。
【０３３０】
取引プロセッサ２４８は受け取った情報を処理し且つ分析し得、データベースマネジャ２５０は受け取った情報を、ペンディング（ｌａｔｅｒ）分析用および／または履歴分析用（クレジット限度を増大させるため、支払履歴を分析するためなど）にデータベースに格納し得る。さらに、デーテベースマネジャ２５０はまた、現在のクレジット限度、（物理的および／または電子的）通信用のアドレス、および他の口座情報に関連する情報も格納し得る。例えば、Ｇｉｎｔｅｒ  ｅｔ  ａｌ．による特許明細書は予算妨害（ｅｎｃｕｍｂｒａｎｃｅｓ）について述べている。データベースマネジャ２５０はトラック妨害に用いられる情報も同様に格納するために使用され得る。また、保護された処理環境および／または保護された処理環境を利用するユーザ、および清算サービスと通信するために用いられる安全な情報のセットもあり得る。清算サービスとの通信に関連する記録も同様に、デーテベースマネジャ２５０に格納され得る。データベース２５０はまたそのコンテンツに関する多様な記録機能（ｆａｃｉｌｉｔｉｅｓ）を装備し得る。
【０３３１】
取引プロセッサ２４８および２５０は共に図１８に示す機能の大部分を行う。スイッチ２５２はインタフェースブロック２４４からまたはインタフェースブロック２４４へ、情報をルーティングするために用いられる。インタフェースブロック２４４は、例えばクレジットカード会社、銀行清算用の自動手形交換所（ＡＣＨ）システム、請求カード口座などの第三者清算サービスと通信するために用いられる。オプションとして、Ｆｅｄｅｒａｌ  Ｒｅｓｅｒｖｅ銀行２５６によって提供される内部清算サービスが、示された第三者清算サービスに代わって、または第三者清算サービスに加えて使用され得、一般的なバンキング協定（ｂａｎｋｉｎｇ  ａｒｒａｎｇｅｍｅｎｔ）および法的必須条件に従う口座の清算を提供する。金融手形交換所２００によって用いられる支払機構は、適用可能な金融およびバンキング規則によって許可されているように、対称（例えばＶＩＳＡに消費者Ａの請求口座に請求するように通知し、メーカー（ｖｅｎｄｏｒ）Ｙの口座に預金する）であっても、非対称（例えばＶＩＳＡに消費者Ａの請求口座に請求するように通知し、その金額を金融手形交換所に提供し、金融手形交換所は他の支払機構を用いてメーカーＹの口座に預金する）であってもよい。
【０３３２】
金融手形交換処理例
図２０は金融手形交換所の処理例を示す。この例では、プロバイダ１６４は商品、サービスまたはコンテンツを消費者９５に提供する。例えば、プロバイダ１６４は、電子安全コンテナ１５２内の、１以上のデジタルプロパティ１０２９および関連する制御４０４を提供する。消費者９５サイトの安全保護された処理環境１５４は支払、使用および他の情報の記録を取っておき、この情報を特定する監査記録２２８を提供し得る。監査記録２２８は、１以上の安全コンテナ１５２ｂ内において、消費者９５サイトから金融手形交換所２００へ送信される。監査記録２２０は、例えば、報告用電子機器１００の識別；支払金額；プロバイダ識別；消費者の所望する支払方法；電子機器ユーザの名前あるいは他の識別；および含まれる取引の種類を含み得る。報告時間および／または報告頻度は、例えば日、週、月、年または他の時間間隔による時間；関連するまたは関連しないイベントの発生（例えば、購入の前もった承認が必要である、所定数の購入が既に行われている、局所的電子パースが資金を使い尽くした、他の理由で報告が必要である、など）；またはそれらの組み合わせなどの異なるイベントの数に基づき得る。
【０３３３】
金融手形交換所２００は監査記録２２８を分析し、１以上の概要報告２４０を生成する。金融手形交換所２００は、安全コンテナ１５２ｃ内で電子的に送信することによって、概要報告２４０をプロバイダ１６４に提供し得る。金融手形交換所２００はまた金融仲介人２５８および１以上の金融プロセッサ２６０を統一し得、消費者９５が所有する銀行のまたは他の口座に請求を行い、且つプロバイダ１６４の所有する銀行または他の口座に対応する預金を行う。
【０３３４】
例えば、金融手形交換所２００は監査情報を受け取り、取引を（創作者、配布者およびその他の者に対する価値連鎖金額へ；同様に税務当局および他の政府エンティティの価値連鎖金額へ）分離し、その後各取引の受益者から（ｂｅｎｅｆｉｃｉａｒｉｅｓ）支払われるべき金額を計算し得る。次に、所望ならば、あるいは必要ならば（取引の大きさ、一取引当たりの料金、および／または原価条件（ｃｏｓｔ  ｃｏｎｓｉｄｅｒａｔｉｏｎｓ）による）、取引は各パーティごとに一括額にまとめられ得、クレジットカード取引に対して責任のある金融仲介人２５８に（適切な口座情報とともに）提出され得る。金融仲介人２５８（金融仲介人２５８もまた料金を請求または手数料をもらうことができる）は、その後、金融プロセッサ２６０において取引を発生させ、その結果、受益者はそれぞれ適当な金額を受け取る。あるいは、金融手形交換所２００がクレジットカード取引を直接クレジットカード会社に提出することが必要な能力および承認（ａｕｔｈｏｒｉｚａｔｉｏｎ）を有している場合は、金融手形交換所２００は、取引を金融プロセッサ２６０（例えばＶＩＳＡ）と直接発生させてもよい。
【０３３５】
金融プロセッサ２６０はプロバイダ１６４（および／または消費者９５）に、発生した金融請求および支払を記述した計算書２０４を送り得る。所望ならば、金融プロセッサ２６０は計算書２０４を安全コンテナ（図示せず）内に入れて提供し得る。金融手形交換所２００は請求された金額の一部または所定の手数料を受け取り得、金融手形交換所２００が提供した金融手形サービスを補償する。
【０３３６】
図２０Ａ〜図２０Ｆは、消費者の電子機器１００に維持されたローカル電子マネーパース２６２を用いた金融手形活動例を示す。この例では、金融手形交換所２００は、まず始めに、消費者１００に、電子キャッシュを１以上の安全コンテナ１５２内に入れて送信された電子マネーを提供する。金融手形交換所２００は自動的に消費者の銀行２０６ａまたは他の口座に請求し得、それらの資金を得る。金融手形交換所２００は消費者のリクエストでそれを行うこともできる（図２０Ａ）。
【０３３７】
消費者の電子機器１００は、電子資金を受け取ると、電子キャッシュパース２６２内に預金し得る。電子機器１００は、（例えばＧｉｎｔｅｒ  ｅｔ  ａｌ．によって述べられた「ＭＤＥ」のように）電子キャッシュパース２６２を保護された処理環境１５４内に維持する（図２０Ｂ参照）。消費者の電子機器１００は、消費者によって消費された商品およびサービスの支払をするために、この局所的に格納された電子マネーを用い得る。例えば、出版者６８は、本、映画、テレビ番組などの作品１６６を、１以上の安全コンテナ１５２ｂに入れて送信することによって、消費者の電子機器１００に提供し得る。消費者は自分の電子機器１００を操作して、コンテナを開いて作品１６６にアクセスできる。消費者は、作品をそれと関連付けられた電子的制御によって特定された様式で使用することができる（図２０Ｃ参照）。
【０３３８】
権利所有者が作品１６６の使用の代償として支払を要求する権利があるとすれば、消費者の電子機器１００は自動化に要求される支払の金額（この場合、５ドル）を電子パース２６２の借方に記入し得る（図２０Ｃ）。さらに、消費者の電子機器１００は自動的にこの使用イベントを記録する使用記録２６４を生成し得る。時間および／または他のイベントの発生に基づいて、消費者の電子機器１００は、自動的に監査記録２６４を、単数または複数の電子コンテナ１５２ｃの形態で金融手形交換所２００へ送ることができる。監査記録２６４は、監査時間に送信された監査記録のパッケージまたは安全データベースに格納された関連する記録のセット、（あるいは消費者のプライバシーを保護するためにその概要）を含み得る（図２０Ｄ参照）。
【０３３９】
使用記録２６２を受け取り、良好にそれを個人の（ｏｗｎ）データベース２５０内に格納すれば、金融手形交換所２００はリリース信号２４２を電子コンテナ１５２ｄ内に入れて送り得る（図２０Ｄ参照）。このリリース信号２４２によって、消費者の電子機器１００は、前もって保持していた使用記録２６４を削除し得る。
【０３４０】
消費者は、追加の使用記録２６４’の生成を促進するため、および電子パース２６２を（この場合、パースのコンテンツを使い尽くす）他の使用請求によって減少させるために、同じかまたは異なる作品１６６を再度使用し得る（図２０Ｅ参照）。電子パース２６２が使い尽くされれば、消費者の電子機器１００は再度金融手形交換所２００とコンタクトするように促され得、追加の資金をリクエストし（リクエスト２８８’参照）、また使用記録２６４’を提供する（この例では、情報はどちらも同じ電子コンテナ１５２ｅ内に入れて送信される）（図２０Ｆ参照）。
【０３４１】
金融手形交換所２００は、（消費者の銀行または他の口座に請求した後で）追加の電子資金を送信することで応答し得、また他のリリース信号を提供し得る。このリリース信号によって消費者の電子機器１００は使用記録２６４’を削除することができる（図２０Ｆ参照）。集められたお金は、（交易ユーティリティシステム９０を補償するために適当に減額された後に）権利者に支払われ得る。
【０３４２】
支払分離
図２１は、価値連鎖「分離」を含む金融手形活動例を示す。この例では、金融手形交換所２００は、価値連鎖内の支払分離を効率的に、高い信頼性で、且つ安全に支持する。図２１は、出版者１６８に作品１６６を送達する、作家などのコンテンツ創作者を示す。出版者は作品を（例えば電子ブック１６６’内に）出版し、それを消費者９５に届ける。この例では、消費者９５の支払は、例えば契約協定（ｃｏｎｔｒａｃｔｕａｌ  ａｇｒｅｅｍｅｎｔ）に基づいて、「分離され」または作家１６４と出版者１６８との間で分割される。この例では、出版者は消費者の支払った２０ドルのうち４ドルを受け取り、作家はその残りを受け取る。
【０３４３】
分離によって、金融手形交換所２００は自動的に消費者の支払を任意数の異なる価値連鎖参加者へ分割し得る。これは、製品またはサービスに対する全ての寄与者が高信頼性で効率的に各人の寄与に対する補償を受け取ることができることを確実にする場合に極めて有用である。
【０３４４】
図２２は、金融手形交換所２００が図２１に示す価値連鎖分離をどのように支持できるかを示す。図２２の電子例において、消費者９５は自分の支払を電子的に金融手形交換所２００へ届け得る。この支払は安全電子コンテナ１５２ａ内にパッケージングされた電子通貨の形態であり得る。あるいは、それは他の形態（例えば消費者９５の銀行の口座に請求するため、既存の金融手形交換所２００に対する承認に結合された、報告された使用情報）であってもよい。
【０３４５】
金融手形交換所２００は、作家１６４と出版者１６８の間の協定に従って、適切な配分を消費者の支払を作家１６４および出版者１６８へ配布し得る。支払の分離部分を受け取るべき金融手形交換所２００は、どのようにしてそれを知か？  この図２２の例では、作品１６６は作家１６４から出版者１６８へ送られ得、出版者１６８からカスタマ９５へ１以上の安全電子コンテナ１５２内の電子的な形態で送られ得る。１以上の電子制御セット１８８は同じかまたは異なるコンテナ内に含まれ得る。これらの制御セットは作品１６６または他のプロパティに関連付けられている。制御セット１８８は、作品１６６を使用するためにカスタマ９５が支払うべき金額を、他の事柄から特定し得る。
【０３４６】
制御１８８はまた、カスタマの支払が他の価値連鎖参加者との間でどのように分離されるかを特定および制御し得る。例えば、作家１６４は、作家が提供した制御１８８ｂ内に、作家が最終消費者９５によって購入された作品１６６の各コピーに対して１６ドルを受け取ることを特定し得る。仮想配布環境に従って提供される取り扱いおよび制御の安全連鎖（Ｇｉｎｔｅｒ  ｅｔ  ａｌ．の特許明細書の開示を参照）のため、作家１６４は、出版者１６８、カスタマ９５および他の消費者またはプロパティ１６６の可能性のあるユーザが、この制御１８８ｂに従うことを、（作家の商業的な優先順位によって要求される程度まで、およびシステム全体の強度によって許容される程度まで）確信できる。出版者１６８は、出版者１６８自身の制御を作家１６４が特定した制御に追加し得る。出版者制御１８８ｃは、（例えば）４ドル追加マークを提供する。この４ドルは、出版者１６８が、ブランド名、流通およびマーケティングサービスの使用に対して受け取る。
【０３４７】
図２２Ａは、Ｇｉｎｔｅｒ  ｅｔ  ａｌ．の特許明細書に開示されるように、支払分離が、カスタマの保護された処理環境１５４内で制御セット１８８を用いて行われ得る態様の詳細な例を示す。Ｇｉｎｔｅｒ  ｅｔ  ａｌ．は、図４８およびそれと関連する記載において、制御セットが全体のメータリング、支払請求および予算管理処理をユーザの保護された処理環境１５４内で実施および制御し得る態様を教示している。図２２Ａは、消費者の保護された処理環境１５４に提供される、１以上の制御セット１８８に基づく支払分離を示す。図２２Ａに示される各処理ブロックはユーザのリクエスト（イベント）に応答することができ、コンテンツを開いてアクセスする。
【０３４８】
この特定例では、消費者が最初にコンテンツの特定部分を使用する際はいつでも、メータリング方法２７５はイベントを支払方法２７７に送るために設計される（メータイベント２７５は、さらに、あるいは代わりに、所望ならば「見る度に支払う」機能を提供するために、消費者がコンテンツを使用する度にイベントを送り得る）。
【０３４９】
支払請求方法２７７は、この例では、２つの異なる支払請求方法２７７ａおよび２７７ｂを含む。方法２７７ａ、２７７ｂは独立して送達できる。例えば、作家１６４はサブ支払請求方法２７７ａを送達でき、出版者１６８がサブ支払請求方法２７７ｂを送達できる。支払請求方法２７７ａは、作家１６４が支払われるべき金額（この例では１６ドル）を特定する支払請求  記録データ構造に情報を書き込む。支払請求方法２７７ｂは、出版者が支払われるべき金額（４ドル）を特定する、同じかまたは異なる支払請求  記録データ構造に情報を書き込む。支払請求方法２７７ａ、２７７ｂはそれぞれ、メータ方法２７５によってパスアロングされたオープンイベントを受け取り、それぞれ支払請求記録を同じ（または異なる）支払請求記録データ構造に書き込む。
【０３５０】
この例では、予算管理方法２７９が、支払請求方法２７７ａ、２７７ｂと独立して送達され得る。予算管理方法２７９は予算管理記録データ構造２８１に記録を書き込み得る。  予算管理記録データ構造２８１は、支払分離協定（例えば、作家と出版者との間の１６ドル／４ドルの分割）を（他の事柄の間で）特定する。（支払請求方法２７７ａ、２７７ｂによって保持されたデータ構造と独立して保持され、その結果作家１６４および／または出版者１６８によって妥協され得ない）予算管理記録データ構造２８１は、金融手形交換所２００へ送られ得る。金融手形交換所２００は、上述したように、支払を行い、および金融手形交換を請求し、その結果、消費者の口座には２０ドルの請求がなされ、作家の口座には１６ドル預金され、出版者の口座には４ドル預金される（このように、ユーザの２０ドルの支払を作家１６４と出版者１６８とで分離する）。一方、支払請求記録データ構造は、作家１６４および／または出版者１６８によって特定される、使用手形交換所３００に送られ得る。使用手形交換所３００は、支払請求記録データ構造を分析し得、作家１６４および／または出版者１６８に金融手形交換所２００から受け取ることが予期される支払を知らせ得る。
【０３５１】
よって、この例では、電子制御セット１８８は他の事柄との間で、（ｉ）特定のデジタル対象物（ｏｂｊｅｃｔ）が入手可能な権利、（ｉｉ）その権利を行使する費用、および（ｉｉｉ）権利行使に対する支払を権利保有者の間でどのように分離するかを、特定または規定し得る。（カスタマの支払方法および協定が始動される前に）前もって支払分離を規定する上記の能力は、高い効率および高い柔軟性を与える。例えば、自動的に消費者の支払の部分を、補償される必要のある適当な者に方向付けるための、消費者の支払方法を使用できるからである。権利を行使するために使用される電子機器１００と同じ電子機器が、支払の、多様な異なる価値連鎖参加者への方向付けを助長するためにもまた使用されるため、全体の金融手形処理の一部は、多数の並列の計算リソースを通して、効率的に配布される。Ｇｉｎｔｅｒ  ｅｔ  ａｌ．に開示されるシステムによって提供され得る高信頼性のため、例えば権利保有者は上記のような制御セット１８８を、支払協定が適切に実行される交易ストリームへリリースする。金融手形交換所２００は、上記の分離された支払が要求されている送り先への効率的且つ速やかな到達を確実にすることを助長することができる。
【０３５２】
消費者９５サイトにおける保護された処理環境１５４は拡張制御１８８ｃを安全に実行し、カスタマを作品１６６にアクセスさせる前に、全支払および／または消費者９５からの支払承認を必要とする。制御１８８ｃはまた、どの金融手形交換所２００が支払処理を取り扱うために使用されるか、および、所望の支払方法の選択に関して柔軟性をカスタマ９５に与える一方で、どの支払方法が許容可能であるかを特定し得る。カスタマの保護された処理環境１５４ｃは次に、制御１８８ａに従って分離するために、自動的に適切な支払または支払承認１９０ａを金融手形交換所２００へ送り得る。制御１８８ａは作家または出版者によって特定されたものと同じ制御（または支払分離に関する上記の制御の部分集合ｓｕｂｓｅｔ）であってもよい。
【０３５３】
カスタマの保護された処理環境１５４ｃは、出版者または作家によって特定された制御１８８ｃ、１８８ｂに従属する制御１８８ａを生成するので（図２２参照）、これらの支払制御１８８ａは、作家および出版者の支払希望を実行すること、および作家および出版者の間の支払分割協定を反映させることを信用できる。カスタマ保護された処理環境１５４ｃは、カスタマの支払または支払承認１５２ａおよびこれらの支払制御１８８ａを、１以上の安全電子コンテナ１５２ａに入れて金融手形交換所２００へ送り得る。
【０３５４】
金融手形交換所２００は支払または支払承認１５２ａを制御１８８ａに従って処理する。金融手形交換所２００は、作家と出版者との間で達した支払分割協定に従って、支払１５２ｂを出版者へ配布（ｄｉｓｔｒｉｂｕｔｅ）し、支払１５２ｃを作家へ配布する。よって、例えば、金融手形交換所２００は電子マネーの４ドルを出版者へ送り、電子マネーの１６ドルを作家へ送る；あるいは、金融手形交換所２００は作家および出版者の銀行または他の口座にこれらの金額を預金してもよい。この全ての処理は、安全で信用できる仮想配布環境内で行われるので、各価値連鎖参加者は、各参加者が実際に必要な支払を受け取り、処理が極めて効率的な方法で自動的且つ電子的に実行され得ることを確信することができる。極めて効率的な方法は、多様な異なるビジネスモデルおよび臨時目的の（ａｄ  ｈｏｃ）関係に柔軟に適応する。
【０３５５】
図２３は、別の、前例より幾分複雑な、支払分離例を示す。この例は、価値連鎖にコンテンツ配布者または統合者１７０を追加する。この例において、消費者９５’の２０ドルは、今度は２つではなく３つの様式に分割される必要がある。作家１６４はここでも１６ドルを受け取り、出版者は３ドルだけを受け取り、コンテンツ配布者／統合者１７０はその尽力に対して１ドルを受け取る。図２４は、図２２に示すものと同様の基本的な協定が、支払およびこの新規の価値連鎖参加者の他の利益に適応するために用いられ得ることを示す。
【０３５６】
図２５は、別の支払分離例を示す。図２５は、価値連鎖を維持し且つ管理する際に果たす役割に対する、交易ユーティリティシステム９０を補償するために用いられ得る態様を示す。上述したように、分散交易ユーティリティ７５は、金融手形、使用鑑査、許認可、認可（ｃｉｒｔｉｆｉｃａｔｉｏｎ）などの極めて重要なサービスを提供する。全ビジネスまたは企業は、効率的かつ迅速に提供するこのような行政のサポートサービスに基づき得る。交易ユーティリティシステムは、それら自体の投資および尽力が補償されることを必要とする。交易ユーティリティシステムにとって補償を受ける１つの方法は、各取引の小部分、「一片のティック（ｔｉｃｋ）」を受け取ることである。上述と同様の支払分離機構はまた、交易ユーティリティシステム９０に対する上記のような微少な支払を支持するために用いられ得る。
【０３５７】
図２３は、交易ユーティリティシステム９０が各取引の価値の３％（例えば示される例において０．６０ドル）を受け取る場合の例を示す。上述した電子制御セット１８８は上記のような微少な支払能力を実施するために用いられ得るので、任意の所望のビジネス協定または目的に柔軟且つ効率的に適応できる。
【０３５８】
図２６は、支払分離が、単一の消費者の支払を、多様な異なる送り先にあり、多様な異なる支払機構（例えば、クレジットカード、銀行口座、電子マネーなど）を使用する、異なる金額（金額さえ、国際的な取引の目的のため異なる通貨の種類で記録される）の任意の数に分離するかまたは分割するために用いられ得ることを示す。
【０３５９】
図２７および図２８には、分散交易ユーティリティ７５がこれらおよび他の協定を取り扱うことができる柔軟性をさらに説明するため、さらに別の支払分離例を示す。図２７の例は、カスタマの支払が、作家１６４、出版者１６８、統合者１７０、リパッケージャ（ｒｅｐａｃｋａｇｅｒ）１７４、および、カスタマに提供される電子プロパティ内に組み込まれた追加の作品を供給する、２人の追加の作家１６４ａ、１６４ｂの間で分割されることを示す。図２７の例は、例えば、リパッケージャ１７４が関連事項の複数のソースからコンテンツを受け、それらを組み合わせてソース混合製品（例えば、マルチメディアの組み合わせ、「現状認識（ｃｕｒｒｅｎｔ  ａｗａｒｅｎｅｓｓ）」パッケージ、または利益パーティに売るための広報のようなものの出版）とする場合に、特に適用能である。
【０３６０】
例えば、リパッケージャ１７４は現政策についての広報を出版し得、次号の公報発行物において出版するための、作家１６４ａ、１６４ｂによって書かれた２つの他の作品とともに出版するための作家１６４によって書かれたエッセイを選択し得る。作家１６４、１６４ａおよび１６４ｂは、リパッケージャ１７４に、作品の再フォーマットおよび再配布する権利を与え得る。この再フォーマットする権利を利用して、広報の最新発行物を創作し得、安全電子コンテナ内でそれをカスタマ９５の読み出し用に再配布し得る。この例では、安全電子コンテナ１５２ａは、少なくとも４つの別個に「送達」されたビジネス要件セットを含む。ビジネス要件とは、これらの３作品（作家１６４、作家１６４ａ、作家１６４ｂによって特定されるように）のそれぞれに対して１つ、広報全体（１７４によって特定されるように）に対して１つである。あるいは、多様な作品および／またはそれらに適用される制御は、非依存性の安全コンテナ１５２内に入れて送られ、送達され得る。および／または一部または全部の作品および／または制御は離れて位置され得る。
【０３６１】
広報を読むため、カスタマ９５は電子コンテナ１５２ａを開ける。広報の費用が（リパッケージャ１７４によって設定されるように）一発行物に付き１０ドルであると仮定する。カスタマの１０ドルの支払または支払承認金融手形交換所２００へ送られ、金融手形交換所２００は、全て電子機器制御によって方向付けられるように、その支払を分解して各価値連鎖参加者の補償を与える（例えば、作家１６４は１ドル、出版者１６８が１ドル、統合者１７０が０．５ドルを得て、追加の作家１６４ａ、１６４ｂはそれぞれ１ドルを得て、リパッケージャ１７４はそれらの残りを得ても良い）。従って、リパッケージャは、適当な記事を選択すること、およびそれらを組み合わせて単一で読みやすい出版物とすることに対して補償され得る。リパッケージャはまた、リパッケージャ自体のブランド名認定を品質全般の指標として用い得、リパッケージャ自体の創作の独特のコンテンツをそれ自体に追加し得る。
【０３６２】
図２８は、「スーパー配布（ｓｕｐｅｒｄｉｓｔｒｉｂｕｔｉｏｎ）」の例を示す。１つの重要な権利保有者の関心事は、「パスアロング（ｐａｓｓ−ａｌｏｎｇ）」からの著作権侵害、すなわち不法な複製および再配布である。このパスアロング問題は、インターネットのようなデジタル環境では重大である。上記のＧｉｎｔｅｒ  ｅｔ  ａｌ．による特許明細書に開示される仮想配布環境およびこの明細書に開示される行政およびサポートサービス協定は、基本的にパスアロングを明確な脅威から重要な機会に変える。好適な実施例において仮想配布環境によって与えられる独特で、自動化された、価値連鎖権利の安全電子管理のため、消費者は価値連鎖の信頼されるメンバとして取り扱われ得る。このことは、全てのカスタマが可能性のある配布者となる、スーパー配布モデルを可能にする。スーパー配布からの収入は、最小の権利保有者の費用のみを負うので、スーパー配布は良好な作品における権利保有者に対して大きな利益可能性を与える。
【０３６３】
図２８を参照して、統合者１７０から作品を受け取ったカスタマ９５が、その作品が非常に気に入り、複数の友人および同僚にパスアロングしたいと仮定する。統合者１７０は、カスタマ９５がその作品を再配布する権利を認めていたと仮定すると、カスタマは作品のコピーを単純且つ容易に、任意数の他の可能性のあるカスタマ９５（１）．．．９５（Ｎ）のそれぞれへ送ることができる。これらの他の人々はカスタマ９５を知っており、カスタマ９５が、興味深く、高品質である可能性がない作品を、彼らに送っていないと信じている可能性がある。さらに、下流のカスタマは、トリガとなる（ｔｒｉｇｇｅｒｉｎｇ）支払無しに、要旨を読むかまたは作品の抽出部分を参照することができる（例えば、映画の予告編を観る、小説の第１章を読む、など）。
【０３６４】
費用を払わずに、要旨を読んだ後または映画の最初の５分を観た後に、下流のカスタマの６人９５（３）〜９５（８）が、コンテンツに対して、例示的な金額である各３．２５ドルを支払うことに同意すると仮定する。金融手形交換所２００は、作家１６４、出版者１６８、および統合者１７０がそれぞれ収入の適切な配分（例えば、７ドルを作家に、７ドルを出版者に、および８．７５ドルを統合者に配分する）を受け取ることを確実にし得る。
【０３６５】
スーパー配布は、任意数のレベルの再配布を可能にする。例えば、６人の下流のカスタマ９５（３）〜９５（８）のうちの３人が作品を他の６人の可能性のあるカスタマの各々へパスアロングすることを決めたと仮定する。その結果、他の１８人の人々がコピーを受け取る。再配布作品は同様の支払協定を統治する関連制御構造を有するので、作家１６４、出版者１６８、および統合者１７０はそれぞれ追加の支払をこれらの新規のカスタマのそれぞれから受け取る。再配布の雪ダルマ式効果は長期間、任意数のカスタマを通じて上記の様式で継続される。そして、この効果は、価値連鎖メンバにとって最小の追加費用で、収入を劇的に増大させることができる。
【０３６６】
支払統合またはバンドリング（ｂｕｎｄｌｉｎｇ）
少額料金（Ｍｉｃｒｏ−ｆｅｅｓ）および少額支払（ｍｉｃｒｏｐａｙｍｅｎｔｓ）は、コンテンツ使用取引にとって重要な基準となり得る。例えば、消費者は、特定の作品を観る度に、またはコンピュータソフトウェアの一部を使用する度に、あるいは音楽の一部を聴く度に支払ってもよい。異なる支払協定が柔軟に提供され得、その結果、消費者は、永久使用に対して最初に高額を支払うか、あるいはそれより低額の少額支払を使用する度に行うかを選択し得る。さらに、少額支払は、交易ユーティリティシステム９０にとって、システム９０のサービスを保証するための、最も煩わしくなく且つ最も実用的な方法であり得る。よって、少額支払を効率的に取り扱う能力は、低額の請求を支持し且つ可能にするという点で極めて重要である。
【０３６７】
クレジットカード、小切手などの伝統的な金融支払機構は、少額支払の管理には適していない。これらのシステムは典型的に、それぞれが５ドルを下回る多数の購入に基づくビジネスモデルでは重大な負担を課す、取引レベルオーバーヘッドを有する。例えば、支払取引を取り扱うために０．５ドルの費用がかかる場合、ある価値（おそらくそれぞれが２ドル）より低い価値に対する支払を取り扱うとことは経済的でない。支払の取り扱い費用が取引価値の大部分を占める、または支払金額自体を超えるからである。そのため、伝統的な金融支払機構は、高額な購入を好み、少額の購入を嫌う。
【０３６８】
図２９は、支払統合またはバンドリングが、手形交換する必要のある個々の金融取引数を減らすことによって、および／またはそれらの取引を手形交換ために必要なメッセージングの量を減らすことによって、これらの懸念を回避するために用いられ得る態様を示す。図２９に示す支払統合例は、消費者自身の電子機器１００上で、保護された処理環境１５４内で；または中央（ｃｅｎｔｒａｌｉｚｅｄ）金融手形交換所２００において、実行され得る；あるいは、その一部が機器において実行され、一部が中央手形交換所において実行され得る。この支払統合処理は多数の低額の支払を共に統合または結合させて、より高額の支払、または全部の支払を一括して取り扱い可能である、低額の支払のバンドル（ｂｕｎｄｌｅ）とすることができる。上記の高額の支払および／またはバンドルは、所望ならば分散交易ユーティリティ７５によって照合（ｒｅｃｏｎｃｉｌｅ）され且つ記録されるために、他の取引データと共に周期的に報告され得る。低額な支払を統合する上記の能力は、効率を高め、手形交換される必要のある個々の取引数を減らし、および電子ネットワーク１５０に亘るメッセージの渋滞を低減させるという点で、重大な利益効果を有する。当然のことながら、支払統合は全ての取引に適しているとは限らない（例えば、高額で、重大なリスクの高い取引は、リアルタイムの手形交換を必要とし得る）。しかし、通常取引の多数において、交易ユーティリティシステム９０および総合システム５０の負担を低減するために支払統合を用いることができる。
【０３６９】
このコンセプトの変形の１つにおいて、支払統合は、高度の微細な報告（ｒｅｐｏｒｔｉｎｇ  ｇｒａｎｕｌａｒｉｔｙ）を可能にするために、個々の取引のそれぞれの金額を保存し得る。しかし、支払統合は、いつ報告を行うかをトリガするために用いられ得る（例えばＸドルが請求された後、またはＹ個の取引が行われた後）。それによって、多数の個々の取引が束にされて、共に送信／処理され得る。このタイプの統合は、電子ネットワーク１５０上の個々のメッセージの移動回数および頻度を減らすために有用である。この例では、報告用電子機器１００は、（ｉ）統合された個々の取引の合計、または（ｉｉ）個々の取引のそれぞれ、または（ｉｉｉ）その両方、または（ｉｖ）上記の２つの組み合わせを報告し得る。
【０３７０】
図２９は、消費者が、例えば小説を読む、ビデオプログラムを観る、調査結果を入手して検討する、マルチメディアプレゼンテーションと対話する、マルチメディアプレゼンテーションを楽しむ、および小切手帳の収支などの家計を管理するなどの、多数の異なる活動のために、自分の電子機器１００を使用し得ることを示す。使用毎の少額支払は、これらの活動のそれぞれと関連し得る。例えば、消費者は、出版者によって配布され、作家によって書かれた作品の電子バージョンにアクセスする度に、出版者Ａに１ドル、作家Ａに１ドルを支払い得る。作家Ａの作品が非常に人気が高く、映画化されたと仮定する。消費者は、これらの映画の１つを観るために、使用毎に支払い得る。すなわち、出版者Ａに５ドル、作家Ａに３ドル、分散交易ユーティリティ７５に０．５ドル支払う。
【０３７１】
支払統合者２６６（所望ならば、消費者の電子機器１００によって提供される保護された処理環境１５４内の消費者サイトにおいて動作し得る）は、支払を共通のエンティティに統合し得、出版者Ａに所有される金額、作家Ａによって所有される金額、および分散交易ユーティリティ７５によって所有される金額の合計額を維持する。この合計額は消費者が支払イベントをトリガする度に増加され得る。統合された支払金額は、周期的に、あるいはそうでなければ、所定の時間間隔（例えば、毎週、毎月、または毎日）、所定のイベントの発生（例えば消費者がクレジット承認を超過し新規なカードを必要とする、所定の電子制御が終了した、など）、および／またはこれらの技術のいくつかまたは全部を混成したものに基づいて、金融手形交換所２００または他の交易ユーティリティシステム９０に報告され得る。
【０３７２】
図３０は、多数の消費者の取引にわたる他の支払統合の例を示す。この例では、同じ価値連鎖参加者への同じ支払方法を使用した支払は、統合されて総計される。消費者サイトおよび／または金融手形交換所において行われ得る、上記の支払統合は、手形交換される必要のある総合金融取引数を低減する。このことは効率および処理能力を高め、個々の消費者取引のそれぞれを取り扱う費用を低減する。
【０３７３】
図３１は、さらに別の支払統合の例を示す。この例では、統合は多数の異なる消費者の取引に亘って行われる。例えば、特定のプロバイダに付随する、特定の支払方法を用いる全ての取引が、金融手形交換所２００によって統合され得る。図２９〜図３１に示される支払統合技術が、必ずしも個々の取引の詳細を失うわけではないことに留意されたい。言いかえれば、個々の取引の支払がより効率的な支払処理および取り扱いのために結合されていても、消費者電子機器１００は、取引毎の詳細な情報を記録および報告することが可能であり、金融手形交換所２００および／または使用手形交換所３００は詳細な使用情報を取引毎に報告することが可能である。支払を統合すると同時に、より詳細且つ微細な使用情報を別個に取り扱い且つ処理する上記の能力は、支払取り扱い機構に過度に負担をかけることなく、高いレベルの監査責任を提供できる。場合によっては、詳細な記録の損失によって手形交換所側に預金（ｓａｖｉｎｇｓ）を生じることもある。それらは無視し得るが、それらをユーザのシステム上付近におよび／または交易ユーティリティシステム９０における容器（ｒｅｐｏｓｉｔｏｒｙ）内に保持することは有利である。  支払請求を巡る議論がある場合には、例えば、詳細な記録の部分的なコピーは（たとえ手形交換所に送信されていなくとも）、実際に何が起こったかの有用な証拠として役立ち得る。
【０３７４】
図３２は、金融手形交換所２００例が支払統合者構成２６８を含むように改変される態様を示す。支払統合者２６８は多数の異なる消費者電子機器１００または他のソースから入来する支払を統合するために用いられ得、その統合された支払を、例えば第３者清算サービスを介した取り扱い用のスイッチ２００へ提供する。支払統合者２６８は選択的に所定の支払のみを統合し、一方で、他の支払を、統合せずに直接取り扱うために直接スイッチ２００へ通過させる。支払統合は多数の異なるファクタに基づき得る。例えば、支払は消費者、プロバイダ、支払方法、あるいは上記のファクタの一部または全部の組み合わせに基づいて統合され得る。この統合機能は、全体または一部が消費者９５の電子機器内で行われ得る。あるいは、統合機能は中央手形交換所２００によって集中して行われ得る。
【０３７５】
使用手形交換所３００
図３３は、使用手形交換所交易ユーティリティシステム３００の例を示す。使用手形交換所サービスおよび機能は、一般的に、使用および／またはデジタルプロパティの実行および／またはデジタルプロセスについての、詳細な、概要の、および／または引き出された（ｄｅｒｉｖｅｄ）使用情報を集め、分析し、および「リパーパス」し得る。この情報は、電子商取引活動を記述する任意の情報を含み得る。使用手形交換所および／またはサポートサービスは、例えば以下の事項を提供および／または容易化し得る。
【０３７６】
・非依存性監査および報告（金融清算手形交換サービスに依存せずに提示され得る）；
・一般市場調査；
・上記の使用情報に関するカスタマおよび価値連鎖参加者とプライバシーおよび機密レベルの交渉、実施、確認（ｄｅｔｅｒｍｉｎｉｎｇ）および通信；
・マスカスタマイズされたマーケティングおよび連結リストの売却、貸出または使用許可。
【０３７７】
より詳細には、本発明に従った使用手形交換サービスが、例えば以下の詳細な特徴および／または機能の任意の組み合わせが提供できる。
【０３７８】
・安全コンテナの使用、安全コンテナのコンテンツ、および／または任意の他のコンテンツおよび／または任意のデジタル制御プロセスを記述する、および／または、そうでなくとも関連する、情報のコンパイル、統合、使用、引き出し、および／または提供。上記情報は、（ａ）コンテンツおよび／または処理の１以上のユーザ、（ｂ）コンテンツ、制御プロセス、コンテンツの使用、および／またはユーザの１以上の分類、および／または（ｃ）上記使用情報の１以上の受取人、を記述するおよび／または、そうでなくとも、それらに関連する。
【０３７９】
・コンテンツおよび／または処理制御使用のトラッキングおよび報告、および／または極めて細かい（例えば詳細な）レベルでの情報処理の機能付与。
【０３８０】
・使用情報の収集、統合、分析、概要、抽出、報告、配布、貸出、使用許可、および／または売却が可能。
【０３８１】
・広告、情報資料、娯楽、訓練資料、ビジネス生産性ソフトウェア応用などのような、コンテンツに公開されたユーザから引き出した情報の利用、および、好適な実施態様ではＶＤＥ機構の使用を介した、使用情報統合および／または分析手形交換所への、上記の引き出された情報、および／または上記情報に関連する情報の少なくとも一部の安全な提供。上記手形交換所では、安全に上記使用情報の少なくとも一部、または上記情報から少なくとも１つの他の手形交換所および／または価値連鎖参加者へ引き出された情報の少なくとも一部を提供する。また、上記手形交換所は、引き出された異なる使用情報を、手形交換の役割または他の権利保有者の役割を有する、異なる他のパーティへ提供する。
【０３８２】
・多様な異なる技術（例えばＧｉｎｔｅｒ  ｅｔ  ａｌ．に開示された技術）に基づいてメータリングする、ユーザ保護された処理環境によって生成された、および／またはユーザ保護された処理環境から引き出された「情報排出（ｅｘｈａｕｓｔ）」監査記録の使用。
【０３８３】
・デジタルプロパティまたはプロパティの任意の部分が開かれ、抽出され、埋め込まれ、または実行されたた回数；価値連鎖参加者がプロパティ（対話型ゲーム、またはマルチメディアプレゼンテーション、コンピュータソフトウェア、またはモジュールまたは上記製品の付属品など）を使用した時間の長さなどの、詳細な情報の収集および分析能力。
【０３８４】
・消費者からまたは他の安全保護された処理環境から届いた使用情報に対する、多様なリパーパス能力を提供。
【０３８５】
・例えば、ファイル保管するためおよび支払拒絶させないために有用な、非依存性第３者監査能力の提供。
【０３８６】
・使用監査、ユーザプロファイル、および／または１以上の安全コンテナおよびまたはコンテンツおよび／または好適な実施態様では処理制御を管理されたＶＤＥに関連する市場調査、に基づく情報の提供。
【０３８７】
・権利保有者、消費者、および／または他の価値連鎖参加者および／または政府団体などの利益パーティに対する、中立で、信用されている第３者監査使用統合および報告サービスの提供（課税、法の執行、商業的調査および統計などについての情報）。
【０３８８】
・支配（ｒｕｌｅ）および制御の権利および許認可の手形交換に関連した監査機会の提供（例えば、どの支配（ｒｕｌｅ）と制御の許認可および権利が、例えば誰に、何のためにいつ行使されたかについての報告（その結果、実際のユーザ活動を特定の許認可及び権利および／または支配および制御テンプレートへ結合し返す）を提供するため）。
【０３８９】
・好ましい実施態様において、標準化報告およびカスタム報告、ならびにＶＤＥ規則および制御に基づき、かつ生成されてＶＤＥコンテナに配送される分析を、コンテンツ創作者、コンテンツ配布者、産業アナリスト、商業協会、ならびにその他の任意の投資家および価値連鎖参加者、ならびに／あるいは、政府の統計学専門家、調節役および／または取引当局などのその他の任意の当事者の、各々および／または任意のひとつ以上のグループに提供する。
【０３９０】
・任意の価値連鎖ならびに／あるいは亘る（ａｃｒｏｓｓ）および／または複数の価値連鎖の範囲内にある複数のビジネスモデルのサポートを報告する、生の、正確な（ｒｅｆｉｎｅｄ）、要約された、誘導された、および、集められた信用データの任意の組み合わせを提供する。
【０３９１】
・電子コミュニティの範囲内または外側の価値連鎖参加者および他の当事者に、金融決算手形交換サービスとは別に、および／または金融決算手形交換サービスと共に、使用情報を分散する。
【０３９２】
・情報使用に関する全価値連鎖参加者の利益、例えば、管理されたビジネスモデルを取り扱い、制御するＶＤＥ鎖に備わる権利を完全に保護する、プライバシーおよび機密制御をサポートする。
【０３９３】
・プラーバシーの問題、例えば、消費者または価値連鎖のコンテンツのディストリビュータ、アグレゲータ（ａｇｇｒｅｇａｔｏｒ）、リパーパサー（ｒｅｐｕｒｐｏｓｅｒ）、あるいは、好適な実施態様においては、安全な、管理されたコンテンツ、または他の処理制御、権威にＶＤＥを適用する他の電子装置のユーザよりも多くの情報を公開しないこと、ならびに、例えばこのような権威を与えるユーザのどのような種類の情報を集めるか、または手形交換するかを知らせることを、調節し得る。
【０３９４】
・自動的に、少なくとも部分的には規則および制御に基づいて、機密のまたは独自の使用情報を、このような情報の更なる処理、または手形交換所の任意のさらなる使用を含む、このような情報を任意の誰かまたはよりさらなる当事者に配送する前に、隠す（例えば、暗号化する）、取り除く、および／または変形することに信頼があり、これにより、効果的にプライバシーおよび機密を保護し、これはビジネス取引秘密情報の保護を含む。
・キービジネスモデル情報を他の利害参加者の覗き見から保護し、ならびに／あるいは他の利害参加者および／または公衆への不用意な公開から保護し、これにより、真に信頼された商用ネットワークのための基礎を備える。
【０３９５】
・例えば、商用出版者および配布者、および／または消費者、ならびにサービスおよび／または製品プロバイダ組織を含む価値連鎖参加者に、任意の所定の価値連鎖の権利保有者に伝達されるべき使用情報の詳細のレベルの交渉を認め、ここで、このような詳細のレベルは、特定の受け取る参加者が誰であるか、および特定のタイプ、および／または使用情報のサブタイプによって異なり得、そして、このような使用情報の異なる部分のための複数の異なるレベルの詳細は、所定の使用情報受け取り者および／または所定の提出物（ｄｅｌｉｖａｒａｂｌｅ）に提供され得、このような詳細の決定が、好ましい実施態様において少なくとも部分的にＶＤＥ規則および制御情報によって記載される所定の参加者の権利によって、決定される。
【０３９６】
・消費者および組織に、価値連鎖の権利保有者に伝達されるべき詳細情報のレベルの交渉を認める。
【０３９７】
・消費者または他の価値連鎖（創作者、出版者、配布者、リパーパサー）に、詳細、アグレゲーション（ａｇｇｒｅｇａｔｉｏｎ）、ならびに／あるいは、彼らの使用する任意の所定のコンテンツの一片、コンテンツの階級、特定の処理、処理階級、および／または支払要求に関する使用情報に対して彼らの所望する匿名性のレベルの、特定および／または交渉を認める（例えば、匿名性および／または、いくつかまたはすべての使用詳細に関するプライバシーの保守は、このような情報の価値の損失を埋め合わせるために、支払プレミアムを要求し得る）。
【０３９８】
・情報消費者および／または他の価値連鎖参加者に、彼らの「情報消耗」のカスタマイズ、ならびに彼らがどのように彼らのアグレゲーションされたか、さもなくば使用された使用情報を得るかという規則および制御の設定を認め、彼らが権利を与えられた情報を受け取り、および／またはユーザおよび権利保有者が相互に、電子的に承認した情報を受け取るための、権利保有者の競合要件についての条件が、権利保有者に提供され得る。ユーザおよび／または１つ以上の権利保有者は、限界を規定する権利（例えば、ＶＤＥ鎖の取り扱いおよび制御の使用）、および／または１つ以上の他の権利保有者に配送され得るか、配送されなければならない、特定の使用情報を記述する。
【０３９９】
・実体的な価値連鎖参加者の制御を、価値連鎖参加者の使用情報のどの種類が蓄積されたか、誰がどの情報にアクセスし、このような情報がどのようにして使用され得たか、このような情報がどのようにしてアグレゲーションされ、処理されたか、および使用記録が特定の価値連鎖参加者または組織に結びつけられる範囲にわたって、サポートする。
【０４００】
・安全な使用手形交換サービスを提供する任意のステップ、部分、および／または処理において、コンテナを安全に使用する（例えば、ＶＤＥ確保コンテナをＶＤＥ保護された処理環境およびＧｉｎｔｅｒらに記載されるようなコミュニケーションセキュリティ性能と組み合わせて使用する）。
【０４０１】
・値下げ、副次物（ｓｕｂｓｉｄｉｅｓ）および／またはクーポンの価値連鎖参加者へ、例えば、消費者、配布者、リパーパサーなどへの提供を、使用データまたはより微細にされた使用データ（例えば、いくつかのコンテクストにおけるプライバシー向上の問題）と交換にサポートする。
【０４０２】
・利害参加者にマーケティングリサーチおよび報告ならびに合併統合された（ｃｏｓｏｌｉｄａｔｅｄ）マーケティングリスト（ターゲット郵送、直接販売、およびターゲットマーケティングの他の形態のための）を作成し、提供する。このような物質（ｍａｔｅｒｉａｌ）は、一般に、独立化した雑誌および新聞の循環監査、テレビの視聴率調査、および／または商用ターゲットマーケティングリストに類似するが、電子環境を高い効率で生成し、分散し、および安全にする。このような物質は、所望であれば、かなり大きい情報量（ｇｒａｎｕｌａｒｉｔｙ  ｏｆ  ｉｎｆｏｒｍａｔｉｏｎ）を有し、受取人要求、支払、権利、および／または権利保有者の利害を下部（ｕｎｄｅｒｌｙｉｎｇ）情報の１つ以上の部分にする１つ以上の当事者の利害の対立に基づく物質の選択的な報告を有する、詳細の重要な新しい形態を提供し得る（例えば、表示、印刷、抽出、再使用、電子的貯蓄、再分散など）。
【０４０３】
・詳細な使用情報を用いて、階級階層、スキーム、グループ、および／または階級を自動的に形成し、自動的に個人、個人グループ、組織、組織グループ、デジタルおよび／またはアナログのコンテンツ、あるいはデジタルおよび／アナログのコンテンツグループを、好適な実施態様においては少なくとも１つの確保コンテナおよび／またはＶＤＥに組み合わされて作製され、集められ、送信される使用データ由来の１つ以上の階級に割り当てられる。
【０４０４】
・伝播および／または他のマーケティング物質の自動的マーケティングまたはこれらの、消費者、専門家、従業員および会社の定義されたセット（例えば、１つ以上の階級）への配送のような、このようなサービスの配送の効率的な価値連鎖オートメーションをサポートすることを含んで、伝播およびマーケティングをサポートし、ここで、セットは、自己選択、使用データ、使用データプロファイル、または任意の他の手段によって定義され得、このセットは、任意の１つ以上の価値連鎖参加者（例えば、創作者、消費者、配布者、サービスプロバイダ、ウェブサイト、分散手形交換所）に含まれ得、ここで、１つ以上の参加者は、異なる、カスタマイズされた物質を受け取り得、ここで、受け取る参加者は、規則および制御によって権限を付与される場合には、このような物質を再分散し、ここで、参加者は預金、クーポン、金銭の支払、および／またはこのような再分散に対する他の形態の対価を受け取り得、ここで、このような再分散は、このような受け取られた物質のいくらかまたは全てを１つ以上の他の当事者に、自己選択、使用データ、使用データプロファイルに基づくか、任意の他の手段によって、少なくとも部分的に向ける形態をとり得、ここで、このような処理の全ては、所定の実施態様における節間ＶＤＥ連鎖の取り扱いおよび制御によって安全に管理（例えばサポート）され得る。
【０４０５】
・支払および／または権利保有者に起因する伝播者からの他の対価を、複数の当事者の間のこのような対価の部分の分散を伝播し、および少なくとも部分的に安全に自動化することに対する価値連鎖ユーザの露出に基づいて決定し、複数の当事者は、このような対価を決定する基礎としてサービングコンテンツおよび／または処理に関連する権利保有者の利益を有する。
【０４０６】
・優れた、ターゲットマーケット細分化およびより適切な情報生産物、ならびに、直接的な、より特定化された、かつ詳細な使用データに基づき、かつ消費者ならびに暗黙の、明示的な、および自動的に使用情報（ユーザプロファイル、階級認識情報など）に由来する価値連鎖の優先の基づくビジネスモデルの設計をサポートする。
【０４０７】
・「プライベートな」手形交換所の使用（組織によって制御および／または動作される手形交換所の使用）を可能にして、所定の詳細な使用情報を取得し、ここで、このような手形交換所の使用は、使用分析および／またはこのような情報の他の処理を実行し、より集中化されたおよび／または他の当事者の手形交換所、および／または他の価値連鎖参加者に、このような使用情報のいくつかまたは全てに対して選択的に限定された使用情報（例えば、より高いレベルの要約、概要情報、制限の適用、および／または使用情報の使用の様式（表示、印刷、貯蓄、再分散など））を提供し、ここで、このような使用情報における異なる限定は、コンテンツ、処理、ユーザおよび／またはユーザグループの異なる階級の使用に由来する使用情報に適用され得、ここで、このような情報の性能は、会社または他の組織の機密の取引秘密情報の重要なさらなる保護を、所定の内部活動の詳細な性質を隠すことによって提供され、ここで、価値連鎖における１つ以上の他の当事者による、このような詳細な使用情報の代償としての支払および／または他の対価の対する要求が存在し得る。
【０４０８】
・組織がプライベートな使用データ手形交換所を企業のイントラネットに適用することを可能にし、ここで、このような手形交換所は、組織の文書の流れおよび／または入庫システムと一体化される。
【０４０９】
・プライベート使用組織（例えば、企業、政府機関、組合、または任意の他の組織化された作動エンティティ（ｏｐｅｒａｔｉｎｇ  ｅｎｔｉｔｙ））手形交換所とともに、組織における電子機器からの使用情報を受け取り、記録を内部使用のための詳細な報告の形でアグレゲーションし、および／または、内部使用のための生の詳細なデータを報告するが、使用データを外部分散のための、例えば、権利保有者、および／または他の価値連鎖参加者、および／または１つ以上の商用手形交換所への概要報告の形にアグレゲーションするにすぎず、ここで、好ましい実施形態においては、内部使用のための詳細なデータは、ＶＤＥ保護されたコンテンツとして保護され、このようなコンテンツのアクセスまたは他の使用は、電子アイデンティティに安全に維持された特定の当事者に少なくとも部分的に基づく特定の当時者および／または特定の方法に限定され、電子アイデンティティは、例えば、任意の関連する当事者階級の、特定情報使用特権に関する同一性情報（例えば、所定の調査グループの一員で、上位経営者）を含む。
【０４１０】
・プライベートな使用手形交換所を通して、重要な価値使用データを提供する使用関連情報を同定し、内部組織リソースの割り付け、調査の方向付け、および他の重要なビジネス目的に供給する。
【０４１１】
・使用手形交換を（例えば、効率および／または他の理由のために）分散する。
【０４１２】
・ネットワークまたは他のシステムに亘る使用手形交換機能を分散し（例えば、全ての消費者および／または他の価値連鎖参加者ノードが、潜在的に少なくとも部分的にそれ自身の安全な使用手形交換を開始する分散された使用手形交換サービスであり、ここで、参加者ノードは、使用情報を直接に１つ以上の他の参加者に伝達する）、好ましい実施態様において、規則および制御ならびに、Ｇｉｎｔｅｒらの特許明細書に記載されるような他のＶＤＥ技術と一致して分散する。
【０４１３】
・使用手形交換所を階層的に組織化し、少なくとも部分的に階層における核レベルを機密的に保護する。
【０４１４】
・１つ以上の分散された使用副手形交換所に権限を認め、および／またはこれにサービスを提供するか、これと共同してサービスを提供し、１つ以上の分散された使用副手形交換所の動作は、会社または政府機関の内部、および／または１つ以上の管轄権（ｊｕｒｉｓｄｉｃｔｉｏｎ）の内部、および／または上位使用手形交換所の包括的なビジネス焦点領域のサービングサブセットなどの、論理的におよび／または物理的に外の場所に配置され得る。
【０４１５】
・システムまたはネットワークに亘る使用手形交換機能を分散し、および／またはさもなくば権限を与え、例えば、ここで各消費者および／または特定のまたはすべての他の価値連鎖参加者の保護された処理環境（ノード）は、分散された使用手形交換サービスを潜在的にサポートし得、包括的な分散された交易ユーティリティのコンテクストで機能し得る。
【０４１６】
・それ自身の安全な使用手形交換取引を直接に１つ以上の他の参加者と共に開始する。
【０４１７】
・任意の、または全ての仮想分散環境技術を用いる活動を用いて、内部動作可能な動作を１つ以上の他の内部動作可能な参加者ノードに提供する。
【０４１８】
・使用される使用情報を形成する、少なくとも部分的に設計において手形交換所を使用し、ならびに／あるいは、製品および／または製品に関連するサービスおよび／またはこのような使用情報によってその使用は記述されるサービスをマーケティングする。
【０４１９】
・階層的に組織化されたピアツーピアであり得るか、組み合わされたモードであり得、組み合わされたモードにおいては、使用手形交換の責任が、異なる交易モデルおよび／または活動および／または価値連鎖のための異なる形態で分散れ、特定の１つ以上の当事者が、例えば、１つ以上の場合において他の当時者よりも階層的により上位であり得るか、１つ以上の他の場合において階層的にピア（ｐｅｅｒ）または非上位であり得る、すなわち、参加者間の関係がプログラム可能であり、所定の交易活動、価値連鎖、またはモデルに対して１つ以上の所望の使用手形交換処理（ａｒｒａｎｇｅｍｅｎｔ）を表現するように設定（および後に改変）される。
【０４２０】
図３３は、処理の観点からの使用手形交換所３００の例を示す。この例において、使用手形交換所３００は、デジタル情報について、収集（ｃｏｌｌｅｃｔ）、分析および報告する。デジタル情報はデジタルコンテンツの使用を含むが、これに限定されない。この例における使用手形交換所３００は、以下の機能を実行する：
【０４２１】
・データ収集３１４
・データベース管理３１６
・プライバシー制御３１８
・安全な監査３２０
・安全な報告３２２
・データアグレゲーション３２４
・伝播およびマーケティング３２６
・使用分析３２８
・複製３３０、および
・宣伝３３２。
【０４２２】
使用手形交換所３００と他の電子機器１００との通信は、所望であれば、安全な電子コンテナ１５２を通じ得る。金融手形交換所２００に関してより詳細に説明されるように、使用手形交換所３００は、リアルタイムにおよび／または非同期領収ベースで、コンテナを受け取る。使用手形交換所３００においては、リアルタイム要求は、時間関数であるその価値のいくつかまたはすべてを失う伝播またはレイティング（ｒａｔｉｎｇ）情報（例えば、所定の調査情報が特定の時間によって配送されない場合に、その情報は所定のマーケット分析にもはや関連しない；または伝播者が使用情報をすばやく受け取らない場合に、伝播者は顧客の嗜好に効果的に応答することは不可能である）を伴い得る。他の場合は、要求された使用情報の配送を伴い得る（例えば、休暇中のユーザが復帰して、彼らの要求された監査期日を知り、猶予期間が終了し、所定の性能のユーザ使用が監査実行されるまで規制される）。非同期配送の場合は、金融手形交換所２００に関する上記と同じ理由により、いくつかの場合にやはり好ましいであろう。
【０４２３】
データ収集機能３１４は、規則および制御１８８（これは、例えば値段および認可に関する情報を提供し得る）、金融計算書２４０ａ、詳細な金融報告２４０ｂ、ならびに使用情報および／または分析３３６に対する要求のような他のタイプの情報に加えて、使用記録３０２を集めるために使用される。データ収集機能３１４は、データベース管理機能３１６と密接にインタラクトし得、これにより、種々のタイプの情報が使用または他のデータベースに格納および保持される。複製および伝播機能３３０、３３２は、データベース３１６のコンテンツを（例えば、他の使用手形交換所３００維持される）他のデータベースと同期化し、および／または多数の安全なネートワーク保護された処理環境または電子機器に亘る分散されたデータベースを提供するために使用され得る。
【０４２４】
データアグレゲーション３２４および分析３２８は、データ収集機能３１４によって収集された、および／またはデータベース３１６に格納されたデータのコンテンツを分析するために使用され得、使用手形交換所３００に監査３２０および／または報告３２２を実行させ得る。プライバシー制御３１８は、第三者に所定の情報のみを曝し、他の情報を曝さないために、報告機能３２２と組み合わされて使用され得、これにより、使用情報が収集された消費者に対するプライバシーおよび機密の問題が保護される。このような係争制御３１６は、情報が到着するコンテナに関する規則に表され得る。
【０４２５】
報告機能３２２は、種々の使用監査報告３０４を生成し得る。加えて、使用手形交換所３００は伝播および／またはマーケティングサポート３２６を提供するために（例えば、人口統計的に（ｄｅｍｏｐｒａｐｈｉｃａｌｌｙ）適切な消費者に対するターゲット伝播を支援するため、および／またはマーケットおよび伝播リサーチを提供するために）使用され得る。よって、ある例においては、使用手形交換所３００はそれ自身、表示用の伝播３４０を所定のターゲット消費者によって作製および／または分散し、またはこのような伝播を他の代わりに届ける。使用手形交換所３００は、情報要求３３６に応答してカスタマイズされた応答３４２を形成し得、さらにまた、関連する監査記録が使用手形交換所３００に伝達され、この伝達が確認されると、局所データベースからの使用情報に「もはや係争中でない（ｎｏ  ｌｏｎｇｅｒ  ｐｅｎｄｉｎｇ）」を削除および／または形成することを電子機器１００に許可する開放信号３４４を形成し得る。消費者９５は、この使用情報を、一旦「開放」した後に、削除するよりもむしろ保持することに（例えば、他者の行動（従業員、子供など）を監視するという好奇心から）関心を有する。
【０４２６】
使用手形交換所３００は、例えば、どのように使用情報、マーケット情報、または他の情報を他のものによって使用され得るかを管理するために、それ自身の制御１８８ｂを形成する。例えば、使用手形交換所３００は、補償のみかえりに第三者に提供する独自の報告または分析を作成し得る。手形交換所３００は、報告書を提供する人に、その報告書を他者に再配分しないように主張し得る。使用手形交換所３００は、１つ以上の電子コンテナ１５２の内の報告を配送し、電子制御１８８ｂを報告と関連づけることによって、この要求を電子的に強化し得る。この電子制御１８８ｂは、他の条件許可および／または限定（例えば、報告の改変不可、報告の印刷および表示不可、報告の引用可）とともに、「再配分不可」規制を強化してもよい。
【０４２７】
上述のように、使用手形交換所３００は金融計算書２４０ａおよび／または詳細な金融記録２４０ｂまたは他の金融情報を受け取り得、それ自身の金融計算書２４０ｃおよび／または詳細な金融記録２４０ｄを形成し得る。例えば、使用手形交換所３００は、コンテンツプロバイダにサービスを提供し得、ここで、コンテンツプロバイダにおいては、使用手形交換所３００が、消費者９５に配送される制御と同様にしてコンテンツプロバイダから制御１８８ａを受け取る。これらのデータの比較に基づいて、使用手形交換所３００はコンテンツプロバイダが金融手形交換所２００から受け取ると予期されるべき金額の見積もりを作成し得る。従って、使用手形交換所３００は、独立した監査機能（金融手形交換所２００についての二重チェックとして従事し、詐欺検出機能を提供する）を提供し得る（例えば、使用記録を提出し、関連する支払がないか、さもなくば不正な支払額がない人は、使用手形交換所３００によって検出され得る）。加えて、制御１８８は、コンテンツプロバイダが履行（ｉｍｐｌｅｍｅｎｔｉｎｇ）を考慮する閉モデルを表し得、その後、使用手形交換所３００は、コンテンツプロバイダが実際に提案モデルを構築した場合に、使用手形交換所３００が使用データに対して比較を実行し、実際に収集して金融結果に類似したモデルを構築するというサービスを提供する。
【０４２８】
図３４は、使用手形交換所３００のアーキテクチャの例である。この例においては、使用手形交換所３００は、安全な通信設備３４６、データベースおよび取引プロセッサ３４８、承認器（ａｕｔｈｅｎｔｉｃａｔｏｒ）３５０、承認チェック器（ａｕｔｈｏｒｉｚａｔｉｏｎ  ｃｈｅｃｋｅｒ）３５２、およびデータアグレゲータ３５４を含む。使用手形交換所３００アーキテクチャは、Ｇｉｎｔｅｒらの特許公開の図１２および１３に示される権利作動システムアーキテクチャに基づき得る。
【０４２９】
安全な通信３４６は、本実施例において、安全なコンテナ１５２を介して、電子ネットワーク１５０に亘って、種々の電子機器１００との通信を提供する。データベースおよび取引プロセッサ３４８は、本実施例において、図３３の機能のほとんどを実行する。承認器３５０は、消費者および／またはデータを承認するために使用され得、承認チェック器３５２は、承認をチェックするために使用され得、データアグレゲータ３５４は、データアグレゲーション機能３２４を実行するために使用され得る。承認器３５０および承認チェック器３５２は、Ｇｉｎｔｅｒらの公開に記載されるような承認機能を安全な電子機器および保護された処理環境と組み合わせて実行する。
【０４３０】
図３５は、包括的な使用手形交換処理の例を示す。本実施例においては、プロバイダ１６４は、消費者９５（１）、９５（２）、９５（３）にデジタル特性を提供する。例えば、プロバイダ１６４は、新規な、または他のネットワーク１６６を電子コンテナ１５２の内部の消費者９５の各々に提供し得る。１つ以上の制御セット１８８はワーク１６６に関連付けられ得る（そして、ある実施例においては、ワーク１６６を配送するために使用される同一の電子コンテナ１５２の内に配送され得る）。制御１８８は、所定のタイプの使用情報が監査トレイルの形態に集められるるべきこと、および監査トレイルが、所定の時間および／または他のイベントに基づいて報告されるべきことを特定し得る。
【０４３１】
コンテナ１５２は、上述のＧｉｎｔｅｒらの特許公開に記載される仮想分散環境の一部である安全な保護された処理環境１５４の内部でしかオープンにされ得ず、プロバイダ１６４は、要求された監査トレイルが生成され、彼または彼女の指示に沿って報告することを確信し得る。消費者９５は、特性１６６を使用し、消費者の電子機器１００は、使用情報を監査トレイル３０２の形態で、自動的に集め、格納する。次いで、特定のイベントの発生において（例えば、月に一度、週に一度、所定回数の使用の後など）、消費者電子機器１００は、デジタルコンテナの内部の監査トレイル情報３０２を、使用手形交換所３００に送る。
【０４３２】
使用手形交換所３００は、監査トレイル情報３０２を収集し、この情報を使用手形交換所３００のデータベース３１６に格納し得、監査トレイル情報を分析して、別の電子コンテナ１５２の内のプロバイダ１６４に送り得る報告３０４を生成する。
【０４３３】
プロバイダ１６４は、安全な情報を自動的に受け取り、使用手形交換所３００は、この詳細な使用情報を収集し、分析しなければならないことから、プロバイダを開放するとともに、彼または彼女のワークに使用された量およびいかにして情報が使用されたかを監査する。加えて、使用手形交換所３００は、消費者に承認された概要詳細だけを明かすことによって、消費者９５のプライバシーを保護し得る（例えば、何人の消費者がネットワーク１６６を使用したかを明らかにするが、消費者の名前または住所を明らかにしない）。この検証機能は、プロバイダ１６４が彼または彼女自身の分析された詳細な使用記録を試みた場合には、より困難であり、または問題となり得る。
【０４３４】
図３６は、２つの異なる使用手交換所３００（１）、３００（２）を有する、形使用手形交換処理のより詳細な例を示す。本実施例においては、プロバイダ１６４はワーク１６６を直接に消費者９５に配送し、ワークを消費者に再分散し得る配布者１６８にも配送する。分散されたコンテンツ１６６に関連づけられた制御１８８は、使用手形交換所３００（１）が、創作者１６４によって直接に分散されたコンテンツ１６６の使用に関する情報を収集し、分析すべきかということ、および、もう一方の使用手形交換所３００（２）が、配布者１６８によって分散された場合に、ワーク１６６の使用に関する使用情報を収集し、分析すべきかということを特定し得る。あるいは、使用手形交換所３００（１）、３００（２）は、同一の電子特性１６６に関する異なるタイプの使用情報を集め得る（例えば、ある使用手形交換所は「ペイパービュー（ｐａｙ  ｐｅｒ  ｖｉｅｗ）」使用に関する情報を集め、その一方で、他の手形交換所はすべての一括購入（ｏｎｅ−ｔｉｍｅ  ｐｕｒｃｈａｓｅ）に対する使用情報を集め得る）。使用手形交換所３００（１）、３００（２）は、報告３０４を創作者１６４および／または配布者１６８および／または消費者９５に各々発行し得る。
【０４３５】
図３７は、使用手形交換所３００がどのようにして金融手形交換所２００と組み合わされて使用され得るかを示す。本実施例においては、消費者の電子機器１００は、以下へ送り得る：
・使用手形交換所３００、電子コンテンツの使用に関する監査トレイル情報３０２、および
・金融手形交換所２００、金融手形交換活動に関する使用および支払監査トレイル情報２２８。
【０４３６】
所望であれば、使用手形交換所３００および金融手形交換所２００は同一の業務によって動作され得る（この場合、使用および金融監査トレイル情報の両方が、同一の電子コンテナ１５２の内部へ送られ得る）。使用手形交換所３００によって実行される使用手形交換機能は、金融手形交換所２００によって実行される金融手形交換機能と並行して操作され得、詳細な使用報告および効率的な金融手形交換の両方をサポートする。
【０４３７】
図３８は、メディアおよび／または伝播コンテンツ配置に基づく使用手形交換所の別の例を示す。消費者９５（１）、９５（２）、９５（Ｎ）は、種々の分散サービス１７０Ａ、１７０Ｂ、・・・を予約し得る。これらの情報分散サービスは１７０は、コンテンツプロバイダ１６４によって提供されるプログラム物質および伝播（商用コンテンツ）を分散し得る。消費者９５は、分散されたコンテンツを消費し、消費者の電子機器１００は、使用手形交換所３００（１）、３００（２）、・・・に関連づけられた使用データを集め、報告する。
【０４３８】
使用手形交換所３００は、受け取られた使用データについて人口統計的な分析を実行し、この人口統計的な分析に基づいて、他の商用コンテンツ１６４に対する特定の伝播を特定の情報サービス１７０にターゲット化する。例えば、情報サービス１７０Ａは、関心のあるプログラム物質および商用コンテンツ１６４を、走者および他の肉体的健康に関心を有する人に分散し得る。使用手形交換所３００（１）は、このタイプの情報を予約し、表示する消費者９５によって提供される使用データを分析し得る。従って、使用手形交換所３００（１）は、同一の関心のグループに対して関心を有し得る他の商用および非商用コンテンツに伝播を配置するために、独自の位置にある。同様に、情報サービス１７０Ｂは、関心情報をカーマニアに対して特に送信し得る。使用手形交換所３００（２）は、このタイプの情報の使用に関する使用データを集め得、従って、伝播ならびに商用および非商用コンテンツをこの消費者グループに分散およびターゲット化するために、独自の、首尾良く配置された位置にある。
【０４３９】
図３９は、使用手形交換所３００によって実行され得る使用手形交換処理の別の例を示す。本実施例において、使用手形交換所３００は、権利保有者１６４によって承認されて、消費者９５が自発的に公開する使用情報の量に基づいて値下げを提供し得る。例えば、これは特性に対する制御１８８で、制御セットのうちから選択すること、および／または電子交渉入ることによって行われ得る（Ｇｉｎｔｅｒら、図７６ＡおよびＢを参照のこと）。権利保有者は、その特性に対する一般規則として、これをを予め考え得るか、所定の権利および認可手形交換所４００は、これらの制御セットを配送し得る（例えば、使用情報の特定のカテゴリの収集器としての制御セットの特定位置に基づいて配送し得る）。
【０４４０】
ある実施例として、消費者の電子機器は、パーソナルコンピュータであり得、コンピュータソフトウェアを分散する権利保有者１６４は、権利保有者自身が分散しているものに加えて、どのソフトウェアプログラム消費者９５使用しているかを知ることに関心があり得る。一方、消費者９５は、彼または彼女のコンピュータに存在するすべてのソフトウェアプログラムについてのこの詳細な情報を明らかしたくないかもしれない。
【０４４１】
別の実施例として、デジタル通信権利保有者１６４は、消費者９５が見る通信プログラムの各々について知りたくても良い。その一方、消費者は、彼または彼女が関心のあるプログラムの種類を他の誰かに知られたくないかもしれない。
【０４４２】
使用手形交換所３００は、より完全な公開に対する金融インセンティブを消費者９５に提供するが、消費者に選択を与えることによって、これらの対抗する関心事を効果的に調節し得る。
【０４４３】
本実施例においては、権利保有者１６４は、電子コンテンツおよび消費者９５に件連づけれらた制御を分散する。制御は、使用情報を明らかにすることについての選択肢を特定し得る。消費者は、以下を選択し得る：
・全額を支払い、保証する支払について重要な情報とは違ったすべての使用情報を完全に秘密保持する；
・少額の値下げのかわりに、限定して使用の公開を認める；
・使用情報のすべてを公開するかわりに、多額の値下げの利益を得る。
【０４４４】
消費者の使用習慣について外界にできるだけ知られたくなく、消費者のプライバシーを保護するためによろこんで全額を支払う秘密主義の消費者もいる。他の消費者は、消費者の使用習慣について外界が何を知ろうと気にならず、より完全な公開に基づく多額の値下げの利益を得たい。任意の数のこのような選択肢のレベルが提供され得、例えば、どの情報を公開し、かつどの情報を秘密保持するか厳密に消費者が選択することを認める。使用データは、消費者の電子機器１００の一部である、安全な保護された処理環境１５４の内部に収集されるので、消費者は、使用データが安全に取り扱われること、および承認されていない公開が彼または彼女の承諾なし生じないことを検証する。
【０４４５】
例えば、消費者の保護された処理環境１５４に提供された１つ以上の制御セット１８８、および／またはこのような制御セットを通じて可能となる消費者の選択に基づいて、消費者の保護された処理環境１５４は、使用手形交換所３００に対して、使用情報を明らかにしないか、最小の使用情報、制限された使用情報、または全使用情報を明らかにする。次いで、使用手形交換所３００は、使用手形交換所が収集した制限された使用情報および全使用情報を自由に分析し得、権利保有者１６４に、およびマーケット調査者、ブローカー、伝播者、監査者、および科学者などの他の第三者に報告および分析を提供する。
【０４４６】
権利および認可手形交換所
図４０は、権利および認可手形交換所交易実用システム４００の例を示す。権利および認可手形交換所はサービスは以下の包括的機能の任意の組み合わせを実行し得る：
・電子オブジェクトおよび関連づけられた認可、値段ならびに／あるいは他の認可されたおよび／または要求された動作（このような動作を実行することおよび／または実行しないことについての実行結果をサポートする動作）を登録する；
・特定の環境、および／または認可要求者、調達または調達性能、支払要求などの階級のような他の要求に関連づけて、要求に応じて予め是認された認可を提供する；
・安全かつ効率的に電子著作権登録を、１つ以上の国および／または他の管轄（ｊｕｒｉｓｄｉｃｔｉｏｎａｌ）単位に対する適切な機関で実行する；および
・機能を報告する。
【０４４７】
より詳細には、権利および認可は、これらの発明に関連づけられたサービスを提供し、これらの発明は、例えば、以下の機能および特徴のいくつかまたはすべてを含み得る：
・特定の特性の権利および／または他の業務規則およびデジタル電子価値連鎖に沿った制御を、同定、分散および検証する。
【０４４８】
・オブジェクト登録サービスおよび権利、登録されたオブジェクトについての値段および／または他の制御情報を提供する。
【０４４９】
・各電子オブジェクトに少なくとも１つの同定数および／または名称をそれ自身の数および／または名称スキームと関連づけて、ならびに／あるいは１つ以上のの他の組織、協会（例えば、標準的な協会（ｃｏｎｓｏｒｔｉｕｍ））、会社、および／または機関（例えば、政府の調整機関）によって定義される１つ以上の数および／または名称スキームと関連づけて割り当てられる。
【０４５０】
・電子制御セットに含まれる取り扱いおよび制御の安全な連鎖から承認を受け取る。
【０４５１】
・登録された電子特性についての認可（例えば、規則および制御に基づく、認可された動作および価格のような関連結果の記載）を安全に提供し、このような登録された特性を規則および制御セットと自動的に関連づけること（例えば、規則および制御セットの更新、特性の階級などに基づいて予め設定されたテンプレートの適用）をサポートする。このことは、例えば、このような登録の間または登録の結果として登録サイトに、少なくとも部分的に遠隔的に提供され、安全にダウンロードされ得る。
【０４５２】
・デジタルコンテンツにおいて、権利保有者が使用するまたは使用しない知的性質の製品（例えば、ＶＤＥ保護されたデジタル特性）およびこのような使用および／または誤用（ｍｉｓｕｓｅ）の任意の結果を求める、１つ以上の権利および認可手形交換所の経路を決定し、柔軟に規定し、この経路に安全に提供することを、権利保有者に認める。
【０４５３】
・ＶＤＥサポートされた分散性能、および管理権利ならびに業務規則（予め是認された認可または他の認可）を、特別の（ａｄ  ｈｏｃ）電子価値連鎖（ここで、このような権利および業務規則が持続的にサポートされる）に沿って提供する。
【０４５４】
・要求に応じてデジタルオブジェクトの使用が承認された人に、デジタルオブジェクトを提供する。
【０４５５】
・ユーザの階級の１つ以上の組み合わせに安全に関連づけられた異なる認可に基づいて、異なる用語を提供し得る。
【０４５６】
・潜在的に多様なかつ分散された価値連鎖参加者ベースによって、権利保有者が設定した用語が付着される承認を、権利保有者に提供する。
【０４５７】
・すべての可能性のある認可を含まず、および／または、要求者の権利（階級および／または個々の）による特別のおよび／または予め計画されたベースに対する要求についての、要求されたおよび／または所望の認可を分散しない制御を提供し得、例えば、権利保有者が、特定のデジタル特性に関連づけられた最も頻繁に使用される認可のみを分散することを選択することを認め、適切な当事者が、権利保有者のモデルに一致する新たな認可を得ることを認める。
【０４５８】
・要求についてのおよび／または手形交換所データベース機構の使用を介してこのような権利の満期の自動認識についての有効期限切れの認可、ならびに、自動取得、ならびに／あるいはこのような認可を提供することおよび／または好ましい実施態様においてはＶＤＥ価値連鎖参加者にこのような認可を取得する必要性を知らせることの通達をリフレッシュする（例えば、ユーザが積極的に関連情報および／または電子制御プロセスの使用を試みる前にこのようなユーザに知らせて、ユーザの不満および非効率性を回避する）。
【０４５９】
・安全な権利手形交換サービスの提供における任意のステップ、部分、またはプロセスにおいて、Ｇｉｎｔｅｒらに記載されるような安全なコンテナを使用する。
【０４６０】
・分散を創作し、格納し、権利、条件およびそのデジタル特性の使用（および／またはＶＤＥプロセスに制御された電子イベントの使用）に関する動作に関連づけられる結果（例えば、補償）を効率的かつ適切に特定することを権利保有者に認める権利および認可「テンプレート」を受け取る。
【０４６１】
・テンプレートは、特性、コンテンツユーザ、ユーザ階級、および／または他のデジタル情報および／または物理的なまたは仮想のサイトおよび／またはイベントにたいするプロセス制御および管理方式（ｇｏｖｅｒｎａｎｃｅ）に関連づけられたデジタル制御セットに直接に一致し得る。
【０４６２】
・テンプレートは、自己発行し得る。
・テンプレートは、複数のオブジェクト／インスタンスを適用し得る。
・テンプレートは、テンプレートが関連づけられ得る任意のデジタルオブジェクトに独立して配送され得る。
【０４６３】
・テンプレートは、あらたな動作およびシナリオを予測するために伸張可能であり、あらたな動作およびシナリオはあらたな支払方法、価格モデルおよび価格レベル、ならびにあらたな認可を含むが、これらに限定されない。
【０４６４】
・テンプレートは、例えば、分散ならびに伝送および／または再伝送の権利を含む、すべての種類のデジタル権利を柔軟に認識し得る。
【０４６５】
・テンプレートは、個々のアイデンティティおよび／または階級同定権利を柔軟に認識し得る。
【０４６６】
・異なるテンプレートは、異なるコンテンツおよび／またはプロセス制御配置特性タイプを適用し得る。
【０４６７】
・複数のテンプレートは、同一の特性およびプロセス制御配置を適用し得る。
【０４６８】
・権利および認可手形交換所は、スーパーセットテンプレートを保持し得、価値連鎖参加者および／または階層的副手形交換所に１つ以上のこのようなスーパーセットテンプレートを改変して、この１つ以上のスーパーセットテンプレートのサブセットおよび／または拡張されたセットを利用するテンプレートを創作し得る。
【０４６９】
・テンプレートは、例えば、グラフィックユーザインタフェースおよび／または権利管理言語を使用する多数の異なる方法で完成され得る。
【０４７０】
・テンプレート「アプリケーション」は、価値連鎖規則および制御の組織分布的な（ｔｏｐｏｇｒａｐｈｉｃａｌ）、図式的な、直接に編集可能なグラフィク表現を使用して、創作および／または改変され得、ここで、このような規則および制御ならびに価値連鎖参加者は、例えば、混合されたアイコンの、位置的な、流れ図、およびテキスタイル情報の表示によって表現され、ここで、規則および制御は、例えば、権利管理言語の使用を介して実行され、ここで、例えば、エレメントおよび管理言語のこのようなエレメントのより高次なレベルの表現は、グラフィック表現成分に直接に一致し得る。
【０４７１】
・複数の価値連鎖参加者は、テンプレートに寄与しおよび／またはテンプレートを改変し、ならびに／あるいは、同一のデジタル情報を適用する異なるテンプレートに寄与および／またはこれを改変し得る。
【０４７２】
・ユーザは、例えば、制御プロセスを記載しおよび／または管理するデジタル情報（例えば、イベント管理情報）を含み、例えば、安全なＶＤＥ連鎖の取り扱いおよび制御を介して管理される、同一のデジタル情報を適用する異なるテンプレート間で選択し得る。
【０４７３】
・ネットワークまたは他のシステムに亘って権利手形交換機能を分散する（例えば、各消費者および／または価値連鎖参加者ノードは、潜在的に、少なくとも部分的に自身の安全な権利手形交換を開始する分散された権利手形交換サービスであり得、ここで、参加者ノードは、１つ以上の他の参加者、内部動作可能な手形交換ノード、好ましい実施態様においては、適切な、かつＧｉｎｔｅｒらの特許明細書に記載されるようなＶＤＥ技術を利用する活動の全てと直接に権利情報を通信し得る）。
【０４７４】
・動作が論理的におよび／または物理的に他の場所（会社および政府機関の内部、ならびに／あるいは、１つ以上の管轄区域および／または、システムまたはネットワークに亘る権利手形交換機能を分散および／またはさもなくば承認する、より高次の権利手形交換所の包括的な業務焦点領域のサービングサブセットの内部）に位置され得る、１つ以上の分散権利副手形交換所を承認し、および／または１つ以上の分散権利副手形交換所に、またはこれと共同してサービスを提供する。ここで、例えば、各消費者および／または所定のまたはすべての価値連鎖参加者ノードは、潜在的に、包括的な手形交換所ネットワークのコンテクストにおける、自身の安全な権利手形交換取引および機能（１つ以上の他の参加者の内部動作可能なノード、および、このリストにある他の場所のような、例えば、ＶＤＥ技術を適切な物として利用する活動の全てを含む）を開始する分散された使用手形交換サービスをサポートし得る。
【０４７５】
・１つ以上の権利は、コンテンツおよび／またはプロセス制御の使用のいくつかの局面に少なくとも部分的に基づいて、自動的に参加者に提供され得る。このように提供された１つ以上の権利は、特定の使用（例えば、購買）プロファイルの代償として、例えば、クーポンを提供する販売促進コンポーネント（ｐｒｏｍｏｔｉｏｎａｌ  ｃｏｍｐｏｎｅｎｔ  ）として供給され得る。この特定の使用プロファイルは、使用情報から直接確認され得、あるいは、様々な変数を含む重み付けされた公式（ｗｅｉｇｈｔｅｄ  ｆｏｒｍｕｌａ）から導出され得る。
【０４７６】
・階層的に、ピアツーピアで、あるいは組合されたモードで組織化され得る。ここで、権利手形交換（ｒｉｇｈｔｓ  ｃｌｅａｒｉｎｇ）に対する責任は、異なる交易モデルおよび／または活動および／または価値連鎖に対して異なる方式で分散され得る。また、１つ以上の特定のパーティーは、例えば、１つ以上のインスタンス内の他のパーティーに対して階層的により上位（ｓｅｎｉｏｒ）であり、かつ、階層的にピアであり得、あるいは、１つ以上の他のインスタンス内のパーティーに対してより下位であり得る。すなわち、参加者間の関係はプログラム可能であり、かつ、所定の交易活動、価値連鎖またはモデルに対して、１つ以上の所望の権利手形交換構成（ｒｉｇｈｔｓ  ｃｌｅａｎｉｎｇ  ａｒｒａｎｇｅｍｅｎｔ）を表すように設定（後に変更）され得る。
【０４７７】
図４０は、権利および許認可手形交換所４００の例を機能的な観点から示す。この例において、権利および許認可手形交換所４００は、以下の４つの主機能のうちのいくつかまたは全てを実行し得る：
・オブジェクト登録。権利および許認可手形交換所４００は、デジタルプロパティおよびこれに関連する許認可および価格を登録する。
【０４７８】
・要求に応じた許認可。照会に応答して、権利および許認可手形交換所４００は安全な電子コンテナ１５２内に許認可１８８を関連する価格と共に提供する。許認可制御１８８は、コンテンツと無関係に提供され得る。
【０４７９】
・交渉された許認可。照会および要求に応答して、権利および許認可手形交換所４００は、その責任を権利および許認可手形交換所に委任した権利保有者に代わって、許認可および／または価格を交渉する。権利および許認可手形交換所４００はまた、権利保有者と権利使用者（ｒｉｇｈｔｓ  ｕｓｅｒ）との間の交渉における仲介者であり得る。権利保有者および権利使用者は、当事者同士で交渉してもよく、この交渉の結果を権利および許認可手形交換所に報告してもよい。
【０４８０】
・報告。権利および許認可手形交換所４００は報告を提供して、金融手形交換所２００および／または使用手形交換所３００によって実行される報告を増大させることが可能である。
【０４８１】
この例において、権利および許認可手形交換所４００は、以下の機能のいくらかまたは全てを提供し得る。
【０４８２】
・許認可の作成、更新または変更４０８；
・許認可の分散４１０；
・データベース管理４１２；
・テンプレート定義および／または管理４１４；
・許認可交渉４１６；
・報告４１７；
・複製４１８；
・登録４１９；および
・伝播４２０
【０４８３】
権利および許認可手形交換所４００によるオブジェクト登録の主要タスクは、データベース管理４１２によって実行される。これに関して、権利および許認可手形交換所４００は、同じあるいは異なる電子コンテナ１５２内の制御セット１８８および対応するオブジェクト識別４２２を受け取り、次いで、後の参照のためにデータベース４１２内にこの情報を「登録」し得る。権利および許認可手形交換所４００は、テンプレート機能４１４を提供することによって、権利保有者が権利保有者の電子プロパティに関連する権利および許認可を特定する制御セット１８８を定義することを補助し得る。登録処理４１９およびデータベース４１２は、制御セット１８８を、オブジェクトあるいはプロパティ１６６に加えて登録し得る。
【０４８４】
権利および許認可手形交換所４００のデータベース機能４１２および分散機能４１０は、要求４０２に応答して所望される許認可を分散するために用いられ得る。データベース機能４１２および分散機能４１０はまた、（分散機能４１０を介して）特定のプロパティに関する全ての許認可を分散するタスクについて、責任を有し得る。許認可および／または価格は、期限が切れるまたは変動し得るため、権利および許認可手形交換所４００はまた、以前に発行された許認可および／または価格を特定する制御セット１８８の更新すること、およびこれら更新された制御セットを分散することに対して責任を負い得る。
【０４８５】
権利および許認可手形交換所４００はまた、報告機能４１７を提供してもよく、報告機能４１７は、例えば、発行または分散された許認可および／または価格に関係する報告４０６を発行する。この例では、権利および許認可手形交換所４００の動作は、監査の機会、すなわち使用情報がこれを介して接続されるチャネルを提供する。このような監査動作（例えば、権利および許認可手形交換所４００の機能を使用手形交換所３００の機能に統合することによって提供され得る）が使用され、統合報告（ｉｎｔｅｒｇｒａｔｅｄ  ｒｅｐｏｒｔ）が作成される。統合報告についての許認可が提供され、かつ許認可が行使される。市場調査についての非常に価値のある情報およびビジネス結果（ｂｕｓｉｎｅｓｓ  ｃｏｎｓｅｑｕｅｎｃｅｓ）ならびに追加の責任（ａｃｃｏｕｎｔａｂｉｌｉｔｙ）を権利保有者に提供する。
【０４８６】
この権利および許認可手形交換所４００の監査機能は、機密を保護することに特に有利であり得る。例えば、個人の権利および許認可手形交換所４００は、金融手形交換所２００からの機密的な個人取引のレベルの情報を隠すために、支払い統合を提供するように拡張され得る。他の例では、権利および許認可手形交換所４００は、報告４２６を発行できる。報告４２６は、例えば、報告期間の始めにおいてデータベース４１２内に登録されたオブジェクトの数を示し、登録された新規オブジェクトの数を示し、また、おそらくこれらのオブジェクトおよび／またはオブジェクトの特定の種類の平均または中央価格に関連する許認可の種類の数であると考えられる収集統計（ａｇｇｒｅｇａｔｅ  ｓｔａｔｉｓｔｉｃｓ）を示す。
【０４８７】
権利および許認可手形交換所４００はまた、照会４０２に対して応答４２８により応答し得る。要求は、例えば、自動的に認可され得る許認可の要求からなり得る。あるいは、要求は、要求者が許認可を受け取る資格があるか否かを決定するために、権利および許認可手形交換所４００によって資格が与えられる必要があるかもしれない。資格は、１つ以上の有効な認証（ｖａｌｉｄ  ｃｅｒｔｉｆｉｃａｔｅｓ）の存在により確立され得る。資格は、簡単に検査されるか、手形交換所によって認可される許認可についての他の情報とともにプロバイダに転送するためにデータベース４１２内に格納され得る。好適な実施形態において、他の資格が、要求者のＰＰＥ５４および権利および許認可手形交換所４００によって既知である共有シークレット（例えば、要求者が保持する制御セット１８８からの１つ以上のタグ）に基づいていてもよい。この共有シークレットは、認証との組み合わせで使用され得る。また、資格要件が比較的低い、または既に確立されている（例えば、始めから共有シークレットを受け取っている）場合には、共有シークレット単独で、例えば期限切れの許認可を置換または更新する許認可を受け取るために適切であり得る。
【０４８８】
権利および許認可手形交換所４００はまた、許認可交渉エンジン４１６を含む。許認可交渉エンジン４１６は、権利保有者が前もって承認していない許認可１８８を交渉するために用いられてもよい。例えば、消費者９５がデータベース４１２内にない権利を行使したい場合が考えられる。消費者９５は権利を要求し得る。これに応答して、権利および許認可手形交換所４００は、権利保有者が権利保有者に代わってこの権利のために交渉を行うことを許可（ａｕｔｈｏｒｉｚｅ）しているか否かを決定し得る。権利保有者が、権利および許認可手形交換所４００に交渉する権限を付与していない場合には、手形交換所は、権利保有者に連絡を取り、許可および／または許認可自体を要求する。権利保有者が権利および許認可手形交換所４００に交渉許可を認可している場合には、手形交換所は、消費者の制御セットと権利保有者の制御セットとの間の電子交渉（Ｇｉｎｔｅｒらの図７５Ａ−７６Ｂ参照）を開始し得る。結果として得られる交渉された制御セットは消費者に送られ、これにより消費者が権利行使可能になる。
【０４８９】
図４１は、権利および許認可手形交換所４００についての例示的なアーキテクチャを示す。この例では、権利および許認可手形交換所４００は、安全な通信設備４３０、データベースおよび取引プロセッサ４３２、確証器（ａｕｔｈｅｎｔｉｃａｔｏｒ）４３４、許可検査器（ａｕｔｈｏｒｉｚａｔｉｏｎ  ｃｈｅｃｋｅｒ）４３６、および登録プロセッサ４３８を有している。上述のように、権利および許認可手形交換所４００のアーキテクチャは、Ｇｉｎｔｅｒらの特許の開示の図１２および図１３おいて示され、関連するテキストにおいて記載される権利動作システムアーキテクチャに基づいていてもよい。
【０４９０】
データベースおよび取引プロセッサ４３２は、図４０に示されるほとんどの機能を実行する。登録プロセッサ４３８は登録機能４１９を実行し得る。安全な通信設備４３０は、電子ネットワーク１５０をわたって、消費者９５、作家１６４、出版者（ｐｕｂｌｉｓｈｅｒ）１６８、統合者１７０、リパッケージャ１７４および安全なコンテナ１５２を介して他の価値連鎖参加者と安全に通信する。確証器４３４および許可検査器４３６は、Ｇｉｎｔｅｒらの特許の開示において、安全な電子アプリケーションおよび保護された処理環境と関連して記載されるような確証機能を実行する。
【０４９１】
図４２は、権利および許認可手形交換処理の例を示す。この例において、作家１６４は、制御Ａを含む制御セット１８８Ａを有するワーク１６６を出版者１６８に送る。出版者１６８は、（取り扱いおよび制御の安全な連鎖に従って）制御セットに制御Ｂを追加し、新たな制御セット１８８ＡＢを形成する。出版者１６８は制御セット１８８ＡＢを有するワーク１６６を、消費者９５に発行する。出版者１６８はまた、比較的使用が少ないが必要な時もある、より包括的な制御セット１８８ＡＢＣ内の許認可Ｃ（例えば、制御Ｃは、ジャーナリストが、特定の目的のためにワーク１６６の特定の部分を抜粋することを可能にする）の追加セットを特定し得る。
【０４９２】
出版者１６８は、制御セット１８８ＡＢＣを（所望であれば、制御セット１８８ＡＢおよび制御セット１８８Ａも）、権利および許認可手形交換所４００に登録し得る。出版者１６８はまた、追加的な「制御の制御（ｃｏｎｔｒｏｌｓ  ｏｖｅｒ  ｃｏｎｔｒｏｌｓ）」または「許認可の許認可（ｐｅｒｍｉｓｓｉｏｎｓ  ｆｏｒ  ｐｅｒｍｉｓｓｉｏｎｓ）」である「Ｄ」（例えば、Ｇｉｎｔｅｒらの特許の開示の図７９〜図８５と関連して記載される分散制御）を制御１８８ＡＢＣと共に有し得る。これらの追加的な「Ｄ」制御は、権利Ａ、Ｂおよび／またはＣが許可され得る、資格認定（ｑｕａｌｉｆｉｃａｔｉｏｎ  ｏｆ  ｃｒｅｄｅｎｔｉａｌｓ）、再発行の頻度、所定のユーザに対する制御の数などの環境を特定し得る。
【０４９３】
消費者９５（または統合者、リパッケージャまたは別の出版者などの他の任意のプロバイダ）は、権利および許認可手形交換所４００に登録された様々な制御セットのいずれのコピーをも要求し得る。例えば、消費者９５が制御セット１８８ＡＢに従ってワーク１６６を使用するジャーナリストであり、特定の目的のためにワークを抜粋したいと決定した場合、消費者は、出版者１６８が権利および許認可手形交換所４００に以前に登録した超制御セット（ｃｏｎｔｒｏｌ  ｓｕｐｅｒ  ｓｅｔ）１８８ＡＢＣを要求し得る。別の例では、独国在住の消費者９５が米国分散用に意図された制御セット１８８を受け取り得、これにより欧州の法律および通貨環境に適応する異なる制御セットを要求する必要があり得る。更に、権利保有者は、以前に分散された制御を後日変更して、新たな権利の追加、「販売」の提供、権利の取り下げ等を行い得、権利および許認可手形交換所４００は、需要に応じてこれら新たな制御セットもまた分散する責任を有している。
【０４９４】
図４２Ａは、消費者９５が権利および許認可手形交換所４００に制御セット１８８Ｘを登録し得る別の例を示している。制御セット１８８Ｘは、消費者９５が既に受け取ったファイルまたはソフトウエアプログラムなどのオブジェクトに関連する。この新たな制御セット１８８Ｘは、権利および許認可手形交換所４００に、指名されたオブジェクト（ｎａｍｅｄ  ｏｂｊｅｃｔ）のための新たな制御セット１８８Ｙを消費者９５に送るように要求し、権利および許認可手形交換所４００においてそのオブジェクトに登録された制御が変更される時にはいつでも要求する。権利および許認可手形交換所４００は、更新された制御セット１８８Ｙを、特定のデジタルプロパティの登録された全てのユーザに自動的に送り得る。
【０４９５】
別の例において、出版者１６８は、かなり限定された制御セット１８８Ｘを有するワーク１６６を分散し、コンテンツ全体を見るか、そうでなければ使用するために許認可を得るための接続ポイントとして、消費者９５が要約および特定の権利および許認可手形交換所４００のみを見ることを許可する。消費者９５は、次に権利および許認可手形交換所４００に接続し、更なるレベルの使用を許可するより拡大された制御セット１８８Ｙを得ることができる。これにより、高度の会計責任（ａｃｃｏｕｎｔａｂｉｌｉｔｙ）および拡大する監査能力が提供される。なぜなら、これは以前に分散されたプロパティを実際に使用するために、消費者９５が権利および許認可手形交換所４００に接触することを要求するからである。同様に、権利および許認可手形交換所４００は、更新された制御セット１８８Ｙを提供して、期限切れのものと置換し得る。この機構は、例えば、時間の経過につれて特定のアイテムに変更可能なディスカウントを提供するために用いられ得る（例えば、映画配布者が、初回リリース時にディスカウントをいくらにするかを決定せずとも、初回リリース日から６ヶ月後に封切り映画のディスカウントを行うことを可能にする）。
【０４９６】
図４３は、権利および許認可手形交換所４００が実行する権利および許認可手形交換動作の更なる例を示す。図４３の例において、作家１６４、出版者１６８、統合者１７０および任意の他の更なる価値連鎖参加者のそれぞれは、自身の制御セット１８８Ａ、１８８Ｂ、１８８Ｃをそれぞれ権利および許認可手形交換所４００に登録する（これらのプロバイダ制御の分散を制御する追加の制御もまた、登録し得る）。権利および許認可手形交換所４００は次に、個々の制御セット１８８Ａ、１８８Ｂ、１８８Ｃからなる新たに組み合わされた制御セット１８８ＡＢＣを分散し、任意の価値連鎖参加者が、特に関心を有するものではない任意の制御セットを構築（ｆｏｒｍｕｌａｔｅ）しなければならないことから解放する。この例において、権利および許認可手形交換所４００はまた、他の組織（例えば、著作権オフィス（Ｃｏｐｙｒｉｇｈｔ  Ｏｆｆｉｃｅ）といった政府関連機関４４０または専門協会（ｐｒｏｆｅｓｓｉｏｎａｌ  ａｓｓｏｃｉａｔｉｏｎｓ）といった他のタイプの組織）へのインタフェースを有し得る。権利および許認可手形交換所４００は、権利および許認可手形交換所４００に登録されたワークおよび他のオブジェクト中の著作権を自動的に登録し、これにより、権利保有者自身が行わねばならないこのような負担を軽減または排除し得る。権利および許認可手形交換所４００と政府関連機関４４０との著作権登録の相互作用は、たとえば、ＶＤＥおよび安全なコンテナ１５２を利用してもよい。
【０４９７】
図４４Ａ〜図４４Ｅは、権利および許認可手形交換所４００を使用して実行され得る、更なる権利および許認可手形交換処理を示す。この例において、出版者１６８は、プロパティ１６６および関連の制御セット１８８ａを消費者９５に提供する（図４４Ａ参照）。消費者は、電子器機１００および関連の保護された処理環境１５４を使用して、制御セット１８８ａを用いてプロパティ１６６にアクセスしようと試み得るが、消費者は消費者が望む方法でプロパティにアクセスするために追加的な制御セット１８８ｂを要求することを決定し得る。消費者の電子機器１００は、権利および許認可手形交換所４００への要求４０２を生成し得る（図４４Ｂ参照）。応答において、権利および許認可手形交換所４００は、消費者９５によって要求された許認可および価格情報を含む、要求制御１８８ｂを分散し得る（図４４Ｃ参照）。消費者は、次に制御セット１８８に従ってプロパティ１６６を使用し、消費者の使用に基づいて使用／監査トレイル情報３０２を生成する（図４４Ｄ参照）。消費者の電子機器１００は、この使用情報を使用手形交換所３００に報告し得、適切な手形交換所から解放信号を受け取ると、内部に格納された使用情報を「未解決（ｐｅｎｄｉｎｇ）」として削除および／または解放する（図４４Ｅ参照）。
【０４９８】
権利テンプレート
図４５Ａおよび図４５Ｂは権利テンプレート４５０の例を示し、図４５Ｃは対応する制御セット１８８の例を示す。権利テンプレート４５０は、「空欄書込」形式に幾分類似し得る。権利保有者は、権利テンプレート４５０を用いて効率的かつ効果的に特定のデジタルプロパティに関する権利を定義できる。このようなテンプレート４５０は、特定のコンテンツインダストリ（ｃｏｎｔｅｎｔ  ｉｎｄｕｓｔｒｙ）、プロバイダ、およびコンテンツのタイプなどに対して敏感であるという点で、Ｇｉｎｔｅｒらの特許の開示に記載される仮想分散環境技術の多目的能力をフレーミング（ｆｒａｍｉｎｇ）するのに有用である。これにより、プロバイダ等のユーザは、特定の目的について適応可能または有用である資源の、注目が集められた（ｆｏｃｕｓｅｄ）メニューで示されることが可能になる。
【０４９９】
例えば、テンプレート４５０は、制御されているコンテンツまたは他の情報の特性について、どのように分割化されるか、さもなくばどのように組織化されるか、および／またはこれらの組織エンティティが有する属性についての仮定をたて得る。テンプレート４５０は、許認可を定義する処理を単純化し、これにより、仮想分散環境の根本的な能力を開発するための専門知識およびかなりの時間の投資に対する必要性を軽減または排除する。この例において、ユーザがテンプレート４５０を必ずしも使用せず、代わりに権利管理言語（例えば、自然言語またはコンピュータ基本言語（ｃｏｍｐｕｔｅｒ−ｂａｓｅｄ  ｌａｎｇｕａｇｅ））で許認可１８８を定義することが可能であり得る（ユーザの大半は、テンプレート４５０が提供し得る、使い易いグラフィックインタフェースを好むであろうが、多くの異なるコンテンツ小片の許認可を定義するという日常の業務を請け負う場合には、更なるフレキシビリティおよび関連する複雑さを放棄することは気に止めないであろう）。
【０５００】
図４５Ａに示される権利テンプレート４５０の例（例えば、テキストおよび／またはグラフィックプロバイダに適切であり得る）は、例えば、「タイトル表示（ｖｉｅｗ  ｔｉｔｌｅ）」、「要約表示（ｖｉｅｗ  ａｂｓｔｒａｃｔ）」、「タイトル変更」、「再分散」、「バックアップ」、「コンテンツ表示」および「コンテンツ印刷」などの特定のデジタルプロパティに関連する多数の異なるタイプの使用／動作を定義する。権利テンプレート４５０は、更に「メニュー」すなわち使用の各タイプに対応するオプションのリストを提供し得る。これらの様々なオプションにより、権利保有者が、他人がプロパティと関連して行使し得る権利を定義することを可能にする。例えば、権利は以下を含み得る：
【０５０１】
・無条件での許認可
・支払い条件付き許認可
・コンテンツに基づく許認可
・無条件での禁止
・他の要因に基づく禁止および／または許認可
【０５０２】
権利保有者は「記入する（ｆｉｌｌ  ｉｎ）」またはこれら様々なオプション間で選択することにより、その特定のプロパティに対応する「権利プロファイル」を定義し得る。この例では、権利テンプレート４５０は、支払い条件付きで行使される権利のための更なるモデルおよび／またはレベルを促進し得る。このような価格設定モデルおよびレベルは、例えば、一括課金（ｏｎｅ  ｔｉｍｅ  ｃｈａｒｇｅｓ）、ペイパービュー（ｐａｙ  ｐｅｒ  ｖｉｅｗ）、下落コスト（ｄｅｃｌｉｎｉｎｇ  ｃｏｓｔ）等の、様々な異なる分類の業務価格設定（ｂｕｓｉｎｅｓｓ  ｐｒｉｃｉｎｇ）を柔軟に定義し得る。グラフィックインタフェースを用いて、どのように価格設定モデルおよびレベルが特定され得るかの例については、図４５Ｂを参照されたい。
【０５０３】
本例での権利テンプレート４５０は、自己実行され得、および／または権利保有者の選択を実現するために必要な制御を提供する１つ以上の制御セット１８８に自動的に「変換」またはコンパイルされ得る。図４５Ｃは、例えば、図４５Ａの権利テンプレート４５０によって特定されるタイトルを無条件で見ることを可能にする「タイトル表示」制御１８８ａを有する。同様に、図４５Ｃの例の制御１８８は、さらに制御セットエレメント１８８（２）・・・１８８（Ｎ）を含む。制御セットエレメント１８８（２）・・・１８８（Ｎ）は、権利保有者が図４５Ａの権利テンプレート４５０に基づいて定義した権利および許認可１８８に対応する。
【０５０４】
この例では、権利テンプレート４５０は、進展性であり得る。例えば、新らたな技術が新たな動作を利用可能にする、および／または創作すると、権利テンプレート４５０は、既存の権利テンプレートと依然「上方互換（ｕｐｗａｒｄ  ｃｏｎｐａｔｉｂｌｅ）」する一方で、この新たな動作に順応するように拡張し得る。異なる権利テンプレート４５０が、異なるタイプのプロパティ、異なる価値連鎖参加者等のために用いられ得る（同時に、特定の権利テンプレートを、複数のオブジェクトまたはプロパティ、複数の価値連鎖参加者等に適用し得る）。いくつかの権利テンプレート４５０は、他の権利テンプレートのスーパーセット（ｓｕｐｅｒｓｅｔ）であり得る。例えば、権利許認可テンプレート４５０全体が、特定のプロパティまたはプロパティの分類に適用されてよい全ての可能性のある権利を定義し得る。また、サブテンプレートは更に定義されて、異なる消費者、消費者の分類または権利保有者に関連する権利を定義し得る。従って、例えば、作家は配布者が用いるのとは異なるサブテンプレートを使用し得る。テンプレートは再帰的でもあり得る。すなわち、テンプレートは、他のテンプレートを参照するために使用され得る（同様に、テンプレートが定義する制御セットは、他の制御セットを参照し得る）。
【０５０５】
権利および許認可手形交換所４００は、権利テンプレート４５０を部分的に記入し得る。または、（例えば、権利保有者の先在命令（ｐｒｅ−ｅｘｉｓｔｉｎｇ  ｉｎｓｔｒｕｃｔｉｏｎｓ）に基づいて）権利テンプレートを完成するおよび／または複製するために、自動化処理が用いられ得る。権利保有者は、（例えば、コンピュータスクリーン上にオプションのリストを表示し、マウスポインティングデバイスでポインティングおよびクリックして所望のオプションを記入（ｆｉｌｌ  ｉｎ）することによって）グラフィックユーザインタフェースを用いて権利テンプレート４５０を完成し得る。別の例では、権利保有者は、コンピュータが権利テンプレート４５０を記入するために自動的にコンパイル可能か、さもなくば処理可能か、および／または関連の制御セット１８８（単数または複数）を構築することが可能である権利管理言語を用いて、自分の好みによる選択（ｐｒｅｆｅｒｅｎｃｅｓ）を定義することができる。
【０５０６】
図４６は、権利テンプレート４５０を用いた権利および許認可手形交換処理の例を示す。この例では、権利および許認可手形交換所４００および／または個人権利保有者は、権利テンプレート４５０を定義する（図４６、ブロック４５２（１））。権利は、次に権利テンプレート４５０に記入され、これにより、認可され、かつ抑えられた許認可ならびに関連の価格設定モデルおよびレベルを定義する（ブロック４５２（２））。権利保有者は、（例えば、制御されているプロパティを参照および／または適用する１つ以上の制御セット１８８を作成することにより）権利テンプレートによって定義された許認可をオブジェクトに関連づける（ブロック４５２（３））。権利保有者は、次に許認可（制御セット１８８）をオブジェクトに、またはオブジェクトから分離して運ぶ（ブロック４５２（４））。権利保有者は、これらの制御セット１８８を直接消費者９５に送り得（ブロック４５２（５））、および／またはデータベースに登録および格納するために権利および許認可手形交換所４００に送り得る（ブロック４５２（６））。権利および許認可手形交換所４００は、消費者の要求を受け取ると（ブロック４５２（８））、所望に応じてこのような予め許可された（ｐｒｅａｕｔｈｏｒｉｚｅｄ）許認可を消費者に提供し得る（ブロック４５２（７））。
【０５０７】
上述のように、プロバイダは、権利および許認可手形交換所４００によるこのような予め許可された許認可を、分散処理を指揮および／または制御する追加の「分散制御」を提供する機構によって制御する。
【０５０８】
認証当局
図４７は、認証当局の例である、交易ユーティリティシステム（Ｃｏｍｍｅｒｃｅ  Ｕｔｉｌｉｔｙ  Ｓｙｓｔｅｍ）５００を示す。認証当局およびサービスは、一般に、いくらかの事実を「認証」、保証および／または証明するデジタル文書を作成する。事実には、例えば、特定クラス（例えば、組織等）における識別および／または会員資格；年齢グループ、特定の資格認定タイプの所有；１つ以上の特定の管轄権への従属；および／または固定期間の、または指定時間に終了する、コンテンツを使用するための１つ以上の認証された権利および／または処理の所持が含まれる。
【０５０９】
より詳細には、本発明による認証当局は、以下に示す有利な特徴および機能の任意の組合せを、例えば認証の形態で提供し得る：
・確証、同一性、クラス会員資格および／または同一性および／またはコンテクストの他の属性などの規定および／または制御と用いられる、または、この規則および／または制御が要求する、電子認証情報。電子認証情報は、資源（例えば、１つ以上の認証プロバイダの同一性）に基づく、この情報の自動認証および／またはこの情報のクラスの自動認証を含む。
【０５１０】
・消費者または他の価値連鎖の参加者が、自身が１つ以上の特定のグループ、クラスおよび／または組織である、および／またはその一員であるというところの人であることについての信頼された検証を提供する。
【０５１１】
・価値連鎖参加者のグループが集団的に彼らの言うところのものであることについての信託された検証を提供する。ここで、異なるパーティーからの複数の証明書は集合として検査され、また、このような特定の証明書の集合は、コンテンツを使用するおよび／または１つ以上の制御処理を実行するために特定の環境下で要求される。
【０５１２】
・自動的に認証を生成する。認証は、価値連鎖または価値連鎖部分の確証を、複数の特定の証明書の集密の結果として表す。
【０５１３】
・規定および制御の使用により、複数のパーティーから許容できる認証の集団を予測する。パーティーは、認証されたパーティーの特定グループを実質的に表す認証を形成できる。また、２つ以上の予測されるパーティーおよび／またはある特定の基準（例えば、十分な取引収入、十分な預金財産（ｃｒｅｄｉｔ  ｗｏｒｔｈｉｎｅｓｓ）等）に適うパーティーを同定する、ある特定の認証の存在下において、新たな認証が自動的に生成され得、複数のパーティーの集団的および協調的な存在（ｃｏｌｌｅｃｔｉｖｅ  ａｎｄ  ｃｏｏｒｄｉｎａｔｅｄ  ｐｒｅｓｅｎｃｅ）を認証する複合認証として作用する。個々において、上記認証は、ある特定の電子活動（例えば、マルチパーティーＥＤＩ、コンテンツ分散、商取引システムおよび／または金融交易システムなどにおけるコンテンツの使用および／または制御処理など）を可能にする、ある特定の規定および制御に関連し得る。
【０５１４】
・少なくとも一部を認証生成の規定および制御管理の結果として、１つ以上の認証を生成する。このように生成された１つ以上の認証は、例えば、複数のパーティーのそれぞれによって、ある特定の活動などのある特定の基準要件が満たされた後に１つ以上の命令に基づく安全な規定および制御の結果として生成される。例えば、１つ以上の認証および／または承認および／または使用活動および／または預金および／または支払い活動および／または報告活動および／またはＶＤＥ支持電子協定（ａｇｒｅｅｍｅｎｔ）活動（例えば電子交渉活動を含む）の提供である。
【０５１５】
・他の支持サービス（例えば、金融手形交換所、使用手形交換所、権利および許認可手形交換所、取引当局および他の認証当局など）を認証する。
【０５１６】
・別の認証（例えば、同一性）および分散データベース配置をわたって局所的にまたは遠隔的に実行され得る自動安全データベースルックアップに基づいて認証する。
【０５１７】
・依存性の認証（ｄｅｐｅｎｄｅｎｔ  ｃｅｒｔｉｆｉｃａｔｅｓ）を発行する自動サービスに加えて、物的証拠に基づく、より本質的な認証（例えば、同一性認証）を発行する非自動（すなわち、少なくとも一部を人間が提供および補助する）サービスを提供する。
【０５１８】
・公開キー暗号方式、個人キーおよび／または安全ＶＤＥ仮想ネットワークを用いてデジタル認証を支持（例えば、作成）し得る。
【０５１９】
・操作および制御の連鎖を支持する自動的な、信頼された、分散されたピア
ツーピアな安全電子環境における権利使用のためのコンテクストを支持する認証を発行可能である。
【０５２０】
・他の分散交易ユーティリティ（Ｄｉｓｔｒｉｂｕｔｅｄ  Ｃｏｍｍｅｒｃｅ  Ｕｔｉｌｉｔｙ）サービスを用いて、多目的な再使用可能なプログラム可能な分散されたモジュラアーキテクチャにより、無制限の異なる多様なビジネスモデルを支持する。
【０５２１】
・その使用が、特定的および／または不特定的な、ある事実を証明する１つ以上のデジタル認証の存在および／または非存在および／またはクラスに依存する要素を有する制御セットを支持する認証を発行可能である。異なる要件は、異なる発行物に関連する認証のおよび存在または非存在に関して共存し得る。
【０５２２】
・条件付き電子制御セットと協力して、特定の消費者および／または他の価値連鎖参加者（例えば、消費者を含む）にのみ特定の権利を認可する、１つ以上の認証を発行可能である。
【０５２３】
・期限切れの認証のための代用を発行し、かつ、認証の、洗練された時間および／または使用および／または他のイベント駆動型満了（終止を含む）を支持する。例えば、このような満了の基準は、特定の認証、認証のクラス、ユーザの特異性（ｓｐｅｃｉｆｉｃ）およびクラス、ユーザノード等に基づいて多様であり得る。
【０５２４】
・例えば、ノード分散プロファイルおよび／または規定および制御に基づいて、分散されたノードに対して取り消しリスト情報を維持および分散（選択的な分散を含む）する。
【０５２５】
・協同利用可能にピアツーピアでネットワーク構成された分散交易ユーティリティのノード間に、時間に基づく、または他のイベントに基づく方式で、取り消しリスト情報を分散する。ここで、情報は、取り消し情報要求に対する同意のもとに１つ以上の特定のノードに選択的に分散される。また／もしくは、取り消し情報は１つ以上の特定のノードに非選択的に分散される。
【０５２６】
・電子制御セットに具現化された取り扱いおよび制御の安全な連鎖からの権限を受け取る。
【０５２７】
・ネットワークまたは他のシステムをわたって、認証当局の機能を分散する（例えば、あらゆる消費者ノードは、特定種の認証に関して潜在的に認証当局である；親は子のために認証を発行するように権限が与えられる）。
【０５２８】
・認証当局を階層的に組織化する。このことには、この目的のために少なくとも一部は他の認証当局によって発行された認証に依存することを通じて、いくつかの認証当局（すなわち、認証当局により発行された認証および信頼性、妥当性等に関する関連の決定）の自動検証を可能にすることが含まれる。
【０５２９】
・１つ以上の分散認証当局のサブ手形交換所に対して、またはこれと協力して、権限を認可および／またはサービスを提供する。サブ手形交換所の動作は、論理的におよび／または物理的にいずれの場所（例えば、企業内または政府機関内および／または１つ以上の管轄権内）にも位置し得る。また／もしくは、システムまたはネットワークをわたって権利手形交換機能を分散および／またはさもなくば許可する上位の（ｓｅｎｉｏｒ）認証当局手形交換所の業務対称領域全域のサブセットをサービス（ｓｅｒｖｉｎｇ）する。
【０５３０】
・あらゆる消費者および／またはある特定の、または全ての他の価値連鎖参加者のノードは、分散認証当局の手形交換サービスを潜在的に支持できる。分散認証当局の手形交換サービスは、自身の安全な認証および手形交換局のネットワーク全体のコンテクスト内の機能を開始する。分散認証当局の手形交換サービスは、１つ以上の他の参加者の協同利用可能なノードとの手形交換所の協同動作（ｉｎｔｅｒｏｐｅｒａｔｉｏｎ）を含み、このリストの至る所で、全ての活動は、適切にＶＤＥ技術を採用する。
【０５３１】
・責任受諾制御（ｌｉａｂｉｌｉｔｙ  ａｃｃｅｐｔａｎｃｅ  ｃｏｎｔｒｏｌ）（すなわち出版者が受諾した責任の量に基づいて、デジタル認証に保険を掛ける（ｉｎｓｕｒｉｎｇ）ための制御）を提供する。責任受諾制御は、このような責任受諾に関する情報を安全に維持し、かつ、このような認証によって与えられる（ａｆｆｏｒｄｅｄ）責任の保護に関する認証の受領者に通知を提供することを含み得る。また、保険が掛けられた認証の受領者が、例えばＶＤＥ管理の明示的な電子受諾および継続による暗示的な受諾を通じて、保険の量を超える全ての責任を受諾することをさらに含み得る。
【０５３２】
・階層的に、ピアツーピアでまたは組み合わされたモードで組織化され得る。ここで、認証当局の活動に対する責任は、異なる交易モデルおよび／または活動および／または価値連鎖に対して異なる方式で分散され得る。また、ある特定の１つ以上のパーティーは、例えば、１つ以上のインスタンス内の他のパーティーに対して階層的により上位であり得、かつ、１つ以上の他のインスタンス内で階層的にピア、または、より下位であり得る。すなわち、参加者間の関係はプログラム可能であり、所定の交易活動、価値連鎖またはモデルに対して、１つ以上の所望の特定的な認証当局配置を表すように設定（また、後に変更）され得る。
【０５３３】
図４７は、認証当局５００の例をプロセスの観点から示す。この例において、認証当局５００は、認証５０４と呼ばれる、いくらかの事実（例えば、同一性またはクラス会員資格）を「認証」するデジタル文書を作成する。例えば、信頼された第三者である認証当局５００は、消費者が、消費者が主張するところの人である、または消費者がある特性、属性、クラス会員資格などを有しているということについての安全なデジタル保証を提供する。例えば、いくつかの属性は、特定のクラスの会員（例えば、ある企業の従業員）、ある日付よりも前に生まれた人々、ある身体障害を有する人々、学部教員（ｍｅｍｂｅｒ  ｏｆ  ｔｈｅ  ｆａｃｕｌｔｙ）、大学の管理職員または学生（ａｄｍｉｎｉｓｔｒａｔｉｏｎ  ｏｒ  ｓｔｕｄｅｎｔ  ｂｏｄｙ）または退役軍人を示し得る。
【０５３４】
この例では、認証当局５００によって発行されるデジタル認証５０４は、権利使用および取引許可のコンテクストのコンベアとして用いられる。Ｇｉｎｔｅｒらの特許の開示に記載されるように、認証５０４は、仮想分散環境において特に有力である。なぜなら、認証５０４は権利使用のためのコンテクストを提供するからである。例えば、クラスベースでの認証の使用および自動化、交易権利の分散された管理は、信頼されたネットワークの効率を本質的に向上させる。例えば、コンテンツ出版者が、高等教育を受けている人を除く全ての人々に対して学術誌購読のための商業的価格を課金したい、そして、大学（ｃｏｌｌｅｇｅ  ａｎｄ  ｕｎｉｖｅｒｓｉｔｙ）の学生および教授に２０％ディスカウントするつもりである場合を仮定する。信頼された認証当局５００により発行されたデジタル認証５０４は、（分散された電子ネットワークのコンテクスト内において）自動的に保証を提供するために用いられ得る。この保証は、真にディスカウントの権利が与えられた人々のみがこれを行使できるようにする（この例では、高等教育の制度に加入しているとして認証される人々のみ）。
【０５３５】
図４７の例において、認証当局５００は、以下の機能全体を実行し得る：
・事実収集またはチェック５２２
・認証生成５２４
・取り消しリストの維持５２６
・認証および取り消しリストの分散５２８
・確証５３０
・認証更新５３２
・許可５３４
・複製５３６
・伝播５３８、および
・アーカイブ５５４
【０５３６】
認証当局５００は、デジタル認証５０４を発行するための根拠として証拠５０２を集める。本例では、証拠５０２は、（例えば、ある認証が他にも構築され得るように）他のデジタル認証５０４’を含み得る。事実収集およびチェック機能５２２は、この証拠５０２を追加の信頼性データ５４０（例えば、損なわれた、または以前に誤って使用された認証に関する情報）とともに受容する。認証生成機能５２４は、この事実収集およびチェックプロセス５２２に基づいて新たなデジタル認証５０４を生成し得る。分散機能５２８は、次に、新たなデジタル認証５０４を分散し、かつ、請求書４５２を発行し、認証当局の認証の発行に関し得る労力および負担の請け負いに対して補償する。
【０５３７】
認証当局５００はまた、取り消しリスト５４２を、信頼性データ５４０に基づいて維持し得る。信頼性データ５４０は、たとえば、損なわれた、または以前に誤って使用された認証であって、事実がもはや真実ではない（例えば、Ｍｒ．  Ｓｍｉｔｈは、以前はスタンフォード大学の教授だったが、その後、大学の雇用からはなれた）認証を示す。維持される取り消しリスト機能５２６は、「不良な」認証が、ひとたび不良であることがわかれば続けて使用され得ないことを確実にするための機構を提供するために重要である。認証当局５００によって発行された認証５０４は期限が切れ得、認証当局は、認証更新機能５３２を実行することにより、（例えば、有料で）以前に発行された認証を更新し得る。認証当局５００は、発行された認証の記録またはデータベースを維持し得、このデータベースは分散され得る（これは、複製機能５３６および伝播機能５３８の恩恵を受けて、正確かつ効率的にデータベースを異なる多くの位置にわたって分散できる）。
【０５３８】
図４８は、認証当局５００のためのアーキテクチャの例を示す。この例では、認証当局５００は、安全な通信設備５４４、暗号化／復号化プロセッサ５４６、請求書発行システム５４８、キー生成器５５０、照会機構５５２、および電子アーカイブ５５４を備え得る。この例では、安全通信器５４４は、他の電子機器１００および／または他の交易ユーティリティシステム９０と通信するために用いられる。電子アーカイブ５５４はキー、認証５０４および認証当局５００の動作を維持するために要求される他の情報を格納する。暗号化／復号化プロセッサ５４６は、強力な暗号化技術を用いてデジタル認証５０４を作成するために用いられる。請求書発行システム５４８は、請求書５４２を発行する。照会機構５５２は、電子アーカイブ５５４を照会するために用いられる。キー生成器５５０は、認証当局５００が自体の動作のために必要とする暗号化キーを生成するために用いられる。
【０５３９】
図４９は、認証当局処理の例を示す。この例では、出版者は、消費者９５に電子的安全コンテナ１５２を送り得る。安全コンテナ１５２内の特定の許認可１８８ａを使用するために、消費者９５は、消費者についての特定の事実（例えば、消費者が米国市民である、消費者が退役軍人である、消費者が１８歳を超える年齢である等）に関して認証する認証を、認証当局５００から要求し得る。消費者は、適切な認証の発行のために認証当局５００に対して要求５０２を生成し得る。認証当局は消費者９５が提供する証拠５０２、あるいは、第三者が提供し得る証拠をチェックし得、および（認証当局５００が満足させられると）消費者に要求されるデジタル認証５０４を発行する。このデジタル認証５０４は、出版者の制御セット１８８ａだけでなく、同じ事実の認証を要求する他の権利保有者および認証発行者として信頼認証当局５００に同意している他の権利保有者からの制御セットにも用いられ得る。
【０５４０】
認証当局５００は、安全なコンテナ１５２を用いて消費者９５と通信し得る。これは、認証５０４を有する制御セット１８８ｂを生成および提供し得る。この制御セット１８８ｂは、認証５０４の使用のいくつかの局面を制御し（例えば、これは、再分散および／または修正されないかもしれない）、および／または更なる依存性認証の発行のための取り扱いおよび制御の連鎖を定義する（例えば、両親は、彼らの子孫についての認証を発行する権限を与える）。
【０５４１】
ある認証当局５００は、（例えば、１つ以上の電子制御セット１８８によって定義される取り扱いおよび制御の連鎖内の）他者に代わって、認証を発行する代理とされ得る。多数の異なる電子器機をわたって認証当局５００を分散することは、例えば、効率という点において利点を有している。図５０は、この分散された認証発行シナリオの有用な例の１つを示している。
【０５４２】
図５０は、権利保有者１６４（および／または権利および許認可手形交換所４００）が（例えば、安全なコンテナ１５２ａ内の電子制御１８８ａを発行することによって）、認証当局５００に対して、施設１０６０のような、高等教育の公共施設にデジタル認証５０４（１）を発行し得るように要求する。制御セット１８８ａは、事実、特定の施設が正式に認可されたか否かを確認するために必要な方策および手順を確立し得る。施設１０６０によって呈示された電子制御１８８ａおよび証拠５０２に基づいて、認証当局５００は、正式認可の事実を証明する（ａｔｔｅｓｔ）デジタル認証５０４Ａを発行し得る。
【０５４３】
認証５０４Ａを利用するために、施設１０６０の生徒、学部教員（ｆａｃｕｌｔｙ  ｍｅｍｂｅｒ）および／または職員は、自分が施設１０６０に加入されているという事実を証明する更なる認証を提供する必要があるかもしれない。認証当局５００に、施設１０６０の生徒、学部教員および／または職員のそれぞれに対して更なる認証５０４を発行させる代わりに、認証５０４Ａを保持する各施設１０６０が、自身の学部教員、職員および／または生徒に依存性認証５０４（２）を発行することが効率的であるおよび／または望ましいかもしれない。例えば、施設１０６０は、現在の全生徒、学部教員および職員（ｅｍｐｌｏｙｅｅ）のリストを維持し得る。分離された認証５０４（１）を施設１０６０の生徒、学部教員および職員のそれぞれに発行することを認証当局５００に要求する代わりに、施設は、この責任自体を請け負い得る。
【０５４４】
例えば、施設１０６０は、それ自身の分散認証当局５００Ａを操作することを選択し得る。ある例において、認証当局５００は、電子制御１８８ｂ（例えば、権利保有者１６４によって発行された制御１８８ａに従属する）を発行し得る。電子制御１８８ｂは、例えば、施設の認証当局５００Ａに、特定の制限（例えば、「この人物は、施設１０６０に公務上関連する」等といった事実の制限されたユニバース（ｕｎｉｖｅｒｓｅ）を証明する）内において従属認証５０４（２）を発行する権限および責任を委任する。この従属認証５０４（２）は、例えば、特定の人物が施設１０６０に関連することを述べ、かつ、特定の期限期日（例えば、現在の学期の最後）を述べる付録を有する認証５０４（１）のコピーであり得る。施設の認証当局５００Ａは、次にこのような従属認証５０４（２）を現名簿上の各学部教員、生徒および職員のそれぞれに対して発行する。
【０５４５】
認証５０４（２）の受取人は、彼らの同一性を証明する更に別の認証５０４（１）を必要とし得る。これは、認証当局５００Ａが、特定の固有の人物が施設１０６０に加入しているという事実を証明する（このような認証の特定の受取人がその人であるという事実は証明しない）認証５０４（２）を発行するからである。受取人は、政府が操作する認証当局５００（例えば、州政府または連邦政府）からの、この更なる「同一性」認証５０４（１）を得ることを必要とするかもしれない。
【０５４６】
権利保有者１６４は（および／または権利および許認可手形交換所４００（図示せず））は、デジタルプロパティ１６６のための制御セット１８８ｃを発行する。制御セット１８８ｃは、ディスカウントを許可する、または、「公認の高等教育施設」のクラスの一員であることを証明する有効なデジタル認証５０４の組合せを提供する人々に対して、他の利点を提供する。認証５０４（２）を受け取った施設１０６０の生徒、学部教員および職員のそれぞれは、これらのディスカウントおよび他の利点を利用し得る。図５０Ａは、このように異なるデジタル認証が使用され、認証条件的制御１８８（すなわち、要素が、特定の事実を証明する認証５０４の存在および非存在に依存する制御セット）を支持し得る方法を示している。
【０５４７】
この図５０Ａの例において、１つ以上の制御セット１８８ｃは、例えば、同じデジタルプロパティ１６６またはプロパティのグループに適応される多数の個別の制御１８８（１）・・・１８８（Ｎ）を含む。制御１８８（３）は、追加のおよび／または異なる権利を、スタンフォード大学の全ての生徒、学部教員および職員に提供する。図５０Ａに示される例において、複数の認証は共に用いられ、要求された認証を提供し得る。例えば、図５０の例に示される認証５０４（１）、５０４（２）および５０４Ａは共に用いられ、特定の人物が高等教育の公共機関の生徒、学部教員および職員に提供されたディスカウントを利用することを可能にする。例えば：
・認証５０４（１）は、特定の人物Ｊｏｈｎ  Ａｌｅｘａｎｄｅｒが彼自身の言うところの人であるという事実を証明し得る。
【０５４８】
・別の認証５０４Ａは、スタンフォード大学が高等教育の公共機関であるという事実を証明し得る。
【０５４９】
・別の認証５０４（２）は、現学期においてはＪｏｈｎ  Ａｌｅｘａｎｄｅｒがスタンフォード大学の生徒であるという事実を証明し得る。
【０５５０】
これら様々な認証５０４のそれぞれは、異なる認証当局５００によって発行され得る。例えば、（例えば政府エンティティによって操作される）１つの認証当局５００は、消費者の同一性を認証する認証５０４（１）を発行し、一方、別の認証当局が生徒のステータスに関して証明する認証５０４（２）を発行し得、第３の認証当局は、スタンフォードが公共の大学であるという事実を証明する認証を発行し得る（図５０参照のこと）。
【０５５１】
さらなる例として、図５０Ａに示される制御セットエレメント１８８（１）は、カリフォルニアの住人にとってはある利益を提供し得る。その条件は、（例えば「同一性」認証５０４（１）とともに）居住していることを認証するデジタル認証５０４（３）を提示する消費者によって満足され得る。図５０Ａに示されるさらなる許可１８０（Ｎ）は、米国民であることを示す認証５０４（５）を提示することによって満足され得る。所与の人物が１以上の管轄（例えば、特定の都市、州、国あるいは他の政治単位における居住者あるいはそこで仕事をしている−−したがって、その単位の消費税、所得税あるいは他の税が課せられる、あるいはある行政の料金が課せられる）の下にあることを証明するこのような認証５０４（３）、５０４（４）は、州内および／あるいは国際交易取引には特に役に立つ。例えば、認証当局５００は、英国内の金融手形交換所２００に認証５０４を発行し得る。この認証５０４は、権利保有者および／または、英国金融手形交換所２００のみがポンドスターリングでの支払いを受け入れることを承認されていることを特定する権利および許認可手形交換所４００によって分散された制御セット１８８とともに用いられ得る。用いられている金融手形交換所が適切な英国認証を有している場合、ポンドスターリングで支払うことを望む消費者のみが、支払い取引を終了することが可能になるであろう。そして、提供者のどの取引が英国の課税を受け、どの取引が英国の課税を受けないのかを決定する負担を軽減すると、この英国手形交換所は適切な英国の税金を支払いうる。
【０５５２】
図５０Ａはまた、ある人物がある他の人物と結婚していることを認証するさらなる認証５０４（４）を示す。認証５０４（４）を用いるためには、同一性を認証する第１の認証５０４（１）を提示することがまた必要であり得る。個々の人々の間の関係あるいは人々と組織との間の関係を立証するこのような認証は、例えば、家族の一員が他の家族の一員の認証を利用可能にする際に有用である（例えば、ある人物がその配偶者の、あるいはその両親の認証証明書に基づいて恩恵を得ることができる）。
【０５５３】
図５１Ａ−５１Ｄは、様々なデジタル認証５０４の詳細なフォーマットの例を示す。図５１Ａのデジタル認証５０４（１）は、ある人物が自分自身を名乗っている人物であることを認証しうる。この認証５０４（１）は、例えば以下を含みうる。
【０５５４】
・その人物の氏名を表すフィールド５６０（１）
・その人物の出生日を特定するフィールド５６０（２）
・デジタル認証が失効する時を特定する失効フィールド５６０（３）
・その人物の公衆鍵に対応する公衆鍵５６０（４）、（この例における公衆鍵フィールド５６０（４）のハッシュであり得る）ＩＤコード５６０（５）
・エラーチェック能力を提供するチェックサムフィールド５６０（６）
【０５５５】
デジタル認証５０４（１）は、この例では、ＲＳＡやＥｌ  Ｇａｍａｌ等の公衆鍵−プライベート鍵暗号システム対の認証当局のプライベート鍵を用いて認証当局５００によって暗号化される。認証当局５００に対応する公衆鍵は、（例えばいくつもの公衆がアクセス可能な  Ｗｏｒｌｄ  Ｗｉｄｅ  Ｗｅｂ上のサイト、あるいは広く分散されたコンテクストで公衆鍵を配布することによって）公衆化され得る。あるいは秘密のままにされ保護された処理環境１５４の外部には決して曝され得ない。いずれの場合でも、デジタル認証５０４（１）の解読が成功して、元の明確なテキスト情報が明らかになると、認証当局５００によってデジタル認証が発行されたことによる高度な保証が与えられる（認証当局のプライベート鍵は破られて（ｃｏｍｐｒｏｍｉｓｅ）いないと仮定する）。
【０５５６】
取消リストのチェックを省略する人々は、認証が周期的に更新されるに違いないのであれば認証は優れている、という少なくとも何らかの保証があるので、失効フィールド５６０（３）は有用である。失効期日フィールド５６０（３）は、認証は永遠には存続しないと保証することによって、更なる保護手段を与え、認証当局５００は異なる暗号化鍵の対を用いて例えば認証プロセスの総合的な統合および信用を与えることが可能になる。認証当局５００の鍵の対を変更すると、所与の鍵を破る相手に対してインセンティブを減少させる。なぜなら、その鍵によって保護される情報量は限られているが、破られた鍵の不正使用では限られた時間しか有効にならないからである。さらに、（現在のところでは）予想外の数学の進歩によっては、使用されないいくつかの暗号アルゴリズムを役に立たなくするであろう。なぜなら、暗号アルゴリズムは、（現在のところ）理論的に処置できない計算に頼るからである。認証当局５００の鍵を変更するためのビルトイン機構によって、再発行される認証に対して新たなアルゴリズムが用いられる場合には、そのような機能停止の影響はある期間に限られる。あるいは、更なる解読時間を犠牲にすれば、サインおよび有効鍵に対する異なるアルゴリズムに応じて生成される複数の非対称な鍵の対を用いることによって、この危険はまた対処（ａｄｄｒｅｓｓ）  され得る。
【０５５７】
図５１Ｂ，５１Ｃおよび５１Ｄは、異なる種類の情報（例えば、認証５０４（５）の場合には専門証明書フィールド５６０（７）、認証５０４（３）の場合にはアドレスフィールド情報５６０（８）および学生認証５０４（２）の場合には学生証明書フィールド５０４（９））を含む、さらなるデジタル認証の例を示す。これらの認証５０４（２）、５０４（３）、５０４（５）は、共通ＩＤフィールド５６０（５）を介して同一性認証５０４（１）に関係づけられ、同一性認証および独立認証の双方は、一般に共に提示される必要があり得る。
【０５５８】
図５１Ｅは、ある認証当局によって発行された例示的なデジタル認証が、信用のおけるデータベースと関連してどのようにして他の認証当局が他の認証を与える根拠にし得るかを示す。ある認証当局５００Ａは、例えば、有効ユーザ同一性を確認し、図５１Ａに示される同一性認証５０４（１）を作成する。ユーザはこの同一性認証５０４（１）を他の認証当局５００Ｂに提出することができる。他の認証当局５００Ｂは、特定の属性を持つ、人々および／または組織のデータベース５５４ａを有する。例えば、認証当局５００Ｂは、内部データベース５５４ａを保持する専門機関によって操作されうる。認証当局５００Ｂは内部データベース５５４ａのコンテンツを維持し、正しく保つので、認証当局５００Ｂは内部データベース５５４ａのコンテンツを信用する。
【０５５９】
図５１Ａの認証における識別情報と信用のおけるデータベース５５４ａのコンテンツとを比較することによって、認証当局５００Ｂは、図５１Ａの認証の所有者から物理的な証拠を要求することなく、図５１Ｂの認証を発行することができる。これは、ユーザが高度に信用された認証を必要とするときに、いつも「顔を出す」ことを要求するという重要な問題を解決し、第２の認証生成プロセスを自動化することを可能にする。
【０５６０】
図５１Ｅは、認証当局５００Ｂによって発行された認証５０４（２）は、（同一性認証５０４（１）にしたがって）信用のおけるデータベース５５４ｂ内の、認証当局５００Ｃ自身のルックアップに基づいて、認証当局５００Ｃがさらなる認証５０４（３）を発行するための十分な根拠であり得ることを示す。
【０５６１】
他の例は、国務長官の管轄権において組織されており、同一性を国務長官に証明する会社（ｃｏｒｐｏｒａｔｉｏｎ）であり得る。この会社が危険材料を取扱うために見本を認めている場合には、この会社は、国務長官（この場合には認証当局５００Ａを含む）からのその同一性の認証５０４（１）を、危険材料を取扱うための資格を現在与えられ承認されている、会社のデータベース５５４ａを維持する責任を有する代理人（認証当局５００Ｂ）に提出しうる。その後認証当局５００Ｂは、望まれるのであれば完全に自動化によりこの事実を証明する認証５０４（２）を発行しうる。
【０５６２】
参加者にエンティティの代理人としての職務を許可するための認証
時には、特定の価値連鎖（ｖａｌｕｅ  ｃｈａｉｎ）の１以上の参加者（ｐａｒｔｉｃｉｐａｎｔ）あるいは他の参加者と特定の関係を持つ１以上の参加者は、承認され、参加者の集合の代理人の職務を行う必要がある。例えば、ある当事者は、提携あるいは自分がその一員であるジョイントベンチャーからの承認に基づいて職務することを希望しうる。あるいは、特定の価値連鎖にあるすべての参加者は、価値連鎖のためにその全体として職務することが必要であり得る。エンティティからそのような承認をうける参加者の各々は、そのエンティティから承認をうけ、職務することが必要であり得る。
【０５６３】
本発明は、デジタル認証５０４が使用され、任意に連合した参加者に任意に組合わされた同一あるいは異なる権限を発効し、使用が制御された条件下で、規定された権限を行使する任意の「仮想エンティティ（ｖｉｒｔｕａｌ  ｅｎｔｉｔｙ）」を生み出し得る機構を与える。より具体的には、デジタル認証は仮想エンティティの各参加者に、そのエンティティとして職務する権限を発効する。職務は、使用条件の制限内でおよびさらには、コンテナ（ｃｏｎｔａｉｎｅｒ）と関連した電子制御によって特定された使用条件で規定された任意の結果とともに行われる。
【０５６４】
図５１Ｆは、以下の情報を入れた例示的な電子コンテナ１５２を示す。「仮想エンティティ」を識別する値５６４、署名５６６（１）−５６６（Ｎ）（そのエンティティの各員に１つ）、そのエンティティに属する他の情報５６８、デジタル認証５０４（１）−５０４（Ｎ）（そのエンティティの各員に１つ）、ならびに権限（例えば権利あるいは許認可）および「使用条件」を特定する制御情報１８８と
値５６４はそのエンティティを一意に識別する識別子を与える。「他の情報」フィールド５６８は、そのエンティティに関する更なる情報（例えば、そのエンティティの名称、各参加者の氏名および住所、そのエンティティが存在し終わる失効日）を与え得る。署名５６６（１）−５６６（Ｎ）は、提携の同意の署名のようなものである。その仮想エンティティの各員は、その者の「署名」を添えて、その：の一員になることに同意し、各参加者に付与された条件に同意する。
【０５６５】
この例のコンテナ１５２は、さらに、その権限が行使されうる条件を記述する電子制御セット１８８を含む。制御１８８は、参加者の各々に付与された権限を規定する。制御１８８は、（この例では）これらの権限を行使するための条件あるいは制限を含む。制御１８８は、各参加者に対して同一の権限および／または使用条件を与え得る。あるいは制御１８８は、各参加者に対して異なる権限および／または使用条件を与え得る。
【０５６６】
例えば制御１８８は、仮想エンティティの各参加者に、そのエンティティを代理する認証当局５００として職務する権限を付与する。この特定の例では、制御１８８は、仮想エンティティの各関係者にその仮想エンティティを代理する認証書を作ることを許可する。許可は、使用条件の制限内および制御で特定される使用条件に規定された結果とともに行われる。上述のように、認証書を付与する権利は、ほんの一例である。任意のタイプの電子権利あるいは許認可が、任意のタイプの電子使用条件に基づいて付与されうる。
【０５６７】
図５１Ｇは、図５１Ｆのコンテナ１５２を生成する１つの例示的なプロセスである。この例では、仮想エンティティに対する関係者は、例えばＧｉｎｔｅｒらの特許明細書図７５Ａ−７６Ｂに示される電子交渉技術に基づいて、集団活動を管理する制御情報を交渉しうる（図５１Ｇ、ブロック５７０）。その結果得られた制御情報１８８は、そのエンティティにおける各参加者によって行使されうる権利などの「使用条件」およびこれらの権利のそれぞれに課せられる（参加者毎に規定されうる）限定を特定しうる。
【０５６８】
デジタルコンテナ１５２の参加者開始保証（ｐａｒｔｉｃｉｐａｎｔ  Ｉｎｉｔｉａｔｉｎｇ  Ｉｓｓｕａｎｃｅ）（実際は、参加者の保護された処理環境（Ｐｒｏｔｅｃｔｅｄ  Ｐｒｏｃｅｓｓｉｎｇ  Ｅｎｖｉｒｏｎｍｅｎｔ）１５４）は、エンティティ識別子の値５６４としてランダムな値が選択され、使用されうる（図５１Ｇ、ブロック５７２）。参加者のＰＰＥ１５４は、次にエンティティ識別子の値５６４を他の情報５６８に関連づけることによって、その仮想エンティティに対する認証情報を作成しうる（図５１Ｇ、ブロック５７４）。参加者のＰＰＥ１５４は次に、仮想エンティティ認証情報にサインし、その仮想エンティティの一員になることの参加者の同意および制御情報１８８の使用条件の同意を示しうる（図５１Ｇ、ブロック５７６）。
【０５６９】
参加者のＰＰＥ１５４は続いて、電子コンテナ１５２を作り、その中に制御情報１８８と、仮想エンティティ認証情報５６４、５６６、５６８と、参加者が権利を行使するのに用いられ得る暗号鍵を特定する参加者自身の認証５０４を入れる（図５１Ｇ、ブロック５７８）。参加者はそれから、参加者がエンティティ認証にまだこれ以上追加される必要があるかを決定する（図５１Ｇ、ブロック５８０）。「はい」である場合には、コンテナ１５２は、その仮想エンティティの他の参加者員に送信され（図５１Ｇ、ブロック５８２）、その次の参加者によってアクセスされ確認される（図５１Ｇ、ブロック５８４、５８６）。次の参加者は同様に、その者もまた制御１８８およびその仮想エンティティへの参加に同意することを示す署名５６６（２）をリストに付加することによって、仮想エンティティ認証情報にサインする（図５１Ｇ、ブロック５８８）。この新たな情報は、エンティティ認証情報５６４、５６６、５６８に追加および／またはエンティティ認証情報５６４、５６６、５６８を交換するために用いられる（図５１Ｇ、ブロック５９０）。この次の参加者はまた、自分自身の認証５０４（２）をコンテナ１５２に追加する（図５１Ｇ、ブロック５９２）。
【０５７０】
ステップ５８０−５９２は、コンテナ１５２が仮想エンティティ内の各参加者によってサインされるまで繰り返されうる（「いいえ」である場合には、決定ブロック５８０を出る）。完成したコンテナ１５２は、それからすべての参加者に伝送される（図５１Ｇ、ブロック５９４）。
【０５７１】
図５１Ｈは、図５１Ｆに示される制御１８８に基づいて、仮想エンティティ参加者が仮想エンティティに代わり権限を行使するのに用いうる例示的なプロセスを示す。図５１Ｈの例示的プロセスは、要求に基づいて、参加者の保護された処理環境１５４によって行われる。参加者の保護された処理環境１５４は、監査記録を書き出し（図５１Ｈ、ブロック５９４Ａ）、制御１８８によって特定された使用条件を用いて、要求を評価する（図５１Ｈ、ブロック５９４Ｂ）。要求が制御１８８によって許可されると（「はい」である場合は、図５１Ｈのブロック５９４Ｃを出る）、参加者の保護された処理環境１５４は、コンテナ１５２から仮想エンティティの値５６４にアクセスし（図５１Ｈ、ブロック５９４Ｄ）、使用条件と関連した制御情報１８８を用いて要求を実行し適切な結果にする（図５１Ｈ、ブロック５９４Ｅ）。ある例では、参加者の保護された処理環境１５４は、デジタル認証５０４を発行することによって仮想エンティティに代わって認証当局５００として職務する。デジタル認証５０４を発行するということは、コンテナ１５２に含まれる参加者自身の認証５０４に対応する暗号鍵でエンティティ識別子の値５６４を暗号化することによって、デジタル認証書にデジタルにサインし、新たに発行された認証書のデジタル認証部分を作成することである。この例は、その後、さらなる監査情報５９４Ｈを書き出し、行った動作について報告する。
【０５７２】
要求された動作が、制御１８８によって許可されていない場合には（図５１Ｈ、「いいえ」は決定ブロック５９４Ｃを出る）、この例の図５１Ｈプロセスは、エラーが致命的かどうかを決定する（決定ブロック５９４Ｆ）。エラーが致命的である場合には（「はい」は決定ブロック５９４Ｆを出る）、プロセスは、コンテナ１５２内の情報の更なる使用をディスエーブルし（ブロック５９４Ｇ）、さらなる監査情報を書き出し（ブロック５９４Ｈ）、および停止する（図５１Ｈ、ブロック５９４Ｉ）。エラーが致命的でない場合には（「いいえ」は決定ブロック５９４Ｆを出る）、保護された処理環境１５４はさらなる監査情報を書き出し（ブロック５９４Ｈ）、そしてこのタスクを終了しうる（図５１Ｈ、ブロック５９４Ｉ）。
【０５７３】
図５１Ｆ−５１Ｈに示されるプロセスおよび技術には、多様な異なる使用法がある。一例として、第１の出版者が自身のコンテンツおよび第２の出版者から与えられたコンテンツを含む派生的作品（ｄｅｒｉｖａｔｉｖｅ  ｗｏｒｋ）を出版すると仮定する。２人の出版者は仮想エンティティを形成し得、仮想エンティティは第１の出版者をそのエンティティの代理として職務することを許可する。しかしそれは、パートナー双方によって取り決められ、同意された使用条件に応じてにすぎない。例えば、第２の出版者は、第１の出版者が第２の出版者のコンテンツを再出版すること、および消費者９５によってそのコンテンツを抜粋しアンソロジー編集すること（但し、その消費者が仮想エンティティによって発行された適切な認証５０４を提示し、仮想エンティティがその消費者は、その権利を行使することが許められている事実を証明する場合に限る）を喜んで許可しうる。例えば、ある特性を持つ特別な申込者のみが、認証５０４を受け取る資格を有しうる。上述の技術では、第１の出版者は、第１の出版者および第２の出版者の双方を含む仮想エンティティの代わりに申込者に認証５０４を発行することができる。第１の出版者は双方の出版者によって取り決められ、同意された使用条件に応じてのみ認証を発行しうるので、第２の出版者は提携者（ｃｏｎｆｉｄａｎｔ）である。
【０５７４】
別の例では、複数の参加者を含む製造プロセスである。制御１８８によって与えられる使用条件は、製造プロセス価値連鎖内の任意の価値連鎖の参加者が価値連鎖全体の代わりにある活動をすることを許可しうる。例えば、材料製造者、完成品供給者およびそれらの間で材料を運送する輸送会社は、仮想エンティティを形成しうる。そして仮想エンティティは、取引当局に制御セットを提出しうる。制御セットは、全３参加者が提携して活動することを記載したプロセスを記載している。簡単な例として、例えば、彼らの仮想エンティティに適用可能な使用条件に応じて作り出された制御セットでは、材料の要件の統一表示、完成された外観（ｆｉｎｉｓｈｅｄ  ａｐｐｅａｒａｎｃｅ）および配送スケジュールが認められる。
【０５７５】
他の例では、半導体会社、システムインテグレータおよび３つの異なるソフトウェア提供者は、半導体会社のチップ設計、シミュレーションおよび設計検査アプリケーションをサポートする仮想エンティティを形成しうる。この例では、認証はこの例のエンティティをなす各会社と、各会社の特定の個人に発行されうる。会社間で取り決められた規則および制御は、誰がソフトウェアアプリケーションおよび関連するデータベースにアクセスを有するか、および誰がそのソフトウェアおよび／またはデータに修正を加え得るかを特定する。このように、半導体会社は、外部の契約者および／または提供者、およびこれらの外部の会社を代表する特定の個人に対してアクセスを承認することができる。これらの個人は典型的な問題を解決するためにおよびシステム維持の仕事を行うためにのみ十分なアクセスを承認されうる。さらに、これらの個人は、限定された期間、さらなる権利（承認）を付与され得、デフォルトの許可には含まれていない、ある実行可能プログラム（ｅｘｅｃｕｔａｂｌｅｓ）  および／またはデータへの解決のためのアクセスを要求する特定の問題を解決する。
【０５７６】
本発明の仮想エンティティの特徴は、部分的に、Ｇｉｎｔｅｒらに開示された取扱い連鎖および制御技術に基づいて築かれた拡張を提示する。例えば、本発明のこの局面に応じて作り出された認証は、ＶＤＥ取扱いおよび制御の連鎖の能力を利用し得、認証連鎖を管理する。
【０５７７】
安全ディレクトリサービス
図５２は安全ディレクトリサービス交易ユーティリティシステム６００の例を示す。安全ディレクトリサービスは、氏名、住所、公衆鍵、認証書等のような、電子ディレクトリ情報および／または他のディレクトリ情報を安全に提供する。そのような情報を安全に（好ましい実施形態では仮想分散環境（ＶＤＥ）を介して）送信することは、傍受（ｅａｖｅｓｄｒｏｐ）を防ぎ、機密性を確実にし、重要な参加者インタラクション有効性をイネーブルすることによって重要なインフラストラクチャサポートを提供する。
【０５７８】
より詳細には、これらの発明に応じて提供される安全ディレクトリサービスは、以下の例示的な有益な特徴および機能を提供しうる。
【０５７９】
・様々な分類情報を含む多様な異なるパラメータに基づくディレクトリ情報を安全に信頼性高く提供する。
【０５８０】
・氏名、機能、物理的位置および／または他の属性に基づいて、消費者、コンテンツ提供者、手形交換所および／または他の関係者の電子アドレスおよび／または他の通信経路を安全に提供しうる。
【０５８１】
・例えば、氏名、機能、物理的位置および／または他の属性に基づいて、消費者、コンテンツ提供者、手形交換所および／または他の関係者の公衆鍵および／または認証を提供しうる。
【０５８２】
・安全なコンテナにおいて要求および応答の信頼のある通信を効率的に管理および／または自動化する一方、同一性関連情報を保護し、適当な場合には隠しうる。
【０５８３】
・安全なコンテナを用いること、およびコンテンツの完全性および非周知性（ｎｏｎ−ｒｅｐｕｔａｂｉｌｉｔｙ）  を保証するための規則および制御。
【０５８４】
・電子制御セットに具体化される取扱いおよび制御の安全な連鎖から承認を受け取る。
・ネットワークまたは他のシステムにわたる安全ディレクトリサービス機能の分散（例えば、あらゆる消費者および／または他の価値連鎖参加者ノードは、Ｇｉｎｔｅｒらの特許明細書に記載されているＶＤＥを用いた１以上の他の参加者と、自身の、安全ディレクトリサービスの直接の取り引きを開始する潜在的に分散された安全ディレクトリサービスである。）
【０５８５】
・１以上の分散された安全ディレクトリサービス副手形交換所に、あるいは１以上の分散された安全ディレクトリサービス副手形交換所と共同で、承認を付与し、サービスを提供する。１以上の分散された安全ディレクトリサービス副手形交換所の動作は、会社あるいは政府の機関内で、および／または、分散する上級ディレクトリサービス当局および／またはシステムあるいはネットワークにわたる他の承認安全ディレクトリサービス機能の全ビジネス集中領域の１以上の管轄内および／あるいはサービングサブセット（ｓｅｒｖｉｎｇ  ｓｕｂｓｅｔ）内のように、論理的および／または物理的にどこにでも位置しうる。
【０５８６】
・あらゆる消費者および／または、ある、あるいは全ての他の価値連鎖参加者ノードは、全ネーミングサービスネットワークのコンテクストの中で、ネーミングおよび関連するサービスおよび機能を提供する安全ディレクトリサービス当局を潜在的にサーポートすることができる。全ネーミングサービスネットワークのコンテクストは、１以上の他の参加者内部オペレーションノードおよび、このリストの他の所にあるような、適当であればＶＤＥ技術を利用する全ての活動を含む。
【０５８７】
・階層的に組織され、氏名、機能、物理的位置および／または他の属性に基づいて全てのディレクトリのサブセットに対する安全ディレクトリサービスについての責任およびオペレーションを代理しうる。
【０５８８】
・階層的に組織され得、例えば、ディレクトリのディレクトリを提供する。
・異なる交易モデルおよび／または活動および／または価値連鎖に対する異なる様式でディレクトリサービスへの責任が分散されうるように、および１以上の関係者が、例えば１以上の例における他の関係者よりも階層的により上級になり得、１以上の例において階層的に同等（ｐｅｅｒ）あるいはより低級になりうるように、階層的に、ピアツーピア（ｐｅｅｒ  ｔｏ  ｐｅｅｒ）であるいは組み合わせた様式で組織されうる。すなわち、参加者間の関係はプログラム可能であり、所与の交易活動、価値連鎖および／またはモデルに対する、１以上の所望の特定のディレクトリサービス配置を設定（および後には修正）し得る。
【０５８９】
図５２は、プロセスの観点からの例示的な安全ディレクトリサービス６００を示す。この例では、安全ディレクトリサービス６００は、消費者、価値連鎖参加者および／または電子機器に関連するディレクトリ情報をしっかりと把握し、かつ資格が与えられた要望に基づいてこの情報を安全に提供するアーカイブである。この例では、安全ディレクトリサービス６００は以下の機能を提供しうる。
【０５９０】
・データベース管理６０６
・データベース検索／読み出し６０８
・データベースの複製６１０
・データベース伝搬６１２
・確証６１４および
・承認６１６
【０５９１】
データベース６０６は、消費者に提供された入力情報をソースとして取り込み、関連のある記録を読み出すために、その情報を用いる検索および読み出しエンジン６０８によってアクセスされうる。例えば、安全ディレクトリサービス６００は個人、組織、サービスおよび／または装置の同一性６１８、電子アドレス６２０、認証６２２、および／または鍵６２４を受け取りうる。この情報はデータベース６０６内に格納されうる。
【０５９２】
要求６０２に応答して、安全ディレクトリサービス検索および読み出しエンジン６０８はデータベース６０６にアクセスして、更なる情報（例えば、ある個人あるいは機関の電子メールアドレス、ある個人の公衆鍵、ある電子メールアドレスを持つ人物の同一性、ある公衆鍵を持つ人物の同一性およびアドレス）を読み出しうる。
【０５９３】
さらに、安全ディレクトリサービス６００は、アクセス制御、監査要件などを返しうる。例えば、ユーザは、エンティティの内部電子メールアドレスにアクセスするための有効証明書（例えば認証５０４）を提示することを要求されうる。データベース６０６には既知の所定の情報フィールドは全ての来訪者（例えば、事務所の位置あるいは特定の雇用者、会社のサーバ上に存在するその者のホームディレクトリ等）、あるいは消費者の物理的アドレスは、その者自身の認証当局５００として職務する消費者によって発行された認証５０４を提示する人々には入手可能でありうるが、その他の者には入手可能でない。この制御は、安全ディレクトリサービス６００に情報を運ぶ安全なコンテナにおいて特定されうる。
【０５９４】
要求した者に情報が与えられると、その者は承認された様式でのみその情報を用いることを要求される。例えば、その者は、電子メールメッセージを定式化するための情報を用いることが可能になりうるが、メーリングリスト用の物理的アドレスを抜粋することはない。この制限は、制御１８８ｂによって実施され得、安全ディレクトリサービス６００は提供する情報と関連づける。
【０５９５】
図５３に示されるように、安全通信設備６２６に加え、安全ディレクトリサービス６００はデータベース６０６および検索および読み出しエンジン６０８を提供しうる。安全ディレクトリサービス６００のアーキテクチャは、Ｇｉｎｔｅｒらの特許の開示における図１２および図１３に基づきうる。
【０５９６】
図５４は、安全ディレクトリサービス６００によって行われうる例示的な安全ディレクトリサービスプロセスを示す。この例では、送り手９５（１）は、受け手９５（２）にメッセージを送ることを希望する。送り手および受け手は、消費者、手形交換所等で所有されている電子機器１００になりうる。送り手９５（１）は、アドレス要求６０２を、ある情報を提供しかつ他の情報を要求する安全ディレクトリサービス６００に送る。それに応答して、安全ディレクトリサービス６００は、要求された情報を送り手９５（１）に提供する。送り手９５（１）は、受け手９５（２）にメッセージを送るのにその情報を用いうる。この例では、アドレス要求６０２および応答情報６０４の双方が、安全電子コンテナ１５２内に保持され、要求および応答の機密性および完全性を維持する。このようにして、例えば外部の傍受者は、送り手９５（１）が通信を望む者は誰か、あるいは通信を行うために必要としている情報は何かを断定することはできない。ディレクトリ応答は、要求されたメッセージを他の位置へ方向付けるように「だまされ」ることはできない。加えて上述のように、ディレクトリサービス６００は、その応答に沿った制御１８８および／または要求を含み得、あるいはその入力の一部分として制御１８８を要求する。
【０５９７】
取引当局７００
図５５は、取引当局交易ユーティリティシステム７００の例を示す。これらの発明はまた、以下の全般の機能を提供する安全な「取引当局」能力を可能にする。
【０５９８】
・マルチイベント取引あるいはプロセスの取扱いおよび制御の連鎖におけるイベント（例えば承認、例えば拒絶しない（ｎｏｎ−ｒｅｐｕｄｉａｔｉｏｎ）目的を含む）の安全の確認、認証、および／または監査する。
【０５９９】
・マルチイベント取引あるいはプロセスを取扱いおよび制御の連鎖における制御セット（例えば、承認および、例えば拒絶しない目的を含む）の安全な格納、確認、認証、および／または分散する。
【０６００】
・任意のあるいはすべての取引ステップおよび／またはプロセスステップの要件を発行する。
【０６０１】
・所望であれば、（例えば、分散された計算、プロセス管理、ＥＤＩ、通貨の照会（ｒｅｆｅｒｅｎｃｅ  ｔｏ  ｃｕｒｒｅｎｃｙ）等についての、相互制御方法および分散され、自動化されたイベントを利用するモデルへの参加を含む、管理、監督、仲介、仲裁、開始を介する）取引あるいはプロセスへ積極的に参加する。
【０６０２】
・ある情報を認証するために適合される取引当局遠距離通信スイッチを介して電子情報の適切なルーティングを認証することを含む、ステップおよび／または通過経路を認証し得、認証は要求されたルートおよび／またはそのような電子情報の送信はある約定された規則および制御にしたがっていたことを認証する。例えば、ある約定された規則および制御は、あるアーカイブされた情報を獲得することおよび／または予算を超過しないこと、および／または他の限定および／または制限、例えば：所与の期間における「運ばれた」情報コンテナの数、ある期間にわたる通貨コンテナ内に含まれる（に代表される）電子通貨の価値、購入注文で委託される資金の額、適切な注文当局等、である。
【０６０３】
取引当局は単に、電子商取引および／または（一連の取引ステップ全般における）取引ステップに対する安全な、注意深い傍観者および認証者であり得、取引当局は、安全な複数のパーティ（ｐｌｕｒａｌ−ｐａｒｔｙ）の電子商取引の安全な促進者であり得、および／または取引当局は、電子商取引に積極的および直接的に参加し得る。
【０６０４】
より詳細には、これらの発明に応じた取引当局は、以下の有利な特徴および／または機能を提供し得る。
【０６０５】
・マルチステージ取引および／または取扱いおよび制御プロセスの連鎖に適するイベント通知情報を安全に維持し、確認する。
【０６０６】
・ビジネスプロセスの要素を代表する構成要素に基づく、要求された取引および／またはプロセスステップの取扱いおよび制御の連鎖を、その認証あるいは立証のための要件に沿って、強化し得る。ここで例えば、１以上の取引当局はそれぞれ、取引シーケンスにおける１以上のステップ「位置」で１以上の特定のイベントを認証および／または立証する。
【０６０７】
・例えば、多数の異なる参加者により貢献を受ける多数の別個の副制御セットから全部の取引制御セットを形成し得る。
【０６０８】
・例えば、価値連鎖参加者間の一連のイベントを含む、要求された取引イベントを調整するための相互（ｒｅｃｉｐｒｏｃａｌ）方法を利用する。
【０６０９】
・電子制御セットにおいて具体化された取扱いおよび制御の安全な連鎖から承認を受け取る。
【０６１０】
・取引および／または取扱いおよび制御プロセスの連鎖を積極的に管理するために介入し得る。
【０６１１】
・ワークフローおよび／または取扱いおよび制御プロセスおよび／または他のビジネスプロセスの連鎖を調整し得る。
【０６１２】
・分散された権利の管理に対する安全性を非常に本質的に向上させる、分散された適正情報、ＥＤＩ、金融取引、および／または通商システム価値連鎖活動における認証および／または立証ステップを含む、信用された、安全な分散された電子交易環境に基づいて、自動および効率的管理を提供し得る。そのような安全性は、中央集権化された、オンライン交易モデルで得ることができる安全性に適合しあるいはその安全性を超え得る。
【０６１３】
・価値連鎖参加者（例えば、組織、個人消費者、仮想グループ）内および／または間の取引の少なくとも一部を管理し得る。
【０６１４】
・少なくとも部分的に規則および制御の利用を介して、原子取引（ａｔｏｍｉｃ  ｔｒａｎｓａｃｔｉｏｎｓ）に対する満足度の状態および結果を特定および／または監視し得る。
【０６１５】
・エラー状態および／または取引プロファイル分析に基づいて（例えば、推論エンジンおよび／またはエキスパートシステムの利用により）何が起こっているかを監督し得る。
【０６１６】
・異なる分散した関係者が機密性の高い、信頼あるインタフェースを介して効率的に協働することができる、安全性、ルーティング、優先順位付けおよび交渉プロセスの機密性の調整を提供し得る。
【０６１７】
・適当であれば、安全なドキュメントおよび／またはプロセス制御に対する公証、確認、認証および／または交付（ｄｅｌｉｖｅｒｙ）を提供する。
【０６１８】
・ある情報を認証するために適合される取引当局遠距離通信スイッチを介して電子情報の適切なルーティングを認証することを含む、ステップおよび／または通過経路を認証し得、認証は適切なルートおよびそのような電子情報の送信はある約定された規則および制御にしたがっていたことを認証する。例えば、ある約定された規則および制御は、予算を超過しないこと、または他の限定：所与の期間における「運ばれた」情報コンテナの数、ある期間にわたる通貨コンテナに代表される電子通貨の価値、購入注文で委託される資金の額、適切な注文当局等、が発行され、そのようなルーティングされた情報を受け取るノードにおいて適切なそのような認証あるいは立証の受信に関する要件を満たす。
【０６１９】
・取引当局機能をネットワークあるいは他のシステムにわたって分散し（例えばあらゆる消費者および／または他の価値連鎖参加者のノードは潜在的に少なくとも部分的に自身の取引当局の機能を開始する、分散された使用手形交換サービス（ｕｓａｇｅ  ｃｌｅａｒｉｎｇ  ｓｅｒｖｉｃｅ）であり、前述の参加者ノードは、１以上の他の参加者と直接に使用情報を通信し得る）、規則および制御、およびＧｉｎｔｅｒらの特許明細書に記載された他のＶＤＥ技術にしたがう。
【０６２０】
・電子的あるいはそれ以外の仲裁、調停および交渉サービスを提供し得る。
【０６２１】
図５５は、全体の機能の観点からみた取引当局７００の特定の例を示す。取引当局７００は、特に、取引中の参加者から受け取るイベント通知に基づいて全取引あるいはプロセスの現在の状態を維持する安全監査設備を提供する。
【０６２２】
この特定の例では、取引当局７００は以下の機能を果たす。
・イベント通知収集７３０
・有効イベントデータベース管理７３２
・要件生成７３４
・安全立証監査７３６
・報告７３８
・通知７４０
・返答７４２
・伝播７４４
【０６２３】
この例では、取引当局７００は、イベント通知７４８の形態でイベントが発生したという通知を受け取る。イベント通知７４８は、１以上の安全な電子コンテナ１５２に搬送されうる。イベント通知収集プロセス７３０は、これらのイベント通知７４８を収集し、それらを、有効イベントデータベース７３２に格納しうる。取引当局７００は、その有効イベントデータベース７３２に基づいて、さらなる通知７４８’を生成し得、また要求７５２に応答しておよび／または他の要件に基づいて、取引あるいはプロセスの現在の状態を示す応答７５０を発行しうる。加えて、取引当局７００は、監査機能７３６によって分析されるその有効イベントデータベース７３２のコンテンツに基づいて、進行および取引あるいはプロセスの状態を示す監査記録７５４を生成し、出力し得る。取引当局７００はまた、その報告機能７３８に基づいて、報告７５６を発行し得る。有効イベントデータベース７３２は、分散されたイベント通知データベースであり得、その場合には、返答プロセス７４２および伝播プロセス７４４は分散方式でデータを維持し更新するのに用いられ得る。
【０６２４】
この例における取引当局７００の別の主要な機能は、全部のプロセスあるいは取引を制御するあるいは全部のプロセスあるいは取引に影響を与えるのに用いられ得る、新たなあるいは修正されたイベント要件７５８を発行することである。取引当局７００は、制御セット１８８、価格および許認可１８８’、イベントフロー要件７６０および／またはプロセスルーティング要件７６２を受け取りうる。イベントフロー要件７６０およびプロセスルーティング要件７６２は、１以上の制御セットで特定されうる。この情報と、有効イベントデータベース７３２のコンテンツとに応答して、取引当局７００は、その要件生成プロセス７３４を用いて、新たなあるいは修正されたイベント要件７５８を作り出す。取引当局７００はまた、新たなあるいは修正された制御セット１８８”および新たなあるいは修正された価格および／または許認可１８８”’を作り出し得る。取引当局７００はその安全監査機能７３６への入力として、財務計算書７６４を用い得る。
【０６２５】
図５６は、取引当局７００のアーキテクチャの例を示す。この例では、取引当局７００（Ｇｉｎｔｅｒらの図１２および１３に示されるＶＤＥ権利オペレーティングシステム（ＲＯＳ）アーキテクチャに基づき得る）は、安全通信設備７７０、データベースおよび取引プロセッサ７７２、プロセス制御論理７７４、ルーティングテーブル７７６および適応制御セットデータベース７７８を含む。これらの機能は、１以上の制御サイトにおける方法によって行われうる）。加えて、取引当局７００はまた、シール生成器７８２、デジタルタイムスタンプ生成器７８４および指紋／ウォーターマーク生成器７８６を含むドキュメント公証７８０を含み得る。
【０６２６】
安全通信設備７７０は、取引当局７００が電子ネットワーク１５０にわたって安全な方式で（例えば安全電子コンテナ１５２によって）通信することを認める。データベースおよび取引プロセッサ７７２は、図５５に示されたプロセスの大部分を行う。適応制御セットデータベース７７８は、有効イベントデータベース機能を果たし得る。ルーティングテーブル７７６は要件生成機能７３４の一部として用いられ得、適切なメッセージを適切なエンティティにルーティングする。
【０６２７】
プロセス制御論理７７４は、イベントフロー要件７６０および／またはプロセスルーティング要件７６２によって完全には予期されないあるいは特定されないエラー状態を扱うのに用いる推論エンジンあるいはエキスパートシステムを含みうる。プロセス制御論理７７４は、規則ベースの原理、ファジー論理、ニューラルネットワークあるいは、これらのいくつかあるいはすべての組み合わせ、あるいはプロセス制御論理の他の方法に基づいて動作しうる。プロセス制御論理７７４は、全部の取引あるいはプロセス内で発生するであろう次のイベントを決定する。
【０６２８】
ドキュメント公証７８０は、立証されたドキュメント生成を提供し、例えば、デジタルシールおよび／または速記（ｓｔｅｎｏｇｒａｐｈｉｃ）情報を書き出されたおよび／またはデジタルドキュメントに添付する。
【０６２９】
図５７は、取引当局プロセスの例を示す。この簡単化されたプロセスにおいて、取引当局７００は、全部の製品送達プロセスを監査し監督するのに利用される会社の内部のエンティティであり得る。この例では、消費者９５は、商品の注文７８８を発行する。この注文７８８は、受注部門７０４によって受けられる。受注部門７０４は、注文イベント７１０を取引当局７００に発行する。この注文イベント７１０に応答して、取引当局７００は、どのように受注部門７０４がその注文を取扱うかを特定する１以上の制御セット１８８の形態で、規則および／または要件を発行し得る。これらの規則１８８は、例えば一連の連鎖および調達部門７０９Ａ、倉庫７０９Ｂ、運送会社７２６および支払収集部門７０９Ｃの活動を監督する取扱いを特定する。規則１８８は、安全電子コンテナ１５２である部門からもう一方へ送られ得、そうして発生するであろう取引の要件および全部のプロセスフローを特定する。各部門は、その後、規則それ自身および／または取引当局７００によって監督されたルーティングによって、安全制御１８８を次の部門に送る。各部門はまた、全プロセスの現在の状態を取引当局７００に警告するイベント通知７４８を発行し得る。取引当局７００は、監査の目的でおよび／または取引当局にプロセスにおける次のステップに向かうことを許可するために、この状態情報をその安全有効イベントデータベース７３２内に格納し得る。
【０６３０】
取引当局７００は、例えば進行中の取引あるいはプロセスとインタラクションするために図１７Ｅ−１から図１７Ｅ−４に示されるインタラクションモデルを用いる。取引当局７００にとって特に有用なシナリオは、ジョイントベンチャーあるいは他の共通の目的に取り組む会社などの複数の関係者によって行われるプロセスを管理することである。このタイプのビジネス的なシナリオでは、複数の会社は共通の全体の目標に向かって作用し得るが、例えば自分自身の機密性の高い商売上の秘密を保護するという内部的な自身の目的を自身が有し得る。取引当局７００は、独立した第３者の仲介者／調停者として用いられ得、どの会社に対しても、詳細なプロセス情報を取引当局７００以外の何者に対しても暴くことを要求することなく、複数の会社間の活動を調整する。
【０６３１】
例えば、取引当局７００は、異なるコンテクストにおいて異なるものを意味するイベントフローおよび／またはプロセスルーティング要件７５８および／または制御セット１８８を特定する制御セットを生成しうる。１つの例として、取引当局７００が発行する制御セットは、ある会社にあるステップを、別の会社に別のステップを行わせる得る。このとき、各会社は、特定のステップあるいは一連のステップが他の会社によって行われていることを知らない。そのため、取引当局７００は、異なる個人あるいは会社として振る舞う者の間の部分的開示のみを提供するのに用いられ得る制御セット１８８を開発しうる。
【０６３２】
図５８Ａおよび図５８Ｂは、「原子取引」する取引当局７００によって行われるステップおよびプロセスの例を示す。この例では、取引当局７００はフットボールチームのコーチに何か類似する役目を果たす。各個人「プレーヤー」の技能セットおよび要件を受け入れることによって、およびそれらを全体的な「ゲームプラン」に一緒にリンクすることによって、取引当局７００は、全体的な「原子」取引における任意の数の価値連鎖参加者を関連させ得る。
【０６３３】
この例では、取引当局７００によって管理されるプロセスの各価値連鎖参加者１６４（１）、・・・、１６４（Ｎ）は、取引に対する参加者自身のビジネス要件、制限、およびプロセスを特定するあるいは管理する制御セット１８８（１）、・・・、１８８（Ｎ）に貢献し得る（図５８Ａおよび図５８Ｂ、ブロック７５０）。これらの個人の制御セット１８８（１）、１８８（Ｎ）は、各個人の参加者がどのように自身の役割を果たすかを特定する。各参加者１６４（１）、・・・、１６４（Ｎ）は、全体的な取引における自身の役割を知っているが、他の者がどのような役割を果たしているかを知り得ず、あるいは他の参加者の「チーム」をどのように形成するかを明確に知っていることはない。そのため、個人の制御セット１８８（１）、１８８（Ｎ）は典型的には副取引のみを記述し、全体的な取引に考慮を払い得ない。
【０６３４】
取引当局７００はまた、様々な参加者の制御セットをまとめて、要件および限定を伴う全体的な取引プロセスとどのようにリンクするかを特定する別の制御セット１８８Ｘを受け取る（図５８Ａおよび図５８Ｂ、ブロック７５２）。この全体的な取引制御セット１８８Ｙは、個人の参加者によって提供される副取引制御セット１８８（１）、１８８（Ｎ）間の衝突をどのように解決するかを特定する（これは、例えばＧｉｎｔｅｒらの特許の開示、図７５Ａ−図７６Ａに示される電子公証プロセス７９８に関連し得る）。取引当局７００は、参加者の個人の制御セットを結合する−それらを追加の論理とともにつなぎ、全体的な取引制御スーパーセット１８８Ｙを作り出す（図５８Ａおよび図５８Ｂ、ブロック７５２）。取引当局は、結果として得られたスーパーセット１８８Ｙをローカル格納部に格納する（図５８Ｂ、ブロック７５４）。この全体的な制御スーパーセットは、どのように取引当局７００がイベントを処理し、「原子」取引を行うかを制御する。
【０６３５】
処理を要求する到着イベントを受領すると（図５８Ｂ、ブロック７５６）、取引当局７００は、全体取引制御スーパーセット１８８Ｙを活性化し得る（図５８Ｂ、ブロック７５８）。取引当局７００は、その後に、全体取引制御スーパーセット１８８Ｙの各部に相当する対応相互制御セットを、取引の各参加者に伝達し得て、これによって、各参加者がスーパーセットと通信できるようになる（図５８Ｂ、ブロック７６０）。或いは、この例における各参加者は、その制御セット１８８（１）、１８８（Ｎ）を取引当局７００に与えるときに、その参加者が取引当局７００に送った制御セットと通信できる相互制御セットを維持する。
【０６３６】
取引当局７００は、活性化された制御スーパーセットを使用して受領されたイベントのモニタを開始し得る（図５８Ｂ、ブロック７６２）。到着イベントがエラー条件でないときには（図５８Ｂの決定ブロック７６４の「Ｎ」出口）、次に取引当局７００は、そのイベントがアトミック取引が完了したことを示すものであるかどうかを判断する（図５８Ｂ、ブロック７６５）。アトミック取引が完了していなければ（図５８Ｂの決定ブロック７６５の「Ｎ」出口）、制御はブロック７６２に戻ってイベントをモニタする。アトミック取引が完了していれば（決定ブロック７６５の「Ｙ」出口）、取引当局７００は取引が終了したと判断する（図５８Ｂのブロック７７４）。
【０６３７】
到着イベントがエラー条件であるときには（図５８Ｂの決定ブロック７６４の「Ｙ」出口）、取引当局７００は、そのエラーイベントを制御スーパーセット１８８Ｙ（図５８Ｂ、ブロック７６６）にて処理する。エラーが重大なものではないときには（図５８Ｂ、決定ブロック７６７、「Ｎ」出口）、そのときには制御はブロック７６２に戻って次のイベント通知の到着を待つ。
【０６３８】
エラーが重大なものであるときには（図５８Ｂ、決定ブロック７６７、「Ｙ」出口）、取引当局７００は、重大エラー処理ルーチンを呼び出し得る（図５８Ｂ、ブロック７６８）。重大エラー処理ルーチン７６８は、制御スーパーセット１８８Ｙ及び／或いはインタフェースエンジン７７４の中の規則、或いはその他のプロセス制御論理に基づいて、そのエラーの解決を試み得る。そのようなインタフェースエンジン或いはその他のプロセス制御論理７７４は、全体取引の業務モデルに関してプログラムされて、エラー条件に基づいて適切なアクションを選択するために十分な情報を有するようなっていてもよい。
【０６３９】
図５８Ｂに示されたプロセスは、相互に関連し合う（ｎｅｓｔ）ことができる。例えば、一人の「参加者」によって規定される副取引は、それ自身が、多数の参加者からの寄与に基づいたアトミック取引であり得て、その多数の参加者は皆、同じ或いは異なった取引当局７００によって管理される。
【０６４０】
セキュリティチェックポイント交易ユーティリティシステム
交易ユーティリティシステム９０は、サービス機能を含むことができて、それらのサービス機能は、セキュリティサービス、アーカイブサービス、及び通信される情報を一定の方法で認証及び／或いは立証できる非拒絶サービスの提供を、「セキュリティチェックポイントシステム６０００」（図５８Ｃ参照）として実行することを可能にする。セキュリティチェックポイントシステム６０００は、
【０６４１】
・電子交易インタラクションのための分散型の高効率且つ自動化された監査及びアーカイブ層の提供、及び
・ＶＤＥ及び分散交易ユーティリティ層のような分散セキュリティ環境のセキュリティ深度の拡大、
を可能にする。
【０６４２】
これにより、セキュリティチェックポイントシステム６０００は、セキュリティ及び／或いは管理機能を実行し得る。この交易セキュリティシステムの能力は、集中型セキュリティモデルの積極的な利点（例えば中央当局に処理ノードを物理的に制御させる能力）を利用して、これらの能力を、最大の効率及びフレキシビリティを達成し、確実且つ管理可能なスケーラビリティ（集中型システムの主な弱点）を支持し、多重で独立した保証環境層の強化されたセキュリティの利点を提供することができる分散「ユーザ空間」モデルに、展開する。後者の能力は、余計なセキュリティ確保が望まれる高感度通信に対して、特に適合される。これらのセキュリティ層は、基礎分散セキュリティ環境を強化する一つ以上の独立したセキュリティチェックポイントの保護された処理環境の要求される関与及びセキュリティ処理によって、イネーブルされる。
【０６４３】
一つ以上のセキュリティチェックポイントシステム６０００を通過する情報は、情報の受領者（例えばコンテナ中の情報を受領するパーティ）に対して、その情報の受領に先立ってある通信機能及び／或いはセキュリティステップ（プロセス）が発生したことを確認するように、認証及び／或いは立証されることができる。この認証及び／或いは立証は、例えば、要求される及び／或いは認可された保護された処理セキュリティチャックポイントシステム６０００を通った適切な通信のルーティングを認証及び／或いは立証することを含むことができる。そのようなチェックポイントは、例えば、テレコミュニケーションネットワーク中に分散されたり、或いは、エンドユーザＶＤＥノードの物理的及び／或いは論理的位置に「局在」したりすることができる（図５８Ｃ参照）。
【０６４４】
セキュリティチェックポイントシステム６０００は、ある情報及び処理を認証及び／或いは立証するように適合されたテレコミュニケーションスイッチを使用し得る。例えば、セキュリティチェックポイントシステム６０００によって発行された認証は、要求されるルーティングがたどられたこと、要求されるチェックポイントが通信される保証電子コンテナを検査したこと、及び／或いはそのようなコンテナ或いはその他の電子情報の送出がある明文化された規則及び制御に従って実行されたことを、認証し得る。例えば、そのようなサービスは、ある予算、他の限界、及び／或いは制約が破られていないこと、及び／或いは他の要件が満足されていることを確かめ、及び／或いは認証し、及び／或いは立証することを助けることができる。
【０６４５】
例えば、セキュリティチェックポイントシステム６０００は、所与の時間期間内に「運送された」情報コンテナの数、所与のコンテナの中に含まれた（或いはそれによって代表された）及び／或いはある時間期間に複数のコンテナに含まれた電子通貨の価値（不適切な電子通貨の活動を低減するために非常に重要である）、適切な注文当局が存在する場合を含む買い注文の中で委託された金融量、などに対する要件（限界或いは他の制約が破られないことを含む）を保証することを援助する。そのような要件の評価は、例えば、ある論理的及び／或いは物理的な領域、ノード、ノードグループ、ユーザ、或いはユーザ組織、及び／或いは他のユーザグループから通信されたコンテナ（或いは他のデジタル情報通信）に関連し得て、その関連は、例えば、ＶＤＥ保証コンテナが当該適合された一つ以上のテレコミュニケーションスイッチを通って移動するにつれて、保証ノード及び／或いは個人ユーザ及び／或いは組織及び／或いは領域認識情報を参照することを通じて決定される。
【０６４６】
これらの交易ユーティリティシステム「通信チェックポイント」能力は、例えば、テレコミュニケーションルートに沿って一つ以上の「独立した」分散セキュリティ「チェックポイント」を設けて、そのようなチェックポイントによって確実に提供され且つ該チェックポイント（或いは一群のチェックポイント）によって管理されるプロセスによって該コンテナに確実に関連させられ及び／或いは該コンテナの中に挿入される適切な認証及び／或いは立証の存在を要求することによって、セキュリティの信頼性を実質的に増加させることにより、有用なセキュリティ特徴を提供する。この存在は、受領ノードによってテストされて、適切な認証或いは立証が、例えば規則及び制御によって、そのような受領ノードが受領されたコンテナの一つ以上のクラスの内容の少なくとも一部を処理する前に、存在することが要求され得る。そのようなコンテナのクラスは、例えば、ある一つ以上の特定の属性を有する特定の個人及び／或いはグループ及び／或いはコンテナ及び／或いはコンテナの内容を、含み得る。
【０６４７】
セキュリティチェックポイントシステム６０００は、セキュリティの観点からは、エンドユーザの仮想分散環境ノードから「独立」し得る。例えば、そのようなノードは、それらがキー管理を使用して、エンドユーザノードのセキュリティブランチが直接にチェックポイント操作のセキュリティを備えないようにチェックポイント管理のためのそれらの保護された処理環境の内部の多重保証実行コンパートメントを維持し、且つ保証実行コンパートメントに関連するブランチがそのような他のコンパートメントを備えないことを確実にすることを助けるので、セキュリティの観点からは独立し得る。
【０６４８】
セキュリティチェックポイントシステム６０００はまた、例えば所期のコンテナ受領者の識別情報、コンテナ情報のクラス、将来の確認（例えば非拒絶）のために使用される照合の要点（チェックサム：ｃｈｅｃｋｓｕｍ）及び／或いは他の情報の検索、及び／或いは当該コンテナの内容の一部或いは全体の部分のアーカイブを含めて、監査情報の収集を行い得る。この情報の一部は、少なくとも部分的に、コンテナ送り主、所期の及び／或いは実際のコンテナ受領者、及び／或いはそのような情報にアクセスすることを認可されている政府当局のうちの一人以上の協力なしに、そのような情報の一部或いは多くの部分が解読されないように、暗号化され得る。
【０６４９】
図５８Ｃ及び５８Ｄは、ユーザ９５（１）、９５（２）、９５（３）を結ぶテレコミュニケーションネットワークの内容の内部での通信チェックポイントセキュリティ、非拒絶、及びアーカイブサービスを提供する「チェックポイントセキュリティ」交易ユーティリティシステム６０００の構成の一例を示す。この例では、セキュリティチェックポイントシステム６０００は、テレコミュニケーション・インフラストラクチュアの一部であり得る。例えば、セキュリティチェックポイントシステム６０００は、保証電子コンテナ１５２を、例えばそれが有するヘッダ情報に基づいて検出するように設計された一つ以上のテレコミュニケーションスイッチ或いは他の装置の一部であり得る。
【０６５０】
この例におけるセキュリティチェックポイントシステム６０００は、通信インフラストラクチュアを通じて送信された保証コンテナ１５２が通過を許可されるかどうか、及び通信インフラストラクチュアの中のコンテナのルーティング経緯を制御する保証能力を有する。ある例では、ユーザ９５（１）の保護された処理環境を操作する制御が、ある種のコンテナ１５２（例えば電子通貨を運ぶコンテナ）が、それらがセキュリティチェックポイントシステム６０００（或いはあるクラスのセキュリティチェックポイントシステム）を通ってルーティングされることを要求する制御４０４を含むことを、要求し得る。そのような制御４０４は、適切なセキュリティチェックポイントシステム６０００を通ってルーティングされない限り、コンテナ１５２或いはその内容（例えばそれが含む通貨）が使用されることを防ぐ。
【０６５１】
例えば、ユーザ９５（１）が、コンテナ１５２を、テレコミュニケーションインフラストラクチュアを通ってユーザ９５（２）に送信すると仮定する。そのインフラストラクチュアは、送出されている情報がコンテナであることを検出し得て、そのコンテナを、セキュリティチェックポイントシステム（例えばシステム６０００（５））による傍受のためにルーティングし得る。
【０６５２】
セキュリティチェックポイントシステム６０００（５）は、コンテナ１５２を傍受した後に、コンテナ内の制御情報を検査して、コンテナをユーザ９５（２）に更に通信するための要件が満足されているかどうかを判断する。セキュリティチェックポイントシステム６０００（５）は、これらの要件が満たされているときのみ、コンテナをユーザ９５（２）に送り得る。或いは、ユーザ９５（２）が開けたり、コンテナの内容をコンテナ制御４０４に応じて使用したり（コンテナ制御４０４は使用を制限し得る）できるように、コンテナを改変し得る。セキュリティチェックポイントシステム６０００は、コンテナ制御４０４の少なくとも一部を改変して、例えば更なる使用制限を追加し得る。
【０６５３】
この図５８Ｃの例は、セキュリティチェックポイントシステム６０００の２つの「ウェブ」を示している。この例では、これらのウェブは、各々が（１）セキュリティチェックポイントシステムであり、且つ（２）特定のクラスの一員であると（例えば認証当局５００によって）認証されているセキュリティチェックポイントシステム６０００の集合を示す。
【０６５４】
ここで、この例では、「ウェブ１」は、認証されたセキュリティチェックポイントシステム６０００（１）〜６０００（５）、６０００（７）のクラスを示し、「ウェブ２」は、認証されたセキュリティチェックポイントシステム６０００（４）〜６０００（６）のクラスを示す。一例として、「ウェブ１」のセキュリティチェックポイントシステム６０００は、電子通貨６００４を含むコンテナを取り扱うことができると認証され得る。
【０６５５】
コンテナ１５２に関連する制御情報の中で特定された要件の一つは、例えば信用電子通貨追跡のようなある保証監査機能を可能にするために、「ウェブ２」セキュリティチェックポイントシステム（例えばシステム６０００（５））を通過しなければならないというものであり得る。「ウェブ１」セキュリティチェックポイントシステム（例えばシステム６０００（３））は、これらの制御４０４に基づいてコンテナ１５２をユーザ９５（２）に渡すことを拒否し得るし、或いは、ユーザ９５（２）によって使用可能にするようなコンテナ１５２の改変を拒否し得る。
【０６５６】
更なる例として、ユーザ９５（２）が、コンテナ１５２を他のユーザ９５（３）に渡したいと考えていると仮定する。コンテナ１５２に関連する制御４０４は、この特定の例では、コンテナ１５２の更なる通信が「ウェブ１」セキュリティチェックポイントシステム６０００（７）を通らなければならないと、要求し得る。このルーティング要件は、ユーザ９５（１）によって提供された制御４０４の中に存在し得るし、或いは、セキュリティチェックポイントシステム６０００（５）或いはユーザ９５（２）の保護された処理環境によって付加され得る。
【０６５７】
図示されている特定の例では、制御４０４は、セキュリティチェックポイントシステム６０００を含まない更なるルーティング（例えば他のタイプの交易ユーティリティシステム及び／或いは非保証テレコミュニケーションスイッチ）を介して、「ウェブ１」セキュリティチェックポイントシステム６０００（７）がコンテナ１５２をユーザ９５（３）に渡すことを可能にし得る。
【０６５８】
図５８Ｄは、一例のセキュリティチェックポイントシステムによって実行される一例のプロセスを示す。この例示されたプロセスでは、セキュリティチェックポイントシステム６０００は、コンテナ１５２を受領し（図５８Ｄ、ブロック６００２）、その関連した制御４０４によって特定された要件が満足されているかどうかを判断する（図５８Ｄ、決定ブロック６００４）。要件が満たされている場合には、セキュリティチェックポイント６０００は、「要件満足」手順を実行し得て、例えば、制御４０４を改変して上記のルーティング要件を満足させる（図５８Ｄ、ブロック６００６）。要件が満たされていない場合には（図５８Ｄ、決定ブロック６００４の「Ｎ」出口）、セキュリティチェックポイントシステムは、「要件非満足」手順を実行し得る（図５８Ｄ、ブロック６００８）。
【０６５９】
手順の各セットは、例えば、ある形態の保証監査を含み得る。セキュリティチェックポイント６０００が、例えば電子通貨を含むコンテナ１５２を通過させるとき、セキュリティチェックポイント６０００は、以下の監査情報の一つ或いは複数を記録し得る。
【０６６０】
・送り主の識別
・送り主のノードの識別
・受領者の識別
・受領者のノードの識別
・通貨が基づいている認証
・通貨が通過してきた他のセキュリティチェックポイント６０００
・通貨の以前の取扱者の識別
・送信の日時及び場所
・受領の日時及び場所
・通貨の移動期間
・他の保証監査情報
【０６６１】
セキュリティチェックポイントシステム６０００は、コンテナ１５２の通過及び／或いは改変を拒否したら、例えば
・送り主の名前
・欠陥の性質
・所期の受領者
・他の追跡情報
のような利用可能な追跡情報を含む監査報告を生成し得る。セキュリティチェックポイントシステム６０００はまた、送り主、所期の受領者、政府当局、或いは他の当局に通知し得る。セキュリティチェックポイントシステム６０００は更に、「失敗した通信」の諸経費料金を例えば送り主に請求し得る。
【０６６２】
セキュリティチェックポイントシステム６０００は、その後に、付加的な通信が要求されるかどうかを判断し得る（図５８Ｄ、決定ブロック６０１０）。必要なければ、プロセスは完了する。付加的な通信が要求されるときには（決定ブロック６０１０の「Ｙ」出口）、セキュリティチェックポイントシステム６０００はコンテナ１５２を次のシステムへ送信し得る（図５８Ｄ、ブロック６０１２）。次のシステムは、付加的な処理を実行する付加的なセキュリティチェックポイントシステム６０００であり得る（図５８Ｄ、ブロック６０１６、６００４、６００６、６００８）。
【０６６３】
実施例
【０６６４】
例−電子的コンテンツ配布価値連鎖
図５９は、例示される電子コンテンツ配布価値連鎖１６２を支持するために、例示される分散交易ユーティリティ７５が如何に使用され得るかを示す。図５９では、例えば、著者１６４が、小説、テレビ番組、音楽曲などのような価値のある作品を創造し得る。著者は、この作品１６６を（例えば電子的デジタル形態で）出版者１６８に提供する。
【０６６５】
出版者は、彼自身のブランド、名前の認知、及びマーケティング努力を使用して、その作品を消費者９５に配布する。出版者１６８は、コンテンツ「アグリゲータ」１７０、すなわち、複数のソースからの広範囲のコンテンツへのアクセスを顧客に提供する人物にも、作品１６６を提供し得る。アグリゲータの例は、例えば、伝統的なオンラインデータベースサービスや、多くの多様なソースからのコンテンツのホストとなるワールドワイドウェブサイトを含む。典型的には、消費者は、消費者が規定する一つ以上のトピックスに関連する情報を検索することによって、アグリゲータのサービスを使用する。アグリゲータ１７０は、自身の選択を行う消費者９５に、検索ツールを提供し得る。
【０６６６】
アグリゲータ１７０は、オリジナル作品１６６の一部或いは全てを含む作品１７２を、消費者９５に直接に配布し得る。アグリゲータ１７０は、作品１７２を、「再パッケージ者」１７４にも配布し得る。再パッケージ者１７４は、例えば、関連する事柄についての幾つかのソースからコンテンツを得て、それらを、マルチメディアコンビネーション、ニュースレターパブリケーション、或いは「カレントアウエアネス」パッケージのような混合されたソースプロダクツにまとめ得る。これらのサービスでは、再パッケージ者は、コンテンツの選択を行い、聴衆の示す興味に基づいてオーガナイズする。消費者９５は、特定のトピックに関する電子ニュースレターを申し込み得るし、或いは、消費者は、再パッケージ者１７４に、興味を持っているトピックスの短いリストを与え得る。再パッケージ者１７４は、関連する情報を選択して、その情報を消費者に通信する。ここで、再パッケージ者は、消費者のために選択を行う。
【０６６７】
例えば、再パッケージ者１７４は、ニュースレターの出版者であり得て、このニュースレター１７６の中で著者の作品１６６の一部或いは全てを再出版し得る。再パッケージ者１７４は、ニュースレター１７６を直接に消費者９５に配布し得るし、或いは、ニュースレターは更に他のチャネルを通過し得る。再パッケージ者１７４は、アグリゲータ１７０によって提供された検索エンジンを使用して、消費者９５が興味を有する文献を見つけて、これらの文献を、アグリゲータ１７０のブランドと再パッケージ者１７４のブランドとの両方を有する電子ニュースレターにまとめて、その後にそのニュースレターを消費者９５に送る。
【０６６８】
分散交易ユーティリティ７５は、図５９の価値連鎖を多くの方法で支持し得る。例えば、
１．認証当局５００は、価値連鎖の参加者の各々に、彼らが誰であるかを識別し且つ彼らが一つ以上の特定のクラスの一員であることを示すことを可能にさせる認証を、発行できる。例えば、著者１６４及び／或いは発行者１６８は、どの認証されたアグリゲータ或いは再パッケージ者も、適切な支払いが行われる限りは作品１６６を抜粋し或いは選集に含ませる資格を有すると明示し得る。認証当局５００は、所望のビジネス目的を支持するデジタル認証５０４を発行することができて、その認証は、アグリゲータ１７０が実際に信頼できるアグリゲータであり、再パッケージ者１７４が実際に信頼できる再パッケージ者であることを認証する。著者１６４及び／或いは出版者１６８が全体システム５０のセキュリティ及び認証当局５００によって発行された認証５０４を信用する限りは、彼らは、作品１６６が、彼らが特定する適切なタイプの人々以外の誰かによって抜粋されたり選集に組まれたりすることを恐れることはない。
【０６６９】
他の例では、認証当局５００は、アグリゲータ１７０或いは他のユーザに認証５０４を発行できる。認証当局５００は、この認証５０４を著者１６４或いは発行者１６８に向けて発行できる。認証５０４は、アグリゲータ１７０或いは他のユーザがある許可４０４を改変する認可を受けていることに著者１６４或いは発行者１６８が同意していることを証明する。著者１６４或いは発行者１６８は、特定の許可４０４を有し得て、彼ら自身は、「認可されたアグリゲータ」の認証が存在している条件下のみで改変され得る。
【０６７０】
他の例では、認証当局５００は、一つ以上のユーザクラスに、例えば、コンテンツ及び／或いはコンテンツの特定の部分の使用、及び／或いは許可の改変を可能にし、その可能の範囲が、（適切な規則及び制御によって許可されるように）著者或いは発行者或いは認証当局によって適切に与えられたあるＶＤＥ規則及び制御を使用することによる特定の使用及び／或いは改変に限られ得るような、認証を発行できる。
【０６７１】
２．この特定の例における権利及び許可手形交換所４００は、作品１６６を登録し、各価値連鎖参加者によって提供された認可及び指示に一致した適切な許可４０４を発行し得る。例えば、著者１６４は、作品１６６を権利及び許可手形交換所４００に登録できて、全ての他の価値連鎖参加者の権利を規定する電子制御４０４を特定できる。
【０６７２】
例えば、
・この制御セット４０４は、一つの例として、出版者１６８が作品１６６の無制限の数のコピーを、配布する各コピー当たりある金額のドルを出版者が著者１６４に支払う限り配布できることを、特定する。
【０６７３】
・制御セット４０４は、出版者１６８に、消費者９５に作品１６６を無制限の回数だけ繰り返して読むことを認めるが、消費者が作品のコピーや再配布をすることを妨げるような、彼自身の付加的な制御を追加することを認め得る。
【０６７４】
・電子制御セットは、電子コンテナ１５２の中で作品１６６と共に移動できるが、別個にも提供され得る。例えば、権利及び許可手形交換所４００は、要求に応じて、作品１６６に関連した制御セットを、制御セットを要求する誰にでも供給し得る。
【０６７５】
権利及び許可手形交換所４００は、異なったクラスのユーザには制御セット４０４の異なったバージョンを維持し得て、例えば、消費者９５がある制御セット４０４ａを受領し得て、アグリゲータ１７０は他の制御セット４０４ｂを受領し得て、再パッケージ者１７４は更に異なった制御セット４０４ｃを受領し得る。これらの制御セットの各々は、作品１６６の広範な使用を極端に効率的ながら且つ高く安全にする「事前承認許可」システムが与えられていれば、そのような制御セットは、著者１６４或いは他の権利保有者によって、前もって提供されることができる。更に、そのような制御セットは、切れ目がなく、ＶＤＥ分散テンプレートアプリケーションと相互作用し得て、一つ以上のテンプレートアプリケーションが、そのような制御セットのそのような配布者によってそのような制御セット参加者に配布され得る（或いは、そうでなければ、利用可能にされ得る）。ある特定の「スーパー配布」ビジネスモデルでは、作品１６６は、可能な限り広く配布されて、権利及び許可手形交換所４００は、特定の価値連鎖参加者が特定の条件下で特定の方法で作品を使用することを認可する現在の制御セット４０４を提供する作業を行う。
【０６７６】
３．この特定の例における使用手形交換所３００は、各価値連鎖参加者からの使用情報を収集することによって、価値連鎖を支持し得る。使用手形交換所３００は、これによって保証監査機能を提供し、例えば、作品１６６が何回使用されてそのように使用されたかを追跡するレポートを生成する。
【０６７７】
ある例として、使用手形交換所３００は、使用情報を分析して、何人の消費者９５が作品を読んだかを決定する。使用手形交換所３００は、例えば、消費情報を、詳細度及び／或いは特定の情報の種類を様々に変えて、プライバシーの問題及び各パーティの許容されるビジネス権利に一致する様々な価値連鎖参加者に、レポートできる。ある例として、使用手形交換所３００は、消費者９５に彼或いは彼女自身の特定の作品１６６の使用についての詳細なレポートを与え得て、その一方で、著者１６４或いは出版者１６８には、例えば消費者の名前、住所、或いは情報を識別する他の指示を含まないサマリーレポート情報のみを与え得る。
【０６７８】
他の例として、レポートは、再パッケージ者１７４からアグリゲータ１７０、出版者１６８、及び著者１６４に直接に流れることもできる。レポートは、どの論理経路に沿って直接に或いはどのパーティのシーケンスを介して送られても良く、価値連鎖にとって受容可能であり且つ少なくとも部分的ＶＤＥ規則及び制御によって実行可能であるような各パーティに対する情報のどのような混合を含んでいても良い。
【０６７９】
４．この例における金融手形交換所２００は、取引の金融的詳細の保証手形交換を提供し、適切な価値連鎖参加者が他の価値連鎖参加者を補償することを確実にする。ある例として、金融手形交換所２００は、作品１６６の消費者の使用に基づいて消費者９５から支払いを受け取り得て、その支払いの一部を著者１６４、出版者１６８、及び他の適切な価値連鎖参加者に、ＶＤＥ規則及び制御によって少なくとも部分的に管理される自動化された効率的なプロセスによって、適切に配分し得る。例えば、金融手形交換所２００は、他の銀行或いは金融機関との仲介をして、支払い振り替えの自動化を達成し、及び／或いは、示される価値連鎖の全体の中に維持される電子マネーの管理を援助する。金融手形交換所２００は、それ自身及び他の交易ユーティリティシステム９０が、それらが提供する管理及び支持サービスを適切に補償されることを確実にする。すなわち、交易ユーティリティシステム９０の中で動作している保証ＶＤＥプロセスは、自動的に、そのような管理及び支持提供者に対する支払いを確保し得る。
【０６８０】
５．この例における保証ディレクトリサービス６００は、価値連鎖参加者間及び／或いは交易ユーティリティシステム９０間の電子通信を促進することによって、例示する価値連鎖を支持する。例えば、保証ディレクトリサービス６００は、要求があれば、一人の価値連鎖参加者が電子的に他の者にコンタクトすることを可能にする電子アドレス及び／或いはルーティング情報を提供する。ある例として、消費者９５が作品１６６の最新版を入手したがっているが、発行者１６８の電子アドレスが変更されていることを発見したと仮定する。消費者９５は、電子的に保証ディレクトリサービス６００にコンタクトし、保証ディレクトリサービス６００は、現在のアドレス情報を提供する。もちろん、商用貿易システムアプリケーションでは、例えば、保証ディレクトリサービスは、クラス属性に基づいてパーティを特定するためのディレクトリリソースの他次元検索のような、所望のパーティの識別のためのより詳しいサービスを提供し得る。保証ディレクトリサービス６００は、例えばコンテンツのタイプ及び／或いはそのようなコンテンツに関連する規則及び制御（価格付け、再配布権のような許容される使用パラメータ、など）に基づいて、コンテンツの識別を可能にするサービスも、提供し得る。
【０６８１】
６．この例における取引当局７００は、再パッケージ者１７４がニュースレター１７６を作成することを援助するために使用されることができる。例えば、取引当局７００は、多数の異なる著者によって生成された多数の異なる作品が、ニュースレターでの出版のために全て収集され且つ抜粋される処理の自動化を援助し得る。取引当局７００は、他段階処理の全体の現在のステータスを確実に維持し、どの段階が既に実行されてその段階が未だ実行されていないかを特定する。取引当局７００は、例えば、そのような他段階処理の中の異なる参加者間の仲裁且つ調停を援助でき、また、ある場合には、（例えば、エラー或いは他の条件に基づいて新しい指示或いは要件を発行することによって）処理に積極的に影響を及ぼすか、或いは制御する。
【０６８２】
例−製造連鎖
図６０は、分散交易ユーティリティ７５によって支持された例示的な製造価値連鎖を示す。この特定の例では、顧客９５は、製造業者１８０に注文を出し、注文の確認を受領する。製造業者は、部品及びサプライ品を多数の他のサプライヤ１８２（１）〜１８２（Ｎ）に注文し得る。サプライヤ１８１（１）〜１８２（Ｎ）は今度は、付加的なオーダ或いはサブアセンブリを付加的なサプライヤ１８２（ａ１）、．．．に注文し得る。銀行１８４は、注文の写し、及び製造業者が貸付金を返済するという保証に基づいて、サプライヤ１８２に資金を供給し得る。運送／倉庫会社１８６は、サプライヤ及び／或いは最終製品のための運送及び倉庫を提供し得る。
【０６８３】
この価値連鎖では、認証当局５００及び取引当局７００は、電子注文、確認、納期及び条件、及び契約の確実な流れを援助することができ、また、各価値連鎖参加者が必要な情報を他の価値連鎖参加者と交換しながら所望の程度の気密性を維持できることを確実にするように援助することもできる。使用手形交換所３００は、全体処理の確実な監査、価値連鎖参加者間の物理的及び電子的荷物の追跡、及び他の使用に関連した操作を援助し得る。金融手形交換所２００は、価値連鎖参加者間の金融的申し合わせを処理し得て、例えば、銀行１８４の電子ネットワーク１５０の世界と紙中心の或いは他の世界との間の協調を援助する。権利及び許可手形交換所４００は、取引の一部或いは全てを規定する電子制御４０４に対する確実なアーカイブを提供し得る。取引当局７００はまた、価値連鎖参加者間で発生している取引の全体的な進展を確実にモニタし得て、各価値連鎖参加者に対して適切であるような定期的ステータスレポートを提供する。加えて、取引当局７００は、全ての段階及び要件が満足されることを確実にするように、全体の取引を方向付けし或いは仲裁する。保証ディレクトリサービス６００は、異なる価値連鎖参加者間での電子的な情報のルーティングを援助できる。もちろん、本発明に関して前述し且つ本願明細書の全体に渡って適用しているように、規則及び制御並びに確実な通信技術を含む処理及び制御のＶＤＥ連鎖と他の能力とは、好ましくは、上記の活動の基礎として使用される。
【０６８４】
交易ユーティリティシステムがどのようにしてお互いに支持するかの例
前述した図１６Ａ〜図１６Ｅは、異なる交易ユーティリティシステム９０がお互いに如何に支持するかを示している。より詳細には、図１６Ａは、金融手形交換所２００が、例えば、使用手形交換所３００、権利及び許可手形交換所４００、認証当局５００、保証ディレクトリサービス６００、取引当局７００、及び他の金融手形交換所２００’を含む、一つ以上の他の交易ユーティリティシステム９０に、サービスを提供し得ることを示している。そのような状態下では、複数の交易ユーティリティシステムが、仮想手形交換所及びより高次の交易ユーティリティシステムの両方を構成する。
【０６８５】
各々の例において、金融手形交換所２００は、支持サービスに対する資金を収集し、これらの資金を、少なくとも一つの支払方法を使用して少なくとも一つの提供者口座に入金する。金融手形交換所２００はまた、資金のソース及び量、及び金融手形交換所２００によって資金が入金された提供者口座を確認するＶＤＥ監査記録を提供し得る。金融手形交換所２００は、一つ以上の他の支持サービスを援助して、提供者口座を確立し、且つ、単数及び／或いは複数の口座番号及び適用され得る期間及び条件を、そのような一つ以上の支持サービスと通信する。金融手形交換所２００に対する支持サービスの要求と要求を出している支持サービスへのその応答との両方が、（以前に述べたような）ＶＤＥ保証コンテナの中で通信されて、その実質的なセキュリティ、機密性、フレキシブルな制御アーキテキチュア、及び信用を利用し、一つ以上のＶＤＥの保護された処理環境によって各位置で処理されることができる。金融及び口座情報は、ＶＤＥ制御セットの形態で提供され得て、及び／或いは、金融手形交換所２００及び／或いは一つ以上の他の支持サービスによってＶＤＥ制御セットの中に組み込まれ得る。金融手形交換所２００は、お互いにサービスを提供し合って更なる操作及び管理効率を促進し得る。例えば、ある金融手形交換所２００は、サービスを他国の或いは他の地理的領域の相手方に提供し得る。他の例では、ある金融手形交換所２００は、他の金融手形交換所２００に、第２の金融手形交換所２００によって直接には支持されない一つ以上の支払方法へのアクセスを提供し得る。
【０６８６】
図１６Ｂは、使用手形交換所３００が、他の交易ユーティリティシステム９０にサービスを提供しても良いことを示している。ある例では、使用手形交換所３００は、生データ、収差されたデータ、少なくとも部分的に派生した情報、及び／或いはレポートを、金融手形交換所２００、権利及び許可手形交換所４００、認証当局５００、保証ディレクトリサービス６００、取引当局７００、及び他の使用手形交換所３００’のような他の電子交易支持サービスに提供し得る。これらの他のインフラストラクチュアサービスは、この情報を、彼ら自身のサービスのためのマーケットリサーチのために、及び／或いは、この情報を恐らくは彼ら自身の使用情報に関連して再販売するために、ある取引及びその詳細の独立した第３者の証明として使用し得る。ある例では、権利及び許可手形交換所４００は、彼ら自身の情報、並びに金融手形交換所２００及び使用手形交換所３００、加えて保証ディレクトリサービス６００及び認証当局５００からの情報の組合せを含むレポートを、発行者に販売し得る。より具体的には、レポートは、特定の発行者によって権利及び許可手形交換所４００に登録された対象物のリスト、更新された或いは付加的な権利及び許可に対する権利及び許可手形交換所への要求の数、各デジタル財産に対する金融手形交換所２００の合計歳入数、使用者が認証されたこと及び出版者のデジタル作品への有効な申し込みを得たことを示す出版者のための認証当局５００による認証の数、及び出版者のオンラインウェブサイトのネットワークアドレスについての情報を求める保証ディレクトリサービス６００への要求の数を、含み得る。各々の場合に、支持サービスは、このレポートの出版者への結合のために、権利及び許可手形交換所へ情報を提供した。
【０６８７】
例−分散交易ユーティリティ７５がデジタル財産の購入、ライセンシング、及び／或いは貸借取引を支持し得る
分散交易ユーティリティ７５は、例えば顧客がデジタル情報に対して対価を支払う際に、顕著な信用、セキュリティ、利便性、及び効率を提供する。更に、情報の創作者及び配布者は、この情報、実際のところはあらゆるデジタルフォーマットのあらゆるデジタル財産に、様々な様式で且つ異なったマーケットにおいて異なった様式で、価格を付けることができる。
【０６８８】
図６１は、情報送達サービス構成１０００の例を示し、そこでは、情報提供者１６８が購入、レンタル、及び／或いはライセンシングのための電子コンテンツを提供する。この例では、情報サービス会社１６８が、個人を含む幾つかの全世界的なマーケットに情報１６６を配布する。彼らのマーケットエリアは、専門家、ホームオフィスのユーザ、小さいオフィスの市場、及び中規模及び大規模な会社や過程の顧客を含む。例えば、提供者１６８は、コンテンツを電子的な形態で家庭の消費者９５（１）、弁護士のような専門家９５（２）、及び会社や他の組織９５（３）に送達する。ある例では、
・個人の消費者９５（１）は、価格を付ける申し込みによって、３件の記事１６６（１）をオンライン百科事典から買う。
【０６８９】
・弁護士９５（２）は、特許法に関する論文から３つの章１６６（２）を買う。及び、
【０６９０】
・大会社９５（３）の２人の商品マーケティングマネージャは、専売マーケットリサーチレポート１６６（３）を受領する。
【０６９１】
情報の送達取引に先立って、顧客９５（１）、専門家９５（２）、及び会社９５（３）は、情報提供者１６８のネットワークアドレスを得たり、処理したいと考えているコンテンツを特定するための手助けとするために、保証ディレクトリサービス６００を使用し得る。引き続いて、これらのパーティ９５は、受領したいと考えている特定の情報を要求する電子メッセージを、提供者１６８に送り得る。提供者１６８は、この情報１６６を、価格付け及び許可を制御する関連する規則及び制御１８８に従って、ＶＤＥ保証電子コンテナ１５２の中に入れて送達し得る。各パーティ９５は、これらの制御１８８を実行する保護された処理環境１５４を含む電子機器１００を有している。
【０６９２】
提供者１６８は、異なるマーケットでは情報に異なる価格を付けることができる。例えば、
・専門家９５（２）及びＳＯＨＯ（ｓｍａｌｌ  ｏｆｆｉｃｅ／ｈｏｍｅ  ｏｆｆｉｃｅ）は取引料金を支払う。
・大会社９５（３）は、購読料及び取引料金の混合を支払う（例えば、会社９５（３）は、より大きなレポートから印刷或いは抜粋された１頁毎に１０ドル支払い、また購読料金も支払い得る）。及び、
・個人の消費者９５（１）は、定額購読料金を支払う。
【０６９３】
これらの場合の各々で、地方、州、及び／或いは連邦の売上税は、適切であれば、小売価格に含まれる。支払方法は、（例えばＧｉｎｔｅｒ  ｅｔ  ａｌ．に提供されるように）関連するコンテンツ１６６と共に及び／或いは独立して電子コンテナ１５２の中で送達される電子制御セット１８８の中に、提供され得る。
【０６９４】
金融手形交換所２００は、提供者１６８が認可された支払方法で支払いを受領することを確実にする。情報送達サービス１６８は、広範囲の支払方法を受容する。支払いのある形態は、あるマーケットでは他のものに比べて、よりポピュラーである。例えば、
・専門家、ＳＯＨＯ、及び消費者のマーケットでは、クレジット（ＭａｓｔｅｒＣａｒｄ及びＶｉｓａ）及びチャージ（Ａｍｅｒｉｃａｎ  Ｅｘｐｒｅｓｓ）がポピュラーである。
【０６９５】
・消費者９５（１）はクレジットカードもまた好み、且つ銀行のデビットカードの使用も増加している。
【０６９６】
・大会社９５（３）は、クレジット及びチャージカード、自動化手形交換所（ＡＣＨｓ）を通じた支払い、及び例えばＸ．１２プロトコルに基づいた伝統的なＶＤＥ保証電子データ交換（ＥＤＩ）取引を通じた請求及び支払いも、使用する。
【０６９７】
金融手形交換所２００は、幾つかの方法で、支払いをより効率的にする。例えば、金融手形交換所２００は、提供者１６８に、幾つかの支払方法への便利な「ワンストップショッピング」インタフェースを提供して、与えられた提供者に関連した少なくとも口座番号を監視し続ける。
【０６９８】
この特定の例では、認証当局５００は、消費者の一つ以上のクラスを特定するデジタル認証を、消費者９５の各々に送達し得る。例えば、認証当局５００は、
・消費者９５（１）が情報サービス１０００に対する個人消費者の申込者である事実を証明し、更に、消費者が登録された大学生であり、且つ（取引に関連する課税の目的で）カリフォルニアの居住者である事実を証明する、一つ以上の認証５０４（１）、
・専門家９５（２）が、カリフォルニア州で認められた弁護士である事実を証明する認証５０４（２）、及び
・会社９５（３）が法律に従って組織された構成であり、且つある信用価値を有している事実を証明する一つ以上の認証５０４（３）、
を送達し得る。
【０６９９】
制御セット１８８は、適切なデジタル認証５０４の存在に基づいて、異なった支払方法を活性化し得る。例えば、消費者電子機器１００（１）に送達された制御セット１８８（１）は、消費者９５（１）に、３つの記事１６６（１）の各々の使用を認可する。制御セット１８８（１）は、例えば、消費者９５（１）が独立した認証当局５００からの（或いは情報分配者或いはより上級の認証当局からの認可の下で認証当局能力を発揮する他のパーティからの）、消費者９５（１）がオンライン百科事典に対する期限切れしていない申し込みを有していることを証明する認証５０４（１）を有していなければならないという要件を含み得る。例えば、この認証５０４（１）は、（例えば、合衆国政府或いは他の政府組織によって運営されるか或いは認可された）認証当局５００によって発行された、消費者９５（１）が合衆国市民であり、合衆国の国内に居住し、カリフォルニア州の適法な住人であるという事実を証明する他の認証と共に、使用され得る。
【０７００】
個人消費者
消費者９５（１）は、情報提供者１６８に、ＶＤＥ電子コンテナ１５２の中の金融手形交換所２００に送信された取引を通じた申し込みに対して、支払いを行う。支払い取引は、例えば、金融手形交換所２００に規則及び制御１８８（４）及び監査記録３０２（１）を含む電子コンテナ１５２（７）を送り消費者機器１００が関与する。監査記録３０２（１）は、例えば、
・誰が支払うべきか、
・取引の量、
・特定の支払方法（例えばＶＩＳＡカード）
・申込者のＶＩＳＡカード番号及び有効期限
・情報申込者の識別子、及び
・支払いが行われるべき提供者の口座番号、
を示し得る。
【０７０１】
保証コンテナ１５２（７）はまた、地方自治体、カリフォルニア州、及び合衆国連邦の売上税が徴収されるべきであることを示す規則及び制御１８８（４）を含み得る。金融手形交換所２００は、適切な売上税を徴収して、資金を適切な口座に預金する。例えば、ある資金は、適切なカリフォルニア州徴税エージェンシー１００２に属する口座に預金されるであろう。
【０７０２】
支払いと引き替えに、申し込んだ顧客９５（１）は、認証当局５００から、彼女が実際に申込者であることと現在の申し込みの有効期限とを示す認証５０４（１）を受領し得る。
【０７０３】
専門家
この例における弁護士９５（２）は、英国にいても良い。彼は、ＭａｓｔｅｒＣａｒｄを使用して特許に関する論文から３つの章１６６（２）を購入したが、ドルではなくイギリスポンドで支払いを行う。購入取引を実行するために、弁護士９５（２）は、最初に金融当局２００によって、毎月５００米国ドル（或いは相当するポンド）までの購入を事前認可され得る。事前認可は、金融手形交換所２００から弁護士の機器１００（２）へ、保証コンテナ１５２（８）の中の予算制御１８８（５）の形態で送られ得る。弁護士の機器１００（３）の中の保護された処理環境１５４（２）は、コンテナ１５２（８）に対してオープンであり得て、予算制御１８８（５）が本物であることを証明し、制御を、ＰＰＥ１５４（２）によって維持された関連する保証データベースの中に記憶する。
【０７０４】
３つの章１６６（１）の各々の冒頭を受領すると、弁護士の保護された処理環境１５４（２）は、関連する監査記録を生成し得て、購入額だけ予算記録の中の使用可能なクレジットを減ずる。月末に、或いは＄５００の事前認可されたクレジットが全額使用されると、弁護士のＰＰＥ１５４（２）は金融手形交換所２００に、全ての購入、それらの量、支払い対象になるべき供給者の一つ或いは複数の口座、を示す監査記録３０２（２）が付いた保証コンテナ１５２（９）を送り得る。これは、クリアプロセスの効率的な自動化を支持する。金融手形交換所２００は、保証コンテナ１５２（９）を開けて、弁護士のクレジットカード口座に請求して、適切な供給者口座に請求額を支払う。
【０７０５】
会社
コンテンツ取引に先立って、会社９５（３）の中の分散法人金融手形交換所２００Ａは、金融手形交換所２００の認可の下で行動しながら、マネージャ９５（３）Ａ、９５（３）Ｂの各々に保証コンテナ１５２、彼らの現在の承認された月毎の情報及びマーケットリサーチ予算を示す予算記録１８８を送る。（この例では認証当局５００と同じ信用階層にある）法人分散認証当局５００Ａはまた、会社の従業員に対して（不図示の）デジタル認証５０４を発行し得る。
【０７０６】
この例では、各プロダクトマネージャ９５（３）Ａ、９５（３）Ｂは、レポートの選択された部分及び予算を彼或いは彼女のローカル機器１００に印刷し、予算は、印刷される各頁毎に＄１０ずつ減じられる。ローカルな電子機器１００（３）の中の保護された処理環境１５４（３）は、このプロセスを確実に実行し、認証当局５００及び／或いは分散法人認証当局５００Ａによって発行された適切なデジタル認証５０４（３）を必要とし得る制御１８８（３）に、それを条件付ける。
【０７０７】
情報提供者によって供給される制御１８８（３）に従って、例えば、月末、或いはその月の予算を全額使用したときに、組織の機器１００（３）は、報告の間に行われたかもしれない購入と、その量、及びその購入に対する供給者口座番号を示す監査記録（不図示）を、法人内部金融手形交換所２００Ａに送る。分散ローカル法人金融手形交換所２００Ａは、監査記録の合計を集めて、保証コンテナ１５２（１２）の中の少なくとも一つの監査記録３０２（３）を外部金融手形交換所２００に送り、自動化された手形交換所（ＡＣＨ）を介したマーケットリサーチレポートの提供者に対する合計金額の支払いを認可し得る。また、保証コンテナ１５２（１１）の中には、（例えば監査記録３０２（３）の一部として）資金の請求先の会社９５（３）の口座番号、及び資金が支払われるべきマーケットリサーチ会社の口座番号が存在する。金融手形交換所２００は、ＡＣＨを介して支払い処理を完了して、（少なくとも一つの監査記録を提供する）ＶＤＥ保証コンテナを、内部法人金融手形交換所２００Ａに、確認として送り返す。分散手形交換所２００Ａは、今度は、保証コンテナ（不図示）を使用して、少なくとも一つの確認監査記録をプロダクトマネージャ９５（３）Ａ、９５（３）Ｂの各々に送り得る。
【０７０８】
実施例：分散交易ユーティリティ７５は、消費者が有形アイテムを購買し、かつ支払い取引きを支持することができる
電子交易の重要な部分は、全種類の無形物の販売、購買、配布管理および／あるいは支払いを伴う。無形物（例えば、デジタル情報）における交易は、有形物における交易と同様の安全性、信頼性および効率要求の多くを有する。コンピュータが真に交易機器になるためには、Ｇｉｎｔｅｒらの明細書に説明されている仮想的分散環境のような、分散される、安全な、信頼性のある権利／イベント管理ソフトウェア層（例えば、システムあるいはミドルウェアを操作する権利）が必要とされる。従って、デジタル資産よりもむしろ有形物が安全な（ｓｅｃｕｒｅ）電子交易のオブジェクトであるときでさえ、分散交易ユーティリティ７５は重要な役割を果たし得る。
【０７０９】
図６２は、有形商品の購買および支払いシステム１０１０の例を示す。図６２の例において、衣服および関連する家庭で使用されるあるアイテムの公知のプロバイダーは、例えば、インターネット／ワールドワイドウェブのようなデジタルネットワークを超えて商品を提供する、Ｌ．Ｌ．ＢｅａｎあるいはＬａｎｄｓ’Ｅｎｄを想像すること。本実施例において、会社は以下のものを作成する：
・消費者９５に衣服系統（ａ  ｌｉｎｅ  ｏｆ  ｃｌｏｔｈｏｉｎｇ）を提供するウェブカタログサーバ１０１２
・調達機能に対するインタフェースであるウェブ調達サーバ１０１４、
・安全な金融手形交換所２００として、および、いくつかの支払い方法（例えば、Ｍａｓｔｅｒ  Ｃａｒｄ（“ＭＣ”）、ＶＩＳＡおよびＡｍｅｒｉｃａｎ  Ｅｘｐｒｅｓｓ（“ＡＭＥＸ”））に対するインタフェースとして働く第３ウェブサーバ１０１６。
【０７１０】
会社は、また、本実施例において下記のものを創り出す：
・安全なディレクトリサービスプロバイダー６００にサービスを登録し、および、
・金融手形交換所２００を通して、クレジットカード、デビットカードおよび／あるいは銀行のような、少なくとも１つの支払い方法でプロバイダーアカウントを確立する、および、
・取引当局７００にいくつかの取引きを登録する。
【０７１１】
本実施例において、会社は、商品を販売する会社内で分散された取引当局であり得る取引当局７００に登録し、アトミック（ａｔｏｍｉｃ）取引きは、例えば下記に説明する少なくとも１つの電子制御セットを有する：
・問屋１０１８およびロジスティック１０２０（同じ会社であっても、同じ会社でなくてもよい）のような１以上の組織の調達を処理する注文を送達、
・所望の商品が実際にストックされているという確認書の受けとり、
・注文の確認書の受け取り、
・その注文を出している特定の消費者に対する、支払い方法からの支払い前認証の受け取り、  
・商品の運送指示（ｓｈｉｐｐｉｎｇ  ｉｎｓｔｒｕｃｔｉｏｎｓ  ｆｏｒ  ｍｅｒｃｈａｎｄｉｓｅ）、
・その商品が実際に運送されたことの確認、および、
・支払い取引きを完了するための制御。
【０７１２】
本実施例において、会社はまた、下記に示すうちの少なくとも１つの事実を証言する認証当局５００から、少なくとも１つのデジタル認証５０４を得る。
【０７１３】
・会社は、デラウェア州において登録されている合法な会社である、
・会社は、倒産していない、および／あるいは、会社はある程度の信用を有する、
・会社は、指定された特定の連邦政府の税金証明番号を有している、および、
・会社は、いくつかの州、特定の州およびそれらの対応する認証番号のそれぞれにおいて州の税金認証番号を有している。
【０７１４】
消費者９５は、インターネットのワールドワイドウェブにわたってカタログサーバ１０１２にアクセスするための可能性をブラウズするウェブとして自分の電子機器１００を使用する。カタログサーバ１０１２は、電子カタログからページを提供するウェブページ１０２２を消費者９５に送る。ウェブページ１０２２は、１以上の安全な電子コンテナ１５２（１）に送られ得る。消費者９５は、自分の電子機器１００を使用してウェブページ１０２２Ａを表示し、＄１５．９５で販売している男性用の半袖オックスフォードボタンダウンシャツを示しているウェブページ部をクリックする。現在のウェブページが、調達サーバ１０１４からウェブページ１０２２Ｂに置き換えられる。第２のウェブページ１０２２Ｂは、安全なコンテナ１５２（２）に送られ得る。
【０７１５】
消費者の電子機器１００は、保護された処理環境１５４を有する。ＰＰＥ１５４は、安全なコンテナ１５２を開け、かつページ１０２２Ｂをスクリーン上に表示する。表示されているページ１０２２Ｂは、カタログ番号、シャツの説明および小売価格を含むいくつかのフィールドを有する形態である。消費者９５は、色、首のサイズ、普通あるいは背の高い人であるか、普通あるいはきちんとフィットするか、および、数量のフィールドを記入する。消費者９５はまた、シャツがどこに送達されるべきか、所望の送達サービスのクラス、および消費者のアドレスを示す。
【０７１６】
要求される情報を全部そろえた消費者９５に対して、電子機器１００は、その形態フィールド情報１０２４を安全なコンテナ１５２（３）に置いて、かつ、そのコンテナ１５２（３）を調達サーバ１０１４に送り返す。調達サーバ１０１４は、そのコンテナ１５２（３）を開け、かつ、そのフィールド情報１０２４を読む。調達サーバ１０１４は、情報１０２４の受け取りを示すＶＤＥ監査記録を創り出す。調達サーバ１０１４は、制御セット１８８および／あるいは購買取引きを開始するイベント通知もまた創り出す。
【０７１７】
調達サーバ１０１４は、問屋１０１８と直接あるいは取引き当局７００を通して通信する。調達サーバ１０１４は、次に、要求されるアイテムがストックされているか否かおよび運送可能か否かを決定する。仮に調達サーバ１０１４が、要求されるアイテムがストックされており、かつ、運送可能であることを決定し、かつ、仮に消費者によって提供された情報１０２４が、先に進む（ｐｒｏｃｅｅｄ）のに十分であれば、調達サービスは、以下を示す別のウェブページ１０２２Ｃを消費者に送り返す：
【０７１８】
・購買は調達され得ること、
・様々な販売税および送達料金がいくらか、
・提供されるアドレスおよび選択された送達サービスのクラス、
・支払い関連情報の新たなフィールド、および、
・消費者が手続きを所望するか否かをたずねる質問。
【０７１９】
調達サービス１０１４はまた、監査記録３０２（１）を消費者のＰＰＥ１５４および、履行されている比較的大きな、アトミック取引きのどの部分が調達されているかを示す取引き当局７００に送る。
【０７２０】
仮に消費者９５が、消費者自身が調達の詳細を見た後に、その取引きを続行することを所望しないと決定すれば、消費者の機器１００は、安全なＶＤＥコンテナ１５２（５）を調達サービス１０１４、および、取引きがキャンセルされることを示す取引き当局７００に送ることができる。消費者９５がイエスと言った場合、その取引きは連続され、消費者は提供されたリストから支払方法をとることを促される。本実施例において、上記リストは、商品プロバイダーと金融手形交換所２００との両方によって支持された支払い方法に対応する。消費者９５は、クレジットカードあるいはチャージカード番号、例えば、期限期日および請求書のアドレスを記入する。
【０７２１】
上記の要求された情報を完全にそろえると、消費者の機器１００はその情報を、消費者自身の安全なＰＰＥを使用し、安全なＶＤＥコンテナ１５２（５）において金融手形交換所２００に送ることができ、かつ、別のＶＤＥコンテナ（不図示）を監査記録と共に取引き当局７００に送り得る。
【０７２２】
金融手形交換所２００は、前認証をクレジットカード処理会社から得、そして、例えば安全なＶＤＥコンテナ１５２（６）を使用しながら、前認証承認情報１０２６を調達サーバ１０１４に戻す。金融手形交換所２００は、他のＶＤＥコンテナ１５２（７）を、前認証段階の完了を示す監査記録３０２（２）と共に取引き当局７００に送る。
【０７２３】
調達サーバ１０１４は、さらなるＶＤＥ安全コンテナ１５２（８）を、下記に示す、新たなウェブページ１０２２Ｄおよび監査記録情報３０２（３）と共に消費者９５に送り得る：
【０７２４】
・注文処理が完全であること、
・支払い方法によって販売が承認されていること、
・商品が運送されるときに、消費者のクレジットカードが全額チャージされること、および、
・調達サービス１０１４および／あるいは取引き当局７００に問い合わせ可能にするために、さらに参照するための取引き確認書番号。
【０７２５】
調達サービス１０１４は（例えば、問屋１０１８と協同して）、商品を包装して、それらを速達送達サービス１０２０に渡し、例えば、発送を示す、監査記録３０２（４）および３０２（５）を有する、ＶＤＥ安全コンテナ１５２（９）および１５２（１０）を、それぞれ、金融手形交換所２００および取引き当局７００に送ることができる。本実施例において、速達送達サービス（「ロジスティック」）１０２０は、速達サービス１０２０がその包装を所有していることを示すＶＤＥ安全コンテナ１５２（１１）を、取引き当局７００および調達サービス１０１４（および、所望であれば、消費者９５にも）にも送る。
【０７２６】
商品を伴う包装の送達に関して、本実施例において、次に完了する取引きをマークする取引き当局７００に完備されている（ｃｏｍｐｌｅｔｅｄ）包装の送達を示す監査記録３０２（７）を含むＶＤＥ安全コンテナ１５２（１２）を速達送達サービス１０２０が送り、次に金融手形交換所２００、速達送達サービス１０２０、調達サービス１０１４、および、いくつかの例においては、消費者９５に、完了を示す追加のＶＤＥ安全コンテナ１５２を送り得る。
【０７２７】
実施例：分散交易ユーティリティ７５は消費者がサービスに対して支払う取引きを支持することができる
高度な西洋経済の顕著な特徴、特に今世紀末のアメリカ合衆国の経済は、主たる製造「煙突（ｓｍｏｋｅ  ｓｔａｃｋ）」経済から「情報経済」だけでなく、「サービス経済」に移行している。分散交易ユーティリティ７５は、消費者が支払う取引きを支持することができ、かつ、多くの例において、消費者あるいはそれ以外がサービスを使用する。
【０７２８】
図６３は、オンラインサービスシステム１０３０の例を示す。ある実施例において、オンラインサービス１０３２は、安全なディレクトリサービス６００に登録し、かつ、デジタル認証５０４（１）をオンラインサービスと同一であることを証言する、認証当局５００から得る。オンラインサービスはまた、特定の事実に対する認証を発行するために、認証当局５００、および、認証当局５００によって認証されたパーティによって発行された認証５０４を信頼することに同意する。
【０７２９】
例えば、オンラインサービス１０３２は、分散された認証当局５００Ａによって、認証当局５００によって認証された親から（認証５０４（２）を通して）発行された認証５０４（３）を受け入れることに同意し、彼らが子どもを有することおよびこれらの子どもが現在未成年者であるという事実を証言する認証を発行する。次にオンラインサービス１０３２は、仮に子どもに対して責任のある大人が、財政的に責任をとるという意志を証言する他の認証証言を発行しなければ（例えば、無条件に、あるいは、取引き当たりのある特定の限界までの購買に対して、あるいは特定期間に消費するある集合レベル、ある例において、月あたりいくらの（ｓｏ  ｍｕｃｈ  ｐｅｒ  ｍｏｎｔｈ）、子どもが、オンラインサービスによって分散されたある主題材料にアクセスすることを許容しないし、また、購買取引きのための認証に基づいてデジタル署名を受け入れることを許容しない。これらの認証５０４（２）、５０４（３）は、ＶＤＥ安全コンテナ１５２において、認証当局５００から親および／あるいは少なくとも１人の子どもに送られ得る。
【０７３０】
ここで、子ども９５（２）が“ｃｈａｔ”と呼ばれるオンラインゲームを予約することを想像のこと。オンラインサービス１０３２は、特に学童期の子どもに対してデザインされたウェブインタフェースを有する。このサービスは１０３２は、年４回更新されなければならない予約を提供する。パーソナルコンピュータあるいはテレビ、および、双方向通信および保護された処理環境１５４を有するセットトップボックス（ｓｅｔｔｏｐ  ｂｏｘ）のような電子機器１００を用いて、子ども９５（２）は安全な登録サービス６００を使用し、オンラインサービス１０３２を突き止め、および、予約を要求するメッセージを送る。これに応答して、オンラインサービス１０３２は、ＶＤＥ安全コンテナ１５２（４）において、親９５（１）あるいは保護者に、支払い、メンバーシップ、およびメンバーの情報の要求１０３４を送る。親あるいは保護者および／あるいは他の支払い個人９５（１）は、１以上の他の安全なコンテナ１５２（５）の中において、彼、あるいは彼女（あるいは彼ら）のクレジットカード番号、期限期日および請求書アドレス情報１０３６をオンラインサービス１０３２に提供する。
【０７３１】
この実施例において、オンラインサービス１０３２は、消費者のサービスアカウント、クレジットカードおよび／あるいは他の支払い情報１０３６を、ＶＤＥ安全コンテナ１５２（６）（この実施例の変形において、親９５（１）はこの金融上のおよび関連する情報を、直接、ＶＤＥ安全コンテナ１５２（５）内の金融手形交換所２００に提供し得る）を使用して金融手形交換所に通信する。オンラインサービスプロバイダー１０３２はまた、金融手形交換所２００に手形交換所ネットワークアドレスおよびプロバイダーアカウント番号を提供する。保護された処理環境（例えば、それは、物理的に安全な金庫あるいは他の安全な設備内にロックされた一般的な目的のコンピュータ）内において、金融手形交換所２００は、安全なコンテナ１５２（６）を開け、支払い情報１０３６を取り出し、および、クレジットカード会社との支払い取引きを完了する。
【０７３２】
この実施例において、金融手形交換所２００は、次に、以下の情報１０３８（このリストは図解の目的のためだけのものであり、任意の利用可能な情報セットが通信されたかもしれない一般的なケースから減らしている（ｄｅｔｒａｃｔ）のではない）を少なくとも１つの安全ＶＤＥコンテナ１５２（７）内のオンラインサービス１０３２に伝達する：
【０７３３】
・この取引きのためのＶＤＥ監査記録
・取引き当局番号
・プロバイダーアカウント番号
・そのサービスにおける消費者のアカウント番号、および、
・支払い額
【０７３４】
次に、オンラインサービス１０３２は、安全なコンテナ１５２（８）を、支払いが受け入れられた消費者９５（１）に送る。ある実施例において、オンラインサービス１０３２は、認証当局５００が特定の日まで予約の有効性を証言する認証５０４を発行するように指示し得る。オンラインサービス１０３２は、金融手形交換所２００によって提供された情報１０３８から引き出された監査記録３０２（１）もまた提供し得る。
【０７３５】
子ども９５（２）がオンライン情報サービス１０３２にログオンする度に、子どものＰＰＥ１５４は、任意の認証５０４が存在するかあるいは知られているかを決定するためにチェックし、および、仮にそうであれば、
・これらのデジタル認証が、現在、期限満了になっていない（ｕｎｅｘｐｉｒｅｄ）  オンラインサービスに対する予約を証言するか否か、および
・任意の未成年の子ども認証が呈示され、かつ有効である（例えば、子どもが未だ１８回目の誕生日を迎えていなかったので、失効（ｅｘｐｉｒｅｄ）していなかった）か否か、
を決定するためにチェックする。
【０７３６】
これらの認証５０４を通して、子ども９５（２）にはオンラインサービス１０３２を使用するための権限が与えられており、かつ、ある「大人の」内容をアクセスすることを禁じられていることが判明すれば、オンラインサービスは、権威が与えられた部分への選択的なアクセスを与える。
【０７３７】
このオンラインサービスの特徴において、マルチパーソンインターアクティブゲームが分散される。この実施例において子ども９５（２）は少なくとも１人の他の権威の与えられたかつ認証された未成年の子どもと一緒にゲームをプレイすし、大人は潜在的なＶＤＥ規則によって除外され、かつ、特定の実施例においてこのゲームを制御することを禁じる。少なくとも１つのゲームの少なくとも１つの部分１０４０を履行するソフトウェア（例えば、Ｊａｖａ（登録商標）のような履行可能なコードおよび／または解釈可能なコード）の少なくとも１部分は、少なくとも１つのＶＤＥ安全コンテナ１５２（９）を使用して、オンラインサービス１０３２から子どもの情報アプリケーション１００（２）にダウンロードされ得る。
【０７３８】
Ｇｉｎｔｅｒらの明細書（ｄｉｓｃｌｏｓｕｒｅ）に説明されている方法を使用すれば、これらのプログラムおよび／あるいはプログラム１０４０部分は、信頼性があり、かつ、変更されないように決定される。少なくとも１つのプログラム１０４０あるいはプログラムの少なくとも１部分の完全性を決定するために使用されるデジタルシグネチャーを生成する一方向性のハッシュ関数を計算するために用いられる少なくとも１つのキーは、認証当局５００によって発行された認証５０４によってオンラインサービス１０３２の同一性に結びつけられる。
【０７３９】
本実施例において、子ども９５（２）がゲームをプレイするときに、少なくとも彼あるいは彼女の動作の少なくとも一部は同時係続中のＧｉｎｔｅｒらに開示されている方法に従って測定され、子どもの使用を示す監査記録３０２（２）が創り出される。ある時点において、これらの監査記録３０２（２）は、本実施例において使用している手形交換所３００を含み得るオンラインサービス１０３２に伝達される。使用している手形交換所３００は、これらの使用記録３０２（２）を分析し、子ども９５（２）にいくらチャージするかを決定するために使用記録３０２（２）を使用し得る。
【０７４０】
実施例：分散交易ユーティリティ７５は有形アイテムの購買および／あるいは使用のための価値連鎖脱凝集を提供するために使用され得る
分散交易ユーティリティ７５は、有形商品に関する購買あるいは他のタイプの取引きを促進するために使用され得る。図６４は、有形商品送達システム１０４０を示す。例えば、会社１０４２は、ＰＰＥ１５４を含む電子機器１００を使用して事務所の補充品（ｏｆｆｉｃｅ  ｓｕｐｐｌｉｅｓ）の注文を出す。注文はペーパークリップの箱、ホッチキス、止め釘、８．５×１１インチのコピー用紙のケース、および、１ダースの黄色の定格サイズのノートパッドである。これらのアイテムは、製造者１０５０によって製造され、配布者１０４８によって分散され、および、小売店１０４６によって会社に販売される。
【０７４１】
本実施例において、金融手形変換所２００は、支払金１０５２を会社１０４２から受け取り、かつ、それぞれが小売店１０４６、配布者１０４８および製造者１０５０に送達される、ばらばらの支払金１０５２Ａ、１０５２Ｂおよび１０５２Ｃに分割することによって支払金をばらまく。
【０７４２】
例えば、会社１０４２はその注文１０４４をＶＤＥ電子コンテナ１５２（１）内で、小売店１０４６に送る。本実施例において、小売店１０４６は、注文１０４４を受け取り、かつそれに応答して配布者１０４８および／あるいは製造者１０５０のプロバイダーアカウント番号を示す制御セット１８８およびそれぞれによって受け取られた小売り価格の割合を提供する調達サービスを提供する。所望であれば、小売店１０４６は、注文された各アイテムに対して（量に関わらず）、異なる制御セット１８８を提供し得、異なる支払い金のばらまきがアイテム毎の基準で履行されることを許容する。小売店１０４６は、この制御セット１８８ａを会社１０４２に提供し得る。
【０７４３】
制御セット１８８ａは、認証当局５００によって発行された１以上のデジタル認証５０４の存在下において調整され得る。例えば、この制御セット１８８ａは、会社１０４２が認証当局５００によって発行されたデジタル認証５０４（１）を提供することを要求し得る。認証５０４（１）は、注文している会社１０４２の一致を証言する。注文している人に特定の支出限界まで注文する権威があることを保証する認証当局５００と同じ信用階層の連鎖において、他の認証５０４（２）を提供し得る。会社１０４２は、会社内の購買従業員に企業のチャージカードを使用する権威があることもまた示す、同じかあるいは異なる認証５０４（２）を提供し得る。
【０７４４】
本実施例において、会社１０４２は、企業のチャージカードで支払う。金融手形交換所２００は、最初、小売店１０４６が商品を運送する前に、クレジットカード会社から支払い認証を得る。前認証の通知を受け取ると、小売店１０４６は商品１０４７を会社１０４２に運送し得る。商品１０４７の送達に続いて、小売店１０４６は、少なくとも１つのＶＤＥ安全コンテナ１５２（２）において、少なくとも１つのＶＤＥ監査および／あるいは請求記録１０５２を創り出し、および、そのコンテナを金融手形交換所２００に伝達する（監査情報もまた、あるいは、そのかわりに、小売店１０４６に送られ得る）。
【０７４５】
金融手形交換所２００は、次に、全支払いを制御セット１８８ａ（例えば直接小売店１０４６からおよび／あるいは会社１０４２を通して受け取られ得る）によって表される関与する各価値連鎖に割り当てることによって、チャージカード取引きを完了する。この方法においては、小売販売者１０４６がその支払いを受け取ると同時に、配布者１０４８および／あるいは製造者１０５０は支払いを受け取る。制御セット情報１８８ａは全支払い分担、および、地方、州および連邦税のプロバイダーアカウント番号（であるかもしれない）および例えば、一晩の速達会社のような送達チャージのアカウント番号（であるかもしれない）も示す。
【０７４６】
この図６４の例は、価値連鎖ばらまきが有形および無形物を求めることが可能であることを示す。所望であれば、製造者１０５０の供給連鎖を通してさらに戻って同様の技術もまた使用され得る（例えば、ペーパークリップが製造された金属のプロバイダーに対して）。
【０７４７】
実施例：分散交易ユーティリティ７５は登録所および他のサービスを提供することによって、デジタルプロパティを分散することを助ける
分散交易ユーティリティ７５は、電子社会が電子あるいはデジタルプロパティあるいは内容を効果的に分散することを補助する。例えば、保護された処理ユニット１５４に備え付けられた電子機器１００を使用すれば、創作者あるいは他の権利保有者４００は、安全なコンテナの中にあるデジタルオブジェクトを、登録された権利および許認可手形交換所４００に送る。
【０７４８】
権利および許認可手形交換所４００は、使用するコンテナ、例えば、それ自身のＶＤＥ保護処理ユニットを開け、および、創作者の一致を示す均一なオブジェクト識別子を割り当てる。オブジェクトのタイプは、登録されており、ソフトウエア、映像、音、テキスト、マルチメディア等およびオブジェクトに対するデジタルシグネチャーである。均一なオブジェクト識別子は、全体として唯一か、あるいは、創作者、あるいは（オンラインサービス、デジタルライブラリあるいは特定の国のような特定の管轄のような）ある他のエンティティのネームスペースドメインにおいてのみ唯一であり得る。
【０７４９】
この実施例において、保護された処理環境を使用すれば、権利および許認可手形交換所４００は権利および許認可手形交換所のプライベートキーを用いてデジタル的に均一なオブジェクト識別子にサインし、かつそのオブジェクトと識別子とをＶＤＥ安全コンテナ内で登録している人あるいは組織に返す。権利および許認可手形交換所４００は、オブジェクトのコピーを維持し得、あるいは、オブジェクト、および、オブジェクトとその均一なオブジェクト識別子とに対するシグネチャーに対する均一なオブジェクト識別子のみを維持し得る。他の例において、権利および許認可手形交換所４００は、元のオブジェクトおよびその均一なファイル識別子からなる新たなオブジェクトにデジタル的にサインし、かつ、新たなオブジェクトおよび／あるいはそのシグネチャーを権利および許認可手形交換所４００アーカイブ内に格納する。
【０７５０】
創作者はもまたＶＤＥ安全コンテナ内に認可、および、認可が与えられていることを示す価格設定テンプレート４５０（図４５Ａ〜４５Ｃ参照）を送り得る。価格はそれらの認可および、仮に適用可能であれば個人、クラスおよび／あるいはそれらの価格および認可が適用される管轄の履行（ｅｘｅｒｃｉｓｉｎｇ）に基づいてチャージされる。１つを超えるの認可および価格設定テンプレート４５０は、１つのＶＤＥ安全コンテナ１５２内、あるいは、それぞれの認可および価格設定テンプレートに対して使用され得る別のＶＤＥ安全コンテナ１５２に送られ得る。
【０７５１】
この実施例において、ＶＤＥ安全コンテナ１５２を使用すれば、次にオブジェクトは創作者から配布者１６８に伝達される（図１６参照）。認証５０４を使用すれば、配布者１６８は、創作者の制御セットを解釈しているＶＤＥインスタンス（ＰＰＥ１５４）に対して、配布者にオブジェクトの認可および価格を選択的に変更する権威が本当にあり、かつ、新たな認可および価格設定テンプレートを創り出すことを証明できる。配布者１６８はＶＤＥ安全コンテナを、新たな制御とともに均一なオブジェクト識別子を含む権利および許認可手形交換所４００に送る。好ましい実施例において、仮にオブジェクトが変更されないままであれば、配布者１６８は、その均一なオブジェクト識別子を変更されないままにするオプションを有する。しかしながら、仮に配布者がそのオブジェクトにおそらくそれ自身のブランドを追加するように変更すれば、均一な識別子は配布者の意見を反映するように変更されなければならない。デジタルシグネチャーは、配布者のプライベートキーを使用して再び計算される。すでに説明したように、オブジェクト登録は、デジタルシグネチャーのみ、あるいは、シグネチャーと実際のオブジェクトとの両方を格納するオプションを有する。
【０７５２】
実施例：分散交易ユーティリティ７５は著作権登録を促進するために使用され得る
追加されたサービスの価値として。権利および許認可手形交換所４００は、著作権登録サービス（図４３参照）を提供し得る。権利および許認可手形交換所４００はオブジェクトのコピーを適切な政府エージェンシー４４０のオンライン著作権登録サービス（例えば、合衆国の著作権オフィス）に送り得る。オブジェクトおよび均一なオブジェクト識別子は、仮に登録あるいは処理がチャージされれば、支払いモードを示す制御とともにＶＤＥ安全コンテナ内に送られ得る。
【０７５３】
この実施例において、著作権登録サービスは、支払われるべき価格、支払い方法、登録パーティーアカウントおよび資金を受け取る政府アカウントを示す、少なくとも１つの監査記録とともに少なくとも１つのＶＤＥ安全コンテナを金融手形交換所２００に送り得、かつ、ＶＤＥ安全コンテナ内で取引きが前もって許可されている（あるいは、いかなる理由に対しても、提案されている取引きが許可されていない）監査記録を受け取る。
【０７５４】
仮に、取引きが金融手形交換所２００によって前もって認可されていれば、本１つの例において米国著作権極にあるＶＤＥイネーブルコンピュータ（ｅｎａｂｌｅｄ  ｃｏｍｐｕｔｅｒ）は安全なコンテナを開け、かつ、均一なオブジェクト識別子とオブジェクトとを登録データベースに追加する。特定の均一オブジェクト識別子、特定の均一オブジェクト識別子および特定のデジタルシグネチャーによって、オブジェクトが実際に登録当局に登録されており、かつ、少なくとも１人がオブジェクトが登録された時点で実際に著作権の所有者であるという事実を証言する少なくとも１つのデジタル認証５０４を、（本実施例において、米国政府によってあるいは米国政府に代わって操作され得る）認証当局５００から発する信頼の連鎖の下で、著作権登録サービスは、提出する。この認証５０４は、ＶＤＥ安全コンテナ内で、オブジェクトを登録した人（および／あるいは通告された人として指名された人）および次に安全なＶＤＥコンテナ内の要求に基づいて著作権登録情報を提供し得る、権利および許認可手形交換所４００に送られる。
【０７５５】
著作権登録サービスは、少なくとも１つのＶＤＥ安全コンテナを、前もって許可された取引きの遂行によって進むことを手形交換所２００に指示する（仮に全ての必要な情報が前許可プロセスの一部であれば）および／あるいは情報を手形交換所２００に提供する少なくとも１つの監査記録とともに、手形交換所２００に送る。著作権登録サービスは、その代わりに、ＶＤＥ安全コンテナ内の金融手形交換所から監査記録を受け取る。ＶＤＥ安全コンテナにおいて、監査記録は、支払い取引が完了しており、資金が適切なアカウントあるいは複数のアカウントに預金されているか、あるいは、支払い取引きが完了していないことおよび支払い取引が完了していない理由を告発する。手形交換所２００に提供された情報は、例えば、支払額、支払う方法、登録パーティーのアカウント、米国政府の資金を受け取るためのアカウント、および、完了されなければならない支払い取引きであり得る。
【０７５６】
実施例：分散交易ユーティリティ７５は認可および価格のリニューアルあるいは変更を支持し得る
分散交易ユーティリティ７５は、期限の切れた権利および許認可を再生するためのメカニズムを提供することによって、さらに、電子およびデジタル特性の分散を促進する。図４２Ａ参照。
【０７５７】
ある１つの実施例において、Ｆｏｒｔｕｎｅ  １０００  ｃｏｍｐａｎｙの従業員が期限の切れているデジタル資産、おそらく、ソフトウェアの一部分あるいはＪａｖａ（登録商標）  ａｐｐｌｅｔに対する制御セットを有していることを想像のこと。従業員のコンピュータにおけるＶＤＥ保護処理環境は、ＶＤＥ安全コンテナを権利および許認可手形交換所４００に送る。
【０７５８】
分散交易ユーティリティ７５はまた、分散連鎖内の１以上の関係者によって変更される、権利、認可および価格を分散するためのメカニズムを提供することによって、電子およびデジタル特性の分散を促進し得る。１つの実施例において、消費者が彼女のハードディスクおよび発行者によって分散されたＶＤＥ制御セットにおいて、デジタルオブジェクトを有することを想像のこと。認可および価格は元来、ユーザが、印刷あるいは観察のような、オブジェクト上の各操作に対して１０セント支払う、使用しているモデル当たりの支払いを示していた。
【０７５９】
仮に新たな権利および価格が今利用可能であるか否かを決定するために、消費者のＰＣにおける保護された処理環境は、制御セットからＭＩＭＥ対応電子メールと合わせて得られた、そのネットワークアドレスを使用しながら、ＶＤＥ安全コンテナを権利および許認可手形交換所４００に送る。消費者は、権利および許認可手形交換所のアドレスを安全なディレクトリサービス６００から得た。ディレクトリサービス６００は、例えば、ＶＤＥ安全コンテナにおいて質問を送り、および、ＶＤＥ安全コンテナにおいて応答を受け取る。
【０７６０】
認可手形交換所４００に送られたＶＤＥ安全コンテナは、権利および、価格を含む現在の制御に対する要求に加えてオブジェクト識別子を含む。権利および許認可手形交換所４００サーバにおいて、保護された処理環境は、ＶＤＥ安全コンテナを開け、たいていの現在の制御セットを制御のデータベースから引き出し、および、所望の制御によって返信電子メールを介して他のＶＤＥ安全コンテナに送る。消費者の保護され処理環境はこのコンテナを開け、および、期限の切れた制御を新たな制御に、置き換えおよび／あるいは増強する。消費者は、権利および許認可手形交換所から受け取った制御セットにおいて特定されたおよびローカルコンピュータあるいは他の機器においてＶＤＥの実例によって処理された規則および制御に従って内容を、現在、使用することができる。本実施例において、これらの新たなルールおよび制御セットは、操作当たり１０セントから、操作当たり５セントまで、使用毎の支払い価格を削減している。
【０７６１】
実施例：分散交易ユーティリティ７５は新たな権利を分散するためにモデルを支持し得る
分散交易ユーティリティ７５は、いくらかあるいは全ての権利が最初、最終的な消費者に満足して分散されておらず、かわりに要求しなければならない、取引きもまた支持し得る。１つの実施例において、弁護士が、彼女／彼自身の論文を合法的な情報分散から得られた他の材料と組み合わせることによって、出版事業を始めようとすることを想像のこと。合法的な情報分散は、権利および許認可手形交換所４００を、多くの特性に対する制御セット情報の配布者になるように、選んだ。各オブジェクトに対して、それらは、権利および許認可手形交換所４００で、登録し、それらは、また、下記に示すＧｉｎｔｅｒら特許に説明されているフォーマットにおいて２つの制御セットを登録する。
【０７６２】
・１つの制御セットは、小売り消費者に対する価格を含むデフォルト制御を特定する、および、
・第２の制御セットは価格および、小売り消費者に対してほとんど利益のない権利、例えば認証権を伝達する
アトーニー広報出版社は、特許法に関する学術論文からチャプターを得、および、他の論文に加えて、学術論文において抜粋された１０００語を含めることを望む。すでに学術論文チャプターおよびその小売り制御セットを得ているので、広報出版者は、ＶＤＥ安全コンテナ内の質問を、インターネットＭＩＭＥ対応の電子メールを使用して、権利および許認可手形交換所４００に送り、同封された均一なオブジェクト識別子によって確認されているチャプターに対する抜粋権利および許認可権を求める。弁護士は、安全なディレクトリをサービス６００（代わりに、権利および許認可手形交換所４００のアドレスは、弁護士によって受け取られた元来の小売りバージョンに含まれ得る）を使用して、権利および許認可手形交換所４００を見出した。
【０７６３】
権利および許認可手形交換所４００は、オブジェクトデータベースをチェックし、普遍的なオブジェクト識別子において指名された（ｎａｍｅｄ）オブジェクトに対する制御セット情報を捜し出し、および、それぞれに対して価格に応じて、抜粋と権利が利用可能であることの認証との両方を決定する。抜粋権は、抜粋された部分を改変するためにその権利を伝達しない。認証権は、仮に全チャプターが編集されていなければ、ある抜粋の長さに対して割り当てられた小売価格から３０％値引きして設定する制御に従って伝達される。
【０７６４】
ＶＤＥアウェアページコンポジションアプリケーションを使用して、広報出版者は、１０００語の抜粋を含むいくつかの仕事をくみあわせ、新たな仕事を形成する。出版者は、新たなオブジェクトを制御セットとともに権利および許認可手形交換所に登録する。広報出版者は新たなオブジェクトもまた著作権登録機能を用いて例えば米国特許および著作権局に登録する。広報出版者は、ＶＤＥ安全コンテナ内の新たな仕事を分散する。ＶＤＥ安全コンテナはまた、別の編集された仕事のそれぞれに対して制御セットを有し、かつ、その上、全部に対して広報を完成させる。合成オブジェクトおよび別のルールが存在する部分のそれぞれの制御に適用する、制御に従って、使用機器に関する、ローカルＶＤＥ保護処理環境は、トラックの使用を維持する。時には、ＶＤＥインスタンスは、監査記録を、使用している手形交換所３００および金融手形交換所２００に送る。
【０７６５】
実施例：分散交易ユーティリティ７５は電子権利交渉を支持し得る
分散交易ユーティリティ７５は、電子権利交渉を支持し得る。１つの実施例において、ある教授がコースパック（ｃｏｕｒｓｅ  ｐａｃｋ）を創り出すことを想像のこと。本実施例において、特定のコースの生徒によって使用される多くの異なる仕事は、１学期のみ続く。本実施例において、教授は、質問を有するＶＤＥ安全コンテナを適切な権利および許認可手形交換所４００に送り、および、質問にリストされたデジタル特性に対する制御セットを戻す。許認可および価格をレビューすることによって、教授は、本のチャプターが、コースパックの全価格を彼女／彼が所望する最高価格よりも高くするのに十分に高い（ｌａｒｇｅ）価値（ｐｒｉｃｅ）を有していることに気づく。
【０７６６】
Ｇｉｎｔｅｒらに開示されている交渉メカニズムを使用すれば（例えば、図７５Ａ〜７６Ｂ参照）、教授は、権利および許認可手形交換所４００と交渉を試みる。権利および許認可手形交換所４００は、次に、交渉する許可を欠如しており、かつ、出版者との交渉に変えることを、自動的に決定する。
【０７６７】
適切な認証５０４を認証当局５００から「高い教育」クラスのメンバーシップを示す資格を提供することによって得たので、出版者のウェブサーバの保護された処理環境は、この教授をターゲットとした資産に対する、新たな、改変された制御セットを提供する。制御は値引きされた価格を有し、制御はＶＤＥに印刷されたコピーが印刷されるコピーの数のトラックを維持する許可されたプリンターを使用可能にすることを要求し、および、制御はＶＤＥ技術を使用している取引きに対して様々なパーティに帰って報告する。今もなお、価格に満足していないと、教授は、安全コンテナ内のＶＤＥ交渉逆オファーを出版者に送る。出版者のＶＤＥインスタンスは、教授の交渉逆オファー制御セットと交渉し、同意が達成され、および、新たな合意された価格、期間および次にコースパックの製造を続ける教授に対する条件を有する新たな制御セットを提供する。権利および許認可手形交換所４００は、ある程度下げられた価格を認めようとする。なぜならば、本実施例において教授は、彼女がロサンジェルスのカリフォルニア大学でフルタイムの契約を有しており、かつ、材料を使うある最低数の生徒を有するという事実を証言するデジタル認証を提供することができるからである。この認証は、出版者によって権利および許認可手形交換所４００に述べられた要求を満たしている。
【０７６８】
実施例：履行可能な認証
認証当局５００の、ある価値ある使用は、政府の利益に関するデジタル認証の発行に対している。同一性および合法的なステータスなどを証言する認証を発行するのに加えて、政府認証当局５００は、履行可能であることを認証する認証、例えば、ロードモジュールを発行する。例えば、政府認証当局５００は全てのレベルにおいて、管理地区の法律および貿易慣習を表す履行可能なセットを認証する。例えば、サウジアラビアは、彼らの管理制御において、全ての機器が、コンテナの属性を調べて、適切な内容のみが解放されていることを保証する、政府によって認証されたロードモジュールを有することを、強く主張する。カリフォルニア州は、州税などを計算するロードモジュールを認証する。
【０７６９】
実施例−エンターテインメント分散
分散交易ユーティリティ７５は、効果的かつ柔軟に映画分散のためのモデルを消費者マーケットに対して支持するために使用され得る。例えば、ディズニーのような映画およびエンターテインメントの会社は、消費者９５への映画の分散を支持するために、電子分散交易ユーティリティ７５を提供することを望む。ディズニーは、交易ユーティリティシステム９０自身を開け得るか、あるいは、利益のために交易ユーティリティシステム９０を提供するよう中立の第３者と契約し得る。本実施例において、交易ユーティリティシステム９０の目的は、安全なペイパービュー／使用毎の支払い、レンタル、リースおよび消費者に対する他の映画の分散取引きを支持することである。
【０７７０】
映画自体はデジタル化された形態、例えば、デジタルバーサタイルディスク（ＤＶＤ）あるいは他の高容量メディアで分散され得る。このようなメディアは映画自体に加えて、映画の使用を制御するための制御セットを含む１以上の安全コンテナを格納する。消費者９５は、ネットワーク１５０接続あるいは他の「バックチャネル」（例えば、スマートカードのようなものから読むあるいは書き込む能力）を有するメディアプレイヤー１０４（図１参照）を使用して、映画を再生し得る。
【０７７１】
メディアプレイヤー１０４は、権利を管理および電子コンテナを操作するのに使用するための安全処理ユニットのような保護された処理環境１５４を有する。記憶媒体は、また、保護された処理環境およびネットワーク接続に備えられた、パーソナルコンピュータ１２４によって再生され得る。
【０７７２】
セットトップボックス１０４は、メディア上および／あるいはバックチャネルを通して分散された電子制御によって制御され得る。制御は、セットトップボックス１０４が消費者が見ることを決めている各プロパティに対する消費者の使用および支払い情報を記録することを必要とする。例えば、消費者９５は、ＤＶＤ光ディスクのようなメディアをメディアプレイヤー１０４に置き、かつ、「再生」ボタンを押す。消費者のメディアプレイヤー１０４は、次に特定の映画を見るのにいくらかかるのか（例えば、＄２．９５）を消費者に教えるメッセージを表示し（例えば、テレビセット１０２に）、および、先に進みたいか否かを消費者にたずねる。仮に、消費者が「イエス」と答える場合には、メディアプレイヤー１０４は映画を消費者のテレビセット１０２に再生し、−消費者ユーティリティシステム９０に報告するための使用および支払い情報を記録する。メディアプレイヤー１０４内に保護された処理環境１５４は、メディアプレイヤー１０４に送達される１以上の関連する電子制御セットによる安全な制御の下で、映画を見るための消費者の支払いを確実にすし、かつ、安全な使用監査を提供するために最終的に使用され得る情報をモニタおよび収集する。安全な使用監査は、例えば、ディズニー、映画俳優、監督および映画を作製するのに含まれる他の人が、何人の消費者がその映画を見たか（および宣伝などを目的としたデモグラフィック情報もまた潜在的に提供すること）を安全に確認することを可能にするように使用され得る。例えば、メディアプレイヤー１０４の保護された処理環境は、例えば、特定の制御に関連したメーター、請求書および／あるいは予算監査トレイル内の下記に示す情報を、安全に収集および記録し得る。
【０７７３】
・映画の題名
・映画のデジタル記述子
・再生された時間および日付プロパティ
・再生された時間数プロパティ
・プロパティを再生した人
【０７７４】
ある実施例において、消費者９５は、ある事実を証言する適切な認証当局によって発行されるデジタル認証１２２を所有する必要がある。このようなデジタル認証１２２は、メディアプレイヤー１０４に送達された電子制御セットのコンテクストを提供するために使用され得る。このような認証は、消費者が映画を再生することおよび／あるいは映画がある条件の下で再生するのを防ぐことおよび／あるいは映画が再生されるときに適用する制御に影響を与えることを許可される前に、存在することが必要とされ得る。
【０７７５】
例えば、親は、世帯が子どもを有することを示すデジタル認証１２２を得ることができた。この「子どもの親」デジタル認証１２２は、メディアプレイヤー１０４が「Ｇ」および「ＰＧ」の格付けを有する映画以外の任意の映画を再生することを防ぐために使用され得た。このような認証１２２は、所望であれば本実施例と関連するサービスの他の管理および支持を提供する同じ組織によって発行され得た。
【０７７６】
光ディスクのようなメディア上の特定の映画に提供された電子制御は、支払い準備に関連して適用されるべき特別な価値連鎖脱凝集もまた特定し得る。例えば、メディアプレイヤー１０４は、映画分散者、スタジオおよび分散交易ユーティリティ７５は、使用料２．９５＄のうちの特定の割合を受け取るべきであり、および、州政府当局は販売税あるいはＶＡＴの形態で、ある税金の支払いを受け取らなければならないことを、メディアプレイヤー１０４に送達した電子ルールおよび制御から「知る」。この情報は、メディアプレイヤーの保護された処理環境１５４内に維持されているので、消費者９５は決して支払い脱凝集スキームおよび／あるいはその詳細にさらされない。（典型的には消費者は配布者の「カット」がスタジオの収入に対立していることを気にしない。メディアプレイヤー１０４内の保護された処理環境は、局所的に、あるいは、上述の分散されたあるいは集中された金融手形交換所２００を通して、この支払い脱凝集を提供し得る。）
【０７７７】
メディアプレイヤー１０４は、実時間（オンライン）および／あるいは周期的なイベント駆動ベースで収集される、使用の格納（ｃｏｎｔａｉｎｍｅｎｔ）情報を報告できる。ある実施例において、メディアプレイヤーは、前の月に収集された情報を各月の月末に報告する。メディアプレイヤーは、収集された支払い情報（制御セットによって提供された脱凝集データを含む）を、ディズニー）によって履行された金融手形交換所２００に報告し得る（あるいは、例えば、このような情報は直接、手形交換所に報告され得る。金融手形交換所２００は、消費者のアカウントが適切に請求されていることおよび様々な支払人（例えばディズニー、映画の配布者および価値連鎖における他のもの）が消費者の支払の適切な「スプリット」受け取ることを確実にする。金融手形交換所２００は、消費者の預金チェックおよび認可もまた提供し、消費者が支払い不可能な勘定をためないことを確実にすることを助ける。
【０７７８】
メディアプレイヤー１０４は使用情報を報告し得、独立の監査人によって操作される、使用手形交換所３００に収集するか（映画のプロデューサーおよび俳優は、ディズニーではない独立した第三者の監査者がこの機能を実行することを主張し得る）あるいは、例えば、このような情報をディズニーおよび／あるいは手形交換所２００に報告し得る。仮にルールおよび制御によって、他の価値連鎖パーティの権利およびディズニーが、このような情報を、例えばＶＤＥ保護メカニズムのために、確認、変更および／あるいは削除し得ないことを、確実にすることが要求されれば、特定のこのような情報は、ディズニーから隠される。使用手形交換所３００は、使用しているデータを分析し、および、見た全回数、市場占有率などを示す報告を提出する。使用している手形交換所３００はまたさらに情報を分析し、デモグラフィック情報および／あるいは市場調査情報を提供する。このタイプの情報は、広告主およびマーケティング担当者に非常に役立ち得る。
【０７７９】
ディズニーは、また、権利および許認可手形交換所４００を操作し得る。たとえ、本実施例において、許認可が光学メディアにおいて分散されていても、権利および許認可手形交換所４００は、様々な理由のために、補足の制御セットを提供できる。例えば、メディアにおいて分散された制御セットは、ある特定の日に期限が切れる。権利および許認可手形交換所４００は、期限の切れたものの代わりに、新たな制御セットを提出し得る。権利および許認可手形交換所４００は、また、「セール」を提供するおよび／あるいは他の価格を変更する（例えば、注文の映画の価格を下げること）ために認可を提出する。権利および許認可手形交換所４００は、また特別の認可も提出する（例えば、マルチメディアデベロッパーあるいは広告主が要求し得たかもしれない権利の抜粋あるいは編集、および／あるいは例えば、印刷の目的で、ミッキーマウスの承認された画像のような、ある画面に対する再分布権利）。ディズニーはこれらの特別な認可を「前承認」して、権利および許認可手形交換所は、必要に応じて、自動的にそれらを提供できた。デジタル認証１２２は、認可相互作用するように使用され、それによって、制御セットを受け取るユーザは、それを利用することを許可される。
【０７８０】
実施例−分散交易ユーティリティ７５は使用情報の収集、分析および再目的化を支持できる
Ｇｉｎｔｅｒらの明細書中に開示されている発明より前は、電子社会は、他のものの間で、ローカルコンピュータあるいは保護された処理環境における使用を、効率的および効果的にモニタおよび測定できる、一般的な目的、再度使用可能な、分散された、ピアツーピア技術を欠如していた。使用データの収集、分析および報告は、権利保有者および  他の分散連鎖参加者、インフラストラクチャー分散交易ユーティリティ７５、消費者、および関心のある他のパーティに対する重大な価値を提供する。起こったことを理解することはしばしば、起こったかもしれない、あるいは、起こったに違いないことに対する、基本的な決定因子あるいは寄与者であり得る。さらに、使用している情報は、モデルを宣伝および売買することを含む他の商業活動の広い範囲を支持するように再目的化され得る。
【０７８１】
このある実施例においてはＧｉｎｔｅｒらに記載されているＶＤＥ保護処理環境（ＰＰＥ）１５４を有する、パーソナルコンピュータのような情報機器１００を有するいくつかの会社のそれぞれにおいて、１以上の消費者を想像のこと。ある期間本実施例において、おそらく１ヶ月にわたって、ＶＤＥは詳細な使用情報のトラックを維持し続け、および、この情報を論理拡張であるそれぞれのコンピュータにおいて、および、それぞれのコンピュータＰＰＥの制御の下で、それぞれのハードディスク上の暗号化されたデータベース内に、格納し続けることを想像のこと。これらの消費者はそれぞれ、一般的には異なるソースからの情報およびエンターテインメントの異なる組み合わせの購買している。ＶＤＥのそれぞれの実例は、購買されたか、さもなければ、使用された内容および／あるいはサービスに関連した制御に従って、使用情報を把握する。
【０７８２】
毎月の月初めにすぐに、および／または任意の他の要求のある（サポートされるなら、許可された）報告期間に、ＶＤＥの各実例は、前の月に使用されたデジタル特性の各々に関連する制御に従って、使用記録を使用手形交換所３００に通信する。次に、前の月または他の報告期間（例えば、日毎、週毎、季節毎、年毎）の間の特性の任意の使用に関しては、使用手形交換所３００は、権利保有者の各々に報告を提供する。
【０７８３】
一つの実施例では、これらの報告は、個々の消費者および彼等を雇う会社の両方を確認する情報を含む。別の実施例では、報告は、詳細な使用情報を含むが、個々の消費者の確認は、使用手形交換所３００によって取り除かれる。あるいは、個々の消費者および法人の確認の両方は、取り除かれ得る。代わりに、使用情報は、産業、地理といった任意の一つ以上のある分類によって、および／または国および／または他の有用な分類によって集められ得る。
【０７８４】
別の有用な実施例では、特定の会社または個々の消費者は、ＶＤＥ（もちろん、適切な規則および制御によって利用できるこの権利に対する対象）を許可していなくてもよく、第１にそれらの情報機器から確認情報を使用手形交換所３００に通信してもよい。使用者は、そのような確認情報の開示を禁止するＶＤＥ制御を確立していてもよい。別の実施例では、使用者は、Ｇｉｎｔｅｒらの出願で開示された取り決めメカニズムを使用してもよく、各消費者によって購入またあるいは使用される情報に関連する様々な制御セットで要求のあるレベル以外のプライバシーおよび機密性の追加レベルを取り決めてもよい。すなわち、電子的取り決めプロセスは、プライバシーおよび機密性の追加レベルを反映した、変更したまたは新たな規則および制御セットを生成する。さらに別の実施例では、権利保有者、権利および許可手形交換所４００または使用手形交換所３００または他者は、同じ取り決めメカニズムを使用していてもよく、プライバシーおよび機密性の代わりのＶＤＥ規則および制御セットの使用によって取り決めてもよい。
【０７８５】
図１１および図３３〜３９に示すように、確認情報を取り除き、データを集め、データを分析し、報告を生成し、および／またはそれらの報告を権利保有者および他の利害関係のある者に伝送し得る使用手形交換所の機能は、一つ以上の論理的および物理的位置に存在し得る。例えば、ローカルコンピュータ（または他の情報機器）を動作させる分散使用手形交換所３００は、これら任意のまたはすべての使用手形交換所の機能を実施する。一つ以上の使用手形交換所は、例えば健康医療、商取引団体または会社群（「系列」）などの縦割りの産業を含む所与の会社内または所与のグループ会社内に存在し得る。同様に、これらの使用手形交換所の機能は、各国または他の管轄区域内の使用手形交換所によって実施され得るか、または任意の他の分類および／または地理的な可変性によって規定され得る。
【０７８６】
使用手形交換所３００はまた、未加工データ、集められたデータ、および／またはカスタマイズされた報告を権利保有者、流通連鎖の関係者、および／または他の利害関係のある者に提供し得る。これらの団体は、例えば、コンテンツの作成者、出版者、再梱包者、再企画者（ｒｅｐｕｒｐｏｓｅｒ）、広告代理店とその依頼者、商取引関係者、市場調査およびコンサルタント会社、流通監査および視聴率調査会社、販売、市場取引、および一つ以上の市場に関心のある会社の広告機能、および政府関連機関を含む。
【０７８７】
別の実施例では、使用手形交換所３００はまた、会社および／またはグループ会社、市場、および／または他の分析グルーピングおよびカテゴリー内の個々の消費者による特定の広告および／または広告を扱う広告業者の分類に情報を売ってもよい。
【０７８８】
実施例：機密性およびプライバシーを守る安全ディレクトリサービス
個人および仕事上の機密性およびプライバシーはしばしば、最新の経験の必須の局面である。個人は、誰と関係しているのかを他人に知られたくなくてもよい。仕事上の多くの局面では、企業は、他者と意思の疎通を計り、影響を及ぼし合い、仕事を実施する彼等の関心事を明らかにしようとしなくてもよい。今日のインターネットでは、例えば、ある種のアクセスを持った人間が所与の人間とディレクトリサービスとの間の照会の特性を決定するのは可能である。そのような情報は、存在または起ころうとしており公的には発表されていない（例えば、吸収または合併）仕事の協定（ａｒｒａｎｇｅｍｅｎｔ）に関して重要な手がかりを提供し得る。
【０７８９】
ＶＤＥ安全コンテナは、機密性およびプライバシーが守られる安全ディレクトリサービス６００の一つの基準を提供する。一つの実施例では、フォーチュンにおける顧問弁護士（ｔｈｅ  Ｃｏｒｐｏｒａｔｉｏｎ  Ｃｏｕｎｓｅｌ  ｉｎ  ａ  Ｆｏｒｔｕｎｅ）１００会社は、買収案を取り扱う社内での投資銀行行員の電子メールアドレスを得ようとする。しかし、自分の関心事を他の誰にも明かすことはない。法定代理人は、ＶＤＥ安全コンテナにおける照会を、接触したいと思う人間の名前と会社のある安全ディレクトリサービス６００とに送る。次に安全ディレクトリサービスは、別のＶＤＥ安全コンテナにおける応答を、法定代理人に送り返す。照会と応答の両方は、法定代理人と安全ディレクトリサービス６００の両方を認証する認証当局５００によって発行された証明書を利用する。照会にたいする支払は、法定代理人を雇っている会社の預金口座を借方に記入しながら、安全ディレクトリサービス６００のプロバイダの預金口座における支払を預ける金融手形交換所２００によって取り扱われる。
【０７９０】
これらの取引は、ＶＤＥおよびＶＤＥ安全コンテナを使用して行われるので、通信を観察する者は、高々これらの者が通信しているという事実を確認するに過ぎない。証券アナリストは、「売買分析」のための技術を開発している。ここでは、二つ以上の団体間の通信周波数が観察され、通信周波数における変化が、他の情報と相関し、これらのコンテンツおよび／または目的に関して推測を行う。
【０７９１】
しかし、ＶＤＥおよびＶＤＥ安全コンテナを使用して、いくらかの追加の費用で売買分析を無効にすることが可能である。この一つの実施例では、会社は、ＶＤＥコンテナを、経過時間の平均量において、ヌル応答を有するＶＤＥコンテナにおけるリターンメッセージを生成する空または「ヌル」の照会を有する安全ディレクトリサービス６００に送る。法定代理人のコンピュータでのＶＤＥの場合は、金融手形交換所の専有になっている支払の取引を生成するが、他のものとのこれらの支払記録を集めて、照会のパターンと支払との間の相関を排除する。交易の観点からは効果はないが、売買分析の攻撃を無効にするためにＶＤＥおよびＶＤＥ安全コンテナを使用するこの方法は、原則として、Ｇｉｎｔｅｒらの出願で開示されている安全であって信頼されている、効率的に分散された取引能力を利用しながら通信パターンを隠そうとする複数の団体間で使用される。
【０７９２】
実施例：組織に対する手形交換所の内部と外部との間の協力
様々な交易ユーティリティシステム９０は、図２Ａ〜図２Ｅおよび図３Ａ〜図３Ｃに図示するように、度合いを変化させ、組み合わせを変化させて分散され得る。図６５に示す一つの実施例では、幾つかの国および多数の国の国内、すなわち各国内の多数の位置（例えば、アメリカ、日本、およびヨーロッパ）での動作を有するアメリカンフォーチュン１００会社１０７０は、ＶＤＥ分散交易ユーティリティ７５を国際的に分布させることが望ましいことを見つけた。外部の情報を購入する効率を向上させるために、および情報提供者とその情報を最大限に利用するために、会社１０７０は、アメリカ内で、およびアメリカドルの流通範囲で行われた全ての購買を取り扱う協定について、いくつかの提供者と交渉することを選択してきた。本実施例では、会社１０７０は、それ自身のグローバルイントラネット１０７２を保持する。イントラネット１０７２は、本社１０７４ＨＱ（ここではアメリカ内にあるものとして示す）を会社アメリカ（ｃｏｍｐａｎｙ  ＵＳ）従業員電子機器（１０７４ＵＳ（１）、．．．、１０７４ＵＳ（Ｎ））、会社日本（ｃｏｍｐａｎｙ  Ｊａｐａｎｅｓｅ）従業員電子機器（１０７４ＪＰ（１）、．．．、１０７４ＪＰ（Ｎ））、および会社欧州（ｃｏｍｐａｎｙ  Ｅｕｒｏｐｅａｎ）従業員電子機器（１０７４ＥＵ（１）、．．．、１０７４ＥＵ（Ｎ））と接続する。イントラネット１０７２はまた、これらの従業員１０７４の各々を互いに通信できるようにしている。会社１０７０とその情報供給者との間のＶＤＥベースの取引はまた、一つまたは別の会社アメリカゲートウェイからインターネットへの道順を決める。
【０７９３】
効率の良い行政サービスおよび支援サービスを提供するために、会社１０７０は、少なくとも一つの分散金融手形交換所２００と少なくとも一つの分散使用手形交換所３００とを各国に分散している。例えば、会社１０７０は、アメリカにおける金融手形交換所２００Ａおよび使用手形交換所３００Ａ、日本における金融手形交換所２００Ｂおよび使用手形交換所３００Ｂ、および西欧における金融手形交換所２００Ｃおよび使用手形交換所３００Ｃを動作させ得る。これらの分散手形交換所のいくつかは、多数のサイトを有する国に、およびアメリカ内に存在してもよい。情報提供者と協定を交渉することに加えて、会社１０７０はまた、大規模な交易使用手形交換所３００および主要な金融手形交換所２００と協定の交渉をしている。これらの中央集権化された手形交換所は、どこにでも配置され得、インターネットおよび組織内イントラネット１０７２を介して会社１０７０と通信し得る。これらの手形交換所２００、３００のいずれも、このビジネス協定を介さない会社１０７０と提携しない。会社１０７０内の分散手形交換所の各々は、会社および会社がビジネス協定を有する外部手形交換所の両方の同時の権限の下で動作する。
【０７９４】
この一つの実施形態では、日本においてこの会社１０７０に雇われた製品市場取引管理者１０７４ＪＰ（１）は、アメリカの配布者１０７６から市場調査報告１６６を手に入れる。報告および関連する制御は、アメリカの配布者１０７６からＶＤＥ安全コンテナ１５２ａ内のこの従業員１０７４ＪＰ（１）へ送られる。管理者の機器１０７４ＪＰ（１）でのＶＤＥの実例は、使用の痕跡を保ち、情報提供者に対する支払を保つ。定期的に、これらの監査記録３０２（１）、３０２（２）は、ＶＤＥ安全コンテナ１０５２ｂ、１０５２ｃにおいて分散使用手形交換所（私的使用手形交換所）３００Ｂに、および内部金融手形交換所２００Ｂに送信される。それらの両方ともに、会社内の私的組織内ネットワーク（またはイントラネット）１０７２で日本に配置されている。本実施例では、時々、購入されたコンテンツに関連したＶＤＥ制御によって、私的使用手形交換所３００Ｂは、個々の識別情報をＶＤＥ規則、および保護された処理環境プロセスを管理する制御に従って取り除き、ＶＤＥ安全コンテナにおいて監査記録３０２（３）を外部の使用手形交換所３００に送る。会社内の分散使用手形交換所３００Ａ、３００Ｂ、３００Ｃのすべては、ＶＤＥ安全コンテナ１５２において周期的な通信を交易使用手形交換所３００に送る。次に、主使用手形交換所３００は、報告を創作し、かつ報告を売り、ライセンス供与、および／またあるいは報告保有者または他の団体に分散する。他の部分、例えば、情報を得るに当たって交易の利権を有する第３の部分は、個人の識別子が取り除かれる。多くの状況において、会社の名前はまた、ＶＤＥ規則および制御に従って取り除かれている。
【０７９５】
時々、購入されたコンテンツ１６６に関連したＶＤＥ制御１８８ａによって、完全な使用記録（従業員識別情報を有する）のコピーはまた、会社の主使用手形交換所３００ＨＱ（本社に置かれてもよい）に送られる。同様に、監査記録も会社のすべての分散使用手形交換所３００Ａ、３００Ｂ、３００Ｃに送られる。その後、さらなる分析、報告、および監査のためにこれらは集められて組み合わせられる。
【０７９６】
内部の分散金融手形交換所２００Ａ、２００Ｂ、２００Ｃはまた、購買情報に対するＶＤＥ制御セットに従って、ＶＤＥの保護された処理環境１０７４からそれらへのＶＤＥ安全コンテナ１５２における監査記録３０２を受け取る。各内部の分散金融手形交換所２００Ａ、２００Ｂ、２００Ｃは支払を集め、時々、取引の結果として情報提供者に転送される収集合計を示す監査記録３０２を有するＶＤＥ安全コンテナ１５２を送る。会社はまた、会社の資金が転送されるような預金口座および／または資金を受け取るような提供者の預金口座に関する更新情報を提供し得る。次に、外部の主金融手形交換所２００は、これらの支払取引を終了し、監査報告を会社１０７０および支払取引を確認する情報提供者に返す。好適な実施形態では、これらの動きは、分散ＶＤＥノードの制御下で安全に起こり、ＶＤＥコンテナならびに一連の取り扱いおよび多重ノード、多重団体のシーケンスプロセスを管理する制御の使用によって少なくとも一部分で自動化される。代替の実施例のように、支払量の計算および支払取引の完了は、使用手形交換所３００から受信した使用情報から外部の主金融手形交換所２００で実施される。言うまでもなく、使用手形交換所３００および金融手形交換所２００が同じ団体にあれば、金融手形交換所は、すでにそのような情報を受信している。本実施例ではその後、外部および内部の金融は、支払情報を比較する。
【０７９７】
本実施例は、行政サービスおよび支援サービスが分散する範囲に左右されない。関連する実施例では図２Ａ〜図２Ｅおよび図３Ａ〜図３Ｃに図示するように、使用手形交換所および金融手形交換所の機能は、各ＶＤＥ認識の保護された処理環境１０７４に分散される。本実施例では、各保護された処理環境１０７４は、主外部手形交換所２００、３００に、分散外部手形交換所に、および／または内部手形交換所の機能に直接報告し得る。これらの手形交換所は、例えば国および会社１０７０の場所毎よりも大陸（北アメリカ、南アメリカおよび中米、オーストラリア、ヨーロッパなど）毎で上記したのより異なって組織される。
【０７９８】
一つのさらなる実施例では、本社１０７４ＨＱおよびその関連した本社ベースの手形交換所２００ＨＱ、３００ＨＱは、すべての使用情報および金融情報が流れなければならない、中央集権化された手形交換所システムを提供する。特に、さらに中央集権化された実施例では、全ての使用者機器１０７４は、それらの使用および金融取引を、イントラネット１０７２とわたる安全コンテナ１５２における本社の手形交換所２００ＨＱ、３００ＨＱに報告する。本社の金融手形交換所２００ＨＱは、ＶＤＥ準拠の多目的支払システムに直接インタフェースする。これらの多目的支払システムは、支払量、団体、場所、タイミング、および／または他の条件といった変数に関係する支払を統制する規則および制御に従って自動化された安全金融取引の実現の施行を保証するために、取り扱いおよび制御のＶＤＥ連鎖の使用を直接支援する。次に、これらの本社手形交換所２００ＨＱ、３００ＨＱ（単一に統合された交易ユーティリティシステム）は、適切に集められたおよび／またはその他の監査トレイル（ｔｒａｉｌ）、ならびに支払情報を、各国内にある個々の手形交換所２００Ａ、２００Ｂ、２００Ｃ、３００Ａ、３００Ｂ、３００Ｃに通信する。上記のより下位の実施例よりも効率が悪いが、この構成は、分散内部金融手形交換所に対して預金および／または電子通貨の準備のために中央行政官の役を務めることによって、および情報に関係した取引の組織内収集を効率的に管理することによって使用および金融情報にわたって中央集権化制御を働かせようとする大企業に訴え得る。
【０７９９】
実施例：組織内および組織間で使用可能な取引当局
図６６は、組織内通信および組織間通信のための取引当局７００の例示的な使用を示す。図６６は、「イントラネット」（特定の組織内のプライベートデータネットワーク）５１００Ａを有するような組織Ａ（図面の左側）を示す。イントラネット５１００Ａは、例えば局所および／または広域ネットワークであり得る。使用者電子機器１００（Ａ）（１）、．．．、１００（Ａ）（Ｎ）（例えば、組織Ａの従業員）は、イントラネット５１００Ａにわたって互いに通信する。
【０８００】
図６６はまた、それ自身のイントラネット５１００Ｂ、使用者電子機器１００（Ｂ）（１）、．．．、１００（Ｂ）（Ｎ）、および私的取引当局７００Ｂを有し得る別の組織Ｂを示す。さらに、図６６は、公的データネットワーク５１０４（例えばインターネットのような）および公的取引当局７００（Ｃ）を示す。図６６は、本実施例では、組織ＡおよびＢが信頼のおける取引当局７００（Ａ）、７００（Ｂ）を通って外部の世界と通信することを示す。取引当局はまた、望むなら、「ゲートウェイ」、「ファイヤーウォール」、および他の関連する通信構成要素を含み得る。他の実施例では、信頼のおける取引当局７００（Ａ）、７００（Ｂ）は、インターネット５１０４への／からの実際の「ゲートウェイ」、「ファイヤーウォール」を必要としない代わりに、インターネット５１０４にわたって通信するために潜在的に電子コンテナ３０２を生成しながら各組織Ａ、Ｂの内部全体で動作し得る。
【０８０１】
本実施例では、組織Ａの使用者が保護された処理環境１００（Ａ）（１）、．．．、１００（Ａ）（Ｎ）のそれぞれは、仮想分散環境が保護された処理環境の例を有し、安全電子コンテナ３０２を介してイントラネット５１００（Ａ）にわたって互いに通信し得る。同様に、組織Ａの使用者の電子機器１００（Ｂ）（１）、．．．、１００（Ｂ）（Ｎ）のそれぞれは、仮想分散環境が保護された処理環境の例を有し、安全電子コンテナ３０２を介してイントラネット５１００（Ｂ）にわたって互いに通信し得る。さらに、組織Ａおよび組織Ｂは、安全電子コンテナ３０２を介してインターネット５１０４にわたって互いに通信し得る。
【０８０２】
組織Ａのプライベートが信頼される取引当局７００（Ａ）は、組織Ａの内部通信およびプロセスを促進するために使用されうる。プライベートが保護された取引当局７００（Ａ）は例えば、ある使用者から組織Ａ内の別の使用者に送られたアイテムを注意深く追跡するために使用され得る。一方で、公的取引当局７００（Ｃ）は、いずれかの組織から他の組織への機密性の情報を明らかにすることなしに、組織Ａと組織Ｂとの間を調整するために使用され得る。以下は、さらに詳細な実施例である。図６６の構成は、仕事上の取引を行うために有用に使用され得る。
【０８０３】
使用者１００（Ａ）（１）、１００（Ａ）（３）および１００（Ａ）（５）（それら三者すべてがサインオフした後にメモを変えることもできない）に対するコピー、および他の誰に対してでもないコピーを有する使用者１００（Ａ）（２）、１００（Ａ）（７）〜１００（Ａ）（１０）、および１００（Ａ）（１２）（メモを変えることは誰にもできない）のそれぞれに分散される前に、機密性のメモが使用者１００（Ａ）（１）、１００（Ａ）（３）および１００（Ａ）（５）（それぞれがメモを修正することができる）によって承認される必要はないと仮定する。私的取引当局７００（Ａ）は、これらの要求を特定する規則セットを維持し得る。取引当局７００（Ａ）は、
・承認のために使用者１００（Ａ）（１）、１００（Ａ）（３）および１００（Ａ）（５）のそれぞれに対して「総当たり」方式でメモ（安全コンテナ内の）を送り得る。
・これらの使用者のいずれか一者がメモを変えると、追加のコメントおよび修正のために他の二者に対して取引当局７００（Ａ）はメモを回覧し得る。
【０８０４】
・一旦、使用者１００（Ａ）（１）、１００（Ａ）（３）および１００（Ａ）（５）の三者すべてがメモを承認すると、取引当局７００（Ａ）は、権限が与えられ、それらのデジタルおよび／または手書きの署名、またはイニシャルのそれぞれをメモ上に置き、メモが読み出されるだけ、および使用者１００（Ａ）（１）〜１００（Ａ）（３）、１００（Ａ）（５）、１００（Ａ）（７）〜１００（Ａ）（１０）、および１００（Ａ）（１２）によって読み出されるだけであることを指定する制御セットを有する一つ以上の安全コンテナにメモを置く。
【０８０５】
・次に、取引当局７００（Ａ）は、これら使用者のそれぞれにコンテナ内のメモのコピーを送り得る。または、同じコンテナを要求し得、一者から他者へ回覧しうる。
・取引当局７００は、電子制御要求し得、コンテナがどこにいたか、誰がコンテナを開けたのか、コンテナが保有するメモに誰がアクセスするのか、それはいつかを示す安全監査の跡を維持する。従って、特定の人間が特定の文書を見たかどうか、いつ、そしてどのくらいの間かを証明することによって取引当局７００（Ａ）は個人的な責任義務会計責任を増大し得る。
【０８０６】
組織Ａのイントラネット５１０４はまた、機密性の高い設計仕様書を交換および／または分散するために使用され得る。例えば、取引当局７００（Ａ）は、設計仕様書を承諾した者の詳細な記録をデジタルの形態で維持し得る。従って、個人的な責任義務会計責任を請け合い、高度な効率性を提供する。
【０８０７】
上述したように、私的取引当局７００（Ａ）、７００（Ｂ）はまた、「ファイヤーウォール」機能を提供し得、機密性の情報がそれぞれの組織Ａ、Ｂの外部に漏れることを防ぐ。例えば、組織Ａが集積回路設計所であると仮定すると、組織Ｂは集積回路製造所である。組織Ａは、チップの回路レイアウトを設計および特定し、組織Ｂに送る「テープアウト」を作製する。組織Ｂは、「テープアウト」に基づいた集積回路を製造し、組織Ａにチップを配送する。
【０８０８】
取引当局７００は、組織ＡおよびＢのそれぞれの内部の機密性を守りながら、上記の仕事上の取引を促進するために使用され得る。例えば、
・組織Ａの私的取引当局７００（Ａ）は、全体の設計および組織Ａ内の仕様書設計の取り組みを監督する。すべての通信は、機密性を維持するために組織Ａのイントラネット５１００（Ａ）にわたって安全コンテナ３０２で行われる。取引当局７００（Ａ）は、履歴（ｈｉｓｔｏｒｉｃａｌ）設計の文書、進行中の仕事、および設計プロセス進行としての仕様書バージョンの安全記録を維持し得る。
【０８０９】
・組織Ａの私的取引当局７００（Ａ）は、設計仕様書を促進するように要求されるすべての条件が守られることを保証しながら、最終の設計仕様書の開発を管理し得る。
【０８１０】
一旦、設計仕様書が完結されると、取引当局７００（Ａ）は、「サインオフ」を必要とする組織Ａ内のそれらの個々に対して保安コンテナ１５２内にある設計仕様書を移動させ得る。それらそれぞれの機器１００（Ａ）（１）、．．．、１００（Ａ）（ｋ）は、上述のようにデジタル署名、手書き署名、シール、および／または指紋を添付および／または埋め込み、仕様書の承認を示す。
【０８１１】
・仕様書が適切な人々に「サインオフ」されたということを満足すると、取引当局７００（Ａ）は、安全コンテナ３０２内のインターネット１１０４にわたってそれを公的取引当局７００（Ｃ）に送り得る。公的取引当局７００（Ｃ）は、それらの間のリエゾン（ｌｉａｉｓｏｎ）として作用するために組織ＡおよびＢによって保持された交易取引当局であり得る。組織Ａの私的取引当局７００（Ａ）は、公的取引当局７００（Ｃ）に送るすべての情報をフィルタリング（または保護）し得、組織Ｂがそれに対して意図する情報のみをアクセスし得るように請け負い得る。例えば、私的取引当局７００（Ａ）は、コンテナ内の追加の電子制御を提供し得、仕様書が組織Ａのどこにあるかを示す任意の詳細な監査情報を、組織Ｂが見ることを防止し得る。
【０８１２】
・公的取引当局７００（Ｃ）は、設計仕様書を組織Ａが契約に従って、組織Ａが特定のデータおよび時間でそれを配送したという後者の証拠に対して公認および／または認証しながら、独立した信頼のある第三者として作用し得る。
・公的取引当局７００（Ｃ）は、その後、インターネット５１０４にわたる設計仕様書（まだ、安全コンテナ内にある）を組織Ｂの私的取引当局７００（Ｂ）の方に進める。
【０８１３】
・組織Ｂの私的取引当局７００（Ｂ）は、組織Ｂのイントラネット５１００（Ｂ）にわたる設計仕様書のコピーを、組織Ｂ内の適切な使用者１００（Ｂ）（１）、１００（Ｂ）（Ｎ）に自動的に送る。組織Ｂの外部のだれも、誰が仕様書のコピーを受け取ったかを知る必要はない。一方で、組織Ａの取引当局７００（Ａ）は、望むなら、組織Ｂ内のあるエンジニアのみへのアクセスを制限する電子制御を含み得る。これらの安全制御は、組織Ｂ内に運ばれ、電子機器１００（Ｂ）（１）、．．．、１００（Ｂ）（Ｎ）によって安全に執行される。組織Ｂの取引当局７００（Ｂ）は、組織Ａの設計仕様書に従ってチップを製造するために要求されるすべての工程および条件が続いて行われることを請け合いながら、チップ製造プロセスを管理し得る。
【０８１４】
実施例−国際的な交易を促進し得る取引当局
図６７は、取引当局７００がどのようにして国際的な交易を実施するのかの実施例を示す。この具体的な実施例では、取引当局７００は、それら自身の国それぞれ（例えば、アメリカ、オーストラリア、およびヨーロッパ）に置かれた会社１１０６Ａ、１１０６Ｂ、および１１０６Ｃ間の複雑な他国間取引を協調する。会社１１０６Ａは、それ自身の銀行１１０８Ａおよび弁護士１１１０Ａを有する。同様に、会社１１０６Ｂは、それ自身の銀行１１０８Ｂおよび弁護士１１１０Ｂを有し、会社１１０６Ｃは、それ自身の銀行１１０８Ｃおよび弁護士１１１０Ｃを有する。
【０８１５】
取引当局７００は、例えば、安全コンテナにおいてオファーおよびカウンターオファーを後ろおよび前にパスし、上述の技術を形成する契約を使用することによって、国際的な団体の間の同意の形成を補助し、用語のいくつかまたはすべてを確立し、非債務履行拒否（ｎｏｎ−ｒｅｐｕｄｉａｔｉｏｎ）を提供する。一旦、契約が形成されると、取引当局７００は、取引が完結することが満たされなければならない規則および制御のすべての条件を指定する主セットを維持する。従って、異なる出来事に対する結果を提供し得る。あるいは、一旦、契約が実行されると、取引当局の役割は、特に単純なモデルにおいては、価値連鎖規則および制御がＶＤＥコンテナによって運ばれるように仮想的なものとなり得る。ＶＤＥコンテナの規則および制御は、それらの動作シーケンスを含んで満たされなければならないすべてのプロセスおよび条件を全体として指定する。取引当局７００に提供された規則および制御は、異なる国に適用する異なる規則を有する国際法を考慮し得る。この規則は、様々な輸入および輸出の要求および制限、国家間の国際税条約（ｉｎｔｅｒｎａｔｉｏｎａｌ  ｔａｘ  ｔｒｅａｔｉｅｓ）を考慮し得る。この規則は、要求をルーティングおよびファイリングすることに関係したアップフロントおよび／または進行中の関税を含み、立派な流通取引当局を確認し、契約または関連する国および国際的な当局とのある契約条件をファイリングするのを補助し、任意の運送または他の輸送要求を管理し、契約条件（特に標準的な条項および条件）に対する確実な翻訳サービスを確立するのを補助し、国際的に証明している当局の要求および形式の差を管理し、会（ｂｏｄｉｅｓ）を効力を持って治めることにより要求される社会的規則を守る義務を課し、効力を持って治める、国内および実体的に治めている領域に対する税のような会税を集める。取引当局７００は、安全電子コンテナを用いる様々な国際団体間で通信し得、国際的な団体によって提供された信頼できる様々なイベント通知を安全に確証し得る。
【０８１６】
実施例：分散取引当局
取引当局７００の制御の下での複雑な仕事上の相互作用はまた、例えば、組織および／または支配区域の内部および間に分散され得る。複雑な国際的な現実の財産取引は、会社（いくつかの金融機関、保険会社、および法律事務所とおそらく２，３カ国の政府機関）を売買する事ではないいくつかの機能の関与を要求することを仮定する。さらに、取引に対して組織的で且つ個別の団体のそれぞれが、ＶＤＥ認識であるコンピュータを有し、それぞれの組織または機関内に、主取引当局７００によって許可された当局の下でこの現実の財産取引に対するサービスを行う少なくとも一つの分散取引当局があると仮定する。
【０８１７】
取引に対して組織的および個々の団体のそれぞれが、ＶＤＥ認識であるコンピュータを有する。各組織および代理店内で、少なくとも一つの分散取引当局が存在し、分散取引当局は、主取引当局７００によって認可された当局の下で、この現実の財産取引のためのサービスを行う。
【０８１８】
この一つの実施例では、現実の財産取引に対する団体のそれぞれは、全体の取引における各団体の役割を規定するＶＤＥ規則および制御の形態で、それらの仕事上の関係を表す分散交易規則およびパラメータを有する。例えば、保険会社は、購入者が受け入れることができ、また抵当権を持った貸し主によって承認された価値およびコストでの特性を保証しなければならない。また、これらの取引ＶＤＥ規則および制御が、Ｇｉｎｔｅｒらの出願で説明されている交渉メカニズムを用いてすでに相互に同意されており、これらの規則および制御を交渉する背景（ｈｉｓｔｏｒｙ）とともにある交渉された規則および制御は、この現実の財産取引のための主取引当局ですべて格納されていると仮定する。最上位の取引当局は、主取引当局７００であり得、また分散取引当局と任意に相互に同意され得る。この一つの実施例では、前者を想定する。手短に要約すると、すべての団体は、取引を治める規則および制御に同意する。取引当局７００が、国際的な現実の財産売却のための分散テンプレートアプリケーションを分散しているので、交渉プロセスは単純化され得る。このテンプレートは、取引当局７００の過去の経験に基づいており、特に、その重要な顧客に対する価値を付加したサービスとして、この取引のために取引当局７００によって作成されたものである。
【０８１９】
この強力な（ａｔｏｍｉｃ）取引を規定するＶＤＥ制御セットに従う、取引に対する団体のそれぞれは、閉鎖および全体の取引の完成の前に取引のある部分が完了されるのを見ることに対して責任がある。いくつかの場合、複数の団体は、すべての取引の部分を完了することに対して共通して責任がある。例えば、買い手と売り手は、購買価格に同意しなければならない。本実施例では、例えば、それらの価格および他の変動を含む仕事上の要求に貢献している。さらに、ＶＤＥ交渉メカニズムを用いて、利益の公正なバランスを表す同意に達する。電子交渉が不成功であると、団体は直接交渉し得、または失敗を示す監査記録を有するＶＤＥ安全コンテナは次に、全体の取引に参加するために認可された他者のそれぞれを通知する取引当局に送られる。
【０８２０】
買い手と売り手が同意すれば、この一つの実施形態では、交渉を完了する（または、ＶＤＥ技術を使用して両方の団体によってデジタル的に署名された交渉の完了指令を受け取る）ＶＤＥの保護された処理環境によって、次に価格が合意に達している他者（他の参加している取引当局を含む）を通知する分散取引当局に通知が送られる。サブトランザクション（ｓｕｂｔｒａｎｓａｃｔｉｏｎ）のＶＤＥ制御に基づいて、ＶＤＥは、ある他のサブトランザクションが現在完了されている団体または複数の団体を安全に通知し得る。本実施例では、タイトルサーチ会社は、それらの課題を現在行い得る。保険会社は、ＶＤＥ交渉メカニズムを用いる補償範囲に対して買い手と交渉を現在始め得る。購入者のための弁護士事務所における弁護士は、販売会社における相手方と交渉を始め得る。双方の法廷弁護士は、履行が部分的またはすべての取引で完了する様々な文書を作成して交渉しながら、ＶＤＥおよびＶＤＥ安全コンテナを用いる彼らの外部の弁護士と互いに影響しあう。
【０８２１】
本実施例では、団体のそれぞれは、認可当局５００によって発行された一つ以上のデジタル認証を有し得、この取引およびそのサブトランザクションに対して団体のそれぞれを認証する。金融手形交換所２００は、様々な価値付加サービス（例えば、取引当局７００によって提供されたもの）に対する支払通信手段を提供する。使用手形交換所３００は、参加ＶＤＥの保護された処理環境のそれぞれからＶＤＥ安全コンテナにおいて時々送られる監査記録を集め、独立した第三者のこれらの取引の監査を提供する。安全ディレクトリサービス６００は、機密性およびプライバシーを維持しながら、互いの電子アドレスを位置づける参加者を助ける。
【０８２２】
サブトランザクションのそれぞれが完了されると、サブトランザクションが完了された組織内の分散取引当局は、サブタスクの完了のこの取引７００に対する主当局を通知する。前に同意されたＶＤＥ規則および制御セットに従って、取引に参加しているいくつかまたはすべての人物はまた、例えば、少なくとも一つの参加ＶＤＥの保護された処理環境で、個人、分散交易ユーティリティシステム、分散取引当局、および／またはこの取引のための主当局に対するノードでＰＰＥを含むことによって安全に送られた、および認可された監査記録および／またはメッセージによって通知され得る。
【０８２３】
全体の取引のすべての構成要素が完了されると、取引当局は、本実施例ではこの現実の財産売却のための主取引当局は、前提条件がすべて満たされ、全体の取引を解決している、それぞれの参加者およびそれぞれの参加分散取引当局を通知する。任意に、取引当局は売り手を与え得、および完了を進めるためのまたは取引を続けるための最後の機会を取得し得る。この一つの実施例は、取引当局７００を含んだ交易ユーティリティシステム９０が、一つ以上の交易ユーティリティシステム９０を支持する中間のＶＤＥの保護された処理環境に分散され得ることを示している。
【０８２４】
実施例−デジタル放送ネットワーク
インフラストラクチャおよび多くの使用者にまたがる他のリソースを償却すること、競合者よりも素早く決定的な量（ｃｒｉｔｉｃａｌ  ｍａｓｓ）を建設すること、顧客に対して最もアピールする製品およびサービスを仕立て、配送することに特定化することを支持すること、購入のために交渉の影響力（ｎｅｇｏｔｉａｔｉｎｇ  ｌｅｖｅｒａｇｅ  ｐｏｗｅｒ）を最大化すること、最も包括的なインフラストラクチャを建設して、所与の仕事上の活動のための最良の「ワン−ストップ」リソースとして作用すること。これらは、うまく現代のビジネスを建設することにおいてすべて主要な概念である。ＶＤＥおよび分散交易ユーティリティは、これらの特質を明示する高度に競合的で成功する仮想空間ビジネスを作成するための基金を設立する。これらのビジネスの多くは、インターネットおよびワールドワイドウェブの特性を反映する。ＶＤＥおよび分散交易ユーティリティのように、それらは、電子交易協力によって最大限の利点を実現する分散共同体を構成する。それらは、異なるサービスの層、ならびに相補的な製品およびサービスを提供し、それらの活動をそれらの相互利益と協調させるという大きな利点を実現する。
【０８２５】
デジタル放送ネットワーク（「ＤＢＮ」）は、まさに革新的な交易事業である。多くの異なるワールドワイドウェブ（「ウェブ」）に基づくサイトおよびサービスで構成された、ＤＢＮ参加者は、リソースを共有することによって、最大の購買力（ｂｕｙｉｎｇ  ｐｏｗｅｒ）を経験することによって、市場取引および顧客情報を生成することによって、および互いの多くの（しばしば相補的である）活動を結ぶ合理的な行政のオーバーレイを支持することによって、より大きな影響力および動作効率を得る。ワールドワイドウェブならびにＶＤＥおよび分散交易ユーティリティの設計の両方を可能にしてその基礎となる一致した規則とさらに同様に、および両方のこれらのアーキテクチャの能力を重ね合わせて、デジタル放送ネットワークは、それらの発明を採用して、高度に効率的で大部分が自動化されて分散された、ビジネス効率を最大化する共同体を支持する。同様の方法で、他の実施例は、仮想事業（例えば、会社またはたの組織）として互いに機能する実体（ｅｎｔｉｔｉｅｓ）の他の分類を含む。ＶＤＥの分散性質および交易ユーティリティシステムは、これら現代の、潜在的に大規模な、仮想空間ビジネス活動に対して効率的なインフラストラクチャを提供することにおいて特に重要である。
【０８２６】
デジタル放送ネットワークは、ウェブサイトの協同体、および例えば中央、あるいは地方および論理的な（市場に基づいた）本部グループを有するサービス提供者、として機能し得る。または、テレビ放送会社（例えばＮＢＣ）のビジネスモデルの回想（ｒｅｍｉｎｉｓｃｅｎｔ）における利益のための株式企業（ｓｈａｒｅｈｏｌｄｅｒ  ｃｏｒｐｏｒａｔｉｏｎ）として機能し得る。または、いくつかの混合体または上記の特質の混合体の組み合わせ体を有し、分散ピアツーピアで、階層的で、中央集権化された行政ビジネス関係および活動を採用する、協同体または仮想企業として機能し得る。一つの実施例では、複数の企業は、互いにつながり、個々の参加者がある程度の専門知識および「より高い」レベルの協同体または企業において、いくつかの流儀で互いを調整させる実体を提供するサイズおよび調整の利点を提供する。
【０８２７】
一つの実施例では、デジタル放送ネットワークは、多くのライセンス契約したフランチャイズを有する単一企業であり得る。ライセンス契約したフランチャイズは、地理的および／または論理的に特化された市場領域を受け持ち、および／または上述のように分散交易ユーティリティサービスの階層および／またはピアツーピアの前後関係における他のウェブサイトを受け持つウェブサイトを構成し得る。それ自身およびそのフランチャイズを代表して、この企業は、例えば、
・広告主およびその代理人と露出時間に対する最適な料金（ｒａｔｅ）を交渉し、
・第三者によって提供されるコンテンツに対する最低のコストを得て、
・市場分析および使用者プロファイル情報を転売し、
・自身がＤＢＮおよび／または他のフランチャイズと収入を分け合い得るフランチャイズと、その収入を分け合い、
・フランチャイズおよび／またはフランチャイズ使用者ベースプロファイルに応じて広告をフランチャイズに提供し、
・広告主の物（ｍａｔｅｒｉａｌ）に対してある数の「目」（露出および／または他の相互作用）を保証し、
・全体の組織が、共通の使用者アプリケーションツール、インタフェース、および行政活動の使用を含む安全におよび高度に効率的な方式で動作するように、ＶＤＥおよび分散交易ユーティリティの能力を採用する安全仮想ネットワークを提供し、
・ネットワークおよびフランチャイズの利益に応じて、ネットワークの広告を行い、
・それらの要求および／または使用プロファイルによって明示されるようなフランチャイズのニーズに応じてフランチャイズにコンテンツを購入および／またあるいは供給し、
・フランチャイズとの同意の下に認められるようなコンテンツ（広告を含む）の使用、仮想空間の購入、および他のデータを集めて分析し、
・フランチャイズが、局所的な基準で多くのネットワークの機能を実行することを可能にする。局所的な基準は、利用可能な地理的および／または論理的な局所的（そこでの焦点と一致した）コンテンツ（および／またはその使用者ベースに対する特定の興味）を取得して作成することであり、
・フランチャイズの物理的および／または論理的な市場の焦点が与えられた商品価値の広告物に関する同意を交渉し、
・同意による制御の残りを有する、および例えば、ＤＢＮおよび／またはいくつか一つ以上の他のネットワーク参加者の制御の下での規則および制御によって施行される、ウェブ「放送」スペース（コンテンツの少なくともいくらかの部分にわたって局所的な制御を働かせる）の少なくとも一つの部分を制御し、且つ、
・利益および／またはネットワークのための他の行政の支持および／またはサービス機能を実行する。
【０８２８】
一つの実施例では、ＤＢＮは、ＶＤＥの多くの安全性および行政能力、および本発明によって提供される多くのサービス機能を採用し、ＤＢＮビジネスモデルの中心となる分散関係および活動を管理および自動化する。例えば、
・取引当局７００は、ネットワーク共同体を管理するための全体の行政コンテンツを提供し得る。例えば、取引当局７００は、適切なフランチャイズに対するコンテンツのルーティングを管理（好適な実施形態におけるＶＤＥ規則および制御の使用によって）し得る。報告使用情報に関する取り扱いおよび制御の連鎖をも管理し得る。取引当局７００は、ＤＢＮとそのフランチャイズとの間の同意関係からその電子制御セットを得て、および／または引き出し得る。電子交渉は、用いられ得、これらの同意関係を作成し得る。取引当局７００はまた、フランチャイズおよび他の参加者の間の直接的な双務的関係または他のネットワークされた関係を反映する制御を受け取り得る。
【０８２９】
・権利および許可手形交換所４００は、コンテンツに関係した交易権利をネットワークフランチャイズに広げ得る。それは、ネットワークの実体それら自身によって保持され、他のネットワークの実体に利用できるコンテンツ権を含み、ネットワークの実体それら自身によって顧客に供給されたコンテンツに関係した、権利の保管場所として作用する。そのようなコンテンツ権は例えば、表示すること、販売すること、再分配すること、再企画すること、および広告を出すことを含み得る。それは、追加の権利（例えば、再分配権または特定化された再企画権）を要求および／または例えば使用に基づいた自動化されたプロファイルに提供し得る。
【０８３０】
・使用手形交換所３００は、市場分析、使用者プロファイル、および広告の支持における使用データを集め得る。それはまた、その情報および引き出した報告を分析し得る。それは、それらの情報を適切な物としてＤＢＮに内部で分散し得、報告および／または外部で交易の機会に基づいた他の使用ベース情報を販売し得る。
・金融手形交換所２００は、ネットワークの全体にわたって適切な補償の実行を請け合う。それは、ＤＢＮによってコンテンツに対するフランチャイズから支払を集め得る。それは、フランチャイズの支払料金にそれらを使用情報の広告および転売の結果として分散し得る。それは、例えば、ネットワーク広告のような一般にＤＢＮのインフラストラクチャおよびサービスの支持のためのフランチャイズから支払を集め得る。それは、多目的金融手形交換所のインフラストラクチャに接続し、情報に関係した支払を送信および受信する。
【０８３１】
・安全ディレクトリサービス６００は、固有の確認および／または分類特性に基づいたディレクトリサービスを維持し得る。大変多くの数のフランチャイズが全体的に存在し得る。ディレクトリサービスは６００はまた、独特の識別子およびプロファイル情報を含む、顧客のディレクトリ情報を維持し得る。安全ディレクトリサービスは６００は、所有され、管理され、および／またはネットワークに対して利用可能なコンテンツに対するディレクトリ情報を維持し得る。
【０８３２】
・認証当局５００は、ネットワークにおけるすべての参加者の役割を認証し得る。それは、例えば、各フランチャイズに認証を発行する。それはまた、ネットワークの実体のグルーピングの交易関係を認証する認証を発行し得、第三者との効率的な安全関係を促進し得る。それらはまた、顧客に認証を発行し得、顧客の外部の団体との交易活動（例えば、割引制度、またはより大きな「ＤＢＮ」共同体のメンバーになること）に関するある特定化された顧客の権利を表し得る。
【０８３３】
特定のサービス機能（例えば、上述のような）の一部またはすべては、高度に分散され得、フランチャイズで有意に、主に、またはさらに独占的に働き得、且つ、ネットワークウェブサーバをサービスする。
【０８３４】
本発明は、現在最も実用的で且つ好適な実施形態に関して説明してきたが、本発明は開示された実施形態に限定されるものではなく、逆に添付の請求項の精神および範囲に含まれる様々な改変および同等の配置を網羅するよう意図されている。
【符号の説明】
【０８３５】
７５    分散交易ユーティリティ
１００    消費者機器
１０２    家庭用カラーテレビセット
１０２ａ    テレビ番組
１０４    ビデオプレイヤー／レコーダー
１０６    セットトップボックス
１０８    手持ち式リモートコントローラ
１５０    電子ネットワーク
１５４    保護された処理環境
【図１】
2011060296.tif 000003
【図１Ａ】
2011060296.tif 000004
【図１Ｂ】
2011060296.tif 000005
【図２Ａ】
2011060296.tif 000006
【図２Ｂ】
2011060296.tif 000007
【図２Ｃ】
2011060296.tif 000008
【図２Ｄ】
2011060296.tif 000009
【図２Ｅ】
2011060296.tif 000010
【図３Ａ】
2011060296.tif 000011
【図３Ｂ】
2011060296.tif 000012
【図３Ｃ】
2011060296.tif 000013
【図４】
2011060296.tif 000014
【図４Ａ】
2011060296.tif 000015
【図５】
2011060296.tif 000016
【図６】
2011060296.tif 000017
【図７】
2011060296.tif 000018
【図７Ａ】
2011060296.tif 000019
【図８】
2011060296.tif 000020
【図９】
2011060296.tif 000021
【図１０】
2011060296.tif 000022
【図１１】
2011060296.tif 000023
【図１２】
2011060296.tif 000024
【図１３】
2011060296.tif 000025
【図１４】
2011060296.tif 000026
【図１５】
2011060296.tif 000027
【図１６Ａ】
2011060296.tif 000028
【図１６Ｂ】
2011060296.tif 000029
【図１６Ｃ】
2011060296.tif 000030
【図１６Ｄ】
2011060296.tif 000031
【図１６Ｅ】
2011060296.tif 000032
【図１６Ｆ】
2011060296.tif 000033
【図１７Ａ】
2011060296.tif 000034
【図１７Ｂ】
2011060296.tif 000035
【図１７Ｃ】
2011060296.tif 000036
【図１７Ｄ−１】
2011060296.tif 000037
【図１７Ｄ−２】
2011060296.tif 000038
【図１７Ｄ−３】
2011060296.tif 000039
【図１７Ｅ】
2011060296.tif 000040
【図１７Ｆ】
2011060296.tif 000041
【図１８】
2011060296.tif 000042
【図１９】
2011060296.tif 000043
【図２０】
2011060296.tif 000044
【図２０−１】
2011060296.tif 000045
【図２１】
2011060296.tif 000046
【図２２】
2011060296.tif 000047
【図２２Ａ】
2011060296.tif 000048
【図２３】
2011060296.tif 000049
【図２４】
2011060296.tif 000050
【図２５】
2011060296.tif 000051
【図２６】
2011060296.tif 000052
【図２７】
2011060296.tif 000053
【図２８】
2011060296.tif 000054
【図２９】
2011060296.tif 000055
【図３０】
2011060296.tif 000056
【図３１】
2011060296.tif 000057
【図３２】
2011060296.tif 000058
【図３３】
2011060296.tif 000059
【図３４】
2011060296.tif 000060
【図３５】
2011060296.tif 000061
【図３６】
2011060296.tif 000062
【図３７】
2011060296.tif 000063
【図３８】
2011060296.tif 000064
【図３９】
2011060296.tif 000065
【図４０】
2011060296.tif 000066
【図４１】
2011060296.tif 000067
【図４２】
2011060296.tif 000068
【図４２Ａ】
2011060296.tif 000069
【図４３】
2011060296.tif 000070
【図４４】
2011060296.tif 000071
【図４５Ａ】
2011060296.tif 000072
【図４５Ｂ】
2011060296.tif 000073
【図４５Ｃ】
2011060296.tif 000074
【図４６】
2011060296.tif 000075
【図４７】
2011060296.tif 000076
【図４８】
2011060296.tif 000077
【図４９】
2011060296.tif 000078
【図５０】
2011060296.tif 000079
【図５０Ａ】
2011060296.tif 000080
【図５１】
2011060296.tif 000081
【図５１Ｅ】
2011060296.tif 000082
【図５１Ｆ】
2011060296.tif 000083
【図５１Ｇ】
2011060296.tif 000084
【図５１Ｈ】
2011060296.tif 000085
【図５２】
2011060296.tif 000086
【図５３】
2011060296.tif 000087
【図５４】
2011060296.tif 000088
【図５５】
2011060296.tif 000089
【図５６】
2011060296.tif 000090
【図５７】
2011060296.tif 000091
【図５８Ａ】
2011060296.tif 000092
【図５８Ｂ】
2011060296.tif 000093
【図５８Ｃ】
2011060296.tif 000094
【図５８Ｄ】
2011060296.tif 000095
【図５９】
2011060296.tif 000096
【図６０】
2011060296.tif 000097
【図６１】
2011060296.tif 000098
【図６２】
2011060296.tif 000099
【図６３】
2011060296.tif 000100
【図６４】
2011060296.tif 000101
【図６５】
2011060296.tif 000102
【図６６】
2011060296.tif 000103
【図６７】
2011060296.tif 000104
【手続補正書】
【提出日】平成22年10月15日(2010.10.15)
【手続補正２】
【補正対象書類名】特許請求の範囲
【補正対象項目名】全文
【補正方法】変更
【補正の内容】
【特許請求の範囲】
【請求項１】
第１、第２、及びの第３の電子機器による電子コンテンツの使用の管理方法であって、
前記第１の電子機器が、前記第２の電子機器に関連したエンティティの少なくとも一つの特性を証明する第１のデジタル認証を発行するステップと、
前記第１の電子機器が、前記第１のデジタル認証の受信の際に電子機器によって許可される一つ以上の動作を特定する第１の制御情報を発行するステップであって、前記一つ以上の動作の一つが、他の電子機器に関連した一つ以上のエンティティの少なくとも一つの特性を証明する第２のデジタル認証の発行を含むステップと、
前記第１の電子機器が、前記第１のデジタル認証及び前記第１の制御情報を、前記第２の電子機器に提供するステップと、
前記第２の電子機器が、前記第３の電子機器に関連したエンティティの少なくとも一つの特性を証明する第２のデジタル認証を発行するステップと、
前記第２の電子機器が、前記第２のデジタル認証を、前記第３の電子機器に提供するステップと、
前記第３の電子機器が、電子コンテンツを使用するために前記第２のデジタル認証を提示するステップと、
を有する方法。
【請求項２】
前記第２の電子機器に関連したエンティティの少なくとも一つの特性の表示を提供する証拠情報を、前記第２の電子機器から前記第１の電子機器へ送信するステップと、
前記第１の電子機器が、前記第１のデジタル認証を発行するための根拠として、前記証拠情報を承認するステップと、
を更に有する請求項１に記載の方法。
【請求項３】
第４の電子機器から前記第１の電子機器へ、前記第１のデジタル認証情報を発行するための手続きを規定する第２の制御情報を送信するステップを更に有し、
前記第１のデジタル認証情報の発行は、前記第２の制御情報に規定された手続きに基づいて実行される請求項１又は２に記載の方法。